(57)【要約】本発明の実施形態は、基準信号シーケンスのマッピング方法および構成方法と、基地局と、ユーザ機器とを提供する。本方法は、ＵＥの少なくとも１つのサブ周波数領域リソースに対応するシーケンスパラメータを決定するステップであって、１つのサブ周波数領域リソースが、１つのシーケンスパラメータに対応する、決定するステップと、前記シーケンスパラメータに基づいて基準信号シーケンスを生成するステップと、前記少なくとも１つのサブ周波数領域リソースに対応する物理リソースに前記基準信号シーケンスをマッピングするステップとを含む。
2019527972.tif 000002
【特許請求の範囲】
【請求項１】
基準信号シーケンスのマッピング方法であって、
ユーザ機器ＵＥの少なくとも１つのサブ周波数領域リソースに対応するシーケンスパラメータを決定するステップであって、１つのサブ周波数領域リソースが、１つのシーケンスパラメータに対応する、決定するステップと、
前記シーケンスパラメータに基づいて基準信号シーケンスを生成するステップと、
前記少なくとも１つのサブ周波数領域リソースに対応する物理リソースに前記基準信号シーケンスをマッピングするステップと
を備える方法。
【請求項２】
前記基準信号が、復調基準信号ＤＭＲＳであり、前記少なくとも１つのサブ周波数領域リソースは、前記ＤＭＲＳが位置するデータ帯域幅中のサブキャリアの一部または全部を備える、請求項１に記載の方法。
【請求項３】
前記シーケンスパラメータが、
ルートシーケンスインデックス、サイクリックシフト値、または前記基準信号シーケンスの直交カバーコード
のうちの少なくとも１つを備える、請求項１または２に記載の方法。
【請求項４】
第１のサブ周波数領域リソースに対応するシーケンスパラメータが、前記第１のサブ周波数領域リソースの第１のリソースインデックス値によって決定され、前記第１のサブ周波数領域リソースが、前記少なくとも１つのサブ周波数領域リソースのうちの１つである、請求項１乃至３のいずれか一項に記載の方法。
【請求項５】
第１のルートシーケンスインデックスのシーケンスグループホッピングおよび／またはシーケンスホッピングが前記第１のリソースインデックス値によって決定され、前記第１のルートシーケンスインデックスが、前記第１のサブ周波数領域リソースに対応する前記シーケンスパラメータ中のルートシーケンスインデックスである、請求項４に記載の方法。
【請求項６】
前記方法が、第１の情報を取得するステップであって、前記第１の情報が、前記少なくとも１つのサブ周波数領域リソースに対応する前記シーケンスパラメータを示すために使用される、取得するステップをさらに備え、
前記少なくとも１つのサブ周波数領域リソースに対応するシーケンスパラメータを決定する前記ステップが、前記第１の情報に基づいて、前記少なくとも１つのサブ周波数領域リソースに対応する前記シーケンスパラメータを決定するステップを備える、請求項１乃至３のいずれか一項に記載の方法。
【請求項７】
前記方法が、第１の情報を取得するステップであって、前記第１の情報が、前記少なくとも１つのサブ周波数領域リソースに対応する少なくとも１つのシーケンスパラメータを示すために使用される、取得するステップをさらに備え、
前記少なくとも１つのサブ周波数領域リソースに対応するシーケンスパラメータを決定する前記ステップが、前記第１の情報と前記少なくとも１つのサブ周波数領域リソースに対応するリソースインデックス値とに基づいて、前記少なくとも１つのサブ周波数領域リソースに対応する前記少なくとも１つのシーケンスパラメータを決定するステップを備える、請求項１乃至３のいずれか一項に記載の方法。
【請求項８】
前記第１の情報によって示される前記シーケンスパラメータが、絶対値または相対値である、請求項６または７に記載の方法。
【請求項９】
前記方法が、
前記少なくとも１つのサブ周波数領域リソースを決定するステップ
をさらに備える、請求項１乃至８のいずれか一項に記載の方法。
【請求項１０】
前記少なくとも１つのサブ周波数領域リソースが、シグナリングによって示されるか、またはあらかじめ定義されているかもしくはあらかじめ構成されている、請求項９に記載の方法。
【請求項１１】
前記方法が、第２の情報を取得するステップであって、前記第２の情報が、前記少なくとも１つのサブ周波数領域リソースを示すために使用される、取得するステップをさらに備え、
前記少なくとも１つのサブ周波数領域リソースを決定する前記ステップが、前記第２の情報に基づいて、前記少なくとも１つのサブ周波数領域リソースを決定するステップを備える、請求項９に記載の方法。
【請求項１２】
前記第２の情報が、前記少なくとも１つのサブ周波数領域リソースの多重化方式を備える、請求項１１に記載の方法。
【請求項１３】
前記多重化方式が、周波数分割多重化および／または符号分割多重化を備える、請求項１２に記載の方法。
【請求項１４】
前記少なくとも１つのサブ周波数領域リソースが２つ以上のサブ周波数領域リソースであるとき、
すべての前記サブ周波数領域リソースの多重化方式が同じであるか、または
前記サブ周波数領域リソースのうちの少なくとも２つの多重化方式が異なる、請求項１２に記載の方法。
【請求項１５】
基準信号シーケンスの構成方法であって、
第１の情報を生成するステップであって、前記第１の情報が、少なくとも１つのサブ周波数領域リソースに対応するシーケンスパラメータを示すために使用され、前記少なくとも１つのサブ周波数領域リソースが、基準信号シーケンスをマッピングするために前記第１のＵＥによって使用される周波数領域リソースであり、前記第１のＵＥの各サブ周波数領域リソースが、１つのシーケンスパラメータに対応する、生成するステップと、
前記第１のＵＥに前記第１の情報を送るステップと
を備える方法。
【請求項１６】
前記基準信号が、復調基準信号ＤＭＲＳであり、前記少なくとも１つのサブ周波数領域リソースは、前記第１のＵＥの前記ＤＭＲＳが位置するデータ帯域幅中のサブキャリアの一部または全部を備える、請求項１５に記載の方法。
【請求項１７】
前記シーケンスパラメータが、
ルートシーケンスインデックス、サイクリックシフト値、または前記基準信号シーケンスの直交カバーコード
のうちの少なくとも１つを備える、請求項１５または１６に記載の方法。
【請求項１８】
前記方法が、
第２の情報を生成するステップであって、前記第２の情報が、前記少なくとも１つのサブ周波数領域リソースを示すために使用される、生成するステップと、
前記第１のＵＥに前記第２の情報を送るステップと
をさらに備える、請求項１５乃至１７のいずれか一項に記載の方法。
【請求項１９】
前記第２の情報が、前記少なくとも１つのサブ周波数領域リソースの多重化方式を備える、請求項１８に記載の方法。
【請求項２０】
前記少なくとも１つのサブ周波数領域リソースが２つ以上のサブ周波数領域リソースであるとき、
すべての前記サブ周波数領域リソースの基準信号シーケンスの多重化方式が同じであるか、または
前記サブ周波数領域リソースのうちの少なくとも２つの基準信号シーケンスの多重化方式が異なる、請求項１９に記載の方法。
【請求項２１】
前記方法が、
第３の情報を生成するステップであって、前記第３の情報が、前記第２のＵＥの周波数領域リソース中にあり、基準信号を送るために使用される少なくとも１つのサブ周波数領域リソースに対応するシーケンスパラメータを示し、前記第２のＵＥの前記少なくとも１つのサブ周波数領域リソース中の第２のサブ周波数領域リソースが、前記第１のＵＥの前記少なくとも１つのサブ周波数領域リソース中の第１のサブ周波数領域リソース中の周波数領域リソースの全部または一部であり、前記第２のサブ周波数領域リソースと前記第１のサブ周波数領域リソースとが異なるシーケンスパラメータに対応する、生成するステップと、
前記第２のＵＥに前記第３の情報を送るステップと
をさらに備える、請求項１５乃至２０のいずれか一項に記載の方法。
【請求項２２】
制御情報を送る方法であって、
周波数領域の離散の方式で、制御情報を搬送するために使用されるデータチャネルリソースに前記制御情報をマッピングするステップであって、各データチャネルリソースが、時間領域中で１ｍｓ未満である、マッピングするステップと、
前記データチャネルリソースを使用することによって前記制御情報を送るステップと
を備える方法。
【請求項２３】
前記制御情報が、
ハイブリッド自動再送要求ＨＡＲＱの応答情報、チャネル状態情報ＣＳＩ、またはスケジューリング要求ＳＲ
のうちの少なくとも１つを備える、請求項２２に記載の方法。
【請求項２４】
前記ＣＳＩが、
ランクインジケータＲＩ、プリコーディング行列インジケータＰＭＩ、チャネル品質インジケータＣＱＩ、プリコーディングタイプインジケータＰＴＩ、またはビーム指示情報ＢＩ
のうちの少なくとも１つを備える、請求項２３に記載の方法。
【請求項２５】
周波数領域の離散の方式で、制御情報を搬送するために使用されるデータチャネルリソースに前記制御情報をマッピングする前記ステップが、
少なくとも１つのタイプの制御情報の各々を複数の部分に分割し、前記周波数領域の離散の方式で、前記データチャネルリソースによって占有される帯域幅中の異なる部分に各タイプの制御情報の前記複数の部分をそれぞれマッピングするステップ、または
前記データチャネルリソースによって占有される帯域幅中の異なる部分に複数のタイプの制御情報をそれぞれマッピングするステップ
のうちの少なくとも１つを備える、請求項２２乃至２４のいずれか一項に記載の方法。
【請求項２６】
少なくとも１つのタイプの制御情報の各々を複数の部分に分割し、前記周波数領域の離散の方式で、前記データチャネルリソースによって占有される帯域幅中の異なる部分に各タイプの制御情報の前記複数の部分をそれぞれマッピングする前記ステップが、
２つの部分に前記少なくとも１つのタイプの制御情報の各々を分割し、前記データチャネルリソースによって占有される前記帯域幅の２つの側に前記２つの部分をそれぞれマッピングするステップ
を備える、請求項２５に記載の方法。
【請求項２７】
前記データチャネルリソースによって占有される帯域幅中の異なる部分に複数のタイプの制御情報をそれぞれマッピングする前記ステップが、
高周波数サブキャリアから低周波数サブキャリアに、前記データチャネルリソースによって占有される前記帯域幅中の少なくとも一部分の各々中の第１の制御情報をマッピングするステップ、または
低周波数サブキャリアから高周波数サブキャリアに、前記データチャネルリソースによって占有される前記帯域幅中の少なくとも一部分の各々中の前記第１の制御情報をマッピングするステップ、または
低周波数サブキャリアから高周波数サブキャリアに、前記データチャネルリソースによって占有される前記帯域幅中の少なくとも一部分の第１の部分中の前記第１の制御情報をマッピングし、高周波数サブキャリアから低周波数サブキャリアに、前記データチャネルリソースによって占有される前記帯域幅中の前記少なくとも一部分の第２の部分中の前記第１の制御情報をマッピングするステップであって、
前記第１の制御情報が、前記複数のタイプの制御情報のうちの１つである、マッピングするステップ、
を備える、請求項２５に記載の方法。
【請求項２８】
前記制御情報が、ＨＡＲＱ応答メッセージと前記ＲＩとを備え、前記データチャネルリソースが、サブバンド１と、サブバンド２と、サブバンド３と、サブバンド４との４つのサブバンドに分割されるとき、周波数領域の離散の方式で、制御情報を搬送するために使用されるデータチャネルリソースに前記制御情報をマッピングする前記ステップが、
前記サブバンド１および前記サブバンド３に前記ＨＡＲＱ応答メッセージをマッピングし、前記サブバンド２および前記サブバンド４に前記ＲＩをマッピングするステップ、または
前記サブバンド２および前記サブバンド４に前記ＨＡＲＱ応答メッセージをマッピングし、前記サブバンド１および前記サブバンド３に前記ＲＩをマッピングするステップ、または
前記サブバンド１および前記サブバンド４に前記ＨＡＲＱ応答メッセージをマッピングし、前記サブバンド２および前記サブバンド３に前記ＲＩをマッピングするステップ、または
前記サブバンド２および前記サブバンド３に前記ＨＡＲＱ応答メッセージをマッピングし、前記サブバンド１および前記サブバンド４に前記ＲＩをマッピングするステップ
を備える、請求項２７に記載の方法。
【請求項２９】
周波数領域の離散の方式で、制御情報を搬送するために使用されるデータチャネルリソースに前記制御情報をマッピングする前記ステップは、前記制御情報が複数のタイプの制御情報を備えるとき、前記データチャネルリソースの少なくとも２つの時間領域データシンボルに前記複数のタイプの制御情報をそれぞれマッピングし、前記周波数領域の離散の方式で、前記データチャネルリソースによって占有される前記帯域幅に前記複数のタイプの制御情報をマッピングするステップを備える、請求項２２乃至２８のいずれか一項に記載の方法。
【請求項３０】
周波数領域の離散の方式で、制御情報を搬送するために使用されるデータチャネルリソースに前記制御情報をマッピングする前記ステップが、
前記周波数領域の離散の方式で、前記データチャネルリソースの第１のシンボル上の時間周波数リソースに前記第１の制御情報をマッピングし、前記周波数領域の離散の方式で、前記データチャネルリソースの第２のシンボル上の時間周波数リソースに第２の制御情報をマッピングするステップ、または
第１のサブバンド中の、前記データチャネルリソースの第１のシンボル上の時間周波数リソースと第２のサブバンド中の、前記データチャネルリソースの第２のシンボル上の時間周波数リソースとに前記第１の制御情報をマッピングし、前記第１のサブバンド中の、前記データチャネルリソースの前記第２のシンボル上の時間周波数リソースと前記第２のサブバンド中の、前記データチャネルリソースの前記第１のシンボル上の時間周波数リソースとに第２の制御情報をマッピングするステップ
を備える、請求項２９に記載の方法。
【請求項３１】
前記データチャネルリソースの１つのサブフレーム中の前記制御情報によって占有されるシンボルの量は、２、３、４、６、または７のうちのいずれか１つである、請求項２９または３０に記載の方法。
【請求項３２】
前記制御情報が、前記ＨＡＲＱ応答メッセージと前記ＲＩとを備えるとき、周波数領域の離散の方式で、制御情報を搬送するために使用されるデータチャネルリソースに前記制御情報をマッピングする前記ステップが、前記データチャネルリソースの２つの側上の２つの隣接する時間領域データシンボルに前記制御情報中の前記ＨＡＲＱ応答メッセージと前記ＲＩとをそれぞれマッピングし、前記周波数領域の離散の方式で、前記データチャネルリソースによって占有される前記帯域幅に前記ＨＡＲＱ応答メッセージと前記ＲＩとをマッピングするステップを備える、請求項２９乃至３１のいずれか一項に記載の方法。
【請求項３３】
前記制御情報が、前記ＨＡＲＱ応答メッセージと前記ＲＩとを備えるとき、周波数領域の離散の方式で、制御情報を搬送するために使用されるデータチャネルリソースに前記制御情報をマッピングする前記ステップが、
前記データチャネルリソースの一方の側上の１つの時間領域データシンボルに前記制御情報中の前記ＨＡＲＱ応答メッセージと前記ＲＩとをマッピングし、前記周波数領域の離散の方式で、前記データチャネルリソースによって占有される前記帯域幅に前記ＨＡＲＱ応答メッセージと前記ＲＩとをマッピングするステップを備える、請求項２２乃至３１のいずれか一項に記載の方法。
【請求項３４】
前記方法が、
前記制御情報を送るときに前記データチャネルリソース上でレートマッチングまたはパンクチャリング演算を実行するステップ
をさらに備える、請求項２２乃至３３のいずれか一項に記載の方法。
【請求項３５】
同期ソースを使用することによってデバイス間Ｄ２Ｄ通信を実行する方法であって、
ユーザ機器ＵＥによって、第１の同期ソースの構成情報に基づいて第１のデバイスの信号を検出するステップであって、前記第１のデバイスが衛星デバイスである、検出するステップと、
前記ＵＥが、前記第１のデバイスの有効な信号を検出するとき、Ｄ２Ｄリンクを介した前記ＵＥの同期ソースとして前記第１のデバイスを使用し、前記ＵＥが前記第１のデバイスの有効な信号を検出しないとき、前記Ｄ２Ｄリンクを介した同期ソースとして第２のデバイスを取得するステップであって、前記第２のデバイスが前記衛星デバイス以外のデバイスである、取得するステップと、
前記Ｄ２Ｄリンクを介した前記同期ソースに基づいて前記Ｄ２Ｄリンクを介した通信を実行するステップと
を備える方法。
【請求項３６】
前記第１の同期ソースの構成情報が、前記ＵＥに前記基地局によって送られるか、または
前記第１の同期ソースの構成情報が、あらかじめ定義されているかもしくはあらかじめ構成されている、
請求項３５に記載の方法。
【請求項３７】
前記ＵＥが、有効な衛星信号を検出しないことが、
前記ＵＥによって検出された衛星信号のチャネル品質が第１のしきい値より低いこと、または
前記ＵＥが衛星信号を検出しないこと、または
前記ＵＥが、プリセットされた時間内に衛星信号を検出しないか、もしくはプリセットされた時間内に前記ＵＥによって検出された衛星信号のチャネル品質が、前記第１のしきい値より低いこと
を備える、請求項３５または３６に記載の方法。
【請求項３８】
前記ＵＥが、前記第１のデバイスの有効な信号を検出することが、
前記ＵＥが、前記プリセットされた持続時間内に衛星信号を検出するか、もしくは前記プリセットされた持続時間内に前記ＵＥによって検出された衛星信号のチャネル品質が、第２のしきい値以上であること
を備える、請求項３５または３６に記載の方法。
【請求項３９】
前記ＵＥが有効な衛星信号を検出しないとき、前記Ｄ２Ｄリンクを介した同期ソースとして第２のデバイスを取得する前記ステップが、
前記ＵＥが有効な衛星信号を検出しない持続時間がプリセットされた持続時間未満であり、前記ＵＥが、前記第２のデバイスの信号を検出するとき、前記Ｄ２Ｄリンクを介した前記同期ソースとして前記第２のデバイスを使用するステップ
を備える、請求項３５または３６に記載の方法。
【請求項４０】
前記方法が、
前記ＵＥの前記基地局に指示情報を送るステップであって、前記指示情報は、前記ＵＥが有効な衛星信号を検出しないことを示す、送るステップ
をさらに備える、請求項３６乃至３９のいずれか一項に記載の方法。
【請求項４１】
前記Ｄ２Ｄリンクを介した同期ソースとして第２のデバイスを取得する前記ステップが、
前記基地局によって送られる第２の同期ソースの構成情報を受信するステップであって、前記第２の同期ソースの構成情報は、前記第２のデバイスが、前記ＵＥの前記同期ソースとして使用されることを示す、受信するステップと、
前記第２の同期ソースの構成情報に基づいて、前記第２のデバイスが前記Ｄ２Ｄリンクを介した前記同期ソースであると決定するステップと
を備える、請求項４０に記載の方法。
【請求項４２】
前記第２のデバイスが前記基地局である、請求項４１に記載の方法。
【請求項４３】
前記Ｄ２Ｄリンクを介した同期ソースとして第２のデバイスを取得する前記ステップが、
前記第２の同期ソースとして、前記第２のデバイス中で最も高い同期ソース優先度をもつデバイスを取得するステップ
を備える、請求項３５乃至３８のいずれか一項に記載の方法。
【請求項４４】
前記第２の同期ソースが、前記ＵＥの前記基地局であるか、または別のＵＥである、請求項４３に記載の方法。
【請求項４５】
前記方法が、
前記Ｄ２Ｄリンクを介した前記ＵＥの通信リソースから前記同期ソースに関連するリソースまたはリソースプールに切り替わるステップ
をさらに備える、請求項３５乃至４４のいずれか一項に記載の方法。
【請求項４６】
前記方法が、
前記Ｄ２Ｄリンクを介して前記ＵＥによって検出された信号の品質が、第３のしきい値より低いとき、前記ＵＥによって、前記Ｄ２Ｄリンクを介して同期信号を送信するステップ
をさらに備える、請求項３５乃至４５のいずれか一項に記載の方法。
【請求項４７】
処理モジュールと送信モジュールとを備えるユーザ機器であって、
前記処理モジュールが、前記ユーザ機器の少なくとも１つのサブ周波数領域リソースに対応するシーケンスパラメータを決定することと、前記シーケンスパラメータに基づいて基準信号シーケンスを生成することであって、１つのサブ周波数領域リソースが、１つのシーケンスパラメータに対応する、生成することとを行うように構成され、
前記送信モジュールが、前記少なくとも１つのサブ周波数領域リソースに対応する物理リソースに前記基準信号シーケンスをマッピングするように構成された、
ユーザ機器。
【請求項４８】
前記基準信号が、復調基準信号ＤＭＲＳであり、前記少なくとも１つのサブ周波数領域リソースは、前記ＤＭＲＳが位置するデータ帯域幅中のサブキャリアの一部または全部を備える、請求項４７に記載のユーザ機器。
【請求項４９】
前記シーケンスパラメータが、
ルートシーケンスインデックス、サイクリックシフト値、または前記基準信号シーケンスの直交カバーコード
のうちの少なくとも１つを備える、請求項４７または４８に記載のユーザ機器。
【請求項５０】
第１のサブ周波数領域リソースに対応するシーケンスパラメータが、前記第１のサブ周波数領域リソースの第１のリソースインデックス値によって決定され、前記第１のサブ周波数領域リソースが、前記少なくとも１つのサブ周波数領域リソースのうちの１つである、請求項４７乃至４９のいずれか一項に記載のユーザ機器。
【請求項５１】
第１のルートシーケンスインデックスのシーケンスグループホッピングおよび／またはシーケンスホッピングが前記第１のリソースインデックス値によって決定され、前記第１のルートシーケンスインデックスが、前記第１のサブ周波数領域リソースに対応する前記シーケンスパラメータ中のルートシーケンスインデックスである、請求項５０に記載のユーザ機器。
【請求項５２】
前記処理モジュールが、第１の情報を取得することであって、前記第１の情報が、前記少なくとも１つのサブ周波数領域リソースに対応する前記シーケンスパラメータを示すために使用される、取得することを行うようにさらに構成され、
前記処理モジュールが、前記第１の情報に基づいて、前記少なくとも１つのサブ周波数領域リソースに対応する前記シーケンスパラメータを決定するように構成された、請求項４７乃至４９のいずれか一項に記載のユーザ機器。
【請求項５３】
前記処理モジュールが、第１の情報を取得することであって、前記第１の情報が、前記少なくとも１つのサブ周波数領域リソースに対応する少なくとも１つのシーケンスパラメータを示すために使用される、取得することを行うようにさらに構成され、
前記処理モジュールが、前記第１の情報と前記少なくとも１つのサブ周波数領域リソースに対応するリソースインデックス値とに基づいて、前記少なくとも１つのサブ周波数領域リソースに対応する前記少なくとも１つのシーケンスパラメータを決定することを行うように構成された、請求項４７乃至４９のいずれか一項に記載のユーザ機器。
【請求項５４】
前記第１の情報によって示される前記シーケンスパラメータが、絶対値または相対値である、請求項５２または５３に記載のユーザ機器。
【請求項５５】
前記処理モジュールが、前記少なくとも１つのサブ周波数領域リソースを決定するようにさらに構成された、請求項４７乃至５４のいずれか一項に記載のユーザ機器。
【請求項５６】
前記少なくとも１つのサブ周波数領域リソースが、シグナリングによって示されるか、またはあらかじめ定義されているかもしくはあらかじめ構成されている、請求項５５に記載のユーザ機器。
【請求項５７】
前記処理モジュールが、第２の情報を取得することであって、前記第２の情報が、前記少なくとも１つのサブ周波数領域リソースを示すために使用される、取得することを行うようにさらに構成され、
前記処理モジュールが、前記第２の情報に基づいて、前記少なくとも１つのサブ周波数領域リソースを決定するように構成された、請求項５５に記載のユーザ機器。
【請求項５８】
前記第２の情報が、前記少なくとも１つのサブ周波数領域リソースの多重化方式を備える、請求項５７に記載のユーザ機器。
【請求項５９】
前記多重化方式が、周波数分割多重化および／または符号分割多重化を備える、請求項５８に記載のユーザ機器。
【請求項６０】
前記少なくとも１つのサブ周波数領域リソースが２つ以上のサブ周波数領域リソースであるとき、
すべての前記サブ周波数領域リソースの多重化方式が同じであるか、または
前記サブ周波数領域リソースのうちの少なくとも２つの多重化方式が異なる、
請求項５８に記載のユーザ機器。
【請求項６１】
処理モジュールと送信モジュールとを備える基地局であって、
前記処理モジュールが、第１の情報を生成することであって、前記第１の情報が、少なくとも１つのサブ周波数領域リソースに対応するシーケンスパラメータを示すために使用され、前記少なくとも１つのサブ周波数領域リソースが、基準信号シーケンスをマッピングするために前記第１のユーザ機器ＵＥによって使用される周波数領域リソースであり、前記第１のＵＥの各サブ周波数領域リソースが、１つのシーケンスパラメータに対応する、生成することを行うように構成され、
前記送信モジュールが、前記第１のＵＥに前記第１の情報を送るように構成された、
基地局。
【請求項６２】
前記基準信号が、復調基準信号ＤＭＲＳであり、前記少なくとも１つのサブ周波数領域リソースは、前記第１のＵＥの前記ＤＭＲＳが位置するデータ帯域幅中のサブキャリアの一部または全部を備える、請求項６１に記載の基地局。
【請求項６３】
前記シーケンスパラメータが、
ルートシーケンスインデックス、サイクリックシフト値、または前記基準信号シーケンスの直交カバーコード
のうちの少なくとも１つを備える、請求項６１または６２に記載の基地局。
【請求項６４】
前記処理モジュールが、第２の情報を生成することであって、前記第２の情報が、前記少なくとも１つのサブ周波数領域リソースを示すために使用される、生成することを行うようにさらに構成され、
前記送信モジュールが、前記第１のＵＥに前記第２の情報を送るようにさらに構成された、請求項６１乃至６３のいずれか一項に記載の基地局。
【請求項６５】
前記第２の情報が、前記少なくとも１つのサブ周波数領域リソースの多重化方式を備える、請求項６４に記載の基地局。
【請求項６６】
前記少なくとも１つのサブ周波数領域リソースが２つ以上のサブ周波数領域リソースであるとき、
すべての前記サブ周波数領域リソースの基準信号シーケンスの多重化方式が同じであるか、または
前記サブ周波数領域リソースのうちの少なくとも２つの基準信号シーケンスの多重化方式が異なる、請求項６５に記載の基地局。
【請求項６７】
前記処理モジュールが、第３の情報を生成することであって、前記第３の情報が、少なくとも１つのサブ周波数領域リソースに対応するシーケンスパラメータを示すために使用され、前記第３の情報中の前記少なくとも１つのサブ周波数領域リソースが、基準信号シーケンスをマッピングするために前記第２のＵＥによって使用される周波数領域リソースであり、前記第２のＵＥの各サブ周波数領域リソースが、１つのシーケンスパラメータに対応し、前記第２のＵＥの前記少なくとも１つのサブ周波数領域リソース中の第２のサブ周波数領域リソースが、前記第１のＵＥの前記少なくとも１つのサブ周波数領域リソース中の第１のサブ周波数領域リソース中の周波数領域リソースの全部または一部であり、前記第２のサブ周波数領域リソースと前記第１のサブ周波数領域リソースとが異なるシーケンスパラメータに対応する、生成することを行うようにさらに構成され、
前記送信モジュールが、前記第２のＵＥに前記第３の情報を送るようにさらに構成された、請求項６１乃至６６のいずれか一項に記載の基地局。
【請求項６８】
処理モジュールと送信モジュールとを備えるユーザ機器であって、
前記処理モジュールが、周波数領域の離散の方式で、制御情報を搬送するために使用されるデータチャネルリソースに前記制御情報をマッピングすることであって、各データチャネルリソースが、時間領域中で１ｍｓ未満である、マッピングすることを行うように構成され、
前記送信モジュールが、前記データチャネルリソースを使用することによって前記制御情報を送るように構成された、
ユーザ機器。
【請求項６９】
前記制御情報が、
ハイブリッド自動再送要求ＨＡＲＱの応答情報、チャネル状態情報ＣＳＩ、またはスケジューリング要求ＳＲ
のうちの少なくとも１つを備える、請求項６８に記載のユーザ機器。
【請求項７０】
前記ＣＳＩが、
ランクインジケータＲＩ、プリコーディング行列インジケータＰＭＩ、チャネル品質インジケータＣＱＩ、プリコーディングタイプインジケータＰＴＩ、またはビーム指示情報ＢＩ
のうちの少なくとも１つを備える、請求項６９に記載のユーザ機器。
【請求項７１】
前記処理モジュールが、
少なくとも１つのタイプの制御情報の各々を複数の部分に分割し、前記周波数領域の離散の方式で、前記データチャネルリソースによって占有される帯域幅中の異なる部分に各タイプの制御情報の前記複数の部分をそれぞれマッピングすること、または
前記データチャネルリソースによって占有される帯域幅中の異なる部分に複数のタイプの制御情報をそれぞれマッピングすること
を行うように特に構成された、請求項６８乃至７０のいずれか一項に記載のユーザ機器。
【請求項７２】
前記処理モジュールが、
２つの部分に前記少なくとも１つのタイプの制御情報の各々を分割し、前記データチャネルリソースによって占有される前記帯域幅の２つの側に前記２つの部分をそれぞれマッピングすること
を行うように特に構成された、請求項７１に記載のユーザ機器。
【請求項７３】
前記処理モジュールが、
高周波数サブキャリアから低周波数サブキャリアに、前記データチャネルリソースによって占有される前記帯域幅中の少なくとも一部分の各々中の第１の制御情報をマッピングすること、または
低周波数サブキャリアから高周波数サブキャリアに、前記データチャネルリソースによって占有される前記帯域幅中の少なくとも一部分の各々中の前記第１の制御情報をマッピングすること、または
低周波数サブキャリアから高周波数サブキャリアに、前記データチャネルリソースによって占有される前記帯域幅中の少なくとも一部分の第１の部分中の前記第１の制御情報をマッピングし、高周波数サブキャリアから低周波数サブキャリアに、前記データチャネルリソースによって占有される前記帯域幅中の前記少なくとも一部分の第２の部分中の前記第１の制御情報をマッピングすることであって、
前記第１の制御情報が、前記複数のタイプの制御情報のうちの１つである、マッピングすること、
を行うように特に構成された、請求項７１に記載のユーザ機器。
【請求項７４】
前記制御情報が、ＨＡＲＱ応答メッセージと前記ＲＩとを備え、前記データチャネルリソースが、サブバンド１と、サブバンド２と、サブバンド３と、サブバンド４との４つのサブバンドに分割されるとき、前記処理モジュールが、
前記サブバンド１および前記サブバンド３に前記ＨＡＲＱ応答メッセージをマッピングし、前記サブバンド２および前記サブバンド４に前記ＲＩをマッピングすること、または
前記サブバンド２および前記サブバンド４に前記ＨＡＲＱ応答メッセージをマッピングし、前記サブバンド１および前記サブバンド３に前記ＲＩをマッピングすること、または
前記サブバンド１および前記サブバンド４に前記ＨＡＲＱ応答メッセージをマッピングし、前記サブバンド２および前記サブバンド３に前記ＲＩをマッピングすること、または
前記サブバンド２および前記サブバンド３に前記ＨＡＲＱ応答メッセージをマッピングし、前記サブバンド１および前記サブバンド４に前記ＲＩをマッピングすること
を行うように特に構成された、請求項７３に記載のユーザ機器。
【請求項７５】
前記処理モジュールは、前記制御情報が複数のタイプの制御情報を備えるとき、前記データチャネルリソースの少なくとも２つの時間領域データシンボルに前記複数のタイプの制御情報をそれぞれマッピングし、前記周波数領域の離散の方式で、前記データチャネルリソースによって占有される前記帯域幅に前記複数のタイプの制御情報をマッピングすることを行うように特に構成された、請求項６８乃至７４のいずれか一項に記載のユーザ機器。
【請求項７６】
前記処理モジュールが、
前記データチャネルリソースの第１のシンボル上の時間周波数リソースに前記第１の制御情報をマッピングし、前記データチャネルリソースの第２のシンボル上の時間周波数リソースに第２の制御情報をマッピングすること、または
第１のサブバンド中の、前記データチャネルリソースの第１のシンボル上の時間周波数リソースと第２のサブバンド中の、前記チャネルリソースの第２のシンボル上の時間周波数リソースとに前記第１の制御情報をマッピングし、前記第１のサブバンド中の、前記データチャネルリソースの前記第２のシンボル上の時間周波数リソースと前記第２のサブバンド中の、前記チャネルリソースの前記第１のシンボル上の時間周波数リソースとに第２の制御情報をマッピングすること
を行うように特に構成された、請求項７５に記載のユーザ機器。
【請求項７７】
前記データチャネルリソースの１つのサブフレーム中の前記制御情報によって占有されるシンボルの量は、２、３、４、６、または７のうちのいずれか１つである、請求項７５または７６に記載のユーザ機器。
【請求項７８】
前記制御情報が、前記ＨＡＲＱ応答メッセージと前記ＲＩとを備えるとき、前記処理モジュールが、前記データチャネルリソースの２つの側上の２つの隣接する時間領域データシンボルに前記制御情報中の前記ＨＡＲＱ応答メッセージと前記ＲＩとをそれぞれマッピングし、前記周波数領域の離散の方式で、前記データチャネルリソースによって占有される前記帯域幅に前記ＨＡＲＱ応答メッセージと前記ＲＩとをマッピングするように特に構成された、請求項７５乃至７７のいずれか一項に記載のユーザ機器。
【請求項７９】
前記制御情報が、前記ＨＡＲＱ応答メッセージと前記ＲＩとを備えるとき、前記処理モジュールが、
前記データチャネルリソースの一方の側上の１つの時間領域データシンボルに前記制御情報中の前記ＨＡＲＱ応答メッセージと前記ＲＩとをマッピングし、前記周波数領域の離散の方式で、前記データチャネルリソースによって占有される前記帯域幅に前記ＨＡＲＱ応答メッセージと前記ＲＩとをマッピングすること
を行うように特に構成された、請求項６８乃至７７のいずれか一項に記載のユーザ機器。
【請求項８０】
前記送信モジュールが、前記制御情報を送るときに前記データチャネルリソース上でレートマッチングまたはパンクチャリング演算を実行するように構成された、請求項６８乃至７９のいずれか一項に記載のユーザ機器。
【請求項８１】
処理モジュールとトランシーバモジュールとを備えるユーザ機器であって、
前記処理モジュールが、第１の同期ソースの構成情報に基づいて第１のデバイスの信号を検出することであって、前記第１のデバイスが衛星デバイスである、検出することを行うように構成され、
前記トランシーバモジュールが、前記第１のデバイスの前記信号を受信するように構成され、
前記処理モジュールが、前記第１のデバイスの有効な信号を検出するとき、前記処理モジュールが、デバイス間Ｄ２Ｄリンクを介した前記ユーザ機器の同期ソースとして前記第１のデバイスを使用するようにさらに構成され、前記処理モジュールが、前記第１のデバイスの有効な信号を検出しないとき、前記処理モジュールが、前記Ｄ２Ｄリンクを介した同期ソースとして第２のデバイスを取得することであって、前記第２のデバイスが前記衛星デバイス以外のデバイスである、取得することを行うようにさらに構成され、
前記トランシーバモジュールが、前記Ｄ２Ｄリンクを介した前記同期ソースに基づいて前記Ｄ２Ｄリンクを介した通信を実行するように構成された
ユーザ機器。
【請求項８２】
前記第１の同期ソースの構成情報が、前記ユーザ機器に前記基地局によって送られるか、または
前記第１の同期ソースの構成情報が、あらかじめ定義されているかもしくはあらかじめ構成されている、請求項８１に記載のユーザ機器。
【請求項８３】
前記処理モジュールが、有効な衛星信号を検出しないことが、
前記処理モジュールによって検出された衛星信号のチャネル品質が第１のしきい値より低いこと、または
前記処理モジュールが衛星信号を検出しないこと、または
前記処理モジュールが、プリセットされた時間内に衛星信号を検出しないか、もしくはプリセットされた時間内に前記処理モジュールによって検出された衛星信号のチャネル品質が、前記第１のしきい値より低いこと
を備える、請求項８１または８２に記載のユーザ機器。
【請求項８４】
前記処理モジュールが、前記第１のデバイスの有効な信号を検出することが、
前記処理モジュールが、前記プリセットされた持続時間内に衛星信号を検出するか、もしくは前記プリセットされた持続時間内に前記処理モジュールによって検出された衛星信号のチャネル品質が、第２のしきい値以上であること
を備える、請求項８１または８２に記載のユーザ機器。
【請求項８５】
前記処理モジュールが有効な衛星信号を検出しない持続時間がプリセットされた持続時間未満であり、前記処理モジュールが、前記第２のデバイスの信号を検出するとき、前記処理モジュールが、前記Ｄ２Ｄリンクを介した前記同期ソースとして前記第２のデバイスを使用する、請求項８１または８２に記載のユーザ機器。
【請求項８６】
前記トランシーバモジュールが、前記ユーザ機器の前記基地局に指示情報を送ることであって、前記指示情報は、前記ユーザ機器が有効な衛星信号を検出しないことを示す、送ることを行うようにさらに構成された、請求項８２乃至８５のいずれか一項に記載のユーザ機器。
【請求項８７】
前記トランシーバモジュールが、前記基地局によって送られる第２の同期ソースの構成情報を受信することであって、前記第２の同期ソースの構成情報は、前記第２のデバイスが、前記ユーザ機器の前記同期ソースとして使用されることを示す、受信することを行うようにさらに構成され、
前記処理モジュールが、前記第２の同期ソースの構成情報に基づいて、前記第２のデバイスが前記Ｄ２Ｄリンクを介した前記同期ソースであると決定するように特に構成された、請求項８６に記載のユーザ機器。
【請求項８８】
前記第２のデバイスが前記基地局である、請求項８７に記載のユーザ機器。
【請求項８９】
前記処理モジュールが、前記第２の同期ソースとして、前記第２のデバイス中で最も高い同期ソース優先度をもつデバイスを取得するように特に構成された、請求項８１乃至８４のいずれか一項に記載のユーザ機器。
【請求項９０】
前記第２の同期ソースが、前記ユーザ機器の前記基地局であるか、または別のユーザ機器である、請求項８９に記載のユーザ機器。
【請求項９１】
前記処理モジュールが、前記Ｄ２Ｄリンクを介した前記ユーザ機器の通信リソースから前記同期ソースに関連するリソースまたはリソースプールに切り替わるようにさらに構成された、請求項８１乃至９０のいずれか一項に記載のユーザ機器。
【請求項９２】
前記トランシーバモジュールが、前記Ｄ２Ｄリンクを介して前記処理モジュールによって検出された信号の品質が、第３のしきい値より低いとき、前記Ｄ２Ｄリンクを介して同期信号を送信するようにさらに構成された、請求項８１乃至９１のいずれか一項に記載のユーザ機器。
【発明の詳細な説明】
【技術分野】
【０００１】
本発明は、通信分野に関し、より詳細には、基準信号シーケンスのマッピング方法および構成方法と、基地局と、ユーザ機器とに関する。
【背景技術】
【０００２】
社会的発展とともに、ユーザは、ワイヤレス通信技術に対してますます高い要件を有する。ワイヤレス通信では、送信レートと送信遅延とは、主要なインジケータである。サイズが固定されたデータパケットの送信中に、より短い送信持続時間は、通信システムがより多くのユーザをサポートできることまたはより多くのデータの並列送信をサポートできることを示す。さらに、ユーザエクスペリエンスの観点から、より短い遅延は、より高い送信速度、より大きいユーザ容量、およびより良いユーザエクスペリエンスを生じる。
【０００３】
ロングタームエボリューション（Ｌｏｎｇ  Ｔｅｒｍ  Ｅｖｏｌｕｔｉｏｎ、ＬＴＥ）システム中で遅延を低減するために、物理的な観点から、各送信の持続時間を短縮する必要がある。たとえば、ＬＴＥ送信における時間周波数リソースの基本単位は１ｍｓであり、この場合、ワイヤレス通信での送信のために１ｍｓ未満の時間周波数リソースが使用される必要がある。
【０００４】
従来技術では、セルごとに、復調基準信号（ｄｅｍｏｄｕｌａｔｉｏｎ  ｒｅｆｅｒｅｎｃｅ  ｓｉｇｎａｌ、ＤＭＲＳ）の基準信号シーケンスが各スロット中に生成される。異なる周波数領域帯域幅において使用される基準信号シーケンスのルートシーケンス番号は同じになる。異なるＵＥは、基準信号シーケンスの異なるサイクリックシフトを使用することによって送信を実行する。
【０００５】
１つの送信によって占有される時間領域リソースのシンボルの量が減少するとき、複数のＵＥが１つのシンボル上で基準信号を送る可能性がある。異なるＵＥ間で基準信号をどのように多重化し、異なるＵＥがチャネル推定を実行するときに生じる相互干渉をどのように回避するのかが、緊急に解決される必要がある技術的問題である。
【発明の概要】
【０００６】
本発明の実施形態は、基地局によってスケジュールされた各ＵＥの多重化ステータスに基づいて基準信号生成パラメータをフレキシブルに割り振り、それによって、マルチユーザ多重化能力を改善し、スケジューリングフレキシビリティを改善するために基準信号シーケンスのマッピング方法および構成方法と、基地局と、ユーザ機器とを提供する。
【０００７】
第１の態様によれば、基準信号シーケンスのマッピング方法を提供し、本方法は、ＵＥの少なくとも１つのサブ周波数領域リソースに対応するシーケンスパラメータを決定するステップであって、１つのサブ周波数領域リソースは、１つのシーケンスパラメータに対応する、決定するステップと、シーケンスパラメータに基づいて基準信号シーケンスを生成するステップと、少なくとも１つのサブ周波数領域リソースに対応する物理リソースに基準信号シーケンスをマッピングするステップとを含む。
【０００８】
第１の態様に関して、第１の可能な実装形態では、特定の実装形態は、以下の通りである。基準信号は、ＤＭＲＳであり、少なくとも１つのサブ周波数領域リソースは、ＤＭＲＳが位置するデータ帯域幅中のサブキャリアの一部または全部を含む。
【０００９】
第１の態様または第１の態様の上記の実装形態に関して、第１の態様の第２の可能な実装形態では、特定の実装形態は、以下の通りである。シーケンスパラメータは、ルートシーケンスインデックス、サイクリックシフト値、または基準信号シーケンスの直交カバーコードのうちの少なくとも１つを含む。
【００１０】
第１の態様または第１の態様の上記の実装形態のうちのいずれか１つに関して、第１の態様の第３の可能な実装形態では、特定の実装形態は、以下の通りである。第１のサブ周波数領域リソースに対応するシーケンスパラメータは、第１のサブ周波数領域リソースの第１のリソースインデックス値によって決定され、第１のサブ周波数領域リソースは、少なくとも１つのサブ周波数領域リソースのうちの１つである。
【００１１】
第１の態様または第１の態様の上記の実装形態に関して、第１の態様の第４の可能な実装形態では、特定の実装形態は、以下の通りである。第１のルートシーケンスインデックスのシーケンスグループホッピングおよび／またはシーケンスホッピングは第１のリソースインデックス値によって決定され、第１のルートシーケンスインデックスは、第１のサブ周波数領域リソースに対応するシーケンスパラメータ中のルートシーケンスインデックスである。
【００１２】
第１の態様または第１の態様の上記の実装形態のうちのいずれか１つに関して、第１の態様の第５の可能な実装形態では、本方法は、第１の情報を取得するステップであって、第１の情報は、少なくとも１つのサブ周波数領域リソースに対応するシーケンスパラメータを示すために使用される、取得するステップをさらに含み、少なくとも１つのサブ周波数領域リソースに対応するシーケンスパラメータを決定するステップの特定の実装形態は、第１の情報に基づいて、少なくとも１つのサブ周波数領域リソースに対応するシーケンスパラメータを決定するステップである。
【００１３】
第１の態様または第１の態様の上記の実装形態のうちのいずれか１つに関して、第１の態様の第６の可能な実装形態では、本方法は、第１の情報を取得するステップであって、第１の情報は、少なくとも１つのサブ周波数領域リソースに対応する少なくとも１つのシーケンスパラメータを示すために使用される、取得するステップをさらに含み、少なくとも１つのサブ周波数領域リソースに対応するシーケンスパラメータを決定するステップの特定の実装形態は、第１の情報と少なくとも１つのサブ周波数領域リソースに対応するリソースインデックス値とに基づいて、少なくとも１つのサブ周波数領域リソースに対応する少なくとも１つのシーケンスパラメータを決定するステップである。
【００１４】
第１の態様および第１の態様の上記の実装形態に関して、第１の態様の第７の可能な実装形態では、特定の実装形態は、以下の通りである。第１の情報によって示されるシーケンスパラメータは、絶対値または相対値である。
【００１５】
第１の態様または第１の態様の上記の実装形態のうちのいずれか１つに関して、第１の態様の第８の可能な実装形態では、本方法は、少なくとも１つのサブ周波数領域リソースを決定するステップをさらに含む。
【００１６】
第１の態様および第１の態様の上記の実装形態に関して、第１の態様の第９の可能な実装形態では、少なくとも１つのサブ周波数領域リソースは、シグナリングによって示されるか、またはあらかじめ定義されているかもしくはあらかじめ構成されている。
【００１７】
第１の態様および第１の態様の上記の実装形態に１つに関して、第１の態様の第１０の可能な実装形態では、本方法は、第２の情報を取得するステップであって、第２の情報は、少なくとも１つのサブ周波数領域リソースを示すために使用される、取得するステップをさらに含み、少なくとも１つのサブ周波数領域リソースを決定するステップの特定の実装形態は、第２の情報に基づいて、少なくとも１つのサブ周波数領域リソースを決定するステップである。
【００１８】
第１の態様および第１の態様の上記の実装形態に関して、第１の態様の第１１の可能な実装形態では、特定の実装形態は、以下の通りである。第２の情報は、少なくとも１つのサブ周波数領域リソースの多重化方式を含む。
【００１９】
第１の態様および第１の態様の上記の実装形態に関して、第１の態様の第１２の可能な実装形態では、特定の実装形態は、以下の通りである。多重化方式は、周波数分割多重化および／または符号分割多重化を含む。
【００２０】
第１の態様および第１の態様の上記の実装形態に関して、第１の態様の第１３の可能な実装形態では、特定の実装形態は、以下の通りである。少なくとも１つのサブ周波数領域リソースが２つ以上のサブ周波数領域リソースであるとき、すべてのサブ周波数領域リソースの多重化方式が同じであるか、またはサブ周波数領域リソースのうちの少なくとも２つの多重化方式が異なる。
【００２１】
第２の態様に従って、処理モジュールと送信モジュールとを含むユーザ機器が提供され、処理モジュールは、ユーザ機器の少なくとも１つのサブ周波数領域リソースに対応するシーケンスパラメータを決定することと、シーケンスパラメータに基づいて基準信号シーケンスを生成することであって、１つのサブ周波数領域リソースは、１つのシーケンスパラメータに対応する、生成することとを行うように構成され、処理モジュールは、送信モジュールを使用することによって、少なくとも１つのサブ周波数領域リソースに対応する物理リソースに基準信号シーケンスをマッピングするようにさらに構成される。
【００２２】
第２の態様に関して、第１の可能な実装形態では、特定の実装形態は、以下の通りである。基準信号は、ＤＭＲＳであり、少なくとも１つのサブ周波数領域リソースは、ＤＭＲＳが位置するデータ帯域幅中のサブキャリアの一部または全部を含む。
【００２３】
第２の態様または第２の態様の上記の実装形態に関して、第２の態様の第２の可能な実装形態では、特定の実装形態は、以下の通りである。シーケンスパラメータは、ルートシーケンスインデックス、サイクリックシフト値、または基準信号シーケンスの直交カバーコードのうちの少なくとも１つを含む。
【００２４】
第２の態様または第２の態様の上記の実装形態のうちのいずれか１つに関して、第２の態様の第３の可能な実装形態では、特定の実装形態は、以下の通りである。第１のサブ周波数領域リソースに対応するシーケンスパラメータは、第１のサブ周波数領域リソースの第１のリソースインデックス値によって決定され、第１のサブ周波数領域リソースは、少なくとも１つのサブ周波数領域リソースのうちの１つである。
【００２５】
第２の態様および第２の態様の上記の実装形態に関して、第２の態様の第４の可能な実装形態では、特定の実装形態は、以下の通りである。第１のルートシーケンスインデックスのシーケンスグループホッピングおよび／またはシーケンスホッピングは第１のリソースインデックス値によって決定され、第１のルートシーケンスインデックスは、第１のサブ周波数領域リソースに対応するシーケンスパラメータ中のルートシーケンスインデックスである。
【００２６】
第２の態様または第２の態様の上記の実装形態のうちのいずれか１つに関して、第２の態様の第５の可能な実装形態では、処理モジュールは、第１の情報を取得することであって、第１の情報は、少なくとも１つのサブ周波数領域リソースに対応するシーケンスパラメータを示すために使用される、取得することを行うようにさらに構成され、処理モジュールは、第１の情報に基づいて、少なくとも１つのサブ周波数領域リソースに対応するシーケンスパラメータを決定するように構成される。
【００２７】
第２の態様または第２の態様の上記の実装形態のうちのいずれか１つに関して、第２の態様の第６の可能な実装形態では、処理モジュールは、第１の情報を取得することであって、第１の情報は、少なくとも１つのサブ周波数領域リソースに対応する少なくとも１つのシーケンスパラメータを示すために使用される、取得することを行うようにさらに構成され、処理モジュールは、第１の情報と少なくとも１つのサブ周波数領域リソースに対応するリソースインデックス値とに基づいて、少なくとも１つのサブ周波数領域リソースに対応する少なくとも１つのシーケンスパラメータを決定するように構成される。
【００２８】
第２の態様および第２の態様の上記の実装形態に関して、第２の態様の第７の可能な実装形態では、特定の実装形態は、以下の通りである。第１の情報によって示されるシーケンスパラメータは、絶対値または相対値である。
【００２９】
第２の態様または第２の態様の上記の実装形態のうちのいずれか１つに関して、第２の態様の第８の可能な実装形態では、処理モジュールは、少なくとも１つのサブ周波数領域リソースを決定するようにさらに構成される。
【００３０】
第２の態様および第２の態様の上記の実装形態に関して、第２の態様の第９の可能な実装形態では、少なくとも１つのサブ周波数領域リソースは、シグナリングによって示されるか、またはあらかじめ定義されているかもしくはあらかじめ構成されている。
【００３１】
第２の態様および第２の態様の上記の実装形態に関して、第２の態様の第１０の可能な実装形態では、処理モジュールは、第２の情報を取得することであって、第２の情報は、少なくとも１つのサブ周波数領域リソースを示すために使用される、取得することを行うようにさらに構成され、処理モジュールは、第２の情報に基づいて、少なくとも１つのサブ周波数領域リソースを決定するように構成される。
【００３２】
第２の態様および第２の態様の上記の実装形態に関して、第２の態様の第１１の可能な実装形態では、特定の実装形態は、以下の通りである。第２の情報は、少なくとも１つのサブ周波数領域リソースの多重化方式を含む。
【００３３】
第２の態様および第２の態様の上記の実装形態に関して、第２の態様の第１２の可能な実装形態では、特定の実装形態は、以下の通りである。多重化方式は、周波数分割多重化および／または符号分割多重化を含む。
【００３４】
第２の態様および第２の態様の上記の実装形態に関して、第２の態様の第１３の可能な実装形態では、特定の実装形態は、以下の通りである。少なくとも１つのサブ周波数領域リソースが２つ以上のサブ周波数領域リソースであるとき、すべてのサブ周波数領域リソースの多重化方式が同じであるか、またはサブ周波数領域リソースのうちの少なくとも２つの多重化方式が異なる。
【００３５】
第３の態様によれば、プロセッサと、送信機と、受信機とを含む別のユーザ機器が提供され、プロセッサは、送信機と受信機とを使用することによって、第１の態様または第１の態様の可能な実装形態のうちのいずれか１つによる方法を実行するように構成される。
【００３６】
第４の態様によれば、コンピュータプログラムを記憶するように構成されたコンピュータ可読記憶媒体が提供され、コンピュータプログラムは、第１の態様または第１の態様の可能な実装形態のうちのいずれか１つによる方法を実行するために使用される命令を含む。
【００３７】
第５の態様によれば、基準信号シーケンスの構成方法が提供され、本方法は、第１の情報を生成するステップであって、第１の情報は、少なくとも１つのサブ周波数領域リソースに対応するシーケンスパラメータを示すために使用され、少なくとも１つのサブ周波数領域リソースは、基準信号シーケンスをマッピングするために第１のＵＥによって使用される周波数領域リソースであり、第１のＵＥの各サブ周波数領域リソースは、１つのシーケンスパラメータに対応する、生成するステップと、第１のＵＥに第１の情報を送るステップとを含む。
【００３８】
第５の態様に関して、第１の可能な実装形態では、特定の実装形態は、以下の通りである。基準信号は、ＤＭＲＳであり、少なくとも１つのサブ周波数領域リソースは、第１のＵＥのＤＭＲＳが位置するデータ帯域幅中のサブキャリアの一部または全部を含む。
【００３９】
第５の態様または第５の態様の上記の実装形態に関して、第５の態様の第２の可能な実装形態では、特定の実装形態は、以下の通りである。シーケンスパラメータは、ルートシーケンスインデックス、サイクリックシフト値、または基準信号シーケンスの直交カバーコードのうちの少なくとも１つを含む。
【００４０】
第５の態様または第５の態様の上記の実装形態のうちのいずれか１つに関して、第５の態様の第３の可能な実装形態では、本方法は、第２の情報を生成するステップであって、第２の情報は、少なくとも１つのサブ周波数領域リソースを示すために使用される、生成するステップと、第１のＵＥに第２の情報を送るステップとをさらに含む。
【００４１】
第５の態様および第５の態様の上記の実装形態に関して、第５の態様の第４の可能な実装形態では、特定の実装形態は、以下の通りである。第２の情報は、少なくとも１つのサブ周波数領域リソースの多重化方式を含む。
【００４２】
第５の態様および第５の態様の上記の実装形態に関して、第５の態様の第５の可能な実装形態では、特定の実装形態は、以下の通りである。少なくとも１つのサブ周波数領域リソースが２つ以上のサブ周波数領域リソースであるとき、すべてのサブ周波数領域リソースの基準信号シーケンスの多重化方式が同じであるか、またはサブ周波数領域リソースのうちの少なくとも２つの基準信号シーケンスの多重化方式が異なる。
【００４３】
第５の態様または第５の態様の上記の実装形態のうちのいずれか１つに関して、第５の態様の第６の可能な実装形態では、本方法は、第３の情報を生成するステップであって、第３の情報は、第２のＵＥの周波数領域リソース中にあり、基準信号を送るために使用される少なくとも１つのサブ周波数領域リソースに対応するシーケンスパラメータを示し、第２のＵＥの少なくとも１つのサブ周波数領域リソース中の第２のサブ周波数領域リソースは、第１のＵＥの少なくとも１つのサブ周波数領域リソース中の第１のサブ周波数領域リソース中の周波数領域リソースの全部または一部であり、第２のサブ周波数領域リソースと第１のサブ周波数領域リソースとは異なるシーケンスパラメータに対応する、生成するステップと、第２のＵＥに第３の情報を送るステップとをさらに含む。
【００４４】
第６の態様によれば、処理モジュールと送信モジュールとを含む基地局が提供され、処理モジュールは、
第１の情報を生成することであって、第１の情報は、少なくとも１つのサブ周波数領域リソースに対応するシーケンスパラメータを示すために使用され、少なくとも１つのサブ周波数領域リソースは、基準信号シーケンスをマッピングするために第１のＵＥによって使用される周波数領域リソースであり、第１のＵＥの各サブ周波数領域リソースは、１つのシーケンスパラメータに対応する、生成することを行うように構成され、送信モジュールは、第１のＵＥに第１の情報を送るように構成される。
【００４５】
第６の態様に関して、第１の可能な実装形態では、特定の実装形態は、以下の通りである。基準信号は、ＤＭＲＳであり、少なくとも１つのサブ周波数領域リソースは、第１のＵＥのＤＭＲＳが位置するデータ帯域幅中のサブキャリアの一部または全部を含む。
【００４６】
第６の態様または第６の態様の上記の実装形態に関して、第６の態様の第２の可能な実装形態では、シーケンスパラメータは、ルートシーケンスインデックス、サイクリックシフト値、または基準信号シーケンスの直交カバーコードのうちの少なくとも１つを含む。
【００４７】
第６の態様または第６の態様の上記の実装形態のうちのいずれか１つに関して、第６の態様の第３の可能な実装形態では、処理モジュールは、第２の情報を生成することであって、第２の情報は、少なくとも１つのサブ周波数領域リソースを示すために使用される、生成することを行うようにさらに構成され、送信モジュールは、第１のＵＥに第２の情報を送るようにさらに構成される。
【００４８】
第６の態様および第６の態様の上記の実装形態に関して、第６の態様の第４の可能な実装形態では、特定の実装形態は、以下の通りである。第２の情報は、少なくとも１つのサブ周波数領域リソースの多重化方式を含む。
【００４９】
第６の態様および第６の態様の上記の実装形態に関して、第６の態様の第５の可能な実装形態では、特定の実装形態は、以下の通りである。少なくとも１つのサブ周波数領域リソースが２つ以上のサブ周波数領域リソースであるとき、すべてのサブ周波数領域リソースの基準信号シーケンスの多重化方式が同じであるか、またはサブ周波数領域リソースのうちの少なくとも２つの基準信号シーケンスの多重化方式が異なる。
【００５０】
第６の態様または第６の態様の上記の実装形態のうちのいずれか１つに関して、第６の態様の第６の可能な実装形態では、処理モジュールは、第３の情報を生成することであって、第３の情報は、少なくとも１つのサブ周波数領域リソースに対応するシーケンスパラメータを示すために使用され、第３の情報中の少なくとも１つのサブ周波数領域リソースは、基準信号シーケンスをマッピングするために第２のＵＥによって使用される周波数領域リソースであり、第２のＵＥの各サブ周波数領域リソースは、１つのシーケンスパラメータに対応し、第２のＵＥの少なくとも１つのサブ周波数領域リソース中の第２のサブ周波数領域リソースは、第１のＵＥの少なくとも１つのサブ周波数領域リソース中の第１のサブ周波数領域リソース中の周波数領域リソースの全部または一部であり、第２のサブ周波数領域リソースと第１のサブ周波数領域リソースとは異なるシーケンスパラメータに対応する、生成することを行うようにさらに構成され、送信モジュールは、第２のＵＥに第３の情報を送るようにさらに構成される。
【００５１】
第７の態様によれば、プロセッサと、送信機と、受信機とを含む別の基地局が提供され、プロセッサは、送信機と受信機とを使用することによって、第５の態様または第５の態様の可能な実装形態のうちのいずれか１つによる方法を実行するように構成される。
【００５２】
第８の態様によれば、コンピュータプログラムを記憶するように構成されたコンピュータ可読記憶媒体が提供され、コンピュータプログラムは、第５の態様または第５の態様の可能な実装形態のうちのいずれか１つによる方法を実行するために使用される命令を含む。
【００５３】
第９の態様によれば、制御情報を送る方法であって、周波数領域の離散の方式で、制御情報を搬送するために使用されるデータチャネルリソースに制御情報をマッピングするステップであって、各データチャネルリソースは、時間領域中で１ｍｓ未満である、マッピングするステップと、データチャネルリソースを使用することによって制御情報を送るステップとを含む方法が提供される。
【００５４】
第９の態様に関して、第１の可能な実装形態では、特定の実装形態は、以下の通りである。制御情報は、ＨＡＲＱ応答情報、ＣＳＩ、またはＳＲのうちの少なくとも１つを含む。
【００５５】
第９の態様および第９の態様の上記の実装形態に関して、第９の態様の第２の可能な実装形態では、特定の実装形態は、以下の通りである。ＣＳＩは、ＲＩ、ＰＭＩ、ＣＱＩ、ＰＴＩ、またはＢＩのうちの少なくとも１つを含む。
【００５６】
第９の態様または第９の態様の上記の実装形態のうちのいずれか１つに関して、第９の態様の第３の可能な実装形態では、周波数領域の離散の方式で、制御情報を搬送するために使用されるデータチャネルリソースに制御情報をマッピングするステップの特定の実装形態は、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングするステップ、またはデータチャネルリソースによって占有される帯域幅中の異なる部分に複数のタイプの制御情報をそれぞれマッピングするステップである。
【００５７】
第９の態様および第９の態様の上記の実装形態に関して、第９の態様の第４の可能な実装形態では、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングするステップの特定の実装形態は、２つの部分に少なくとも１つのタイプの制御情報の各々を分割し、データチャネルリソースによって占有される帯域幅の２つの側に２つの部分をそれぞれマッピングするステップである。
【００５８】
第９の態様および第９の態様の上記の実装形態に関して、第９の態様の第５の可能な実装形態では、データチャネルリソースによって占有される帯域幅中の異なる部分に複数のタイプの制御情報をそれぞれマッピングするステップの特定の実装形態は、
高周波数サブキャリアから低周波数サブキャリアに、データチャネルリソースによって占有される帯域幅中の少なくとも一部分の各々中の第１の制御情報をマッピングするステップ、または
低周波数サブキャリアから高周波数サブキャリアに、データチャネルリソースによって占有される帯域幅中の少なくとも一部分の各々中の第１の制御情報をマッピングするステップ、または
低周波数サブキャリアから高周波数サブキャリアに、データチャネルリソースによって占有される帯域幅中の少なくとも一部分の第１の部分中の第１の制御情報をマッピングし、高周波数サブキャリアから低周波数サブキャリアに、データチャネルリソースによって占有される帯域幅中の少なくとも一部分の第２の部分中の第１の制御情報をマッピングするステップであって、第１の制御情報は、複数のタイプの制御情報のうちの１つである、マッピングするステップ
である。
【００５９】
第９の態様および第９の態様の上記の実装形態に関して、第９の態様の第６の可能な実装形態では、制御情報が、ＨＡＲＱ応答メッセージとＲＩとを含み、データチャネルリソースが、サブバンド１と、サブバンド２と、サブバンド３と、サブバンド４との４つのサブバンドに分割されるとき、周波数領域の離散の方式で、制御情報を搬送するために使用されるデータチャネルリソースに制御情報をマッピングするステップの特定の実装形態は、
サブバンド１およびサブバンド３にＨＡＲＱ応答メッセージをマッピングし、サブバンド２およびサブバンド４にＲＩをマッピングするステップ、または
サブバンド２およびサブバンド４にＨＡＲＱ応答メッセージをマッピングし、サブバンド１およびサブバンド３にＲＩをマッピングするステップ、または
サブバンド１およびサブバンド４にＨＡＲＱ応答メッセージをマッピングし、サブバンド２およびサブバンド３にＲＩをマッピングするステップ、または
サブバンド２およびサブバンド３にＨＡＲＱ応答メッセージをマッピングし、サブバンド１およびサブバンド４にＲＩをマッピングするステップ
である。
【００６０】
第９の態様または第９の態様の上記の実装形態のうちのいずれか１つに関して、第９の態様の第７の可能な実装形態では、周波数領域の離散の方式で、制御情報を搬送するために使用されるデータチャネルリソースに制御情報をマッピングするステップの特定の実装形態は、制御情報が複数のタイプの制御情報を含むとき、データチャネルリソースの少なくとも２つの時間領域データシンボルに複数のタイプの制御情報をそれぞれマッピングし、周波数領域の離散の方式で、データチャネルリソースによって占有される帯域幅に複数のタイプの制御情報をマッピングするステップである。
【００６１】
第９の態様および第９の態様の上記の実装形態に関して、第９の態様の第８の可能な実装形態では、周波数領域の離散の方式で、制御情報を搬送するために使用されるデータチャネルリソースに制御情報をマッピングするステップの特定の実装形態は、
周波数領域の離散の方式で、データチャネルリソースの第１のシンボル上の時間周波数リソースに第１の制御情報をマッピングし、周波数領域の離散の方式で、データチャネルリソースの第２のシンボル上の時間周波数リソースに第２の制御情報をマッピングするステップ、または
第１のサブバンド中の、データチャネルリソースの第１のシンボル上の時間周波数リソースと第２のサブバンド中の、データチャネルリソースの第２のシンボル上の時間周波数リソースとに第１の制御情報をマッピングし、第１のサブバンド中の、データチャネルリソースの第２のシンボル上の時間周波数リソースと第２のサブバンド中の、データチャネルリソースの第１のシンボル上の時間周波数リソースとに第２の制御情報をマッピングするステップ
である。
【００６２】
第９の態様および第９の態様の上記の実装形態に関して、第９の態様の第９の可能な実装形態では、特定の実装形態は、以下の通りである。データチャネルリソースの１つのサブフレーム中の制御情報によって占有されるシンボルの量は、２、３、４、６、または７のうちのいずれか１つである。
【００６３】
第９の態様または第９の態様の上記の実装形態のうちのいずれか１つに関して、第９の態様の第１０の可能な実装形態では、制御情報が、ＨＡＲＱ応答メッセージとＲＩとを含むとき、周波数領域の離散の方式で、制御情報を搬送するために使用されるデータチャネルリソースに制御情報をマッピングするステップの特定の実装形態は、データチャネルリソースの２つの側上の２つの隣接する時間領域データシンボルに制御情報中のＨＡＲＱ応答メッセージとＲＩとをそれぞれマッピングし、周波数領域の離散の方式で、データチャネルリソースによって占有される帯域幅にＨＡＲＱ応答メッセージとＲＩとをマッピングするステップである。
【００６４】
第９の態様または第９の態様の上記の実装形態のうちのいずれか１つに関して、第９の態様の第１１の可能な実装形態では、制御情報が、ＨＡＲＱ応答メッセージとＲＩとを含むとき、周波数領域の離散の方式で、制御情報を搬送するために使用されるデータチャネルリソースに制御情報をマッピングするステップの特定の実装形態は、データチャネルリソースの一方の側上の１つの時間領域データシンボルに制御情報中のＨＡＲＱ応答メッセージとＲＩとをマッピングし、周波数領域の離散の方式で、データチャネルリソースによって占有される帯域幅にＨＡＲＱ応答メッセージとＲＩとをマッピングするステップである。
【００６５】
第９の態様または第９の態様の上記の実装形態のうちのいずれか１つに関して、第９の態様の第１２の可能な実装形態では、本方法は、制御情報を送るとき、制御情報を搬送するチャネル上でレートマッチングまたはパンクチャリングを実行するステップをさらに含む。
【００６６】
第１０の態様によれば、処理モジュールと送信モジュールとを含むユーザ機器が提供され、
処理モジュールは、周波数領域の離散の方式で、制御情報を搬送するために使用されるデータチャネルリソースに制御情報をマッピングすることであって、各データチャネルリソースは、時間領域中で１ｍｓ未満である、マッピングすることを行うように構成され、送信モジュールは、データチャネルリソースを使用することによって制御情報を送るように構成される。
【００６７】
第１０の態様に関して、第１の可能な実装形態では、特定の実装形態は、以下の通りである。制御情報は、ＨＡＲＱ応答情報、ＣＳＩ、またはＳＲのうちの少なくとも１つを含む。
【００６８】
第１０の態様および第１０の態様の上記の実装形態に関して、第１０の態様の第２の可能な実装形態では、特定の実装形態は、以下の通りである。ＣＳＩは、ＲＩ、ＰＭＩ、ＣＱＩ、ＰＴＩ、またはＢＩのうちの少なくとも１つを含む。
【００６９】
第１０の態様または第１０の態様の上記の実装形態のうちのいずれか１つに関して、第１０の態様の第３の可能な実装形態では、処理モジュールは、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングすること、またはデータチャネルリソースによって占有される帯域幅中の異なる部分に複数のタイプの制御情報をそれぞれマッピングすることを行うように特に構成される。
【００７０】
第１０の態様および第１０の態様の上記の実装形態に関して、第１０の態様の第４の可能な実装形態では、処理モジュールは、２つの部分に少なくとも１つのタイプの制御情報の各々を分割し、データチャネルリソースによって占有される帯域幅の２つの側に２つの部分をそれぞれマッピングすることを行うように特に構成される。
【００７１】
第１０の態様および第１０の態様の上記の実装形態に関して、第１０の態様の第５の可能な実装形態では、処理モジュールは、
高周波数サブキャリアから低周波数サブキャリアに、データチャネルリソースによって占有される帯域幅中の少なくとも一部分の各々中の第１の制御情報をマッピングすること、または
低周波数サブキャリアから高周波数サブキャリアに、データチャネルリソースによって占有される帯域幅中の少なくとも一部分の各々中の第１の制御情報をマッピングすること、または
低周波数サブキャリアから高周波数サブキャリアに、データチャネルリソースによって占有される帯域幅中の少なくとも一部分の第１の部分中の第１の制御情報をマッピングし、高周波数サブキャリアから低周波数サブキャリアに、データチャネルリソースによって占有される帯域幅中の少なくとも一部分の第２の部分中の第１の制御情報をマッピングすることであって、
第１の制御情報は、複数のタイプの制御情報のうちの１つである、マッピングすること、
を行うように特に構成される。
【００７２】
第１０の態様および第１０の態様の上記の実装形態に関して、第１０の態様の第６の可能な実装形態では、制御情報は、ＨＡＲＱ応答メッセージとＲＩとを含み、データチャネルリソースは、サブバンド１と、サブバンド２と、サブバンド３と、サブバンド４との４つのサブバンドに分割されるとき、処理モジュールは、
サブバンド１およびサブバンド３にＨＡＲＱ応答メッセージをマッピングし、サブバンド２およびサブバンド４にＲＩをマッピングすること、または
サブバンド２およびサブバンド４にＨＡＲＱ応答メッセージをマッピングし、サブバンド１およびサブバンド３にＲＩをマッピングすること、または
サブバンド１およびサブバンド４にＨＡＲＱ応答メッセージをマッピングし、サブバンド２およびサブバンド３にＲＩをマッピングすること、または
サブバンド２およびサブバンド３にＨＡＲＱ応答メッセージをマッピングし、サブバンド１およびサブバンド４にＲＩをマッピングすること
を行うように特に構成される。
【００７３】
第１０の態様または第１０の態様の上記の実装形態のうちのいずれか１つに関して、第１０の態様の第７の可能な実装形態では、処理モジュールは、制御情報が複数のタイプの制御情報を含むとき、データチャネルリソースの少なくとも２つの時間領域データシンボルに複数のタイプの制御情報をそれぞれマッピングし、周波数領域の離散の方式で、データチャネルリソースによって占有される帯域幅に複数のタイプの制御情報をマッピングすることを行うように特に構成される。
【００７４】
第１０の態様および第１０の態様の上記の実装形態に関して、第１０の態様の第８の可能な実装形態では、処理モジュールは、
データチャネルリソースの第１のシンボル上の時間周波数リソースに第１の制御情報をマッピングし、データチャネルリソースの第２のシンボル上の時間周波数リソースに第２の制御情報をマッピングすること、または
第１のサブバンド中の、データチャネルリソースの第１のシンボル上の時間周波数リソースと第２のサブバンド中の、チャネルリソースの第２のシンボル上の時間周波数リソースとに第１の制御情報をマッピングし、第１のサブバンド中の、データチャネルリソースの第２のシンボル上の時間周波数リソースと第２のサブバンド中の、チャネルリソースの第１のシンボル上の時間周波数リソースとに第２の制御情報をマッピングすること
を行うように特に構成される。
【００７５】
第１０の態様および第１０の態様の上記の実装形態に関して、第１０の態様の第９の可能な実装形態では、特定の実装形態は、以下の通りである。データチャネルリソースの１つのサブフレーム中の制御情報によって占有されるシンボルの量は、２、３、４、６、または７のうちのいずれか１つである。
【００７６】
第１０の態様または第１０の態様の上記の実装形態のうちのいずれか１つに関して、第１０の態様の第１０の可能な実装形態では、制御情報が、ＨＡＲＱ応答メッセージとＲＩとを含むとき、周波数領域の離散の方式で、制御情報を搬送するために使用されるデータチャネルリソースに制御情報をマッピングすることの特定の実装形態は、データチャネルリソースの２つの側上の２つの隣接する時間領域データシンボルに制御情報中のＨＡＲＱ応答メッセージとＲＩとをそれぞれマッピングし、周波数領域の離散の方式で、データチャネルリソースによって占有される帯域幅にＨＡＲＱ応答メッセージとＲＩとをマッピングすることである。
【００７７】
第１０の態様または第１０の態様の上記の実装形態のうちのいずれか１つに関して、第１０の態様の第１１の可能な実装形態では、制御情報が、ＨＡＲＱ応答メッセージとＲＩとを含むとき、周波数領域の離散の方式で、制御情報を搬送するために使用されるデータチャネルリソースに制御情報をマッピングすることの特定の実装形態は、データチャネルリソースの一方の側上の１つの時間領域データシンボルに制御情報中のＨＡＲＱ応答メッセージとＲＩとをマッピングし、周波数領域の離散の方式で、データチャネルリソースによって占有される帯域幅にＨＡＲＱ応答メッセージとＲＩとをマッピングすることである。
【００７８】
第１０の態様または第１０の態様の上記の実装形態のうちのいずれか１つに関して、第１０の態様の第１２の可能な実装形態では、本方法は、制御情報を送るとき、制御情報を搬送するチャネル上でレートマッチングまたはパンクチャリングを実行するステップをさらに含む。
【００７９】
第１１の態様によれば、プロセッサと、送信機と、受信機とを含む別のユーザ機器が提供され、プロセッサは、送信機と受信機とを使用することによって、第９の態様または第９の態様の可能な実装形態のうちのいずれか１つによる方法を実行するように構成される。
【００８０】
第１２の態様によれば、コンピュータプログラムを記憶するように構成されたコンピュータ可読記憶媒体が提供され、コンピュータプログラムは、第９の態様または第９の態様の可能な実装形態のうちのいずれか１つによる方法を実行するために使用される命令を含む。
【００８１】
第１３の態様によれば、同期ソースを使用することによってＤ２Ｄ通信を実行するための方法が提供され、本方法は、ＵＥによって、第１の同期ソースの構成情報に基づいて第１のデバイスの信号を検出するステップであって、第１のデバイスは衛星デバイスである、検出するステップと、ＵＥが、第１のデバイスの有効な信号を検出するとき、Ｄ２Ｄリンクを介したＵＥの同期ソースとして第１のデバイスを使用し、ＵＥが第１のデバイスの有効な信号を検出しないとき、Ｄ２Ｄリンクを介した同期ソースとして第２のデバイスを取得するステップであって、第２のデバイスが衛星デバイス以外のデバイスである、取得するステップと、Ｄ２Ｄリンクを介した同期ソースに基づいてＤ２Ｄリンクを介した通信を実行するステップとを含む。
【００８２】
第１３の態様に関して、第１の可能な実装形態では、特定の実装形態は、以下の通りである。第１の同期ソースの構成情報が、ＵＥに基地局によって送られるか、または第１の同期ソースの構成情報が、あらかじめ定義されているかもしくはあらかじめ構成されている。
【００８３】
第１３の態様または第１３の態様の上記の実装形態に関して、第１３の態様の第２の可能な実装形態では、特定の実装形態は、以下の通りである。ＵＥが、有効な衛星信号を検出しないことは、ＵＥによって検出された衛星信号のチャネル品質が第１のしきい値より低いこと、またはＵＥが衛星信号を検出しないこと、またはＵＥが、プリセットされた時間内に衛星信号を検出しないか、もしくはプリセットされた時間内にＵＥによって検出された衛星信号のチャネル品質が、第１のしきい値より低いことを含む。
【００８４】
第１３の態様または第１３の態様の上記の実装形態に関して、第１３の態様の第３の可能な実装形態では、ＵＥが第１のデバイスの有効な信号を検出するの特定の実装形態は、以下の通りである。ＵＥは、プリセットされた持続時間内に衛星信号を検出するか、もしくはプリセットされた持続時間内にＵＥによって検出された衛星信号のチャネル品質は、第２のしきい値以上である。
【００８５】
第１３の態様または第１３の態様の上記の実装形態に関して、第１３の態様の第４の可能な実装形態では、ＵＥが有効な衛星信号を検出しないそのとき、Ｄ２Ｄリンクを介した同期ソースとして第２のデバイスを取得するステップの特定の実装形態は、ＵＥが有効な衛星信号を検出しない持続時間がプリセットされた持続時間未満であり、ＵＥが、第２のデバイスの信号を検出するとき、Ｄ２Ｄリンクを介した同期ソースとして第２のデバイスを使用するステップである。
【００８６】
第１３の態様または第１３の態様の上記の実装形態のうちのいずれか１つに関して、第１３の態様の第５の可能な実装形態では、本方法は、ＵＥの基地局に指示情報を送るステップであって、指示情報は、ＵＥが有効な衛星信号を検出しないことを示す、送るステップをさらに含む。
【００８７】
第１３の態様および第１３の態様の上記の実装形態に関して、第１３の態様の第６の可能な実装形態では、Ｄ２Ｄリンクを介した同期ソースとして第２のデバイスを取得するステップの特定の実装形態は、基地局によって送られる第２の同期ソースの構成情報を受信するステップであって、第２の同期ソースの構成情報は、第２のデバイスが、ＵＥの同期ソースとして使用されることを示す、受信するステップと、第２の同期ソースの構成情報に基づいて、第２のデバイスがＤ２Ｄリンクを介した同期ソースであると決定するステップとである。
【００８８】
第１３の態様および第１３の態様の上記の実装形態に関して、第１３の態様の第７の可能な実装形態では、特定の実装形態は、以下の通りである。第２のデバイスが基地局である。
【００８９】
第１３の態様または第１３の態様の上記の実装形態のうちのいずれか１つに関して、第１３の態様の第８の可能な実装形態では、Ｄ２Ｄリンクを介した同期ソースとして第２のデバイスを取得するステップの特定の実装形態は、第２の同期ソースとして、第２のデバイス中で最も高い同期ソース優先度をもつデバイスを取得するステップである。
【００９０】
第１３の態様および第１３の態様の上記の実装形態に関して、第１３の態様の第９の可能な実装形態では、特定の実装形態は、以下の通りである。第２の同期ソースは、ＵＥの基地局であるか、または別のＵＥである。
【００９１】
第１３の態様または第１３の態様の上記の実装形態のうちのいずれか１つに関して、第１３の態様の第１０の可能な実装形態では、本方法は、Ｄ２Ｄリンクを介したＵＥの通信リソースから同期ソースに関連するリソースまたはリソースプールに切り替わるステップをさらに含む。
【００９２】
第１３の態様または第１３の態様の上記の実装形態のうちのいずれか１つに関して、第１３の態様の第１１の可能な実装形態では、本方法は、Ｄ２Ｄリンクを介してＵＥによって検出された信号の品質が、第３のしきい値より低いとき、ＵＥによって、Ｄ２Ｄリンクを介して同期信号を送信するステップをさらに含む。
【００９３】
第１４の態様によれば、処理モジュールとトランシーバモジュールとを含むユーザ機器が提供され、
処理モジュールは、第１の同期ソースの構成情報に基づいて第１のデバイスの信号を検出することであって、第１のデバイスは衛星デバイスである、検出することを行うように構成され、トランシーバモジュールが、第１のデバイスの信号を受信するように構成され、処理モジュールが、第１のデバイスの有効な信号を検出するとき、処理モジュールは、Ｄ２Ｄリンクを介したユーザ機器の同期ソースとして第１のデバイスを使用するようにさらに構成され、処理モジュールが、第１のデバイスの有効な信号を検出しないとき、処理モジュールは、Ｄ２Ｄリンクを介した同期ソースとして第２のデバイスを取得することであって、第２のデバイスは衛星デバイス以外のデバイスである、取得することを行うようにさらに構成され、トランシーバモジュールは、Ｄ２Ｄリンクを介した同期ソースに基づいてＤ２Ｄリンクを介した通信を実行するように構成される。
【００９４】
第１４の態様に関して、第１の可能な実装形態では、特定の実装形態は、以下の通りである。第１の同期ソースの構成情報は、ユーザ機器に基地局によって送られるか、または第１の同期ソースの構成情報は、あらかじめ定義されているかもしくはあらかじめ構成されている。
【００９５】
第１４の態様または第１４の態様の上記の実装形態に関して、第１４の態様の第２の可能な実装形態では、処理モジュールが、有効な衛星信号を検出しないことは、
処理モジュールによって検出された衛星信号のチャネル品質が第１のしきい値より低いこと、または
処理モジュールが衛星信号を検出しないこと、または
処理モジュールが、プリセットされた時間内に衛星信号を検出しないか、もしくはプリセットされた時間内に処理モジュールによって検出された衛星信号のチャネル品質が、第１のしきい値より低いこと
を含む。
【００９６】
第１４の態様または第１４の態様の上記の実装形態に関して、第１４の態様の第３の可能な実装形態では、処理モジュールが、第１のデバイスの有効な信号を検出することは、  処理モジュールが、プリセットされた持続時間内に衛星信号を検出するか、もしくはプリセットされた持続時間内に処理モジュールによって検出された衛星信号のチャネル品質が、第２のしきい値以上であること
を含む。
【００９７】
第１４の態様または第１４の態様の上記の実装形態に関して、第１４の態様の第４の可能な実装形態では、処理モジュールが有効な衛星信号を検出しない持続時間がプリセットされた持続時間未満であり、処理モジュールが、第２のデバイスの信号を検出するとき、処理モジュールは、Ｄ２Ｄリンクを介した同期ソースとして第２のデバイスを使用する。
【００９８】
第１４の態様または第１４の態様の上記の実装形態のうちのいずれか１つに関して、第１４の態様の第５の可能な実装形態では、トランシーバモジュールは、ユーザ機器の基地局に指示情報を送ることであって、指示情報は、ユーザ機器が有効な衛星信号を検出しないことを示す、送ることを行うようにさらに構成される。
【００９９】
第１４の態様および第１４の態様の上記の実装形態に関して、第１４の態様の第６の可能な実装形態では、トランシーバモジュールは、基地局によって送られる第２の同期ソースの構成情報を受信することであって、第２の同期ソースの構成情報は、第２のデバイスが、ユーザ機器の同期ソースとして使用されることを示す、受信することを行うようにさらに構成され、処理モジュールは、第２の同期ソースの構成情報に基づいて、第２のデバイスがＤ２Ｄリンクを介した同期ソースであると決定するように特に構成される。
【０１００】
第１４の態様および第１４の態様の上記の実装形態に関して、第１４の態様の第７の可能な実装形態では、特定の実装形態は、以下の通りである。第２のデバイスが基地局である。
【０１０１】
第１４の態様または第１４の態様の上記の実装形態のうちのいずれか１つに関して、第１４の態様の第８の可能な実装形態では、処理モジュールは、第２の同期ソースとして、第２のデバイス中で最も高い同期ソース優先度をもつデバイスを取得するように特に構成される。
【０１０２】
第１４の態様および第１４の態様の上記の実装形態に関して、第１４の態様の第９の可能な実装形態では、特定の実装形態は、以下の通りである。第２の同期ソースは、ユーザ機器の基地局であるか、または別のユーザ機器である。
【０１０３】
第１４の態様または第１４の態様の上記の実装形態のうちのいずれか１つに関して、第１４の態様の第１０の可能な実装形態では、処理モジュールは、Ｄ２Ｄリンクを介したユーザ機器の通信リソースから同期ソースに関連するリソースまたはリソースプールに切り替わるようにさらに構成される。
【０１０４】
第１４態様または第１４の態様の上記の実装形態のうちのいずれか１つに関して、第１４の態様の第１１の可能な実装形態では、トランシーバモジュールは、Ｄ２Ｄリンクを介して処理モジュールによって検出された信号の品質が、第３のしきい値より低いとき、Ｄ２Ｄリンクを介して同期信号を送信するようにさらに構成される。
【０１０５】
第１５の態様によれば、プロセッサと、送信機と、受信機とを含む別のユーザ機器が提供され、プロセッサは、送信機と受信機とを使用することによって、第１３の態様または第１３の態様の可能な実装形態のうちのいずれか１つによる方法を実行するように構成される。
【０１０６】
第１６の態様によれば、コンピュータプログラムを記憶するように構成されたコンピュータ可読記憶媒体が提供され、コンピュータプログラムは、第１３の態様または第１３の態様の可能な実装形態のうちのいずれか１つによる方法を実行するために使用される命令を含む。
【０１０７】
一態様では、本発明の実施形態における基準信号シーケンスのマッピング方法および構成方法と、基地局と、ユーザ機器とによれば、ＵＥの少なくとも１つのサブ周波数領域リソースに対応するシーケンスパラメータが決定され、基準信号が、シーケンスパラメータに基づいて生成され、送られる。このようにして、基地局は、各スケジュールされたＵＥのステータスを多重化することに基づいて基準信号生成パラメータをフレキシブルに割り振り、それによって、マルチユーザ多重化能力を改善し、スケジューリングフレキシビリティを改善することができる。さらに、複数のサブ周波数領域リソースがあり、複数のサブ周波数領域リソースに対応するシーケンス生成パラメータが異なるとき、ＵＥ送信機の発光ピーク比がさらに低減されることができ、送信効率が改善されることができる。
【０１０８】
別の態様では、本発明の実施形態における制御情報の送信方法とユーザ機器とによれば、制御情報が周波数領域の連続の方式で送信されるので制御情報を送信するための周波数領域リソースが減衰された周波数領域リソースの範囲内に入る問題を回避するように、少なくとも１つのタイプの制御情報が、周波数領域の離散の方式でチャネルリソースにマッピングされる。このようにして、追加の周波数領域のダイバーシティ利得がＵＣＩ送信中に取得され得る。
【０１０９】
さらに別の態様では、本発明の実施形態における同期ソースを使用することによってＤ２Ｄ通信を実行するための方法とユーザ機器とによれば、有効な衛星信号があるとき、衛星が同期ソースとして選択され、有効な衛星信号が検出されないとき、衛星以外のデバイスが同期ソースとして選択される。このようにして、衛星信号があるのか、衛星信号がないのかにかかわらず、ＵＥは、同期ソースに基づいて同期を実行し、それによって、ユーザ機器が長時間同期ソースを紛失するので同期が失敗する問題を回避することができる。これは、ユーザ機器の同期効率を改善する。
【図面の簡単な説明】
【０１１０】
本発明の実施形態における技術的解決策についてより明らかに説明するために、以下に、実施形態または従来技術について説明するために必要な添付の図面を簡単に説明する。明らかに、以下の説明における添付の図面は、本発明のいくつかの実施形態を示しているにすぎず、当業者は、依然として、創造的な取り組みなしにこれらの添付の図面から他の図面を導出し得る。
【０１１１】
【図１】本発明の実施形態による、適用例シナリオの概略図である。
【図２】本発明の別の実施形態による、適用例シナリオの概略図である。
【図３】本発明の実施形態による、４つのタイプのＤＭＲＳの多重化の概略図である。
【図４】本発明の実施形態による、複数のＵＥによってＤＭＲＳの周波数領域リソースを共有することの概略図である。
【図５】本発明の実施形態による、基準信号の送信方法のフローチャートである。
【図６】本発明の実施形態による、ＤＭＲＳの周波数領域リソースの割振りの概略図である。
【図７】本発明の実施形態による、ＤＭＲＳの周波数領域リソースの割振りの概略図である。
【図８】本発明の実施形態による、ＤＭＲＳの周波数領域リソースの割振りの概略図である。
【図９】本発明の実施形態による、複数のＵＥによってＤＭＲＳの周波数領域リソースを共有することの概略図である。
【図１０】本発明の実施形態による、複数のＵＥによってＤＭＲＳの周波数領域リソースを共有することの概略図である。
【図１１】本発明の別の実施形態による、基準信号の送信方法のフローチャートである。
【図１２】本発明の実施形態による、サブ周波数領域リソースに対応する基準信号シーケンスの概略図である。
【図１３】本発明の実施形態による、基地局が複数のＵＥのための基準信号リソースを構成するシナリオの概略図である。
【図１４】本発明の実施形態による、制御情報を送る方法のフローチャートである。
【図１５】本発明の実施形態による、制御情報をマッピングする方式である。
【図１６】本発明の実施形態による、別の制御情報をマッピングする方式である。
【図１７】本発明の実施形態による、さらに別の制御情報をマッピングする方式である。
【図１８】本発明の実施形態による、さらに別の制御情報をマッピングする方式である。
【図１９】本発明の実施形態による、さらに別の制御情報をマッピングする方式である。
【図２０】本発明の実施形態による、さらに別の制御情報をマッピングする方式である。
【図２１】本発明の実施形態による、さらに別の制御情報をマッピングする方式である。
【図２２】本発明の別の実施形態による、デバイス間シナリオの概略図である。
【図２３】本発明の実施形態による、同期ソースを使用することによってＤ２Ｄ通信を実行するための方法のフローチャートである。
【図２４】本発明の実施形態による、ユーザ機器の概略構造図である。
【図２５】本発明の実施形態による、基地局の概略構造図である。
【図２６】本発明の別の実施形態による、ユーザ機器の概略構造図である。
【図２７】本発明のさらに別の実施形態による、ユーザ機器の概略構造図である。
【図２８】本発明のさらに別の実施形態による、ユーザ機器の概略構造図である。
【図２９】本発明の別の実施形態による、基地局の概略構造図である。
【図３０】本発明のさらに別の実施形態による、ユーザ機器の概略構造図である。
【図３１】本発明のさらに別の実施形態による、ユーザ機器の概略構造図である。
【発明を実施するための形態】
【０１１２】
以下に、本発明の実施形態における添付の図面を参照しながら本発明の実施形態における技術的解決策について明らかに完全に説明する。明らかに、説明される実施形態は、本発明の実施形態のすべてではなく一部にすぎない。創造的な取り組みなしに本発明の実施形態に基づいて当業者によって取得されるすべての他の実施形態は、本発明の保護範囲内に入るものとする。
【０１１３】
本発明における技術的解決策は、様々な通信システム、たとえば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ、モバイル通信用グローバルシステム）システム、ＣＤＭＡ（Ｃｏｄｅ  Ｄｉｖｉｓｉｏｎ  Ｍｕｌｔｉｐｌｅ  Ａｃｃｅｓｓ、符号分割多元接続）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、広帯域符号分割多元接続）システム、ＧＰＲＳ（Ｇｅｎｅｒａｌ  Ｐａｃｋｅｔ  Ｒａｄｉｏ  Ｓｅｒｖｉｃｅ、汎用パケット無線サービス）システム、およびＬＴＥ（Ｌｏｎｇ  Ｔｅｒｍ  Ｅｖｏｌｕｔｉｏｎ、ロングタームエボリューション）システムに適用され得る。
【０１１４】
ユーザ機器（ＵＥ、Ｕｓｅｒ  Ｅｑｕｉｐｍｅｎｔ）は、モバイル端末（Ｍｏｂｉｌｅ  Ｔｅｒｍｉｎａｌ）、アクセス端末、加入者ユニット、加入者局、移動局、モバイルコンソール、遠隔局、遠隔端末、モバイルデバイス、ユーザ端末、端末、ワイヤレス通信デバイス、ユーザエージェント、またはユーザ装置と呼ばれることもある。アクセス端末は、セルラー電話、コードレス電話、ＳＩＰ（Ｓｅｓｓｉｏｎ  Ｉｎｉｔｉａｔｉｏｎ  Ｐｒｏｔｏｃｏｌ、セッション開始プロトコル）電話、ＷＬＬ（Ｗｉｒｅｌｅｓｓ  Ｌｏｃａｌ  Ｌｏｏｐ、ワイヤレスローカルループ）局、ＰＤＡ（Ｐｅｒｓｏｎａｌ  Ｄｉｇｉｔａｌ  Ａｓｓｉｓｔａｎｔ、携帯情報端末）、ワイヤレス通信機能を有するハンドヘルドデバイス、ワイヤレスモデムに接続されたコンピューティングデバイスもしくは別の処理デバイス、車載デバイス、ウェアラブルデバイス、将来の５Ｇネットワーク中の端末デバイス、または将来の発展型ＰＬＭＮ（Ｐｕｂｌｉｃ  Ｌａｎｄ  Ｍｏｂｉｌｅ  Ｎｅｔｗｏｒｋ、パブリックランドモバイルネットワーク）ネットワーク中の端末デバイスであり得る。
【０１１５】
ネットワークデバイスは、モバイルデバイスと通信するように構成されたデバイスであり得る。ネットワークデバイスは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ、モバイル通信用グローバルシステム）もしくはＣＤＭＡ（Ｃｏｄｅ  Ｄｉｖｉｓｉｏｎ  Ｍｕｌｔｉｐｌｅ  Ａｃｃｅｓｓ、符号分割多元接続）中のＢＴＳ（Ｂａｓｅ  Ｔｒａｎｓｃｅｉｖｅｒ  Ｓｔａｔｉｏｎ、送受信基地局）であり得、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多元接続）中のＮＢ（ＮｏｄｅＢ、ノードＢ）であり得、またはＬＴＥ（Ｌｏｎｇ  Ｔｅｒｍ  Ｅｖｏｌｕｔｉｏｎ、ロングタームエボリューション）中のｅＮＢもしくはｅノードＢ（ｅｖｏｌｖｅｄ  ＮｏｄｅＢ、発展型ノードＢ）もしくはアクセスポイント、もしくは車載デバイス、ウェアラブルデバイス、将来の５Ｇネットワーク中のネットワーク側デバイス、もしくは将来の発展型ＰＬＭＮ（Ｐｕｂｌｉｃ  Ｌａｎｄ  Ｍｏｂｉｌｅ  Ｎｅｔｗｏｒｋ、パブリックランドモバイルネットワーク）ネットワーク中のネットワークデバイスであり得る。
【０１１６】
図１は、本発明の実施形態による、適用例シナリオの概略図である。図１に示されるように、基地局は、セルラーリンクを使用することによってＵＥ１およびＵＥ２との送信を実行する。
【０１１７】
図２は、本発明の別の実施形態による、適用例シナリオの概略図である。図１に示されるように、ＵＥ１およびＵＥ２は、デバイス間（Ｄｅｖｉｃｅ−ｔｏ−Ｄｅｖｉｃｅ、Ｄ２Ｄ）リンクを使用することによって送信を実行する。サイドリンク（ｓｉｄｅｌｉｎｋ）とも呼ばれるＤ２Ｄリンクは、２つのデバイスがサードパーティを使用せずに互いと直接通信するリンクである。デバイスは、ハンドヘルドデバイス、車載デバイス、ネットワークデバイスなどであり得る。これは、本発明では限定されない。
【０１１８】
図１および図２に示される適用例シナリオでは、ＵＥが基準信号を送り、複数の異なるＵＥの基準信号が１つのシンボルで現れるとき、従来技術における方法によれば、同じ基準信号シーケンスおよび（時間領域リソースと周波数領域リソースとを含む）同じ基準信号リソースを使用するＵＥの基準信号間で干渉がある。
【０１１９】
図３は、本発明の実施形態による、４つのタイプのＤＭＲＳの多重化の概略図である。図３に、７つのシンボルを含む時間周波数送信ユニット中で基準信号を多重化する場合を示す。シンボルは、シンボル０から番号付けされる。図３では、灰色のエリアは、ＤＭＲＳ信号リソースを表し、白いエリアはデータ信号リソースを表す。図３（ａ）および図３（ｂ）は、２つのシンボルの短遅延送信リソース上でのＤＭＲＳの多重化の概略図である。図３（ｃ）および図３（ｄ）は、４つのシンボルの短遅延送信リソース上でのＤＭＲＳの多重化の概略図である。図３（ａ）では、ＴＴＩ１およびＴＴＩ２中で、シンボル１（第２のシンボル）上のＤＭＲＳリソースが多重化される。図３（ｂ）では、ＴＴＩ５中で、ＴＴＩ４中のシンボル０（第１のシンボル）上のＤＭＲＳが、ＴＴＩ２中のＤＭＲＳとして使用される。図３（ｃ）では、ＴＴＩ７およびＴＴＩ８中で、シンボル３上のＤＭＲＳリソースが多重化される。図３（ｄ）では、ＴＴＩ９およびＴＴＩ１０中で、シンボル３上のＤＭＲＳリソースが多重化される。
【０１２０】
図３に示される実施形態では、ＴＴＩ１およびＴＴＩ２は、異なるＵＥにそれぞれ属することを理解されたい。たとえば、ＴＴＩ１は、ＵＥ１に属し、ＴＴＩ２は、ＵＥ２に属する。ＴＴＩ４およびＴＴＩ５と、ＴＴＩ７およびＴＴＩ８と、ＴＴＩ９およびＴＴＩ１０とはまた、異なるＵＥにそれぞれ属する。
【０１２１】
図４は、本発明の実施形態による、複数のＵＥによってＤＭＲＳの周波数領域リソースを共有することの概略図である。図４では、ＵＥ１、ＵＥ２、ＵＥ３、およびＵＥ４は、１つのＤＭＲＳシンボルを共有する。ＵＥ１とＵＥ２とは、サブバンド１の周波数領域リソースを共有する。ＵＥ１とＵＥ３とは、サブバンド２の周波数領域リソースを共有する。ＵＥ１とＵＥ３とは、サブバンド３の周波数領域リソースを共有する。
【０１２２】
図１から図４に示されるシナリオでは、複数のＵＥが、１つの基準信号シンボルを共有し、同じ周波数領域リソースを使用する。これにより、異なるＵＥがチャネル推定を実行するときに相互干渉が生じ得る。
【０１２３】
上記の問題を解決するために、本発明の実施形態は、基準信号の送信方法と、ＵＥと、ネットワークデバイスとを提案する。
【０１２４】
本発明の実施形態を理解しやすいように、最初に、本発明の実施形態の説明に導入されるいくつかの要素について本明細書で説明される。
【０１２５】
送信時間間隔（Ｔｒａｎｓｍｉｓｓｉｏｎ  Ｔｉｍｅ  Ｉｎｔｅｒｖａｌ、ＴＴＩ）は、無線リンクを介した１つの送信によって占有される長さである。ＬＴＥでは、１つのＴＴＩは１つのサブフレームであり、ＴＴＩによって占有される時間領域リソースの長さは、２つのスロット（ｓｌｏｔ）を含む１ｍｓである。本発明では、ＴＴＩ長は、１ｍｓの持続時間にもはや限定されず、０．５ｍｓまたは２つ、４つ、７つ、もしくは第６の送信シンボルまたは別の量の送信シンボルであり得る。
【０１２６】
シーケンスパラメータは、基準信号シーケンスを生成するために使用されるパラメータである。詳細には、シーケンスパラメータは、ルートシーケンスインデックスと、サイクリックシフト値と、基準信号の直交カバーコードとを含み得る。直交カバーコードが考慮されない適用例シナリオでは、１つの基準信号シーケンスは、ルートシーケンスインデックスとサイクリックシフト値とを使用することによって一意に決定され得る。直交カバーコードが考慮される必要のある適用例シナリオでは、１つの基準信号シーケンスは、ルートシーケンスインデックスと、サイクリックシフト値と、直交カバーコードとを使用することによって一意に決定される必要がある。
【０１２７】
基準信号は、対応する基準信号シーケンスが対応する物理リソースにマッピングされた後に形成される物理信号である。１つの基準信号は、１つまたは複数の基準信号シーケンスをマッピングすることによって取得され得る。
【０１２８】
物理リソース：本発明で言及される物理リソースは、基準信号シーケンスをマッピングすることによって取得される物理リソースであり、時間領域リソース、周波数領域リソース、符号領域リソース、（異なる空間レイヤのまたは異なる物理アンテナ上のリソースを含む）空間領域リソースなどを特に含み得る。これは、本発明では限定されない。
【０１２９】
図５は、本発明の一実施形態による基準信号送信方法のフローチャートである。図５の方法はＵＥによって実行される。図５の方法は以下のステップを含み得る。
【０１３０】
５１０：ＵＥの少なくとも１つのサブ周波数領域リソースに対応するシーケンスパラメータを決定し、１つのサブ周波数領域リソースが、１つのシーケンスパラメータに対応する。
【０１３１】
本発明のこの実施形態では、基準信号は、復調基準信号（Ｄｅｍｏｄｕｌａｔｉｏｎ  Ｒｅｆｅｒｅｎｃｅ  Ｓｉｇｎａｌ、ＤＭＲＳ）であり得るか、同期のために使用される基準信号もしくはＣＳＩ（Ｃｈａｎｎｅｌ  Ｓｔａｔｅ Ｉｎｆｏｒｍａｔｉｏｎ／Ｉｎｄｉｃａｔｏｒ、チャネル状態情報／インジケータ）測定のために使用される基準信号であり得るか、または測位のために使用される基準信号などであり得ることを理解されたい。これは、本発明では限定されない。説明しやすいように、本発明のこの実施形態では、説明は、一例としてＤＭＲＳを使用することによって提供される。
【０１３２】
従来技術では、基準信号のために使用されるルートシーケンス番号は、基準信号の帯域幅とは無関係である。一例として復調基準信号（Ｄｅｍｏｄｕｌａｔｉｏｎ  Ｒｅｆｅｒｅｎｃｅ  Ｓｉｇｎａｌ、ＤＭＲＳ）を使用すると、同じセルに属する異なるＵＥによって同じスロット中で生成されるＤＭＲＳシーケンスのために使用されるルートシーケンス番号は同一である。
【０１３３】
本発明のこの実施形態では、１つのサブ周波数領域リソースは１つのシーケンスパラメータに対応し、異なるサブ周波数領域リソースに対応するシーケンスパラメータは、同じであっても異なっていてもよいことを理解されたい。
【０１３４】
たとえば、図４に示されている実施形態では、サブバンド１、サブバンド２、およびサブバンド３の各々は１つのシーケンスパラメータに対応し、これらの３つのサブバンドに対応する３つのシーケンスパラメータは、同じであっても異なっていてもよい。
【０１３５】
シーケンスパラメータは、基準信号シーケンスを生成するために使用され、ＵＥは、シーケンスパラメータに基づいて基準信号シーケンスを生成し得ることを理解されたい。
【０１３６】
本発明のこの実施形態では、少なくとも１つのサブ周波数領域リソースは、ＵＥの周波数領域リソース中にあり、基準信号を送るために使用される周波数領域リソースであることを理解されたい。たとえば、基準信号がＤＭＲＳであるとき、少なくとも１つのサブ周波数領域リソースは、ＤＭＲＳが位置するデータ帯域幅中のサブキャリアの一部または全部を含む。別の例では、基準信号が別のタイプの基準信号であるとき、基準信号のために使用される周波数領域リソースは、通信システムの全帯域幅中の連続する周波数領域リソースであり得るか、全帯域幅中の離散的な周波数領域リソースであり得るか、またはシグナリングによって示される周波数領域リソースであり得る。
【０１３７】
本発明のこの実施形態では、少なくとも１つのサブ周波数領域リソースは、基準信号シーケンスをマッピングするためにＵＥによって使用される周波数領域リソースであり、同じＵＥの異なるサブ周波数領域リソースは、異なるサブキャリアリソースを含むことを理解されたい。
【０１３８】
本発明のこの実施形態では、ＵＥは、ＵＥの周波数領域リソースを複数の周波数領域リソースセグメントに分割し得る。分割方式はプロトコルにおいて規定され得るか、または基地局が、分割を実行するようにＵＥに命令し得る。本発明のこの実施形態では、サブ周波数領域リソースは、ＵＥが周波数領域リソースを分割した後に取得される周波数領域リソースセグメントであり得るか、分割の後に取得される周波数領域リソースセグメントのサブキャリアのうちのいくつかであり得るか、または単一のサブキャリアであり得る。サブ周波数領域リソースのサブキャリアの量が１よりも大きいとき、サブ周波数領域リソースは、周波数領域において連続的であり得るか、または周波数領域において離散的であり得る。
【０１３９】
たとえば、図４に示されているシナリオでは、ＵＥ１は、ＤＭＲＳのデータ帯域幅を、サブバンド１、サブバンド２、およびサブバンド３という、３つのサブバンドに分割する。本発明のこの実施形態におけるサブ周波数領域リソースは、これらの３つのサブバンドのうちの１つ、サブバンドの奇数番号サブキャリア、サブバンドの奇数番号サブキャリアのうちのいくつか、サブバンドのサブキャリアなどであり得る。
【０１４０】
本発明のこの実施形態では、１つのサブ周波数領域リソースは１つのシーケンスパラメータに対応し、ＵＥは、少なくとも１つのサブ周波数領域リソースに対応する少なくとも１つのシーケンスパラメータを決定し得る。
【０１４１】
ＵＥの１つの周波数領域リソースセグメントが１つのシーケンスパラメータに対応するとき、周波数領域リソースセグメントの周波数領域リソースのうちのいくつかに対応するシーケンスパラメータは、周波数領域リソースセグメントに対応するシーケンスパラメータと同じであることを理解されたい。たとえば、図４に示されているサブバンド１は、１つのシーケンスパラメータに対応し、サブバンド１の奇数番号サブキャリアに対応するシーケンスパラメータは、サブバンド１に対応するシーケンスパラメータと同じである。
【０１４２】
ＵＥの１つの周波数領域リソースセグメントは、ＵＥの複数のサブ周波数領域リソースを含んでよく、複数のサブ周波数領域リソースは、必ずしも１つのシーケンスパラメータに対応するとは限らないことを理解されたい。たとえば、図４に示されているサブバンド１の奇数番号サブキャリアはシーケンスパラメータに対応することがあり、サブバンド１の偶数番号サブキャリアは別のシーケンスパラメータに対応することがあり、サブバンド１の奇数番号サブキャリアおよび偶数番号サブキャリアの各々は、ＵＥのサブ周波数領域リソースである。
【０１４３】
ＵＥは、複数の方式で、サブ周波数領域リソースに対応するシーケンスパラメータを決定し得ることを理解されたい。たとえば、ＵＥは、サブ周波数領域リソースのロケーション情報に基づいて、サブ周波数領域リソースに対応するシーケンスパラメータを決定し得るか、基地局の命令に従って、サブ周波数領域リソースに対応するシーケンスパラメータを決定し得るか、または基地局の命令およびサブ周波数領域リソースのロケーション情報に従って、サブ周波数領域リソースに対応するシーケンスパラメータを決定し得る。
【０１４４】
５２０：シーケンスパラメータに基づいて基準信号シーケンスを生成する。
【０１４５】
基準信号シーケンスは、サブ周波数領域リソースに対応するシーケンスパラメータに基づいて生成されることがあり、少なくとも１つのサブ周波数領域リソースにそれぞれ対応する少なくとも１つの基準信号シーケンスは、少なくとも１つのサブ周波数領域リソースに対応するシーケンスパラメータに基づいて生成されることがあることを理解されたい。
【０１４６】
たとえば、図４に示されているシナリオでは、ＵＥ１は、サブバンド１に対応する基準信号シーケンス、サブバンド２に対応する基準信号シーケンス、およびサブバンド３に対応する基準信号シーケンスを生成し得る。これらの３つの基準信号シーケンスは、サブバンドに対応するシーケンスパラメータに応じて、同じであっても異なっていてもよい。
【０１４７】
５３０：少なくとも１つのサブ周波数領域リソースに対応する物理リソースに基準信号シーケンスをマッピングする。
【０１４８】
特に、ＵＥは、少なくとも１つのサブ周波数領域リソースに対応する物理リソースに、少なくとも１つのサブ周波数領域リソースに対応する基準信号シーケンスをマッピングし得る。物理リソースは、時間領域リソース、周波数領域リソース、アンテナポートリソース、様々な空間フロー上のまたは様々な空間レイヤにおけるリソース、様々なビームリソースなどを含み得る。
【０１４９】
少なくとも１つのサブ周波数領域リソースに対応するシーケンスパラメータに基づいて、各サブ周波数領域リソースに対応する基準信号シーケンスを生成した後に、ＵＥは、各サブ周波数領域リソースに対応する物理リソースに、各サブ周波数領域リソースに対応する基準信号シーケンスをマッピングして、物理的信号を形成し得る。
【０１５０】
たとえば、ＵＥは、第１のサブ周波数領域リソースに対応する物理リソースに、第１のサブ周波数領域リソースに対応する第１の基準信号シーケンスをマッピングし、第２のサブ周波数領域リソースに対応する物理リソースに、第２のサブ周波数領域リソースに対応する第２の基準信号シーケンスをマッピングし得る。
【０１５１】
図４に示されているシナリオが一例として使用される。たとえば、図４に示されている実施形態では、ＵＥは、サブバンド１に対応するシーケンスパラメータに基づいて、サブバンド１に対応する基準信号シーケンスを生成することがあり、サブバンド１に対応する物理リソース（すなわち、ＤＭＲＳシンボルおよびサブバンド１によって決定された時間周波数リソース）に基準信号シーケンスをマッピングし得る。同様に、ＵＥは、サブバンド２に対応するシーケンスパラメータに基づいて、サブバンド２に対応する基準信号シーケンスを生成することがあり、サブバンド２に対応する物理リソースに基準信号シーケンスをマッピングし、サブバンド３に対応するシーケンスパラメータに基づいて、サブバンド３に対応する基準信号シーケンスを生成し、サブバンド３に対応する物理リソースに基準信号シーケンスをマッピングし得る。物理リソースに３つの基準信号シーケンスをマッピングすることによって形成される物理的信号が、ＵＥの基準信号をなす。ＵＥは、基準信号を生成した後に基準信号を送り得る。
【０１５２】
ＵＥによって物理リソースに基準信号シーケンスをマッピングする特定の実装形態では、従来技術への参照が行われ得ることを理解されたい。
【０１５３】
本発明のこの実施形態では、ＵＥは、少なくとも１つのサブ周波数領域リソースに対応するシーケンスパラメータを決定し、シーケンスパラメータに基づいて基準信号シーケンスを生成し、少なくとも１つのサブ周波数領域リソースに対応する物理リソースに基準信号シーケンスをマッピングする。このようにして、基地局は、各スケジュールされたＵＥの多重化ステータスに基づいて基準信号生成パラメータをフレキシブルに割り振り、それにより、マルチユーザ多重化能力を改善し、スケジューリングフレキシビリティを改善することができる。
【０１５４】
さらに、本発明のこの実施形態では、ＵＥが複数のサブ周波数領域リソースを有し、それらの複数のサブ周波数領域リソースに対応するシーケンスパラメータが異なるとき、ＵＥ送信機の放出ピーク比がさらに低減され得、送信効率が改善され得る。
【０１５５】
特に、本発明のこの実施形態では、シーケンスパラメータは、ルートシーケンスインデックス、サイクリックシフト値、または基準信号シーケンスの直交カバーコードのうちの少なくとも１つを含む。
【０１５６】
直交カバーコード（Ｏｒｔｈｏｇｏｎａｌ  Ｃｏｖｅｒ  Ｃｏｄｅ、ＯＣＣ）があるとき、基準信号シーケンスは、直交カバーコードに基づいて決定され得ることを理解されたい。ＯＣＣは、同じシンボルの異なる周波数領域リソースのために使用され得るか、または同じ周波数領域リソースの異なるシンボルのために使用され得る。ＯＣＣ長さは、要件に応じて調整されることがある。たとえば、２よりも大きいかまたはそれに等しいすべての整数が実現可能である。ＵＥ１は、物理リソース上に４つのＤＭＲＳ部分Ａ、Ｂ、Ｃ、およびＤを有し、ＵＥ２も、ＵＥ１の同じ物理リソース上に４つのＤＭＲＳ部分Ａ、Ｂ、Ｃ、およびＤを有すると仮定される。この場合、同じ基準信号を有するＵＥ１およびＵＥ２の多重化を実装するために、ＯＣＣが使用され得る。
【０１５７】
たとえば、
ＵＥ１について、基準信号生成方式は、
Ｗ１０＊Ａ、Ｗ２０＊Ｂ、Ｗ３０＊Ｃ、Ｗ４０＊Ｄであり、
ＵＥ１について、基準信号生成方式は、
Ｗ１１＊Ａ、Ｗ２１＊Ｂ、Ｗ３１＊Ｃ、Ｗ４１＊Ｄである。
【０１５８】
［Ｗ１０，Ｗ２０，Ｗ３０，Ｗ４０］はＵＥ１のＯＣＣであり、［Ｗ１０，Ｗ２０，Ｗ３０，Ｗ４０］はＵＥ２のＯＣＣである。Ａ、Ｂ、Ｃ、Ｄは、長さが１であるチップであり得るか、または長さがＮであるシーケンスであり得、Ｎは正の整数である。
【０１５９】
ＵＥ１のＯＣＣとＵＥ２のＯＣＣとの間の直交性が保証されるとすれば、ＵＥ１とＵＥ２との間の干渉のない通信は、ＯＣＣを使用することによって実装され得る。長さが２であるＯＣＣは［１，１］または［１，−１］であり得る。長さが４であるＯＣＣは、４＊４直交行列、たとえば、［１，１，１，１］、［１，−１，１，−１］、［１，１，−１，−１］、または［１，−１，−１，１］中のいずれかの行または列であり得る。
【０１６０】
特定のＯＣＣ長さでは、２つ以上のＯＣＣがあり、異なるＯＣＣは異なるインデックス値を有し得る。たとえば、長さが４であるＯＣＣでは、４つの異なるＯＣＣがあることがあり、対応して、４つの異なるＯＣＣインデックス値がある。
【０１６１】
任意選択で、一実施形態では、少なくとも１つのサブ周波数領域リソース中の第１のサブ周波数領域リソースに対応するシーケンスパラメータは、第１のサブ周波数領域リソースの第１のリソースインデックス値によって決定される。シーケンスパラメータは、ルートシーケンスインデックス、サイクリックシフト値、または基準信号シーケンスの直交カバーコードのうちの１つまたは複数を含むことがあり、第１のリソースインデックス値は、サブ周波数領域リソースのロケーションを表すために使用される。
【０１６２】
任意選択で、一実施形態では、少なくとも１つのサブ周波数領域リソース中の第１のサブ周波数領域リソースに対応する基準信号シーケンス中の少なくとも１つの生成パラメータは、第１のサブ周波数領域リソースのロケーション情報によって決定される。説明しやすいように、第１のサブ周波数領域リソースのロケーション情報を表すために第１のサブ周波数領域リソースのリソースインデックス値が使用される。第１のサブ周波数領域リソースのリソースインデックス値は、第１のサブ周波数領域リソースのインデックス値、第１のサブ周波数領域リソース中のＰＲＢのインデックス値、第１のサブ周波数領域リソース中のサブキャリアのインデックス値、第１のサブ周波数領域リソース中のサブキャリアのタイプのインデックス値などであり得る。
【０１６３】
第１のサブ周波数領域リソースは、図４に示されている実施形態中のサブバンド１であると仮定される。この場合、第１のサブ周波数領域リソースの第１のリソースインデックス値は、サブバンド１のサブバンドインデックス値、サブバンド１の最初のＰＲＢのインデックス値、サブバンド１の最後のＰＲＢのインデックス値、サブバンド１の中央のいずれかのＰＲＢのインデックス値、サブバンド１の最初のサブキャリアのインデックス値、サブバンド１の最後のサブキャリアのインデックス値、サブバンド１の中央のいずれかのサブキャリアのインデックス値などであり得る。第１のサブ周波数領域リソース中のサブキャリアのタイプのインデックス値では、たとえば、サブキャリアは離散方式で占有され、サブキャリアは、奇数番号サブキャリアまたは偶数番号サブキャリアであることがあり、インデックス０または１を使用することによって示され得る。別の例では、離散方式で、Ｍ個のサブキャリアごとに１つのサブキャリアが占有される。この場合、第１のサブ周波数領域リソースのインデックス値は、０からＭ−１の範囲内のいずれかの整数値を使用することによって示され得る。
【０１６４】
この実施形態の特定の実装形態では、サブ周波数領域リソースのリソースインデックス値とシーケンスパラメータとの間の関係が、あらかじめ定義されていることがある。たとえば、プロトコルが、リソースインデックス値とシーケンスパラメータとの間のマッピング関係のテーブルを事前に規定し得る。代替として、基地局およびＵＥは、事前にマッピング関係テーブルに関して同意していることがあり、ＵＥは、リソースインデックス値に対応する基準信号シーケンス生成パラメータについてテーブルを探索し得る。この実施形態の別の特定の実装形態では、ＵＥは、サブ周波数領域リソースのリソースインデックス値とシーケンスパラメータとの間の関数関係に基づく計算を通して、サブ周波数領域リソースに対応するシーケンスパラメータを取得し得る。
【０１６５】
以下は、サブ周波数領域リソースに対応するシーケンスパラメータが、サブ周波数領域リソースのリソースインデックス値に基づいて計算される例を使用することによって説明を提供する。特に、ＵＥの第１のサブ周波数領域リソースの第１のリソースインデックス値がｉｄｘであると仮定される。この場合、第１のサブ周波数領域リソースに対応するサイクリックシフト値、ルートシーケンスインデックス、および基準信号シーケンスの直交カバーコードインデックスのうちの１つまたは複数は、ｉｄｘの関数によって表され得る。
【０１６６】
たとえば、第１のサブ周波数領域リソースに対応するシーケンスパラメータ中のサイクリックシフト値ｃｓ＿ｉｄｘは以下の式によって表され得、
ｃｓ＿ｉｄｘ＝ｆcircle（ｉｄｘ）……………………                        式１
関数ｆcircle（ｉｄｘ）は、ｃｓ＿ｉｄｘとｉｄｘとの間の関数関係を表す。
【０１６７】
特に、以下の式２から式４は、関数ｆcircle（ｉｄｘ）のいくつかの可能な実装形態を示す。
ｃｓ＿ｉｄｘ＝ｉｄｘ  ｍｏｄ  Ｍ……………………                        式２、
ｃｓ＿ｉｄｘ＝（ｉｄｘ＋ｉｄｘ０）  ｍｏｄ  Ｍ……………………    式３、および
ｃｓ＿ｉｄｘ＝（ｉｄｘ  ｍｏｄ  Ｍ＋ｉｄｘ０）  ｍｏｄ  Ｍ……………      式４
【０１６８】
式２、式３、および式４において、Ｍは、第１のサブ周波数領域リソースに対応する基準信号シーケンスによってサポートされる最大サイクリックシフト値である。たとえば、Ｍは８または１２であり得る。ｉｄｘ０の値は、あらかじめ定義されていることがある。
【０１６９】
確かに、上記の式２から式４は例にすぎないことを理解されたい。特定の適用例では、関数ｆcircle（ｘ）は、例として使用された上記の式に限定されない。
【０１７０】
本発明のこの実施形態では、異なるサブ周波数領域リソースのために異なるサイクリックシフト値が決定され、それにより、異なるサブ周波数領域リソースに対応する基準信号シーケンスは、追加のシグナリング指示の必要なしに、サブ周波数領域リソースに対応するルートシーケンスインデックスに基づいて直接計算され得る。
【０１７１】
別の例では、第１のサブ周波数領域リソースに対応するシーケンスパラメータ中の直交カバーコードｏｃｃ＿ｉｄｘは以下の式によって表され得、
ｏｃｃ＿ｉｄｘ＝ｆocc（ｉｄｘ）……………………                          式５
関数ｆocc（ｉｄｘ）は、ｏｃｃ＿ｉｄｘとｉｄｘとの間の関数関係を表す。
【０１７２】
関数ｆocc（ｉｄｘ）の特定の式が、事前に基地局およびＵＥによって同意され得るか、またはプロトコルにおいて規定され得る。本発明のこの実施形態では、関数の特定の実装形態は限定されない。
【０１７３】
別の例では、第１のサブ周波数領域リソースに対応するシーケンスパラメータ中のルートシーケンスインデックスｒｏｏｔ＿ｉｄｘは以下の式によって表され得、
ｒｏｏｔ＿ｉｄｘ＝ｆroot（ｉｄｘ）……………………                      式６
関数ｆroot（ｉｄｘ）は、ｒｏｏｔ＿ｉｄｘとｉｄｘとの間の関数関係を表す。
【０１７４】
ルートシーケンスインデックスは、シーケンスグループホッピングおよびシーケンスホッピングによって決定される。したがって、第１のサブ周波数領域リソースに対応するルートシーケンスインデックスは、代替として、シーケンスグループホッピングおよびシーケンスホッピングの関数として表されることがあり、以下の式によって表され、
ｆroot（ｉｄｘ）＝ｆroot（ｕ（ｉｄｘ），ｖ（ｉｄｘ））……………………  式７
ｕ（ｉｄｘ）は、第１のサブ周波数領域リソースに対応するルートシーケンスインデックスのシーケンスグループホッピングを表し、ｖ（ｉｄｘ）は、第１のサブ周波数領域リソースに対応するルートシーケンスインデックスのシーケンスホッピングを表す。
【０１７５】
たとえば、既存のＬＴＥプロトコルでは、ルートシーケンスインデックスは以下の方式で定義され、
【０１７６】
【数１】
2019527972.tif 000003
【０１７７】
、および
【０１７８】
【数２】
2019527972.tif 000004
【０１７９】
、ただし
【０１８０】
【数３】
2019527972.tif 000005
【０１８１】
はシーケンス長である。
【０１８２】
任意選択で、第１のルートシーケンスインデックスのシーケンスグループホッピングおよび／またはシーケンスホッピングは第１のリソースインデックス値によって決定され、第１のルートシーケンスインデックスは、第１のサブ周波数領域リソースに対応するシーケンスパラメータ中のルートシーケンスインデックスである。
【０１８３】
既存のＬＴＥにおけるシーケンスグループホッピングカウントｕは以下のグループホッピング式によって表され得、
ｕ＝（ｆgh（ｎs）＋ｆss）  ｍｏｄ  ３０……………………                 式８
ｆgh（ｎs）は基準信号シーケンスのグループホッピングモードを表し、ｆssは基準信号シーケンスのシーケンスシフトモードを表す。
【０１８４】
本発明のこの実施形態の特定の実装形態では、シーケンスグループホッピングカウントｕは以下のグループホッピング式によって表される。
ｕ＝（ｆgh（ｎs）＋ｆss＋ｉｄｘ）  ｍｏｄ  ３０……………………         式９
【０１８５】
言い換えれば、第１のサブ周波数領域リソースに対応するルートシーケンスインデックスのシーケンスグループホッピングカウントは、第１のリソースインデックス値によって決定され得る。
【０１８６】
加えて、式７から、シーケンスグループホッピングカウントは、基準信号シーケンスのグループホッピングモードおよび基準信号シーケンスのシーケンスシフトモードによって決定されることがわかる。したがって、本発明のこの実施形態では、第１のリソースインデックス値に基づいてシーケンスのグループホッピングモードおよび／またはシーケンスシフトモードがさらに決定されて、シーケンスグループホッピングが決定され、最終的にルートシーケンスインデックスが決定され得る。
【０１８７】
従来技術では、基準信号シーケンスのグループホッピングモードｆgh（ｎs）は以下の式によって表され得、
【０１８８】
【数４】
2019527972.tif 000006
【０１８９】
ｎsはスロット番号を表し、ｃ（８ｎs＋ｉ）は擬似ランダムシーケンスの表現を表す。
【０１９０】
本発明のこの実施形態の特定の実装形態では、基準信号シーケンスのグループホッピングモードｆgh（ｎs）は以下のグループホッピング式によって表され得る。
【０１９１】
【数５】
2019527972.tif 000007
【０１９２】
言い換えれば、第１のサブ周波数領域リソースに対応するルートシーケンスインデックスのシーケンスグループホッピングモードは、第１のリソースインデックス値によって決定され得る。
【０１９３】
従来技術では、基準信号シーケンスのシーケンスシフトモード
【０１９４】
【数６】
2019527972.tif 000008
【０１９５】
は以下の式によって表され得、
【０１９６】
【数７】
2019527972.tif 000009
【０１９７】
Δssは、基地局によって示されるオフセットパラメータである。
【０１９８】
本発明のこの実施形態の特定の実装形態では、基準信号シーケンスのシーケンスシフトモード
【０１９９】
【数８】
2019527972.tif 000010
【０２００】
は以下のグループホッピング式によって表され得る。
【０２０１】
【数９】
2019527972.tif 000011
【０２０２】
言い換えれば、第１のサブ周波数領域リソースに対応するルートシーケンスインデックスのシーケンスグループホッピングモードは、第１のリソースインデックス値によって決定され得る。
【０２０３】
さらに、従来技術では、
【０２０４】
【数１０】
2019527972.tif 000012
【０２０５】
は以下の式によって表され得る。
【０２０６】
【数１１】
2019527972.tif 000013
【０２０７】
本発明のこの実施形態の特定の実装形態では、
【０２０８】
【数１２】
2019527972.tif 000014
【０２０９】
は以下のグループホッピング式によって表され得る。
【０２１０】
【数１３】
2019527972.tif 000015
【０２１１】
本発明のこの実施形態では、サブ周波数領域リソースのリソースインデックス値に基づいて、異なるサブ周波数領域リソースのために異なるルートシーケンスインデックスが決定されて、基準信号シーケンスの使用フレキシビリティが改善され、１つの基準信号シーケンスが複数の異なるサブ周波数領域リソース中に現れる確率が低減され、基準信号シーケンスのピーク対平均値比がさらに低減され、それにより、基準信号を送信するデバイスの電力増幅器効率が改善される。
【０２１２】
加えて、本発明のこの実施形態における方法によれば、基地局は、追加のシグナリング指示を送る必要がなく、したがって、基地局側のシグナリングオーバーヘッドがさらに低減され得る。
【０２１３】
任意選択で、別の実施形態では、本方法は、第１の情報を取得するステップであって、第１の情報が、少なくとも１つのサブ周波数領域リソースに対応する少なくとも１つのシーケンスパラメータを示すために使用される、取得するステップをさらに含むことがあり、ステップ５２０は、第１の情報に基づいて、少なくとも１つのサブ周波数領域リソースに対応する少なくとも１つのシーケンスパラメータを決定するステップとして特に実装されることがある。
【０２１４】
特に、シーケンスパラメータは、ルートシーケンスインデックス、サイクリックシフト値、または基準信号シーケンスの直交カバーコードのうちの１つまたは複数であり得る。たとえば、第１の情報が、少なくとも１つのサブ周波数領域リソースに対応するルートシーケンスインデックスを示すために使用されるとき、ステップ５２０では、少なくとも１つのサブ周波数領域リソースに対応するルートシーケンスインデックスが決定され得るか、または第１の情報が、少なくとも１つのサブ周波数領域リソースに対応するサイクリックシフト値および直交カバーコードを示すために使用されるとき、ステップ５２０では、少なくとも１つのサブ周波数領域リソースに対応するサイクリックシフト値および直交カバーコードが決定され得る。
【０２１５】
第１の情報は、基地局によってＵＥに送られ得るか、またはあらかじめ定義され得る、たとえば、プロトコルにおいて事前に規定され得ることを理解されたい。
【０２１６】
第１の情報によって示されるシーケンスパラメータは、絶対値であり得るかまたは相対値であり得ることを理解されたい。
【０２１７】
説明は、図３に示されているシナリオ中のＵＥ１の例を参照しながら、一例としてサイクリックシフト値を使用することによって提供される。
【０２１８】
たとえば、基地局は、ＵＥ１に第１の情報を送ることがあり、第１の情報は、サブバンド１、サブバンド２、およびサブバンド３にそれぞれ対応するサイクリックシフト値を示し得る。別の例では、基地局は、ＵＥ１に第１の情報を送ることがあり、第１の情報は、サブバンド１に対応するサイクリックシフト値、サブバンド２に対応するサイクリックシフト値とサブバンド１に対応するサイクリックシフト値との間の差、およびサブバンド３に対応するサイクリックシフト値とサブバンド１に対応するサイクリックシフト値との間の差を含み得る。別の例では、基地局は、ＵＥ１に第１の情報を送り、第１の情報中のサブバンド１、サブバンド２、およびサブバンド３の指示情報順序を使用することによって、サブバンド１、サブバンド２、およびサブバンド３にそれぞれ対応するサイクリックシフト値を暗黙的に示し得る。ＵＥ１は、第１の情報に基づいて、サブバンド１、サブバンド２、およびサブバンド３にそれぞれ対応するサイクリックシフト値を決定し得る。
【０２１９】
別の例では、ＵＥは、代替として、あらかじめ定義された方式でサイクリックシフト値を決定し得る。たとえば、ＵＥのサイクリックシフト値は、ＵＥの識別子に基づいて決定され得る。ここでのＵＥの識別子は、ＵＥのＲＮＴＩ（無線ネットワーク一時識別子、Ｒａｄｉｏ  Ｎｅｔｗｏｒｋ  Ｔｅｍｐｏｒａｒｙ  Ｉｄｅｎｔｉｆｉｅｒ）であり得るか、またはＵＥのＭＡＣアドレス中のビットの全部もしくは一部であり得る。ＵＥのサイクリックシフト値は、ＵＥの識別子ＩＤ、たとえば、ＩＤ  ｍｏｄ  Ｍに基づいて決定される。ここでは、Ｍは、基準信号シーケンスのサイクリックシフトの量である。
【０２２０】
本発明のこの実施形態では、ＵＥのシーケンスパラメータは、基地局によって送られる指示情報に基づいて構成され、それにより、基地局は、各ＵＥの基準信号シーケンスに対する完全な制御を実装して、スケジューリングフレキシビリティを保証することができる。
【０２２１】
加えて、本発明のこの実施形態における方法によれば、システムパフォーマンスは、ＵＥのシーケンスパラメータの構成を通してさらに最適化され得る。
【０２２２】
任意選択で、さらに別の実施形態では、本方法は、第１の情報を取得するステップであって、第１の情報が、少なくとも１つのサブ周波数領域リソースに対応する少なくとも１つのシーケンスパラメータを示すために使用される、取得するステップをさらに含むことがあり、ステップ５２０は、第１の情報および少なくとも１つのサブ周波数領域リソースに対応するリソースインデックス値に基づいて、少なくとも１つのサブ周波数領域リソースに対応する少なくとも１つのシーケンスパラメータを決定するステップとして特に実装されることがある。
【０２２３】
特に、ＵＥは、第１の情報によって示される第１の生成パラメータに基づいて第１の生成パラメータインジケータ値を決定し、第１のサブ周波数領域リソースの第１のリソースインデックス値に基づいて、第１のサブ周波数領域リソースに対応する第１の生成パラメータオフセット値を決定し、第１の生成パラメータインジケータ値および第１の生成パラメータオフセット値に基づいて、第１のサブ周波数領域リソースに対応する第１の生成パラメータを決定し得る。第１の生成パラメータは、第１のサブ周波数領域リソースに対応するシーケンスパラメータのうちの１つであり、第１のサブ周波数領域リソースは、少なくとも１つのサブ周波数領域リソースのいずれか１つである。第１の生成パラメータインジケータ値は、基地局によって構成され第１の生成パラメータに関係するパラメータであり、第１の生成パラメータオフセット値は、第１のサブ周波数領域リソースのリソースインデックス値に関係する第１の生成パラメータの数値であることを理解されたい。
【０２２４】
たとえば、式３および式４において、ｉｄｘ０は、第１の情報中に示される第１のサブ周波数領域リソースのサイクリックシフトインジケータ値であり得、ｉｄｘは、第１のサブ周波数領域リソースの第１のリソースインデックス値に基づいて決定されたサイクリックシフトオフセット値であり得る。ＵＥは、ｉｄｘおよびｉｄｘ０に基づいて、第１のサブ周波数領域リソースに対応するサイクリックシフト値を決定し得る。
【０２２５】
別の例では、基地局によってＵＥに送られる第１の情報は、サイクリックシフトインジケータ値ｃｓ０およびルートシーケンスインデックスインジケータ値ｒｏｏｔ０を含むことがあり、ｃｓ０とｒｏｏｔ＿０の両方は、基地局によって示される生成パラメータである。ＵＥは、サブ周波数領域リソースのリソースインデックス値に基づいてサイクリックシフト値Δｃｓ＿ｉｄｘおよびルートシーケンスインデックスオフセット値Δｒｏｏｔ＿ｉｄｘをさらに決定し得、Δｃｓ＿ｉｄｘとΔｒｏｏｔ＿ｉｄｘの両方は、リソースロケーションに対応する生成パラメータである。
【０２２６】
ＵＥは、ｃｓ０およびΔｃｓ＿ｉｄｘに基づいて、サブ周波数領域リソースに対応するサイクリックシフト値ｃｓ＿ｉｄｘを決定し得る。たとえば、ｃｓ＿ｉｄｘは以下の式によって表され得る。
ｃｓ＿ｉｄｘ＝（ｃｓ０＋Δｃｓ＿ｉｄｘ）  ｍｏｄ  Ｍ……………………    式１６
【０２２７】
ＵＥは、ｒｏｏｔ０およびΔｒｏｏｔ＿ｉｄｘに基づいて、サブ周波数領域リソースに対応するルートシーケンスインデックスｒｏｏｔ＿ｉｄｘを決定し得る。たとえば、ｒｏｏｔ＿ｉｄｘは以下の式によって表され得る。
ｒｏｏｔ＿ｉｄｘ＝（ｒｏｏｔ０＋Δｒｏｏｔ＿ｉｄｘ）  ｍｏｄ  Ｎ……    式１７
【０２２８】
Δｃｓ＿ｉｄｘの計算式については、式１から式４を参照されたい。Δｒｏｏｔ＿ｉｄｘの計算式については、式６から式１５を参照されたい。
【０２２９】
たとえば、ＵＥ１は３つのＤＭＲＳサブバンドを有し、サブバンドのｉｄｘはそれぞれ１、２、および３であると仮定される。第１の情報は、ＵＥ１の第１のサブバンドのｃｓ０の値が３であり、第１のサブバンドのｒｏｏｔ０の値が７であり、Ｍの値が８であり、Ｎの値が３０であることを示すと仮定される。この場合、ＵＥ１の３つのサブバンドのパラメータは以下の通りである。
ｃｓ＿１＝３、ｒｏｏｔ＿１＝７、
ｃｓ＿２＝（ｃｓ０＋Δｃｓ＿ｉｄｘ）  ｍｏｄ  Ｍ＝（３＋１）  ｍｏｄ  Ｍ＝４、
ｒｏｏｔ＿２＝（ｒｏｏｔ０＋Δｒｏｏｔ＿ｉｄｘ）  ｍｏｄ  Ｎ＝（７＋１）  ｍｏｄ  Ｎ＝８、
ｃｓ＿３＝（ｃｓ０＋Δｃｓ＿ｉｄｘ）  ｍｏｄ  Ｍ＝（３＋２）  ｍｏｄ  Ｍ＝５、および
ｒｏｏｔ＿３＝（ｒｏｏｔ０＋Δｒｏｏｔ＿ｉｄｘ）  ｍｏｄ  Ｎ＝（７＋２）  ｍｏｄ  Ｎ＝９
【０２３０】
確かに、上記の計算式は例にすぎないことを理解されたい。本発明のこの実施形態では、別の式があり得る。これは、本発明では限定されない。
【０２３１】
本発明のこの実施形態では、生成パラメータインジケータ値は、基地局によって送られた第１の情報に基づいて取得され、サブ周波数領域リソースに対応する生成パラメータオフセット値は、サブ周波数領域リソースのリソースインデックス値に基づいて取得されて、シーケンスパラメータが決定される。これは、ネットワーク側のエアインターフェース指示シグナリングオーバーヘッドを低減することができ、スケジューリングフレキシビリティを保証することができる。
【０２３２】
確かに、ＵＥは、サブ周波数領域リソースのリソースインデックス値に基づいてシーケンスパラメータを決定すること、基地局によって送られた第１の情報に基づいてシーケンスパラメータを決定すること、またはサブ周波数領域リソースのリソースインデックス値および基地局によって送られた第１の情報に基づいてシーケンスパラメータを決定することという、上記の３つの方式のうちの１つまたは複数の組合せをフレキシブルに使用することによって生成パラメータを決定し得ることを理解されたい。たとえば、特定の方式では、ルートシーケンスインデックスは、サブ周波数領域リソースのリソースインデックス値に基づいて決定されることがあり、サイクリックシフト値は、基地局によって送られた第１の情報に基づいて決定されることがあり、直交カバーコードは、サブ周波数領域リソースのリソースインデックス値および基地局によって送られた第１の情報に基づいて決定されることがある。
【０２３３】
加えて、ＵＥのサブ周波数領域リソースのシーケンスパラメータを示すとき、基地局は、サブ周波数領域リソースよりも大きい周波数領域リソースについてのシーケンスパラメータを示し得る。周波数領域リソースは同じシーケンスパラメータを使用する。たとえば、基地局は、サブバンド１中でＵＥ１のシーケンスパラメータを示し得るが、ＵＥ１は、サブバンド１の奇数番号サブキャリア上でのみ基準信号を送る。
【０２３４】
任意選択で、第１の情報は、ユーザ機器固有（ＵＥ−Ｓｐｅｃｉｆｉｃ）メッセージおよび／またはセル固有（Ｃｅｌｌ−Ｓｐｅｃｉｆｉｃ）メッセージを使用することによって送信される。
【０２３５】
ＵＥ固有を使用することによって第１の情報を送信することによって、基地局は、すべてのＵＥについて異なる基準信号シーケンス生成パラメータを構成し得、それにより、スケジューリングはよりフレキシブルになる。
【０２３６】
セル固有を使用することによって第１の情報を送信することによって、基地局は、送られる指示シグナリングの量を部分的に低減し、それにより、ネットワーク側のシグナリングオーバーヘッドをさらに低減し得る。
【０２３７】
ＵＥ固有とセル固有の両方を使用することによって第１の情報を送信すること、たとえば、セル固有を使用することによって基準信号シーケンスを送信し、ＵＥ固有を使用することによってサイクリックシフト値および直交カバーコードを送信することによって、基地局は、送られる指示シグナリングの量を低減し、それにより、シーケンスパラメータ構成フレキシビリティを保証しながらネットワーク側のシグナリングオーバーヘッドを低減し得る。
【０２３８】
任意選択で、図５に示されている実施形態における方法は、ステップ５０１：少なくとも１つのサブ周波数領域リソースを決定する、をさらに含み得る。
【０２３９】
時間的にステップ５０１とステップ５１０との間に直接的な連続関係はないことを理解されたい。たとえば、図４に示されている適用例シナリオでは、基地局は、サブバンド１、サブバンド２、およびサブバンド３に対応するシーケンスパラメータをＵＥ１に送り得る。加えて、基地局は、ＤＭＲＳを送るために使用されるサブ周波数領域リソースに関する情報をＵＥ１に送って、サブバンド１のすべてのサブキャリア、サブバンド２の奇数番号サブキャリア、およびサブバンド３の偶数番号サブキャリア上でＤＭＲＳを送るようにＵＥ１に命令し得る。サブバンド２の奇数番号サブキャリアに対応するシーケンスパラメータは、サブバンド２に対応するシーケンスパラメータと同じであり、サブバンド３の偶数番号サブキャリアに対応するシーケンスパラメータは、サブバンド３に対応するシーケンスパラメータと同じである。
【０２４０】
特に、ＵＥは、複数の方式で少なくとも１つのサブ周波数領域リソースを決定し得る。
【０２４１】
この実施形態の特定の実装形態では、少なくとも１つのサブ周波数領域リソースは、シグナリングによって示されるか、またはあらかじめ定義されているかもしくはあらかじめ構成されている。
【０２４２】
少なくとも１つのサブ周波数領域リソースは、あらかじめ定義されており、たとえば、少なくとも１つのサブ周波数領域リソースは、プロトコルにおいて規定されていることがある。特に、たとえば、プロトコルは、リソース全体中のＵＥのサブ周波数領域リソースのロケーションが、ＵＥの識別子に基づいて決定されることを規定し得る。ここでのＵＥの識別子は、ＵＥのＲＮＴＩ（無線ネットワーク一時識別子、Ｒａｄｉｏ  Ｎｅｔｗｏｒｋ  Ｔｅｍｐｏｒａｒｙ  Ｉｄｅｎｔｉｆｉｅｒ）であり得るか、またはＵＥのＭＡＣアドレス中のビットの全部もしくは一部であり得る。サブ周波数領域リソースのロケーションは、ＵＥの識別子ＩＤ、たとえば、ＩＤ  ｍｏｄ  Ｍに基づいて決定される。ここでは、Ｍは、サブ周波数領域リソースロケーションの可能な量である。
【０２４３】
少なくとも１つのサブ周波数領域リソースは、事前構成されており、たとえば、ユーザは、ＵＥ上にサブ周波数領域リソース指示情報を事前構成し得る。
【０２４４】
この実施形態の別の特定の実装形態では、本方法は、基地局によって送られた第２の情報を受信するステップであって、第２の情報が、少なくとも１つのサブ周波数領域リソースのロケーションを示すために使用される、受信するステップをさらに含むことがあり、ステップ５０１は、第２の情報に基づいて、少なくとも１つのサブ周波数領域リソースを決定するステップとして特に実装され得る。
【０２４５】
任意選択で、第２の情報は、基準信号を送るためにＵＥによって使用されるサブ周波数領域リソースとして連続するサブキャリアの少なくとも１つのセグメントを示し得る。
【０２４６】
たとえば、図４に示されている実施形態では、サブバンド１、２、および３のサブバンドインデックスは、第２の情報を使用することによってＵＥ１に送られて、サブバンド１、２、および３は、基準信号を送るための周波数領域リソースとして使用され得ることがＵＥ１に示される。この場合、各サブバンドがサブ周波数領域リソースである。
【０２４７】
代替として、任意選択で、第２の情報は、連続するサブキャリアの少なくとも１つのセグメントを示すことがあり、ＵＥは、基準信号を送るためにＵＥによって使用される周波数領域リソースとして、あらかじめ定義されているサブキャリア選択ルールに従って、連続するサブキャリアからそのルールを満たすサブキャリアセットを選択する。この場合、連続するサブキャリアの各セグメント中のサブキャリア選択ルールを満たすサブキャリアセットは、サブ周波数領域リソースとして使用される。
【０２４８】
あらかじめ定義されているサブキャリア選択ルールは、たとえば、連続するサブキャリア中のサブキャリアのタイプのインデックス値であり得る。特に、たとえば、サブキャリアは離散方式で占有され、サブキャリアは、奇数番号サブキャリアまたは偶数番号サブキャリアであることがあり、インデックス０または１を使用することによって示され得る。別の例では、離散方式で、Ｍ個のサブキャリアごとに１つのサブキャリアが占有される。この場合、サブバンドのインデックス値は、０からｍ−１の範囲内のいずれかの整数値を使用することによって示され得る。加えて、サブバンド中のＵＥのサブキャリアのインデックス値は、ＵＥの識別子ＩＤ、たとえば、ＩＤ  ｍｏｄ  Ｍに基づいて決定され得る。
【０２４９】
図６は、本発明の一実施形態によるＤＭＲＳ周波数領域リソース割振りの概略図である。図６に示されているように、ＵＥ１はＤＭＲＳ帯域幅中の偶数番号サブキャリアを占有し、ＵＥ２はＤＭＲＳ帯域幅中の奇数番号サブキャリアを占有する。
【０２５０】
図６に示されているシナリオでは、たとえば、ＵＥ１のためのあらかじめ定義されているサブキャリア選択ルールは、偶数番号サブキャリアを占有することであり得る。基準信号を送るために使用される周波数領域リソースをＤＭＲＳ帯域幅から選択するように第２の情報がＵＥに命令したとき、ＵＥ１は、基準信号を送るための周波数領域リソースとしてＤＭＲＳ帯域幅中の偶数番号サブキャリアを選択し得る。
【０２５１】
代替として、任意選択で、第２の情報は、連続するサブキャリアリソース、およびその連続するサブキャリアリソースに対応するサブキャリア指示を示し得る。サブキャリア指示は、連続するサブキャリアリソース中で、基準信号を送るために使用されるサブキャリアを示すために使用される。
【０２５２】
図７は、本発明の一実施形態によるＤＭＲＳ周波数領域リソース割振りの概略図である。図７に示されているように、ＵＥ１は、ＤＭＲＳ帯域幅中の偶数番号サブキャリアを占有し、ＵＥ２は、ＤＭＲＳ帯域幅中の第２から第７の奇数番号サブキャリアを占有し、ＵＥ３は、ＤＭＲＳ帯域幅中の第８から第１１の奇数番号サブキャリアを占有する。
【０２５３】
図７に示されているように、基地局によってＵＥ１に送られた第２の情報は、サブバンド１の偶数番号サブキャリアを使用するようにＵＥ１に命令し、基地局によってＵＥ２に送られた第２の情報は、サブバンド１の第２の奇数番号サブキャリアから開始して、６つの奇数番号サブキャリアを使用するようにＵＥ２に命令し、基地局によってＵＥ３に送られた第２の情報は、サブバンド１の第８の奇数番号サブキャリアから開始して、４つの奇数番号サブキャリアを使用するようにＵＥ３に命令する。
【０２５４】
第２の情報は、連続するサブキャリアリソースの少なくとも１つのセグメントを示すことがあり、連続するサブキャリアリソースのすべてのセグメントに対応するサブキャリア指示は、同じであっても異なっていてもよいことを理解されたい。たとえば、第２の情報は、サブバンド１中では奇数番号サブキャリアを使用し、サブバンド２中では偶数番号サブキャリアを使用するようにＵＥに命令し得る。
【０２５５】
図８は、本発明の一実施形態によるＤＭＲＳ周波数領域リソース割振りの概略図である。図８に示されている実施形態のシナリオは、図６に示されている実施形態においてＵＥ１とＵＥ２が完全に同期されていないシナリオとして考えられ得る。たとえば、図８に示されているように、ＵＥ１とＵＥ２が完全に同期されていないとき、ＤＭＲＳ送信のためのＵＥ１およびＵＥ２のリソース（サブキャリアまたは時間領域シンボル）は部分的に重複する。ＵＥ１およびＵＥ２によって送られたＤＭＲＳのために使用されるシーケンスが等しい場合、基地局の受信機に干渉が引き起こされ、その結果、基地局の受信機は、これらの２つの異なるＵＥを区別するのに困難を有する。
【０２５６】
本発明のこの実施形態では、ＵＥは、基地局によって示される周波数領域リソースロケーションに基づいてサブ周波数領域リソースを決定する。これは、異なるＵＥ間でリソースのフレキシブルなＤＭＲＳ多重化を実装し、それにより、基地局のスケジューリングフレキシビリティを改善することができる。
【０２５７】
特に、本発明のこの実施形態における方法によれば、ＵＥが単一のサブバンドを使用することによってＤＭＲＳを送ったとき、単一のＤＭＲＳサブバンドを用いるＵＥに対する帯域幅制限が低減され得る。
【０２５８】
さらに、第２の情報は、少なくとも１つのサブ周波数領域リソースの多重化方式をさらに含み得る。本発明では、各サブ周波数領域リソースの多重化方式は、情報の以下のタイプのうちの少なくとも１つを示すために使用される。
サブ周波数領域リソース上のＵＥと別のＵＥとの間の周波数領域リソース多重化関係、
ＵＥと別のＵＥとの間に基準信号リソース多重化があるかどうか、または
ＵＥが基準信号を使用する帯域幅中で基準信号リソースを使用する方式
【０２５９】
任意選択で、多重化方式は、周波数分割多重化、符号分割多重化、およびリソース共有などの多重化方式のうちの少なくとも１つを含み得る。
【０２６０】
たとえば、ＦＤＭ多重化方式が使用される場合、サブ周波数領域リソースは、基準信号の帯域幅中の離散的なサブキャリアを占有し、ＣＤＭ多重化方式が使用される場合、サブ周波数領域リソースは、基準信号の帯域幅中の連続するサブキャリアを占有し、ＦＤＭとＣＤＭを組み合わせる多重化方式が使用される場合、サブ周波数領域リソースは、基準信号の帯域幅中の離散的なサブキャリアを占有し、サブ周波数領域リソースに対応するシーケンスパラメータが構成される。
【０２６１】
任意選択で、別の例では、多重化方式は、同じ基準信号リソースセット中の異なるＵＥ間に多重化関係があるかどうかを示すために使用され得る。多重化関係がある場合、リソースが多重化されたリソースセット上の送信電力基準は、ＵＥについて異なり得る。
【０２６２】
サブ周波数領域リソース上のＵＥと別のＵＥとの間の周波数領域リソース多重化関係を示すために使用されることに加えて、多重化方式は、第２の情報中の他の周波数領域リソース指示情報またはＵＥのあらかじめ定義されている周波数領域リソース指示情報に関して少なくとも１つのサブ周波数領域リソースを示すためにさらに使用され得ることを理解されたい。
【０２６３】
たとえば、図６に示されている実施形態では、第２の情報は、ＵＥ１によって使用される多重化方式がＦＤＭ方式を含むことを示し、ＵＥ１のためのあらかじめ定義されているサブキャリア選択ルールは、偶数番号サブキャリアを占有することであり得る。この場合、ＵＥ１は、基準信号を送るための周波数領域リソースとしてＤＭＲＳ帯域幅中の偶数番号サブキャリアを選択し得る。
【０２６４】
第２の情報は、無線リソース制御（Ｒａｄｉｏ  Ｒｅｓｏｕｒｃｅ  Ｃｏｎｔｒｏｌ、ＲＲＣ）メッセージもしくはシステム情報ブロック（Ｓｙｓｔｅｍ  Ｉｎｆｏｒｍａｔｉｏｎ  Ｂｌｏｃｋ、ＳＩＢ）メッセージなどの静的シグナリングを使用することによって送信され得るか、ダウンリンク制御情報（Ｄｏｗｎｌｉｎｋ  Ｃｏｎｔｒｏｌ  Ｉｎｆｏｒｍａｔｉｏｎ、ＤＣＩ）メッセージなどの動的シグナリングを使用することによって送信され得るか、またはＤＣＩメッセージとＲＲＣメッセージもしくはＳＩＢメッセージの両方を使用することによって送信され得ることを理解されたい。
【０２６５】
任意選択で、一実施形態では、第２の情報は、ＤＣＩメッセージなどの動的シグナリングを使用することによって送信され得る。
【０２６６】
特定の実装形態では、基地局は、サブバンド分割方式を構成することなしに、基準信号のためにＵＥによって使用される周波数領域リソースに基づいてＵＥのための構成を実行し得る。そのような方式は、単一のＵＥの基準信号送信には最適であり、ＵＥは、ＵＥおよび隣接するＵＥが同じ基準信号シンボルを有するかどうかに関して心配する必要なしに、ＵＥの基準信号送信のための周波数領域リソースがいくつのサブバンドに分割されるのか、サブバンドサイズおよびロケーション、ならびに各サブバンドに対応するシーケンスパラメータのみを知る必要がある。
【０２６７】
特に、たとえば、基地局は、最小送信サブバンドリソースブロックグループ（Ｒｅｓｏｕｒｃｅ  Ｂｌｏｃｋ  Ｇｒｏｕｐ、ＲＢＧ）を定義し、各サブバンドのサイズ、たとえば、４、６、８、または１０個のＲＢＧを定義することがある。言い換えれば、ＵＥに割り振られる帯域幅はＲＢＧの整数倍である必要がある。基地局は、ビットマップ方式で１つのサブバンドのＲＧＢを示し得る。
【０２６８】
表１は、本発明の一実施形態による、基地局によってＵＥ１およびＵＥ２のために構成されている別のリソース割振り指示である。
【０２６９】
【表１】
2019527972.tif 000016
【０２７０】
指示方式で、表１に示されているように、ＵＥ１は３つの連続するＲＢＧを占有し、サブバンド使用は、第２の情報中で００１として表される。これは、分割を通して２つのサブバンドが取得されたことを示す。具体的には、インデックス１および２をもつＲＧＢは１つのサブバンドであり、ＲＢＧ３は１つのサブバンドである。同様に、ＵＥ２のために分割を通して２つのサブバンドが取得され、ＲＢＧ４はサブバンド３であり、ＲＢＧ４およびＲＢＧ５はサブバンド２である。言い換えれば、第２の情報中では、インデックスが同じ指示を有するＲＢＧは、１つのサブバンドであり、インデックスが異なる指示を有するＲＢＧは、別のサブバンドである。
【０２７１】
さらに、表１に示されているシナリオでは、異なる多重化方式を示すために０および１がさらに使用され得る。代替として、１は、多重化方式があることを示すために使用され、０は、多重化方式がないことを示すために使用されるなどする。
【０２７２】
本発明のこの実施形態では、第２の情報は、ＤＣＩなどの動的シグナリングを使用することによって送信され得、それにより、基地局は、より動的およびフレキシブルに基準信号のための周波数領域リソース構成を示す。このようにして、基地局は、異なるＵＥの実際の周波数領域リソース多重化ステータスに応じて、基準信号のためのリソース構成を示すことができる。
【０２７３】
任意選択で、一実施形態では、第２の情報は、ＲＲＣメッセージまたはＳＩＢメッセージなどの静的シグナリングを使用することによって送信され得る。
【０２７４】
表２は、本発明の一実施形態による、基地局によってＵＥ１およびＵＥ２のために構成されているリソース割振り指示である。
【０２７５】
【表２】
2019527972.tif 000017
【０２７６】
表において、多重化方式１はＦＤＭを表し、多重化方式０はＣＤＭを表し、送信帯域幅１は占有されていることを表す。
【０２７７】
表２に示されているように、ＵＥ１の送信帯域幅は、対応するサブバンド１、２、および３であり、多重化方式はそれぞれ０、０、および１である。言い換えれば、ＵＥ１は、サブバンド１および２ではＣＤＭを実行し、サブバンド３ではＦＤＭを実行する。ＵＥ２の送信帯域幅は、対応するサブバンド３および４であり、多重化方式はそれぞれ１および０である。言い換えれば、ＵＥ２は、サブバンド３ではＦＤＭを実行し、サブバンド４ではＣＤＭを実行する。
【０２７８】
ＵＥ１は、サブバンド１および２においてＣＤＭを実行し、サブバンド１および２がサブ周波数領域リソースであると決定し得る。すなわち、ＵＥ１は、サブバンド１および２を使用することによって基準信号を送る。ＵＥ２は、サブバンド４においてＣＤＭを実行し、サブバンド４がサブ周波数領域リソースであると決定し得る。すなわち、ＵＥ２は、サブバンド４全体を使用することによって基準信号を送る。
【０２７９】
確かに、ＵＥの送信中に割り振られる帯域幅は、必ずしも基地局による分割を通して取得されたサブバンドの整数倍とは限らないことを理解されたい。たとえば、ＵＥ２によって占有されるサブバンド４は、代替として、サブバンド中のＰＲＢの一部のみであり得る。たとえば、基地局は、サブバンド４の６つのＰＲＢを使用するようにＵＥ２に命令するためのサブキャリア指示をさらに送るが、ＵＥ２は、サブバンド中では、サブバンドについて示されているように基準信号多重化方式を依然として使用する。
【０２８０】
たとえば、図４に示されている実施形態において、基地局によってＵＥ１に送られる第２の情報がサブバンド１、２、および３のロケーションおよび多重化方式を含み、すべての多重化方式がＣＤＭであると仮定される。この場合、ＵＥ１は、サブバンド１、２、および３が、ＤＭＲＳを送るために使用されるサブ周波数領域リソースであると決定し得る。
【０２８１】
サブ周波数領域リソース多重化方式がＣＤＭ方式であるとき、サブ周波数領域リソース多重化方式は第２の情報において構成されないことがあり、これはＵＥ側での使用に影響を及ぼさないことを理解されたい。
【０２８２】
本発明のこの実施形態では、第２の情報中の、多重化方式、サブバンド指示、およびサブキャリア指示などの周波数領域リソース指示情報は、ＲＲＣメッセージまたはＳＩＢメッセージを使用することによって送られ得る。これはエアインターフェース物理レイヤシグナリングオーバーヘッドを低減することができる。
【０２８３】
任意選択で、別の実施形態では、第２の情報は、ＤＣＩメッセージとＲＲＣメッセージまたはＳＩＢメッセージの両方を使用することによって送信され得る。
【０２８４】
たとえば、基地局は、システム帯域幅または短遅延送信帯域幅がそれに分割されたサブバンドを、ＲＲＣメッセージまたはＳＩＢメッセージなどの静的シグナリングを使用することによって示す。たとえば、２０ＭＨｚ通信システムでは、合計１００個のＰＲＢがある。この場合、基地局は、帯域幅を１０個のサブバンドに分割するように、シグナリングを使用することによってＵＥに命令することがあり、各サブバンドのサイズは１０個のＰＲＢである。基地局は、ＤＣＩメッセージなどの動的シグナリングを使用することによって各サブバンドの多重化方式、たとえば、ＦＤＭまたはＣＤＭをさらに示し得る。
【０２８５】
本発明のこの実施形態では、指示情報は、静的シグナリングと組み合わせて動的シグナリングを使用することによって送られる。このようにして、特定の静的シグナリングオーバーヘッドが低減され得、動的シグナリングを使用することによって送信される指示情報が、スケジューリング要件に応じてよりフレキシブルに構成され得る。
【０２８６】
同様に、第１の情報も、動的シグナリングＤＣＩメッセージおよび／またはＲＲＣメッセージもしくはＳＩＢメッセージなどの静的シグナリングを使用することによって送信され得る。
【０２８７】
第２の情報中に示される、異なる周波数領域リソースの多重化方式は、同じであっても異なっていてもよいことを理解されたい。
【０２８８】
図９は、本発明の一実施形態による、複数のＵＥによってＤＭＲＳ周波数領域リソースを共有することの概略図である。図９では、ＵＥ１、ＵＥ２、ＵＥ３、およびＵＥ４が、１つのＤＭＲＳシンボルを共有する。ＵＥ１およびＵＥ２はサブバンド１の周波数領域リソースを共有する。ＵＥ１は、サブバンド２の周波数領域リソース中の奇数番号サブキャリアを使用する。ＵＥ３は、サブバンド２の周波数領域リソース中の偶数番号サブキャリアを使用する。ＵＥ１およびＵＥ３はサブバンド３の周波数領域リソースを共有する。
【０２８９】
図９に示されているように、基地局によってＵＥ１に送られる第２の情報は、サブバンド１、サブバンド２、およびサブバンド３のロケーションを示し、サブバンド１およびサブバンド３の多重化方式がＣＤＭ方式であり、サブバンド２の多重化方式がＦＤＭ方式であり、サブキャリア指示情報によって示されるサブキャリアが奇数番号サブキャリアであることなどを示し得る。
【０２９０】
本発明のこの実施形態では、ＵＥは、基地局によって示される周波数領域リソースロケーションおよび多重化方式に基づいてサブ周波数領域リソースを決定して、異なるサブ周波数領域リソース上のＵＥの多重化方式をフレキシブルに決定し得る。これは、基地局が基準信号を受信するときに異なるＵＥからの干渉を低減し、スケジューリングフレキシビリティを改善し、チャネル推定パフォーマンスを改善することができる。
【０２９１】
任意選択で、一実施形態では、少なくとも１つのサブ周波数領域リソースが２つ以上のサブ周波数領域リソースであるとき、すべてのサブ周波数領域リソースの基準信号シーケンス多重化方式は同じであるか、またはサブ周波数領域リソースのうちの少なくとも２つの基準信号シーケンス多重化方式が異なる。
【０２９２】
第２の情報中のサブ周波数領域リソース多重化方式はＣＤＭ方式とＦＤＭ方式の両方を含み得ることを理解されたい。
【０２９３】
図１０は、本発明の一実施形態による、複数のＵＥによってＤＭＲＳ周波数領域リソースを共有することの概略図である。図１０では、ＵＥ１、ＵＥ２、ＵＥ３、およびＵＥ４が、１つのＤＭＲＳシンボルを共有する。ＵＥ１は、ＤＭＲＳを送るためにサブバンド１からサブバンド３に中の奇数番号サブキャリアを使用し、ＵＥ１およびＵＥ２は、サブバンド１の奇数番号サブキャリアを共有する。ＵＥ１は、サブバンド２の周波数領域リソース中の奇数番号サブキャリアを使用する。ＵＥ３は、サブバンド２の周波数領域リソース中の偶数番号サブキャリアを使用する。ＵＥ１およびＵＥ３はサブバンド３の奇数番号サブキャリアを共有する。サブバンド１中でＵＥ１によって使用される多重化方式は、ＦＤＭ方式とＣＤＭ方式の両方を含む。
【０２９４】
図１０に示されているシナリオでは、ＵＥ１のために基地局によって構成される第２の情報は、サブバンド１、サブバンド２、およびサブバンド３中でＵＥ１によって使用される多重化方式がＦＤＭ方式を含むことを示し、サブバンド１およびサブバンド３中でＵＥ１によって使用される多重化方式がＣＤＭ方式を含むことを示し得る。同様に、ＵＥ２のために基地局によって構成される第２の情報は、サブバンド１中でＵＥ２によって使用される多重化方式がＣＤＭ方式であることを示し得、ＵＥ３のために基地局によって構成される第２の情報は、サブバンド３中でＵＥ３によって使用される多重化方式がＦＤＭ方式であることを示し得、ＵＥ４のために基地局によって構成される第２の情報は、サブバンド１中でＵＥ４によって使用される多重化方式がＣＤＭ方式であることを示し得る。ＵＥ１は、代替として、異なるＵＥとともにＤＭＲＳ多重化を実装するために、異なるサブバンド中の異なるサブキャリアを使用してよく、奇数番号サブキャリアまたは偶数番号サブキャリアを使用することに限定されないことを理解されたい。
【０２９５】
図１１は、本発明の別の実施形態による基準信号送信方法のフローチャートである。図１１の方法は基地局によって実行される。本方法は以下のステップを含む。
【０２９６】
１１１０：第１の情報を生成し、第１の情報が、少なくとも１つのサブ周波数領域リソースに対応するシーケンスパラメータを示すために使用され、少なくとも１つのサブ周波数領域リソースが、基準信号シーケンスをマッピングするために第１のＵＥによって使用される周波数領域リソースであり、第１のＵＥの各サブ周波数領域リソースが、１つのシーケンスパラメータに対応する。
【０２９７】
本発明のこの実施形態では、基準信号は、復調基準信号（Ｄｅｍｏｄｕｌａｔｉｏｎ  Ｒｅｆｅｒｅｎｃｅ  Ｓｉｇｎａｌ、ＤＭＲＳ）であり得るか、同期のために使用される基準信号もしくはＣＳＩ（Ｃｈａｎｎｅｌ  Ｓｔａｔｅ  Ｉｎｆｏｒｍａｔｉｏｎ／Ｉｎｄｉｃａｔｏｒ、チャネル状態情報／インジケータ）測定のために使用される基準信号であり得るか、または測位のために使用される基準信号などであり得ることを理解されたい。これは、本発明では限定されない。説明しやすいように、本発明のこの実施形態では、説明は、一例としてＤＭＲＳを使用することによって提供される。
【０２９８】
従来技術では、基準信号のために使用されるルートシーケンス番号は、基準信号の帯域幅とは無関係である。一例として復調基準信号（Ｄｅｍｏｄｕｌａｔｉｏｎ  Ｒｅｆｅｒｅｎｃｅ  Ｓｉｇｎａｌ、ＤＭＲＳ）を使用すると、同じセルに属する異なるＵＥによって同じスロット中で生成されるＤＭＲＳシーケンスのために使用されるルートシーケンス番号は同一である。
【０２９９】
本発明のこの実施形態では、１つのサブ周波数領域リソースは１つのシーケンスパラメータに対応し、異なるサブ周波数領域リソースに対応するシーケンスパラメータは、同じであっても異なっていてもよい。
【０３００】
たとえば、図４に示されている実施形態では、サブバンド１、サブバンド２、およびサブバンド３の各々は１つのシーケンスパラメータに対応し、これらの３つのサブバンドに対応する３つのシーケンスパラメータは、同じであっても異なっていてもよい。
【０３０１】
本発明のこの実施形態では、少なくとも１つのサブ周波数領域リソースは、ＵＥの周波数領域リソース中にあり、基準信号を送るために使用される周波数領域リソースであることを理解されたい。たとえば、基準信号がＤＭＲＳであるとき、少なくとも１つのサブ周波数領域リソースは、ＤＭＲＳが位置するデータ帯域幅中のサブキャリアの一部または全部を含む。
【０３０２】
１１２０：第１のＵＥに第１の情報を送る。
【０３０３】
本発明のこの実施形態では、基地局は、基準信号を送るために使用される各サブ周波数領域リソースに対応するシーケンスパラメータの指示情報をＵＥのために構成し、それにより、基地局は、ＵＥの基準信号シーケンスに対する完全な制御を実装して、スケジューリングフレキシビリティを保証することができる。
【０３０４】
加えて、本発明のこの実施形態では、システムパフォーマンスは、ＵＥのシーケンスパラメータの構成を通してさらに最適化され得る。
【０３０５】
任意選択で、シーケンスパラメータは、ルートシーケンスインデックス、サイクリックシフト値、または基準信号シーケンスの直交カバーコードのうちの少なくとも１つを含む。
【０３０６】
任意選択で、第１の情報は、少なくとも１つのサブ周波数領域リソースに対応するシーケンスパラメータを直接決定するために第１のＵＥによって使用され得る。
【０３０７】
代替として、任意選択で、第１の情報は、少なくとも１つのサブ周波数領域リソースに対応するシーケンスパラメータのインジケータ値を決定し、少なくとも１つのサブ周波数領域リソースに対応するシーケンスパラメータのオフセット値に関して、少なくとも１つのサブ周波数領域リソースに対応するシーケンスパラメータを決定するために、第１のＵＥによって使用され得る。少なくとも１つのサブ周波数領域リソースに対応するシーケンスパラメータのオフセット値は、少なくとも１つのサブ周波数領域リソースのリソースインデックス値に基づいて第１のＵＥによって決定される。
【０３０８】
任意選択で、第１の情報も、動的シグナリングＤＣＩメッセージおよび／またはＲＲＣメッセージもしくはＳＩＢメッセージなどの静的シグナリングを使用することによって送信され得る。
【０３０９】
本発明のこの実施形態では、基地局によって第１のＵＥに送られる第１の情報の特定の実装形態について、図５に示されている実施形態においてＵＥによって受信される第１の情報への参照が行われてよく、詳細について、本発明のこの実施形態においてここで再び説明されない。
【０３１０】
図１２は、本発明の一実施形態によるサブ周波数領域リソースに対応する基準信号シーケンスの概略図である。図１２（ａ）に示されているように、ＵＥ１およびＵＥ２は、同じサブ周波数領域リソースを占有し、ＵＥ１のサブ周波数領域リソースに対応する基準信号シーケンスインデックス１は、ＵＥ２のサブ周波数領域リソースに対応する基準信号シーケンスインデックス２とは異なる。図１２（ｂ）に示されているように、ＵＥ２によって占有されるサブ周波数領域リソースは、ＵＥ１によって占有されるサブ周波数領域リソースの第１の部分であり、ＵＥ１によって占有されるサブ周波数領域リソースの第１の部分に対応する基準信号シーケンスインデックス１は、ＵＥ２によって占有されるサブ周波数領域リソースに対応する基準信号シーケンスインデックス２とは異なる。異なる基準信号シーケンスは異なるシーケンスパラメータを示すことを理解されたい。
【０３１１】
本発明のこの実施形態では、基地局は、同じ周波数領域リソース上で異なるＵＥのために異なるシーケンスパラメータを構成して、同じ周波数領域リソース上で異なるＵＥのために異なる基準信号シーケンスを構成する。これは、異なる帯域幅を用いるＵＥがＣＤＭ方式で同じ時間周波数リソースを多重化するときの基準信号パフォーマンスを保証し、それにより、複数のユーザ間で１つの時間周波数リソースの共有すること、およびスペクトル効率を改善することを実装する。
【０３１２】
図１３は、本発明の一実施形態による、基地局が複数のＵＥのために基準信号リソースを構成するシナリオの概略図である。図１３に示されているシナリオでは、基地局は、複数のＵＥのために基準信号リソースを構成する必要がある。異なるＵＥの異なるサブ周波数領域リソースのための異なるシーケンスパラメータを構成することに加えて、基地局は、異なるＵＥのための異なるサブ周波数領域リソースをさらに構成し得る。
【０３１３】
任意選択で、一実施形態では、本方法は、第２の情報を生成するステップであって、第２の情報が、少なくとも１つのサブ周波数領域リソースを示すために使用される、生成するステップと、第１のＵＥに第２の情報を送るステップとをさらに含み得る。
【０３１４】
任意選択で、第２の情報は、基準信号を送るためにＵＥによって使用されるサブ周波数領域リソースとして連続するサブキャリアの少なくとも１つのセグメントを示し得る。
【０３１５】
たとえば、表１に示されている実施形態では、基地局によってＵＥ１に送られる第２の情報において、００１は、基地局がＵＥ１のために２つのサブバンドを構成すること、すなわち、インデックス１および２をもつＲＧＢが、１つのサブバンドであり、ＲＢＧ３が、１つのサブバンドであることを示すために使用される。ここでの１つのサブバンドは、本発明のこの実施形態では、１つのサブ周波数領域リソースである。
【０３１６】
代替として、任意選択で、第２の情報は、連続するサブキャリアの少なくとも１つのセグメントを示すことがあり、ＵＥは、基準信号を送るためにＵＥによって使用される周波数領域リソースとして、あらかじめ定義されているサブキャリア選択ルールに従って、連続するサブキャリアからそのルールを満たすサブキャリアセットを選択する。この場合、連続するサブキャリアの各セグメント中のサブキャリア選択ルールを満たすサブキャリアセットは、サブ周波数領域リソースとして使用される。
【０３１７】
あらかじめ定義されているサブキャリア選択ルールは、たとえば、連続するサブキャリア中のサブキャリアのタイプのインデックス値であり得る。特に、たとえば、サブキャリアは離散方式で占有され、サブキャリアは、奇数番号サブキャリアまたは偶数番号サブキャリアであることがあり、インデックス０または１を使用することによって示され得る。別の例では、離散方式で、Ｍ個のサブキャリアごとに１つのサブキャリアが占有される。この場合、サブバンドのインデックス値は、０からｍ−１の範囲内のいずれかの整数値を使用することによって示され得る。加えて、サブバンド中のＵＥのサブキャリアのインデックス値は、ＵＥの識別子ＩＤ、たとえば、ＩＤ  ｍｏｄ  Ｍに基づいて決定され得る。
【０３１８】
代替として、任意選択で、第２の情報は、連続するサブキャリアリソース、およびその連続するサブキャリアリソースに対応するサブキャリア指示を示し得る。サブキャリア指示は、連続するサブキャリアリソース中で、基準信号を送るために使用されるサブキャリアを示すために使用される。
【０３１９】
第２の情報は、連続するサブキャリアリソースの少なくとも１つのセグメントを示すことがあり、連続するサブキャリアリソースのすべてのセグメントに対応するサブキャリア指示は、同じであっても異なっていてもよいことを理解されたい。
【０３２０】
本発明のこの実施形態では、基地局は、第２の情報を使用することによってＵＥのサブ周波数領域リソースを示す。これは、異なるＵＥ間でリソースのフレキシブルなＤＭＲＳ多重化を実装し、それにより、基地局のスケジューリングフレキシビリティを改善することができる。
【０３２１】
特に、本発明のこの実施形態における方法によれば、ＵＥが単一のサブバンドを使用することによってＤＭＲＳを送ったとき、単一のＤＭＲＳサブバンドを用いるＵＥに対する帯域幅制限が低減され得る。
【０３２２】
さらに、第２の情報は、少なくとも１つのサブ周波数領域リソースの多重化方式をさらに含み得る。各サブ周波数領域リソースの多重化方式は、サブ周波数領域リソース上のＵＥと別のＵＥとの間の周波数領域リソース多重化関係を示すために使用される。
【０３２３】
任意選択で、多重化方式は、周波数分割多重化、符号分割多重化、およびリソース共有などの多重化方式のうちの少なくとも１つを含み得る。たとえば、図１０に示されている実施形態では、サブバンド１およびサブバンド３のために基地局によって構成される多重化方式は、周波数分割多重化および符号分割多重化を含むことがあり、サブバンド２のために基地局によって構成される多重化方式は、周波数分割多重化を含むことがある。
【０３２４】
サブ周波数領域リソース上のＵＥと別のＵＥとの間の周波数領域リソース多重化関係を示すために使用されることに加えて、多重化方式は、第２の情報中の他の周波数領域リソース指示情報またはＵＥのあらかじめ定義されている周波数領域リソース指示情報に関して少なくとも１つのサブ周波数領域リソースを示すためにさらに使用され得ることを理解されたい。
【０３２５】
第２の情報は、ＲＲＣメッセージもしくはＳＩＢメッセージなどの静的シグナリングを使用することによって送信され得るか、ＤＣＩメッセージなどの動的シグナリングを使用することによって送信され得るか、またはＤＣＩメッセージとＲＲＣメッセージもしくはＳＩＢメッセージの両方を使用することによって送信され得ることを理解されたい。
【０３２６】
基地局によって送られる第２の情報の特定の例については、図５に示されている実施形態におけるＵＥ側の関係する内容を参照されたい。詳細について、本発明のこの実施形態においてここで再び説明されない。
【０３２７】
本発明のこの実施形態では、複数のＵＥは、１つの周波数領域リソースを多重化することがあり、基地局は、同じ周波数領域リソース上で複数のＵＥのために異なるシーケンスパラメータを構成することがあることを理解されたい。
【０３２８】
任意選択で、本方法は、第３の情報を生成するステップであって、第３の情報が、第２のＵＥの周波数領域リソース中にあり、基準信号を送るために使用される少なくとも１つのサブ周波数領域リソースに対応するシーケンスパラメータを示し、第２のＵＥの少なくとも１つのサブ周波数領域リソース中の第２のサブ周波数領域リソースが、第１のＵＥの少なくとも１つのサブ周波数領域リソース中の第１のサブ周波数領域リソース中の周波数領域リソースの全部または一部であり、第２のサブ周波数領域リソースと第１のサブ周波数領域リソースとが異なるシーケンスパラメータに対応する、生成するステップと、第３の情報を送るステップとをさらに含み得る。
【０３２９】
たとえば、図１２（ｂ）に示されているシナリオでは、ＵＥ１のために基地局によって構成される第１の情報は、第１のサブ周波数領域リソースに対応する基準信号シーケンスがインデックス１であることを示し、ＵＥ２のために基地局によって構成される第３の情報は、第２のサブ周波数領域リソースに対応する基準信号シーケンスがインデックス２であることを示す。第２のサブ周波数領域リソースは、第１のサブ周波数領域リソースのサブキャリアの一部である。しかしながら、ＵＥ１のために基地局によって構成される基準信号シーケンスインデックス１は、ＵＥ２のために基地局によって構成される基準信号シーケンスインデックス２とは異なる。
【０３３０】
確かに、基地局は、代替として、同じ周波数領域リソース上で異なるＵＥのために同じシーケンスパラメータを構成し得ることを理解されたい。
【０３３１】
従来技術では、制御情報は、周波数領域の連続の方式で、その制御情報を搬送しスロットまたはサブフレーム全体が位置するデータチャネルにマッピングされる。送信遅延が短縮され、時間領域において占有される送信時間が低減された場合、（たとえば、５Ｇにおける高周波数シナリオでは）周波数領域中のコヒーレント帯域幅が増加するか、または（たとえば、低周波数シナリオでは）周波数領域リソースが増加する。その結果、従来技術の制御情報送信では、周波数領域における選択性フェージングによって生成される周波数領域ダイバーシティ利得が取得され得ない。
【０３３２】
本発明の実施形態は、周波数領域における選択性フェージングによって生成される周波数領域ダイバーシティ利得が制御情報送信において取得され得ないという問題を解決するための、制御情報送信方法および装置を提案する。
【０３３３】
図１４は、本発明の一実施形態による制御情報送信方法のフローチャートである。図１４の方法は基地局によって実行され、本方法は以下のステップを含み得る。
【０３３４】
１４１０：周波数領域の離散の方式で、制御情報を搬送するために使用されるデータチャネルリソースに制御情報をマッピングし、各データチャネルリソースが、時間領域中で１ｍｓ未満である。
【０３３５】
本発明のこの実施形態における制御情報はアップリンク制御情報（Ｕｐｌｉｎｋ  Ｃｏｎｔｒｏｌ  Ｉｎｆｏｒｍａｔｉｏｎ、ＵＣＩ）であり得ることを理解されたい。任意選択で、制御情報は、
ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）の応答情報、チャネル状態情報（Ｃｈａｎｎｅｌ  Ｓｔａｔｅ  Ｉｎｆｏｒｍａｔｉｏｎ、ＣＳＩ）、またはスケジューリング要求（Ｓｃｈｅｄｕｌｉｎｇ  Ｒｅｑｕｅｓｔ、ＳＲ）
のうちの少なくとも１つを含む。
【０３３６】
さらに、チャネル状態情報ＣＳＩは、
ランクインジケータ（Ｒａｎｋ  Ｉｎｄｉｃａｔｏｒ、ＲＩ）、プリコーディング行列インジケータ（Ｐｒｅｃｏｄｉｎｇ  Ｍａｔｒｉｘ  Ｉｎｄｉｃａｔｏｒ、ＰＭＩ）、チャネル品質インジケータ（Ｃｈａｎｎｅｌ  Ｑｕａｌｉｔｙ  Ｉｎｄｉｃａｔｏｒ、ＣＱＩ）、プリコーディングタイプインジケータ（Ｐｒｅｃｏｄｉｎｇ  Ｔｙｐｅ  Ｉｎｄｉｃａｔｏｒ、ＰＴＩ）、またはビーム指示情報（Ｂｅａｍｉｎｇ  ｉｎｄｉｃａｔｏｒ／ｉｎｄｉｃａｔｉｏｎ、ＢＩ）
のうちの少なくとも１つを含む。
【０３３７】
１４２０：データチャネルリソースを使用することによって制御情報を送る。
【０３３８】
制御情報が周波数領域の連続の方式で送信されるので、制御情報を送信するための周波数領域リソースが、減衰した周波数領域リソースの範囲内に入るという問題を回避するために、本発明のこの実施形態では、制御情報の少なくとも１つのタイプは、周波数領域の離散の方式でデータチャネルリソースにマッピングされる。このようにして、ＵＣＩ送信中に追加の周波数領域ダイバーシティ利得が取得され得る。
【０３３９】
遅延が短縮された送信の適用例シナリオでは、時間領域において占有されるシンボルの量が減少し、したがって、周波数領域において割り振られるリソースが明確に増加する。たとえば、２つのシンボルが使用される短遅延送信が、周波数領域中で６つのＰＲＢを占有するとき、送信の帯域幅は１．０８ＭＨｚである。６ＧＨｚ未満の周波数および１．０８ＭＨｚの帯域幅では、周波数領域の一部において選択性フェージング特性がある。したがって、帯域幅において離散的な送信が実行されたとき、周波数ダイバーシティ利得が取得され得る。
【０３４０】
別の例では、ミリメートル波高周波数シナリオにおいて、コヒーレント帯域幅が著しく増加し、５Ｇにおいて提案されているチャネル帯域幅も約１００ＭＨｚまで増加される。そのような大きいチャネル帯域幅では、コヒーレント帯域幅はより高くなり、ＵＣＩの連続送信がパフォーマンス劣化につながり、より大きい周波数選択性ダイバーシティ利得が、周波数領域の離散的な送信においても取得され得る。
【０３４１】
任意選択で、一実施形態では、ステップ１４１０は、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングするステップとして特に実装され得る。
【０３４２】
さらに、ステップ１４１０は、２つの部分に少なくとも１つのタイプの制御情報の各々を分割し、データチャネルリソースによって占有される帯域幅の２つの側に２つの部分をそれぞれマッピングするステップとして特に実装され得る。
【０３４３】
たとえば、短遅延送信中に、２シンボルＴＴＩの予想される最小帯域幅は１．０８ＭＨｚである。この場合、周波数選択性利得は、２つの側上に制御情報を配置することによって取得され得る。
【０３４４】
さらに、少なくとも１つのタイプの制御情報が異なる部分に分割され、異なる部分が、データチャネルによって占有される帯域幅の２つの側にそれぞれマッピングされるとき、制御情報は、低周波数から高周波数におよび高周波数から低周波数に、データチャネルリソースによって占有される帯域幅の２つの側上にそれぞれマッピングされる。制御情報のサイズが不確定であるとき、本発明のこの実施形態における配置解決策によれば、制御情報のすべてが、２つの側上に完全に配置され得る。
【０３４５】
図１５は、本発明の一実施形態による制御情報マッピング方式である。図１５（ａ）は、１つのデータシンボルが使用される短遅延送信シナリオに対応し、図１５（ｂ）は、２つのデータシンボルが使用される短遅延送信シナリオに対応する。たとえば、図１５（ａ）において、基地局は、２つの側から、データがその中で送信される帯域幅の中間に、肯定応答（Ａｃｋｎｏｗｌｅｄｇｅｍｅｎｔ、ＡＣＫ）／否定応答（Ｎｅｇａｔｉｖｅ  Ａｃｋｎｏｗｌｅｄｇｅｍｅｎｔ、ＮＡＣＫ）をマッピングし、次いで、同じ方式でＲＩを連続的にマッピングし、次いで、ＡＣＫ／ＮＡＣＩＫおよびＲＩ以外の部分にＣＱＩ／ＰＭＩをマッピングし、最終的に、非ＵＣＩエリアにアップリンクデータｓＰＵＳＣＨをマッピングし得る。別の例では、図１５（ｂ）において、ＡＣＫ／ＮＡＣＫは、２つの側から、データがその中で送信される帯域幅の中間にマッピングされ、ＤＭＲＳにより近いシンボル、すなわち、左側のシンボルに優先的にマッピングされる。次いで、ＲＩは、同じ方式で同じシンボルに連続的にマッピングされる。次いで、ＣＱＩ／ＰＭＩは、ＡＣＫ／ＮＡＣＩＫおよびＲＩ以外の部分にマッピングされる。最終的に、アップリンクデータｓＰＵＳＣＨが非ＵＣＩエリアにマッピングされる。確かに、上記のマッピング順序は説明しやすくするためのものにすぎず、実際のマッピングプロセスでは、マッピングは特定の順序で実行されないことを理解されたい。
【０３４６】
図１６は、本発明の一実施形態による制御情報マッピング方式である。図１６は、１つのスロットが使用される送信シナリオに対応する。図１６に示されているように、ＵＣＩは、２つの側から、データがその中で送信される帯域幅の中間にマッピングされ、ＡＣＫ／ＮＡＣＩＫおよびＲＩは、スロットのシンボル２およびシンボル４にマッピングされ（シンボルは０から番号を付けられている）、ＣＱＩ／ＰＭＩは、シンボル０、１、２、４、５、および６にマッピングされる。図１６では、ＡＣＫ／ＮＡＣＫは、２つの側から、データがその中で送信される帯域幅の中間にマッピングされ、ＤＭＲＳにより近いシンボル、すなわち、左側のシンボルに優先的にマッピングされる。次いで、ＲＩは、同じ方式で同じシンボルに連続的にマッピングされる。次いで、ＣＱＩ／ＰＭＩは、ＡＣＫ／ＮＡＣＩＫおよびＲＩ以外の部分にマッピングされる。最終的に、アップリンクデータｓＰＵＳＣＨが非ＵＣＩエリアにマッピングされる。
【０３４７】
本発明のこの実施形態では、ＡＣＫ／ＮＡＣＫおよびＲＩの優先度がより高く、したがって、ＡＣＫ／ＮＡＣＫおよびＲＩが、ＤＭＲＳシンボルの２つの側および帯域幅の２つの側にマッピングされたとき、周波数選択性利得が取得され得るだけでなく、制御情報のより良いチャネル推定パフォーマンスも達成され得る。これは、ＡＣＫ／ＮＡＣＫおよびＲＩが最適な復調パフォーマンスを取得することを保証することができ、それにより、重要な制御情報のフィードバック精度が改善され、通信品質が改善される。
【０３４８】
代替として、任意選択で、別の実施形態では、ステップ１４１０は、データチャネルリソースによって占有される帯域幅の異なる部分に複数のタイプの制御情報をそれぞれマッピングするステップとして特に実装され得る。
【０３４９】
さらに、ステップ１４１０は、高周波数サブキャリアから低周波数サブキャリアに、データチャネルリソースによって占有される帯域幅中の少なくとも一部分の各々中の第１の制御情報をマッピングするステップであって、第１の制御情報が、複数のタイプの制御情報のうちの１つである、マッピングするステップとして特に実装され得る。
【０３５０】
代替として、さらに、ステップ１４１０は、ステップ１４１０は、低周波数サブキャリアから高周波数サブキャリアに、データチャネルリソースによって占有される帯域幅中の少なくとも一部分の各々中の第１の制御情報をマッピングするステップであって、第１の制御情報が、複数のタイプの制御情報のうちの１つである、マッピングするステップとして特に実装され得る。
【０３５１】
代替として、さらに、ステップ１４１０は、低周波数サブキャリアから高周波数サブキャリアに、チャネルリソースによって占有される帯域幅中の少なくとも一部分の第１の部分中の第１の制御情報をマッピングし、高周波数サブキャリアから低周波数サブキャリアに、チャネルリソースによって占有される帯域幅中の少なくとも一部分の第２の部分中の第１の制御情報をマッピングするステップであって、第１の制御情報が、複数のタイプの制御情報のうちの１つである、マッピングするステップとして特に実装され得る。
【０３５２】
一例としてＨＡＲＱ応答メッセージおよびＲＩを使用すると、少なくとも１つのタイプの制御情報がＨＡＲＱ応答メッセージおよびＲＩを含み、データチャネルリソースが、サブバンド１と、サブバンド２と、サブバンド３と、サブバンド４との４つのサブバンドに分割されるとき、ステップ１４１０は、
サブバンド１およびサブバンド３にＨＡＲＱ応答メッセージをマッピングし、サブバンド２およびサブバンド４にＲＩをマッピングするステップ、または
サブバンド２およびサブバンド４にＨＡＲＱ応答メッセージをマッピングし、サブバンド１およびサブバンド３にＲＩをマッピングするステップ、または
サブバンド１およびサブバンド４にＨＡＲＱ応答メッセージをマッピングし、サブバンド２およびサブバンド３にＲＩをマッピングするステップ、または
サブバンド２およびサブバンド３にＨＡＲＱ応答メッセージをマッピングし、サブバンド１およびサブバンド４にＲＩをマッピングするステップ
として特に実装され得る。
【０３５３】
本発明のこの実施形態では、サブバンドは、シグナリングによって構成され得るか、またはあらかじめ定義されているＵＣＩ送信チャネルがそれに分割された帯域幅の部分であり得ることを理解されたい。サブバンド分割は、一様であっても一様でなくてもよい。これは、本発明では限定されない。
【０３５４】
図１７は、本発明の一実施形態によるさらに別の制御情報マッピング方式である。図１７（ａ）は、１つのデータシンボルが使用される短遅延送信シナリオに対応し、図１７（ｂ）は、２つのデータシンボルが使用される短遅延送信シナリオに対応する。
【０３５５】
図１７（ａ）では、ＵＥは、４つのサブバンドに分割されたデータ帯域幅中で制御情報を送信する。図１７（ａ）に示されているように、ＵＥは、サブバンド０およびサブバンド２の低周波数サブキャリアから高周波数サブキャリアにＨＡＲＱ応答メッセージ（ＡＣＫ／ＮＡＣＫ）をマッピングし、サブバンド１およびサブバンド３の低周波数サブキャリアから高周波数サブキャリアにＲＩをマッピングし得る。
【０３５６】
図１７（ｂ）では、ＵＥがデータを送信する帯域幅は、４つのサブバンドに分割される。ＵＥは、サブバンド０の低周波数サブキャリアから高周波数サブキャリアにおよびサブバンド３の高周波数サブキャリアから低周波数サブキャリアにＡＣＫ／ＮＡＣＫをさらにマッピングし、サブバンド１の低周波数サブキャリアから高周波数サブキャリアにおよびサブバンド２の高周波数サブキャリアから低周波数サブキャリアにＲＩをマッピングし得る。
【０３５７】
加えて、図１７に示されている実施形態では、ＣＱＩおよびＰＭＩは、ＡＣＫ／ＮＡＣＫ以外のエリアにマッピングされることがあり、データは、ＵＣＩ以外のエリアにマッピングされる。
【０３５８】
本発明のこの実施形態では、異なる制御情報は異なるサブバンド中で別々に送信され、したがって、異なる制御情報は、互いに干渉せず、基地局の受信機によってより容易に受信される。加えて、異なる制御情報が異なるサブバンド中で送信されたとき、制御情報送信の周波数選択性利得が最大化され得る。
【０３５９】
代替として、さらに、ステップ１４１０は、高周波数サブキャリアから低周波数サブキャリアに、複数の第１部分のリソースの各々中の第１の制御情報をマッピングするステップであって、複数の第１部分のリソースが、データチャネルリソースによって占有される帯域幅中にあり、第１の制御情報をマッピングするために使用されるリソースである、マッピングするステップと、低周波数サブキャリアから高周波数サブキャリアに、複数の第２部分のリソースの各々中の第２の制御情報をマッピングするステップであって、複数の第２部分のリソースが、データチャネルリソースによって占有される帯域幅中にあり、第２の制御情報をマッピングするために使用されるリソースである、マッピングするステップとして特に実装され得る。
【０３６０】
本発明のこの実施形態では、すべての制御情報が、同じ深くフェードしたサブキャリア上にあるという問題を回避するために、制御情報中のＫ個のタイプの制御情報は、帯域幅中の異なる部分にそれぞれマッピングされる。このようにして、すべての制御情報の少なくとも部分は正しく送信され得る。
【０３６１】
任意選択で、一実施形態では、ステップ１４１０は、制御情報が複数のタイプの制御情報を含むとき、データチャネルリソースの少なくとも２つの時間領域データシンボルに複数のタイプの制御情報をそれぞれマッピングし、周波数領域の離散の方式で、データチャネルリソースによって占有される帯域幅に複数のタイプの制御情報をマッピングするステップとして特に実装され得る。
【０３６２】
図１８は、本発明の一実施形態によるさらに別の制御情報マッピング方式である。図１９は、本発明の一実施形態によるさらに別の制御情報マッピング方式である。
【０３６３】
図１８および図１９に示されているように、図１５から図１７に示されている実施形態に基づいて、ＵＥは、複数のシンボルに制御情報をさらにマッピングし得る。特に、図１８および図１９に示されている実施形態では、ＵＥは、１つのスロットのシンボル２およびシンボル４にＲＩおよびＡＣＫ／ＮＡＣＫをマッピングし得る。
【０３６４】
本発明のこの実施形態では、上記の方法は、異なる長さのＴＴＩのために使用され得る。これは、本発明の方法の適用範囲を拡張する。
【０３６５】
さらに、ステップ１４１０は、周波数領域の離散の方式で、データチャネルリソースの第１のシンボル上の時間周波数リソースに第１の制御情報をマッピングし、周波数領域の離散の方式で、データチャネルリソースの第２のシンボル上の時間周波数リソースに第２の制御情報をマッピングするステップとして特に実装され得る。たとえば、第１の制御情報は、時間領域中の第１のシンボル上のならびに周波数領域中の第１のサブバンドおよび第２のサブバンド中の、データチャネルリソースの時間周波数リソースにマッピングされ、第１の制御情報は、時間領域中の第２のシンボル上のならびに周波数領域中の第１のサブバンドおよび第２のサブバンド中の、データチャネルリソースの時間周波数リソースにマッピングされる。
【０３６６】
図２０は、本発明の一実施形態によるさらに別の制御情報マッピング方式である。図２０に示されているように、時間領域において、ＵＥは、シンボル２にＡＣＫ／ＮＡＣＫをマッピングし、シンボル４にＲＩをマッピングし得る。周波数領域中のマッピングについては、図１５から図１７に示されている実施形態を参照されたい。
【０３６７】
代替として、さらに、ステップ１４１０は、第１のサブバンド中の、データチャネルリソースの第１のシンボル上の時間周波数リソースと第２のサブバンド中の、データチャネルリソースの第２のシンボル上の時間周波数リソースとに第１の制御情報をマッピングし、第１のサブバンド中の、データチャネルリソースの第２のシンボル上の時間周波数リソースと第２のサブバンド中の、データチャネルリソースの第１のシンボル上の時間周波数リソースとに第２の制御情報をマッピングするステップとして特に実装され得る。
【０３６８】
図２１は、本発明の一実施形態によるさらに別の制御情報マッピング方式である。図２１に示されているように、ＵＥは、クロスマッピング方式で、シンボル２およびシンボル４、ならびにサブバンド０およびサブバンド３にＡＣＫ／ＮＡＣＫおよびＲＩをマッピングし得る。ＡＣＫ／ＮＡＣＫおよびＲＩは、サブバンド０およびサブバンド３中で、高周波数サブキャリアから低周波数サブキャリアにおよび／または高周波数サブキャリアから低周波数サブキャリアにマッピングされ得る。これは、本発明のこの実施形態では限定されない。
【０３６９】
本発明のこの実施形態では、時間ダイバーシティおよび干渉分散効果が時間的に達成され、それにより、同じシンボル上に異なる制御情報が配置されたときに引き起こされる強い干渉が回避され得る。
【０３７０】
チャネルリソースの１つのサブフレーム中の制御情報によって占有されるシンボルの量は、２、３、４、６、または７のうちのいずれか１つであり得ることを理解されたい。
【０３７１】
任意選択で、制御情報が、ＨＡＲＱ応答メッセージとＲＩとを含むとき、ステップ１４１０は、データチャネルリソースの２つの側上の２つの隣接する時間領域データシンボルに制御情報中のＨＡＲＱ応答メッセージとＲＩとをそれぞれマッピングし、周波数領域の離散の方式で、データチャネルリソースによって占有される帯域幅にＨＡＲＱ応答メッセージとＲＩとをマッピングするステップとして特に実装され得る。
【０３７２】
代替として、任意選択で、制御情報が、ＨＡＲＱ応答メッセージとＲＩとを含むとき、ステップ１４１０は、データチャネルリソースの一方の側上の１つの時間領域データシンボルに制御情報中のＨＡＲＱ応答メッセージとＲＩとをマッピングし、周波数領域の離散の方式で、データチャネルリソースによって占有される帯域幅にＨＡＲＱ応答メッセージとＲＩとをマッピングするステップとして特に実装され得る。
【０３７３】
さらに、本方法は、制御情報を送るときにデータチャネルリソース上でレートマッチングまたはパンクチャリング演算を実行するステップをさらに含み得る。
【０３７４】
本発明のこの実施形態では、本方法によれば、制御情報がチャネル上で送信されるとき、チャネル上のデータ送信に対する影響は可能な限り低減され得る。これは、元のチャネルの送信パフォーマンスがほとんど減少しないことを保証する。
【０３７５】
図２２は、本発明の別の実施形態によるデバイス間シナリオの概略図である。図２２に示されている実施形態では、グローバルナビゲーション衛星システム（Ｇｌｏｂａｌ  Ｎａｖｉｇａｔｉｏｎ  Ｓａｔｅｌｌｉｔｅ  Ｓｙｓｔｅｍ、ＧＮＳＳ）、ｅＮＢ（ｅＮＢ）、ロードサイドユニット（Ｒｏａｄｓｉｄｅ  Ｕｎｉｔ、ＲＳＵ）、およびユーザ機器（ＵＥ）が含まれ得る。図２２に示されている通信ネットワークは、たとえば、ビークルのインターネット（Internet of Vehicles）であり得ることを理解されたい。図２２では、ＵＥは互いに通信し得る。ＵＥは車載デバイスなどであり得る。ＲＳＵは、各ＵＥおよび／またはｅＮＢと通信し得る。ｅＮＢは、各ＵＥおよび／またはＲＳＵと通信し得る。ＧＮＳＳは、図２２に示されている別のネットワーク要素に測位および許可情報を提供するために使用され得る。上記のネットワーク要素デバイスのすべては互いに通信し得る。通信中に、セルラーリンク周波数スペクトルが使用され得るか、または５．９ＧＨｚの近くのインテリジェントトランスポーテーション周波数スペクトルが使用され得る。ネットワーク要素デバイス間の相互通信の技術は、ＬＴＥプロトコルに基づいて拡張され得るか、またはＤ２Ｄ技術に基づいて拡張され得る。
【０３７６】
ｅＮＢは、図２２に示されているシナリオにおいて任意選択であることを理解されたい。本発明のこの実施形態における適用例シナリオは、ｅＮＢによってカバーされているＵＥのステータスに応じて、以下の３つのタイプに分類され得る。ｅＮＢがある場合、シナリオは、ネットワークカバレージをもつシナリオであり、ｅＮＢがない場合、シナリオは、ネットワークカバレージなしのシナリオであり、ＵＥのいくつかがネットワーク内に位置し、他のＵＥがネットワークカバレージ外に位置する場合、シナリオは、部分カバレージをもつシナリオである。
【０３７７】
図２２に示されている適用例シナリオにおいて、従来技術では、通常、同期および通信は、Ｄ２Ｄリンクを介して同期ソースとして基地局を使用することによって実行される。しかしながら、ビークル速度が比較的高いかまたは基地局が同期されていないとき、ビークル上のＵＥは、場合によっては同期ソースを取得することができず、その結果、通信が失敗する。さらに、基地局カバレージなしのシナリオでは、従来技術の同期パフォーマンスは比較的悪く、通信品質が保証され得ない。
【０３７８】
図２２に示されている適用例シナリオの問題を解決するために、本発明の実施形態は、同期ソースを使用することによってＤ２Ｄ通信を実行するための方法を提供する。
【０３７９】
図２３は、本発明の一実施形態による、同期ソースを使用することによってＤ２Ｄ通信を実行するための方法のフローチャートである。図２３の方法はＵＥによって実行される。本発明のこの実施形態では、ＵＥは、車載デバイスまたはモバイル端末、たとえば、モバイルフォンまたはタブレットコンピュータ（ＰＡＤ）であり得ることを理解されたい。図２３に示されているように、本方法は以下のステップを含み得る。
【０３８０】
２３１０：ＵＥが、第１の同期ソースの構成情報に基づいて第１のデバイスの信号を検出し、第１のデバイスが衛星デバイスである。
【０３８１】
本発明における衛星デバイスは、グローバルナビゲーション衛星システム（ＧＮＳＳ）、またはＧＮＳＳの機能と同様の機能を提供することができるデバイスを含み得ることを理解されたい。ＧＮＳＳは、すべての国および地域によって提供されるナビゲーション衛星システム、たとえば、中国のＢｅｉｄｏｕナビゲーション衛星システム、米国のＧＰＳ、欧州のＧａｌｉｌｅｏ衛星ナビゲーションシステム、およびロシアのＧＬＯＮＡＳＳを含む。衛星デバイスは、代替として、ＧＮＳＳの精度と同様の精度を提供することができるデバイス、たとえば、原子クロックに基づく測位および時間サービングデバイスであり得る。
【０３８２】
任意選択で、第１の同期ソースの構成情報は、基地局によってＵＥに送られる。
【０３８３】
本発明のこの実施形態では、ＵＥは、基地局によって送られた第１の同期ソースの構成情報に基づいてＵＥの同期ソースをフレキシブルに調整し得る。
【０３８４】
代替として、第１の同期ソースの構成情報は、あらかじめ定義されているかもしくはあらかじめ構成されている。
【０３８５】
第１の同期ソースの構成情報はあらかじめ定義され、たとえば、第１の同期ソースの構成情報は、プロトコルにおいて規定されていることがある。
【０３８６】
第１の同期ソースの構成情報は事前構成され、たとえば、ＵＥの配信時に事前構成され得るか、またはＵＥのユーザによって事前構成され得る。
【０３８７】
本発明のこの実施形態では、ＵＥは、事前構成された第１の同期ソースの構成情報に基づいて同期ソースを決定する。このようにして、ＵＥは、基地局カバレージなしのシナリオにおいて同期ソース情報を取得することができる。
【０３８８】
特に、第１の同期ソースの構成情報は同期ソースタイプ優先度情報を含み得る。たとえば、第１の同期ソースの構成情報は、３つのタイプ同期ソース、すなわち、衛星デバイス、ネットワークカバレージ内のＵＥ同期ソース、およびネットワークカバレージ外のＵＥ同期ソースの優先度が、以下の通りであることを示し得る。
衛星デバイス＞ネットワークカバレージ内のＵＥ同期ソース＞ネットワークカバレージ外のＵＥ同期ソース、または
ネットワークカバレージ内のＵＥ同期ソース＞衛星デバイス＞ネットワークカバレージ外のＵＥ同期ソース
【０３８９】
同期ソースタイプ優先度情報がＵＥのために構成される。このようにして、異なる優先度をもつ複数の同期ソースを同時に検出したとき、ＵＥは、より高い同期ソースタイプ優先度をもつ同期ソースに優先的に同期され得る。
【０３９０】
確かに、第１の同期ソースの構成情報は同期ソース優先度情報を含み得ることを理解されたい。たとえば、衛星デバイスＡの優先度が最も高く、衛星デバイスＢの優先度が第２にランク付けされ、基地局Ｃの優先度が第３にランク付けされ、ＲＳＵ  Ｄの優先度が第４にランク付けされることが規定されている。
【０３９１】
２３２０：第１のデバイスの有効な信号を検出するとき、ＵＥが、Ｄ２Ｄリンクを介したＵＥの同期ソースとして第１のデバイスを使用し、第１のデバイスの有効な信号を検出しないとき、ＵＥが、Ｄ２Ｄリンクを介した同期ソースとして第２のデバイスを取得し、第２のデバイスが衛星デバイス以外のデバイスである。
【０３９２】
２３３０：Ｄ２Ｄリンクを介した同期ソースに基づいてＤ２Ｄリンクを介した通信を実行する。
【０３９３】
本発明のこの実施形態では、ＵＥは、有効な衛星信号があるとき、同期ソースとして衛星デバイスを選択し、有効な衛星信号を検出しないとき、同期ソースとして衛星デバイス以外のデバイスを選択する。このようにして、衛星信号があるか衛星信号がないかにかかわらず、ＵＥは同期ソースに基づいて同期を実行し、それにより、ユーザ機器が同期ソースを長時間失うので同期が失敗するという問題を回避することができる。これはユーザ機器の同期効率を改善する。
【０３９４】
ステップ２３２０において、ＵＥが有効な衛星信号を検出しないということは、複数の場合を含み得ることを理解されたい。
【０３９５】
任意選択で、一実施形態では、ＵＥが有効な衛星信号を検出しないことは、ＵＥによって検出された衛星信号のチャネル品質が第１のしきい値より低いことを含む。チャネル品質が比較的悪いとき、通信品質が保証され得ないことを理解されたい。この場合において検出された衛星信号は、有効な衛星信号として使用され得ない。したがって、第１のしきい値があらかじめ決定され得る。検出された衛星信号のチャネル品質が第１のしきい値よりも低いとき、衛星信号は無効な信号として見なされ得る。特に、第１のしきい値は、ＵＥと衛星デバイスとの間の通信に必要とされる最低チャネル品質、または最低チャネル品質よりも大きい値に設定され得る。さらに、ＵＥによって検出された衛星信号のチャネル品質が第１のしきい値より低いことは、プリセットされた時間内にＵＥによって検出された衛星信号のチャネル品質が第１のしきい値よりも低いことを含む。
【０３９６】
代替として、任意選択で、別の実施形態では、ＵＥが有効な衛星信号を検出しないことは、ＵＥが衛星信号を検出しないことを含む。さらに、ＵＥが有効な衛星信号を検出しないことは、ＵＥがプリセットされた時間内に衛星信号を検出しないことを含む。ＵＥがプリセットされた時間内に衛星信号を検出しない場合、ＵＥは衛星信号を検出せず、明らかに、有効な衛星信号を取得しないと考えられ得る。
【０３９７】
周囲環境の変化のために、ＵＥは、障害物のブロッキングにより、短い時間内に有効な衛星信号を検出せず、すぐ後に有効な衛星信号を検出し得る可能性があることを理解されたい。衛星デバイス同期ソースを失うようなそのようなシナリオが誤って検出される問題を回避するために、プリセットされた持続時間が設定され得る。ＵＥが有効な衛星信号を検出しない持続時間がプリセットされた持続時間よりも大きいときのみ、ＵＥは、衛星デバイス同期ソースを失い、したがって、同期ソースとして衛星デバイス以外の第２のデバイスを取得する必要があると考えられ得る。
【０３９８】
特に、ＵＥが第１のデバイスの有効な信号を検出することは、ＵＥが、プリセットされた持続時間内に衛星信号を検出するか、もしくはＵＥによって検出された衛星信号のチャネル品質が、第２のしきい値以上であることを含む。第２のしきい値は第１のしきい値と同じであり得るか、または第１のしきい値とは異なり得る。
【０３９９】
任意選択で、一実施形態では、本方法は、ＵＥの基地局に指示情報を送るステップであって、指示情報は、ＵＥが有効な衛星信号を検出しないことを示す、送るステップをさらに含み得る。有効な衛星信号を検出したとき、ＵＥは、基地局がＵＥのための同期ソースを構成するために、基地局に通知するように基地局に指示情報を送り得る。確かに、基地局は、指示情報に基づいてＵＥのための同期ソースを構成することがあるか、またはＵＥのための同期ソースを構成しないことがあることを理解されたい。
【０４００】
さらに、この実施形態では、Ｄ２Ｄリンクを介した同期ソースとして第２のデバイスを取得するステップは、基地局によって送られる第２の同期ソースの構成情報を受信するステップであって、第２の同期ソースの構成情報は、第２のデバイスが、ＵＥの同期ソースとして使用されることを示す、受信するステップと、第２の同期ソースの構成情報に基づいて、第２のデバイスがＤ２Ｄリンクを介した同期ソースであると決定するステップとを含み得る。
【０４０１】
本発明のこの実施形態では、ＵＥは、基地局に、有効な衛星信号が検出されないことを示す指示情報を送った後に、基地局は、ＵＥに第２の同期ソースの構成情報を再送し得ることを理解されたい。特に、第２の同期ソースの構成情報において構成される第２の同期ソースは、基地局であり得る。
【０４０２】
任意選択で、別の実施形態では、Ｄ２Ｄリンクを介した同期ソースとして第２のデバイスを取得するステップは、第２の同期ソースとして、第２のデバイス中で最も高い同期ソース優先度をもつデバイスを取得するステップを含む。任意選択で、第２の同期ソースは、ＵＥの基地局であるか、または別のＵＥである。
【０４０３】
たとえば、第１の同期ソースとして使用される衛星デバイスに加えて、第１の同期ソースの構成情報は別の同期ソースをさらに含み得る。ステップ２３１０において説明されているように、第１の同期ソースの構成情報は、基地局によってＵＥに送られ得るか、またはＵＥによって事前構成され得る。特に、第２の同期ソースは、ＵＥの基地局であり得るか、ＵＥに隣接する別のＵＥなどであり得る。
【０４０４】
別の例では、ＵＥは、最も高い優先度をもつ同期ソースとして衛星デバイスを事前構成し、２番目に高い優先度をもつ同期ソースとしてＵＥの基地局を事前構成し得る。この場合、ＵＥが有効な衛星信号を検出しないとき、基地局は、同期のためにＵＥの第２の同期ソースとして使用される。
【０４０５】
本発明のこの実施形態では、有効な衛星信号が検出されないとき、事前構成されているか、またはあらかじめ定義された優先度ルールに従って決定されている同期ソースが、第２の同期ソースとして選択される。このようにして、ユーザ機器は、事前構成された同期ソースに基づいて同期を実行し、それにより、ユーザ機器の同期効率を改善することができる。
【０４０６】
任意選択で、一実施形態では、本方法は、ＵＥが有効な衛星信号を検出しない持続時間がプリセットされた持続時間未満であり、ＵＥが、第２のデバイスの信号を検出するとき、Ｄ２Ｄリンクを介した同期ソースとして第２のデバイスを使用するステップをさらに含み得る。
【０４０７】
ＵＥが有効な衛星信号を検出しない持続時間がプリセットされた持続時間未満であり、ＵＥが、第２のデバイスの信号を検出するとき、ＵＥは、ＵＥの同期ソースとしてその同期ソースを使用し、同期を実行し得る。このようにして、同期ソースは、比較的短時間中に、および高い優先度をもつ同期ソースを選択するという原理に従って取得され得る。
【０４０８】
さらに、第２のデバイスは、衛星デバイスの優先度よりも低くない優先度をもつ同期ソースである。特に、ＵＥが複数の同期ソース信号を検出するとき、ＵＥは、同期ソース優先度または同期ソースタイプ優先度に基づいて、Ｄ２Ｄリンクを介した同期ソースとして最も高い優先度をもつ同期ソースをさらに選択し得る。
【０４０９】
任意選択で、本方法は、Ｄ２Ｄリンクを介したＵＥの通信リソースから同期ソースに関連するリソースまたはリソースプールに切り替わるステップをさらに含む。
【０４１０】
たとえば、ＵＥが、図２２に示されているＲＳＵに同期された場合、ＵＥは、ＲＳＵに関連するリソースまたはリソースプールを使用することによって通信を実行する。対応して、ＵＥが、図２２に示されている基地局に同期された場合、ＵＥは、基地局に関連するリソースまたはリソースプールを使用することによって通信を実行する。
【０４１１】
本発明のこの実施形態では、ＵＥが同期ソースに同期された後に、ＵＥは、Ｄ２Ｄリンクを介したＵＥの通信リソースから同期ソースに関連するリソースまたはリソースプールに切り替わる。これは、同期ソースが異なっているＵＥが同じ通信リソース上で通信を実行するときに生じるタイミングオフセット問題によって引き起こされる干渉を低減することができ、したがって、同期ソースが異なっているＵＥが互いに有効な通信を実行し得ることを保証することができる。
【０４１２】
任意選択で、本方法は、Ｄ２Ｄリンクを介してＵＥによって検出された信号の品質が、第３のしきい値より低いとき、ＵＥによって、Ｄ２Ｄリンクを介して同期信号を送信するステップをさらに含み得る。
【０４１３】
ここでの信号品質は、ＲＳＲＰ、ＲＳＲＱ、ＳＩＮＲ、またはＲＳＳＩのうちのいずれか１つまたは複数であり得、しきい値は、事前構成されているかもしくはあらかじめ定義されていることがあるかまたはシグナリングによって構成され得ることを理解されたい。
【０４１４】
本発明のこの実施形態では、Ｄ２Ｄリンクを介した送られる同期信号は、ネットワーク中のセルにわたって異なるＵＥ間の同期を実装するために使用され得る。代替として、ネットワーク外で、高優先度同期ソースへの同期がトリガされて、Ｄ２Ｄリンクを介して同期信号が送られることがあり、それにより、別のＵＥは適時に同期参照を取得する。第２のしきい値の限定により、不要な送信が低減され得る。これは、Ｄ２Ｄリンクを介した同期パフォーマンスを保証する。
【０４１５】
本発明は、図５に示されている実施形態の方法を実行し、図５に示されている実施形態および拡張実施形態におけるＵＥの機能を実装するように構成されている、ユーザ機器をさらに提案する。
【０４１６】
特に、ユーザ機器は、機能モジュールを使用することによって対応する方法を実装し得る。ユーザ機器は、図５に示されている実施形態の方法を実行するように構成されているユニットを含み得る。
【０４１７】
本発明は、図１１に示されている実施形態の方法を実行し、図１１に示されている実施形態および拡張実施形態における基地局の機能を実装するように構成されている、基地局をさらに提案する。
【０４１８】
特に、基地局は、機能モジュールを使用することによって対応する方法を実装し得る。基地局は、図１１に示されている実施形態の方法を実行するように構成されているユニットを含み得る。
【０４１９】
本発明は、図１４に示されている実施形態の方法を実行し、図１４に示されている実施形態および拡張実施形態における基地局の機能を実装するように構成されている、基地局をさらに提案する。
【０４２０】
特に、基地局は、機能モジュールを使用することによって対応する方法を実装し得る。基地局は、図１４に示されている実施形態の方法を実行するように構成されているユニットを含み得る。
【０４２１】
本発明は、図２３に示されている実施形態の方法を実行し、図２３に示されている実施形態および拡張実施形態におけるＵＥの機能を実装するように構成されている、ユーザ機器をさらに提案する。
【０４２２】
特に、ユーザ機器は、機能モジュールを使用することによって対応する方法を実装し得る。ユーザ機器は、図２３に示されている実施形態の方法を実行するように構成されているユニットを含み得る。
【０４２３】
本発明は、コンピュータプログラムを記憶するように構成されている、コンピュータ可読記憶媒体をさらに提案する。コンピュータプログラムは、図５に示されている実施形態の方法を実行するために使用される命令を含む。
【０４２４】
本発明は、コンピュータプログラムを記憶するように構成されている、別のコンピュータ可読記憶媒体をさらに提案する。コンピュータプログラムは、図１１に示されている実施形態の方法を実行するために使用される命令を含む。
【０４２５】
本発明は、コンピュータプログラムを記憶するように構成されている、さらに別のコンピュータ可読記憶媒体をさらに提案する。コンピュータプログラムは、図１４に示されている実施形態の方法を実行するために使用される命令を含む。
【０４２６】
本発明は、コンピュータプログラムを記憶するように構成されている、さらに別のコンピュータ可読記憶媒体をさらに提案する。コンピュータプログラムは、図２３に示されている実施形態の方法を実行するために使用される命令を含む。
【０４２７】
図２４は、本発明の一実施形態によるユーザ機器２４００の概略構造図である。図２４に示されているように、ユーザ機器２４００は、処理モジュール２４０２および送信モジュール２４０１を含み得る。
【０４２８】
処理モジュール２４０２は、ユーザ機器２４００の少なくとも１つのサブ周波数領域リソースに対応するシーケンスパラメータを決定することと、シーケンスパラメータに基づいて基準信号シーケンスを生成することであって、１つのサブ周波数領域リソースが、１つのシーケンスパラメータに対応する、生成することとを行うように構成されている。
【０４２９】
送信モジュール２４０１は、少なくとも１つのサブ周波数領域リソースに対応する物理リソースに基準信号シーケンスをマッピングするように構成されている。
【０４３０】
本発明のこの実施形態では、ユーザ機器２４００は、少なくとも１つのサブ周波数領域リソースに対応するシーケンスパラメータを決定し、シーケンスパラメータに基づいて基準信号シーケンスを生成し、少なくとも１つのサブ周波数領域リソースに対応する物理リソースに基準信号シーケンスをマッピングする。このようにして、基地局は、各スケジュールされたＵＥの多重化ステータスに基づいて基準信号生成パラメータをフレキシブルに割り振り、それにより、マルチユーザ多重化能力を改善し、スケジューリングフレキシビリティを改善することができる。
【０４３１】
特定の適用例では、処理モジュール２４０２はプロセッサであり得、送信モジュール２４０１は送信機であり得ることを理解されたい。
【０４３２】
任意選択で、ユーザ機器は、受信モジュール２４０３をさらに含み得る。受信モジュールは受信機であり得る。送信機および受信機はアンテナに結合され得る。
【０４３３】
任意選択で、基準信号は復調基準信号ＤＭＲＳであり、少なくとも１つのサブ周波数領域リソースは、ＤＭＲＳが位置するデータ帯域幅中のサブキャリアの一部または全部を含む。
【０４３４】
任意選択で、シーケンスパラメータは、ルートシーケンスインデックス、サイクリックシフト値、または基準信号シーケンスの直交カバーコードのうちの少なくとも１つを含む。
【０４３５】
任意選択で、一実施形態では、少なくとも１つのサブ周波数領域リソース中の第１のサブ周波数領域リソースに対応するシーケンスパラメータは、第１のサブ周波数領域リソースの第１のリソースインデックス値によって決定される。
【０４３６】
さらに、シーケンスパラメータ中のルートシーケンスインデックスのシーケンスグループホッピングおよび／またはシーケンスホッピングのうちの少なくとも１つは、第１のリソースインデックス値によって決定される。
【０４３７】
任意選択で、一実施形態では、処理モジュール２４０２は、第１の情報を取得するようにさらに構成されており、第１の情報は、少なくとも１つのサブ周波数領域リソースに対応するシーケンスパラメータを示すために使用され、処理モジュール２４０２は、第１の情報に基づいて、少なくとも１つのサブ周波数領域リソースに対応するシーケンスパラメータを決定するように構成されている。
【０４３８】
代替として、任意選択で、別の実施形態では、処理モジュール２４０２は、第１の情報を取得するようにさらに構成されており、第１の情報は、少なくとも１つのサブ周波数領域リソースに対応する少なくとも１つのシーケンスパラメータを示すために使用され、処理モジュール２４０２は、第１の情報および少なくとも１つのサブ周波数領域リソースに対応するリソースインデックス値に基づいて、少なくとも１つのサブ周波数領域リソースに対応する少なくとも１つのシーケンスパラメータを決定するように構成されている。
【０４３９】
処理モジュール２４０２は、ユーザ機器２４００によってあらかじめ定義されているかもしくはプリセットされた情報から第１の情報を直接取得し得るか、または受信モジュール２４０３を使用することによって、基地局によって送られた第１の情報を受信し得ることを理解されたい。
【０４４０】
第１の情報によって示されるシーケンスパラメータは、絶対値であるかまたは相対値であることを理解されたい。
【０４４１】
任意選択で、処理モジュール２４０２は、少なくとも１つのサブ周波数領域リソースを決定するようにさらに構成されている。
【０４４２】
任意選択で、一実施形態では、少なくとも１つのサブ周波数領域リソースは、シグナリングによって示されるか、またはあらかじめ定義されているかもしくはあらかじめ構成されている。
【０４４３】
代替として、任意選択で、別の実施形態では、処理モジュール２４０２は、第２の情報を取得するようにさらに構成されており、第２の情報は、少なくとも１つのサブ周波数領域リソースを示すために使用され、処理モジュール２４０２は、第２の情報に基づいて、少なくとも１つのサブ周波数領域リソースを決定するように構成されている。
【０４４４】
さらに、第２の情報は、少なくとも１つのサブ周波数領域リソースの多重化方式をさらに含む。任意選択で、多重化方式は、周波数分割多重化、符号分割多重化、およびリソース共有などの多重化方式のうちの少なくとも１つを含み得る。任意選択で、少なくとも１つのサブ周波数領域リソースが２つ以上のサブ周波数領域リソースであるとき、すべてのサブ周波数領域リソースの多重化方式は同じであるか、またはサブ周波数領域リソースのうちの少なくとも２つの多重化方式が異なる。
【０４４５】
処理モジュール２４０２は、ユーザ機器２４００によってあらかじめ定義されているかもしくはプリセットされた情報から第２の情報を直接取得し得るか、または受信モジュール２４０３を使用することによって、基地局によって送られた第２の情報を受信し得ることを理解されたい。
【０４４６】
ユーザ機器２４００は、図５の方法をさらに実行し、図５に示されている実施形態におけるユーザ機器の機能を実装し得る。詳細について、本発明のこの実施形態においてここで再び説明されない。
【０４４７】
図２５は、本発明の一実施形態による基地局２５００の概略構造図である。図２５に示されているように、基地局２５００は、処理モジュール２５０２および送信モジュール２５０１を含み得る。
【０４４８】
処理モジュール２５０２は、第１の情報を生成するように構成されており、第１の情報は、少なくとも１つのサブ周波数領域リソースに対応するシーケンスパラメータを示すために使用され、少なくとも１つのサブ周波数領域リソースは、基準信号シーケンスをマッピングするために第１のＵＥによって使用される周波数領域リソースであり、第１のＵＥの各サブ周波数領域リソースは、１つのシーケンスパラメータに対応する。
【０４４９】
送信モジュール２５０１は、第１のＵＥに第１の情報を送るように構成されている。
【０４５０】
本発明のこの実施形態では、基地局２５００は、基準信号を送るために使用される各サブ周波数領域リソースに対応するシーケンスパラメータの指示情報をＵＥのために構成し、それにより、基地局は、ＵＥの基準信号シーケンスに対する完全な制御を実装して、スケジューリングフレキシビリティを保証することができる。
【０４５１】
特定の適用例では、処理モジュール２５０２はプロセッサであり得、送信モジュール２５０１は送信機であり得ることを理解されたい。
【０４５２】
任意選択で、ユーザ機器は、受信モジュール２５０３をさらに含み得る。受信モジュールは受信機であり得る。送信機および受信機はアンテナに結合され得る。
【０４５３】
任意選択で、基準信号は復調基準信号ＤＭＲＳであり、少なくとも１つのサブ周波数領域リソースは、第１のＵＥのＤＭＲＳが位置するデータ帯域幅中のサブキャリアの一部または全部を含む。
【０４５４】
任意選択で、シーケンスパラメータは、ルートシーケンスインデックス、サイクリックシフト値、または基準信号シーケンスの直交カバーコードのうちの少なくとも１つを含む。
【０４５５】
任意選択で、処理モジュール２５０２は、第２の情報を生成するようにさらに構成されており、第２の情報は、少なくとも１つのサブ周波数領域リソースを示すために使用され、送信モジュール２５０１は、第１のＵＥに第２の情報を送るようにさらに構成されている。
【０４５６】
さらに、第２の情報は、少なくとも１つのサブ周波数領域リソースの多重化方式をさらに含む。さらに、少なくとも１つのサブ周波数領域リソースが２つ以上のサブ周波数領域リソースであるとき、すべてのサブ周波数領域リソースの基準信号シーケンス多重化方式は同じであるか、またはサブ周波数領域リソースのうちの少なくとも２つの基準信号シーケンス多重化方式が異なる。
【０４５７】
処理モジュール２５０２は、第３の情報を生成するようにさらに構成されており、第３の情報は、少なくとも１つのサブ周波数領域リソースに対応するシーケンスパラメータを示すために使用され、第３の情報中の少なくとも１つのサブ周波数領域リソースは、基準信号シーケンスをマッピングするために第２のＵＥによって使用される周波数領域リソースであり、第２のＵＥの各サブ周波数領域リソースは、１つのシーケンスパラメータに対応し、第２のＵＥの少なくとも１つのサブ周波数領域リソース中の第２のサブ周波数領域リソースは、第１のＵＥの少なくとも１つのサブ周波数領域リソース中の第１のサブ周波数領域リソース中の周波数領域リソースの全部または一部であり、第２のサブ周波数領域リソースと第１のサブ周波数領域リソースとが異なるシーケンスパラメータに対応し、送信モジュール２５０１は、第２のＵＥに第３の情報を送るようにさらに構成されている。
【０４５８】
基地局２５００は、図１１の方法をさらに実行し、図１１に示されている実施形態における基地局の機能を実装し得る。詳細について、本発明のこの実施形態においてここで再び説明されない。
【０４５９】
図２６は、本発明の一実施形態によるユーザ機器２６００の概略構造図である。図２６に示されているように、ユーザ機器２６００は、処理モジュール２６０２および送信モジュール２６０１を含み得る。
【０４６０】
処理モジュール２６０２は、周波数領域の離散の方式で、制御情報を搬送するために使用されるデータチャネルリソースに制御情報をマッピングするように構成されており、各データチャネルリソースは、時間領域中で１ｍｓ未満である。
【０４６１】
送信モジュール２６０１は、データチャネルリソースを使用することによって制御情報を送るように構成されている。
【０４６２】
制御情報が周波数領域の連続の方式で送信されるので、制御情報を送信するための周波数領域リソースが、減衰した周波数領域リソースの範囲内に入るという問題を回避するために、本発明のこの実施形態では、ユーザ機器２６００は、周波数領域の離散の方式でデータチャネルリソースに制御情報の少なくとも１つのタイプをマッピングする。このようにして、ＵＣＩ送信中に追加の周波数領域ダイバーシティ利得が取得され得る。
【０４６３】
特定の適用例では、処理モジュール２６０２はプロセッサであり得、送信モジュール２６０１は送信機であり得ることを理解されたい。
【０４６４】
任意選択で、ユーザ機器は、受信モジュール２６０３をさらに含み得る。受信モジュールは受信機であり得る。送信機および受信機はアンテナに結合され得る。
【０４６５】
任意選択で、制御情報は、ハイブリッド自動再送要求ＨＡＲＱの応答情報、チャネル状態情報ＣＳＩ、またはスケジューリング要求ＳＲのうちの少なくとも１つを含む。さらに、ＣＳＩは、ランクインジケータＲＩ、プリコーディング行列インジケータＰＭＩ、チャネル品質インジケータＣＱＩ、プリコーディングタイプインジケータＰＴＩ、またはビーム指示情報ＢＩのうちの少なくとも１つを含む。
【０４６６】
任意選択で、一実施形態では、処理モジュール２６０２は、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングするか、またはデータチャネルリソースによって占有される帯域幅中の異なる部分に複数のタイプの制御情報をそれぞれマッピングするように特に構成されている。
【０４６７】
さらに、処理モジュール２６０２は、２つの部分に少なくとも１つのタイプの制御情報の各々を分割し、データチャネルリソースによって占有される帯域幅の２つの側に２つの部分をそれぞれマッピングするように特に構成されている。
【０４６８】
代替として、さらに、処理モジュール２６０２は、
高周波数サブキャリアから低周波数サブキャリアに、データチャネルリソースによって占有される帯域幅中の少なくとも一部分の各々中の第１の制御情報をマッピングすること、または
低周波数サブキャリアから高周波数サブキャリアに、データチャネルリソースによって占有される帯域幅中の少なくとも一部分の各々中の第１の制御情報をマッピングすること、または
低周波数サブキャリアから高周波数サブキャリアに、データチャネルリソースによって占有される帯域幅中の少なくとも一部分の第１の部分中の第１の制御情報をマッピングし、高周波数サブキャリアから低周波数サブキャリアに、データチャネルリソースによって占有される帯域幅中の少なくとも一部分の第２の部分中の第１の制御情報をマッピングすることであって、
第１の制御情報が、複数のタイプの制御情報のうちの１つである、マッピングすること、
を行うようにさらに構成されている。
【０４６９】
さらに、制御情報が、ＨＡＲＱ応答メッセージとＲＩとを含み、データチャネルリソースが、サブバンド１と、サブバンド２と、サブバンド３と、サブバンド４との４つのサブバンドに分割されるとき、処理モジュール２６０２は、
サブバンド１およびサブバンド３にＨＡＲＱ応答メッセージをマッピングし、サブバンド２およびサブバンド４にＲＩをマッピングすること、または
サブバンド２およびサブバンド４にＨＡＲＱ応答メッセージをマッピングし、サブバンド１およびサブバンド３にＲＩをマッピングすること、または
サブバンド１およびサブバンド４にＨＡＲＱ応答メッセージをマッピングし、サブバンド２およびサブバンド３にＲＩをマッピングすること、または
サブバンド２およびサブバンド３にＨＡＲＱ応答メッセージをマッピングし、サブバンド１およびサブバンド４にＲＩをマッピングすること
を行うように特に構成されている。
【０４７０】
任意選択で、処理モジュール２６０２は、制御情報が複数のタイプの制御情報を含むとき、データチャネルリソースの少なくとも２つの時間領域データシンボルに複数のタイプの制御情報をそれぞれマッピングし、周波数領域の離散の方式で、データチャネルリソースによって占有される帯域幅に複数のタイプの制御情報をマッピングするように特に構成されている。
【０４７１】
さらに、処理モジュール２６０２は、
データチャネルリソースの第１のシンボル上の時間周波数リソースに第１の制御情報をマッピングし、データチャネルリソースの第２のシンボル上の時間周波数リソースに第２の制御情報をマッピングすること、または
第１のサブバンド中の、データチャネルリソースの第１のシンボル上の時間周波数リソースと第２のサブバンド中の、チャネルリソースの第２のシンボル上の時間周波数リソースとに第１の制御情報をマッピングし、第１のサブバンド中の、データチャネルリソースの第２のシンボル上の時間周波数リソースと第２のサブバンド中の、チャネルリソースの第１のシンボル上の時間周波数リソースとに第２の制御情報をマッピングすること
を行うように特に構成されている。
【０４７２】
任意選択で、データチャネルリソースの１つのサブフレーム中の制御情報によって占有されるシンボルの量は、２、３、４、６、または７のうちのいずれか１つである。
【０４７３】
さらに、制御情報が、ＨＡＲＱ応答メッセージとＲＩとを含むとき、処理モジュール２６０２は、データチャネルリソースの２つの側上の２つの隣接する時間領域データシンボルに制御情報中のＨＡＲＱ応答メッセージとＲＩとをそれぞれマッピングし、周波数領域の離散の方式で、データチャネルリソースによって占有される帯域幅にＨＡＲＱ応答メッセージとＲＩとをマッピングするように特に構成されている。
【０４７４】
任意選択で、一実施形態では、制御情報が、ＨＡＲＱ応答メッセージとＲＩとを含むとき、処理モジュール２６０２は、データチャネルリソースの一方の側上の１つの時間領域データシンボルに制御情報中のＨＡＲＱ応答メッセージとＲＩとをマッピングし、周波数領域の離散の方式で、データチャネルリソースによって占有される帯域幅にＨＡＲＱ応答メッセージとＲＩとをマッピングするように特に構成されている。
【０４７５】
任意選択で、送信モジュール２６０１は、制御情報を送るときにデータチャネルリソース上でレートマッチングまたはパンクチャリング演算を実行するようにさらに構成されている。
【０４７６】
ユーザ機器２６００は、図１４の方法をさらに実行し、図１４に示されている実施形態におけるユーザ機器の機能を実装し得る。詳細について、本発明のこの実施形態においてここで再び説明されない。
【０４７７】
図２７は、本発明の一実施形態によるユーザ機器２７００の概略構造図である。図２７に示されているように、ユーザ機器２７００は、トランシーバモジュール２７０１および処理モジュール２７０２を含み得る。
【０４７８】
処理モジュール２７０２は、第１の同期ソースの構成情報に基づいて第１のデバイスの信号を検出するように構成されており、第１のデバイスは衛星デバイスである。
【０４７９】
トランシーバモジュール２７０１は、第１のデバイスの信号を受信するように構成されている。
【０４８０】
処理モジュール２７０２が第１のデバイスの有効な信号を検出するとき、処理モジュール２７０２は、Ｄ２Ｄリンクを介したＵＥの同期ソースとして第１のデバイスを使用するようにさらに構成されている。代替として、処理モジュール２７０２が第１のデバイスの有効な信号を検出しないとき、処理モジュール２７０２は、Ｄ２Ｄリンクを介した同期ソースとして第２のデバイスを取得するようにさらに構成されており、第２のデバイスは衛星デバイス以外のデバイスである。
【０４８１】
トランシーバモジュール２７０１は、Ｄ２Ｄリンクを介した同期ソースに基づいてＤ２Ｄリンクを介した通信を実行するようにさらに構成されている。
【０４８２】
本発明のこの実施形態では、ユーザ機器２７００は、有効な衛星信号があるとき、同期ソースとして衛星デバイスを選択し、有効な衛星信号を検出しないとき、同期ソースとして衛星デバイス以外のデバイスを選択する。このようにして、衛星信号があるか衛星信号がないかにかかわらず、ＵＥは同期ソースに基づいて同期を実行し、それにより、ユーザ機器が同期ソースを長時間失うので同期が失敗するという問題を回避することができる。これはユーザ機器の同期効率を改善する。
【０４８３】
特定の適用例では、処理モジュール２７０２はプロセッサであり得、トランシーバモジュール２７０１は、トランシーバを含み得るかまたは送信機および受信機を含み得ることを理解されたい。送信機および受信機はアンテナに結合され得る。
【０４８４】
任意選択で、第１の同期ソースの構成情報は、基地局によってＵＥに送られるか、または第１の同期ソースの構成情報は、事前構成されているかもしくはあらかじめ定義されている。
【０４８５】
任意選択で、処理モジュール２７０２が有効な衛星信号を検出しないことは、
処理モジュール２７０２によって検出された衛星信号のチャネル品質が第１のしきい値より低いこと、または
処理モジュール２７０２が衛星信号を検出しないこと、または
処理モジュール２７０２が、プリセットされた時間内に衛星信号を検出しないか、もしくはプリセットされた時間内に処理モジュール２７０２によって検出された衛星信号のチャネル品質が、第１のしきい値より低いこと
を含む。
【０４８６】
任意選択で、処理モジュール２７０２が第１のデバイスの有効な信号を検出することは、
処理モジュール２７０２が、プリセットされた持続時間内に衛星信号を検出するか、もしくはプリセットされた持続時間内に処理モジュール２７０２によって検出された衛星信号のチャネル品質が、第２のしきい値以上であること
を含む。
【０４８７】
任意選択で、一実施形態では、処理モジュール２７０２が有効な衛星信号を検出しない持続時間がプリセットされた持続時間未満であり、処理モジュール２７０２が、第２のデバイスの信号を検出するとき、処理モジュール２７０２は、Ｄ２Ｄリンクを介した同期ソースとして第２のデバイスを使用し得る。
【０４８８】
任意選択で、別の実施形態では、トランシーバモジュール２７０１は、ＵＥの基地局に指示情報を送るようにさらに構成されており、指示情報は、ＵＥが有効な衛星信号を検出しないことを示す。
【０４８９】
さらに、トランシーバモジュール２７０１は、基地局によって送られる第２の同期ソースの構成情報を受信するようにさらに構成されており、第２の同期ソースの構成情報は、第２のデバイスがＵＥの同期ソースとして使用されることを示し、処理モジュール２７０２は、第２の同期ソースの構成情報に基づいて、第２のデバイスがＤ２Ｄリンクを介した同期ソースであると決定するように特に構成されている。さらに、第２のデバイスは基地局である。
【０４９０】
任意選択で、別の実施形態では、処理モジュール２７０２は、第２の同期ソースとして、第２のデバイス中で最も高い同期ソース優先度をもつデバイスを取得するように特に構成されている。さらに、第２の同期ソースは、ＵＥの基地局であるか、または別のＵＥである。
【０４９１】
任意選択で、処理モジュール２７０２は、Ｄ２Ｄリンクを介したＵＥの通信リソースから同期ソースに関連するリソースまたはリソースプールに切り替わるようにさらに構成されている。
【０４９２】
任意選択で、トランシーバモジュール２７０１は、Ｄ２Ｄリンクを介して処理モジュール２７０２によって検出された信号の品質が、第３のしきい値より低いとき、Ｄ２Ｄリンクを介して同期信号を送信するようにさらに構成されている。
【０４９３】
ユーザ機器２７００は、図２３の方法をさらに実行し、図２３に示されている実施形態におけるユーザ機器の機能を実装し得る。詳細について、本発明のこの実施形態においてここで再び説明されない。
【０４９４】
本発明の一実施形態は、ユーザ機器２８００をさらに提案する。図２８は、本発明のこの実施形態によるユーザ機器２８００の概略構造図である。ユーザ機器２８００のエンティティ装置の概略構造図は、プロセッサ２８０２、メモリ２８０３、送信機２８０１、および受信機２８０４を含む、図２８に示され得る。特定の適用例では、送信機２８０１および受信機２８０４はアンテナ２８０５に結合され得る。
【０４９５】
メモリ２８０３は、プログラムを記憶するように構成されている。特に、プログラムはプログラムコードを含むことがあり、プログラムコードはコンピュータ演算命令を含む。メモリ２８０３は、読取り専用メモリおよびランダムアクセスメモリを含んでよく、プロセッサ２８０２に命令およびデータを提供する。メモリ２８０３は、高速ＲＡＭメモリを含み得るか、または不揮発性メモリ（ｎｏｎ−ｖｏｌａｔｉｌｅ  ｍｅｍｏｒｙ）、たとえば、少なくとも１つのディスクメモリをさらに含み得る。
【０４９６】
プロセッサ２８０２は、メモリ２８０３に記憶されたプログラムを実行するように構成されている。
【０４９７】
特に、ユーザ機器２８００において、プロセッサ２８０２は、受信機２８０４および送信機２８０１を使用することによって、
ユーザ機器２８００の少なくとも１つのサブ周波数領域リソースに対応するシーケンスパラメータを決定するステップであって、１つのサブ周波数領域リソースが、１つのシーケンスパラメータに対応する、決定するステップと、
シーケンスパラメータに基づいて基準信号シーケンスを生成するステップと、
少なくとも１つのサブ周波数領域リソースに対応する物理リソースに基準信号シーケンスをマッピングするステップと
の方法を実行し得る。
【０４９８】
ユーザ機器によって実行され、本発明の図５に示されている実施形態において開示された上記の方法は、プロセッサ２８０２に適用され得るか、またはプロセッサ２８０２によって実装され得る。プロセッサ２８０２は集積回路チップであり得、信号処理能力を有する。実装処理において、上記の方法のステップは、プロセッサ２８０２中のハードウェアの集積論理回路を使用することによって、またはソフトウェアの形態の命令を使用することによって実行され得る。プロセッサ２８０２は、中央処理ユニット（Ｃｅｎｔｒａｌ  Ｐｒｏｃｅｓｓｉｎｇ  Ｕｎｉｔ、略してＣＰＵ）、ネットワークプロセッサ（Ｎｅｔｗｏｒｋ  Ｐｒｏｃｅｓｓｏｒ、略してＮＰ）などを含む、汎用プロセッサであり得るか、またはデジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、個別ゲートもしくはトランジスタ論理デバイス、もしくは個別ハードウェア構成要素であり得る。プロセッサ２８０２は、本発明の実施形態に開示されている方法、ステップ、および論理ブロック図を実装または実行することができる。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実行され得るか、または復号プロセッサ中のハードウェアとソフトウェアモジュールの組合せを使用することによって実行され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ２８０３中に位置する。プロセッサ２８０２は、メモリ２８０３中の情報を読み取り、プロセッサのハードウェアとの組合せで上記の方法のステップを実行する。
【０４９９】
本発明の一実施形態は、基地局２９００をさらに提案する。図２９は、本発明のこの実施形態による基地局２９００の概略構造図である。基地局２９００のエンティティ装置の概略構造図は、プロセッサ２９０２、メモリ２９０３、送信機２９０１、および受信機２９０４を含む、図２９に示され得る。特定の適用例では、送信機２９０１および受信機２９０４はアンテナ２９０５に結合され得る。
【０５００】
メモリ２９０３は、プログラムを記憶するように構成されている。特に、プログラムはプログラムコードを含むことがあり、プログラムコードはコンピュータ演算命令を含む。メモリ２９０３は、読取り専用メモリおよびランダムアクセスメモリを含んでよく、プロセッサ２９０２に命令およびデータを提供する。メモリ２９０３は、高速ＲＡＭメモリを含み得るか、または不揮発性メモリ（ｎｏｎ−ｖｏｌａｔｉｌｅ  ｍｅｍｏｒｙ）、たとえば、少なくとも１つのディスクメモリをさらに含み得る。
【０５０１】
プロセッサ２９０２は、メモリ２９０３に記憶されたプログラムを実行するように構成されている。
【０５０２】
特に、基地局２９００において、プロセッサ２９０２は、受信機２９０４および送信機２９０１を使用することによって、
第１の情報を生成するステップであって、第１の情報が、少なくとも１つのサブ周波数領域リソースに対応するシーケンスパラメータを示すために使用され、少なくとも１つのサブ周波数領域リソースが、基準信号シーケンスをマッピングするために第１のＵＥによって使用される周波数領域リソースであり、第１のＵＥの各サブ周波数領域リソースが、１つのシーケンスパラメータに対応する、生成するステップと、
第１のＵＥに第１の情報を送るステップと
の方法を実行し得る。
【０５０３】
ユーザ機器によって実行され、本発明の図１１に示されている実施形態において開示された上記の方法は、プロセッサ２９０２に適用され得るか、またはプロセッサ２９０２によって実装され得る。プロセッサ２９０２は集積回路チップであり得、信号処理能力を有する。実装処理において、上記の方法のステップは、プロセッサ２９０２中のハードウェアの集積論理回路を使用することによって、またはソフトウェアの形態の命令を使用することによって実行され得る。プロセッサ２９０２は、中央処理ユニット（Ｃｅｎｔｒａｌ  Ｐｒｏｃｅｓｓｉｎｇ  Ｕｎｉｔ、略してＣＰＵ）、ネットワークプロセッサ（Ｎｅｔｗｏｒｋ  Ｐｒｏｃｅｓｓｏｒ、略してＮＰ）などを含む、汎用プロセッサであり得るか、またはデジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、個別ゲートもしくはトランジスタ論理デバイス、もしくは個別ハードウェア構成要素であり得る。プロセッサ２９０２は、本発明の実施形態に開示されている方法、ステップ、および論理ブロック図を実装または実行することができる。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実行され得るか、または復号プロセッサ中のハードウェアとソフトウェアモジュールの組合せを使用することによって実行され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ２９０３中に位置する。プロセッサ２９０２は、メモリ２９０３中の情報を読み取り、プロセッサのハードウェアとの組合せで上記の方法のステップを実行する。
【０５０４】
本発明の一実施形態は、ユーザ機器３０００をさらに提案する。図３０は、本発明のこの実施形態によるユーザ機器３０００の概略構造図である。ユーザ機器３０００のエンティティ装置の概略構造図は、プロセッサ３００２、メモリ３００３、送信機３００１、および受信機３００４を含む、図３０に示され得る。特定の適用例では、送信機３００１および受信機３００４はアンテナ３００５に結合され得る。
【０５０５】
メモリ３００３は、プログラムを記憶するように構成されている。特に、プログラムはプログラムコードを含むことがあり、プログラムコードはコンピュータ演算命令を含む。メモリ３００３は、読取り専用メモリおよびランダムアクセスメモリを含んでよく、プロセッサ３００２に命令およびデータを提供する。メモリ３００３は、高速ＲＡＭメモリを含み得るか、または不揮発性メモリ（ｎｏｎ−ｖｏｌａｔｉｌｅ  ｍｅｍｏｒｙ）、たとえば、少なくとも１つのディスクメモリをさらに含み得る。
【０５０６】
プロセッサ３００２は、メモリ３００３に記憶されたプログラムを実行するように構成されている。
【０５０７】
特に、ユーザ機器３０００において、プロセッサ３００２は、受信機３００４および送信機３００１を使用することによって、
周波数領域の離散の方式で、制御情報を搬送するために使用されるデータチャネルリソースに制御情報をマッピングするステップであって、各データチャネルリソースが、時間領域中で１ｍｓ未満である、マッピングするステップと、
データチャネルリソースを使用することによって制御情報を送るステップと
の方法を実行し得る。
【０５０８】
ユーザ機器によって実行され、本発明の図１４に示されている実施形態において開示された上記の方法は、プロセッサ３００２に適用され得るか、またはプロセッサ３００２によって実装され得る。プロセッサ３００２は集積回路チップであり得、信号処理能力を有する。実装処理において、上記の方法のステップは、プロセッサ３００２中のハードウェアの集積論理回路を使用することによって、またはソフトウェアの形態の命令を使用することによって実行され得る。プロセッサ３００２は、中央処理ユニット（Ｃｅｎｔｒａｌ  Ｐｒｏｃｅｓｓｉｎｇ  Ｕｎｉｔ、略してＣＰＵ）、ネットワークプロセッサ（Ｎｅｔｗｏｒｋ  Ｐｒｏｃｅｓｓｏｒ、略してＮＰ）などを含む、汎用プロセッサであり得るか、またはデジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、個別ゲートもしくはトランジスタ論理デバイス、もしくは個別ハードウェア構成要素であり得る。プロセッサ３００２は、本発明の実施形態に開示されている方法、ステップ、および論理ブロック図を実装または実行することができる。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実行され得るか、または復号プロセッサ中のハードウェアとソフトウェアモジュールの組合せを使用することによって実行され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ３００３中に位置する。プロセッサ３００２は、メモリ３００３中の情報を読み取り、プロセッサのハードウェアとの組合せで上記の方法のステップを実行する。
【０５０９】
本発明の一実施形態は、ユーザ機器３１００をさらに提案する。図３１は、本発明のこの実施形態によるユーザ機器３１００の概略構造図である。ユーザ機器３１００のエンティティ装置の概略構造図は、プロセッサ３１０２、メモリ３１０３、送信機３１０１、および受信機３１０４を含む、図３１に示され得る。特定の適用例では、送信機３１０１および受信機３１０４はアンテナ３１０５に結合され得る。
【０５１０】
メモリ３１０３は、プログラムを記憶するように構成されている。特に、プログラムはプログラムコードを含むことがあり、プログラムコードはコンピュータ演算命令を含む。メモリ３１０３は、読取り専用メモリおよびランダムアクセスメモリを含んでよく、プロセッサ３１０２に命令およびデータを提供する。メモリ３１０３は、高速ＲＡＭメモリを含み得るか、または不揮発性メモリ（ｎｏｎ−ｖｏｌａｔｉｌｅ  ｍｅｍｏｒｙ）、たとえば、少なくとも１つのディスクメモリをさらに含み得る。
【０５１１】
プロセッサ３１０２は、メモリ３１０３に記憶されたプログラムを実行するように構成されている。
【０５１２】
特に、ユーザ機器３１００において、プロセッサ３１０２は、受信機３１０４および送信機３１０１を使用することによって、
第１の同期ソースの構成情報に基づいて第１のデバイスの信号を検出するステップであって、第１のデバイスが衛星デバイスである、検出するステップと、
第１のデバイスの有効な信号が検出されるとき、Ｄ２Ｄリンクを介したＵＥの同期ソースとして第１のデバイスを使用し、第１のデバイスの有効な信号が検出されないとき、Ｄ２Ｄリンクを介した同期ソースとして第２のデバイスを取得するステップであって、第２のデバイスが衛星デバイス以外のデバイスである、取得するステップと、
Ｄ２Ｄリンクを介した同期ソースに基づいてＤ２Ｄリンクを介した通信を実行するステップと
の方法を実行し得る。
【０５１３】
ユーザ機器によって実行され、本発明の図２３に示されている実施形態において開示された上記の方法は、プロセッサ３１０２に適用され得るか、またはプロセッサ３１０２によって実装され得る。プロセッサ３１０２は集積回路チップであり得、信号処理能力を有する。実装処理において、上記の方法のステップは、プロセッサ３１０２中のハードウェアの集積論理回路を使用することによって、またはソフトウェアの形態の命令を使用することによって実行され得る。プロセッサ３１０２は、中央処理ユニット（Ｃｅｎｔｒａｌ  Ｐｒｏｃｅｓｓｉｎｇ  Ｕｎｉｔ、略してＣＰＵ）、ネットワークプロセッサ（Ｎｅｔｗｏｒｋ  Ｐｒｏｃｅｓｓｏｒ、略してＮＰ）などを含む、汎用プロセッサであり得るか、またはデジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、個別ゲートもしくはトランジスタ論理デバイス、もしくは個別ハードウェア構成要素であり得る。プロセッサ３１０２は、本発明の実施形態に開示されている方法、ステップ、および論理ブロック図を実装または実行することができる。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実行され得るか、または復号プロセッサ中のハードウェアとソフトウェアモジュールの組合せを使用することによって実行され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ３１０３中に位置する。プロセッサ３１０２は、メモリ３１０３中の情報を読み取り、プロセッサのハードウェアとの組合せで上記の方法のステップを実行する。
【０５１４】
本発明の実施形態において、上記の処理のシーケンス番号は実行シーケンスを示さないことを理解されたい。処理の実行シーケンスは、処理の機能および内部論理に基づいて決定されるべきであり、本発明の実施形態の実装処理に対するいかなる限定ともならない。
【０５１５】
当業者は、本明細書で開示される実施形態に関して説明された例におけるユニットおよびアルゴリズムステップが、電子ハードウェアまたはコンピュータソフトウェアと電子ハードウェアの組合せによって実装され得ることに気づき得る。機能がハードウェアによって実行されるかソフトウェアによって実行されるかは、技術的解決策の特定の適用例および設計制約条件に依存する。当業者は、特定の適用例ごとに、説明された機能を実装するために異なる方法を使用してよいが、そのような実装は本発明の範囲を越えると考えられるべきではない。
【０５１６】
上記のシステム、装置、およびユニットの詳細な動作処理について、説明をわかりやすく簡潔にするために、上記の方法実施形態における対応する処理への参照が行われ得ることが当業者によって明らかに理解され得、詳細について再びここで説明されない。
【０５１７】
本出願で提供されるいくつかの実施形態において、開示されるシステム、装置、および方法は、他の方式で実装され得ることを理解されたい。たとえば、説明された装置実施形態は例にすぎない。たとえば、ユニット分割は論理的な機能分割にすぎず、実際の実装形態では他の分割であってよい。たとえば、複数のユニットまたは構成要素は、組み合わされ得るかまたは別のシステムに組み込まれ得るか、またはいくつかの特徴が無視されるかもしくは実施されないことがある。加えて、図示または説明された相互結合、直接結合、または通信接続は、いくつかのインターフェースを使用することによって実装され得る。装置またはユニット間の間接的結合または通信接続は、電気的、機械的、または他の形態で実装され得る。
【０５１８】
別個の部分として説明されたユニットは、物理的に別個であっても別個でなくてもよく、ユニットとして示された部分は、物理ユニットであってもなくてもよく、１つの場所に位置していても、複数のネットワークユニット上に分散されていてもよい。ユニットの一部または全部は、実施形態において解決策の目的を達成するために、実際の要件に応じて選択されてよい。
【０５１９】
加えて、本発明の実施形態における機能ユニットは、１つの処理ユニットに組み込まれ得るか、またはユニットの各々が物理的に単独で存在し得るか、または２つ以上のユニットが１つのユニットに組み込まれ得る。
【０５２０】
機能がソフトウェア機能ユニットの形態で実装され、独立した製品として販売または使用されるとき、機能はコンピュータ可読記憶媒体に記憶され得る。そのような理解に基づいて、本発明の技術的解決策は本質的に、または従来技術に寄与する部分、もしくは技術的解決策の一部は、ソフトウェア製品の形態で実装され得る。コンピュータソフトウェア製品は、記憶媒体に記憶され、本発明の実施形態で説明された方法のステップの全部または一部を実行するように（パーソナルコンピュータ、サーバ、ネットワークデバイスなどであり得る）コンピュータデバイスに命令するためのいくつかの命令を含む。上記の記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを記憶することができる任意の媒体を含む。
【０５２１】
上記の説明は、本発明の特定の実装形態にすぎず、本発明の保護範囲を限定するものではない。本発明で開示される技術範囲内で当業者によって容易に想到されるいかなる変形形態または置換形態も、本発明の保護範囲内に入るものである。したがって、本発明の保護範囲は、特許請求の範囲の保護範囲に従わなければならないものである。
【図１】
2019527972.tif 000018
【図２】
2019527972.tif 000019
【図３】
2019527972.tif 000020
【図４】
2019527972.tif 000021
【図５】
2019527972.tif 000022
【図６】
2019527972.tif 000023
【図７】
2019527972.tif 000024
【図８】
2019527972.tif 000025
【図９】
2019527972.tif 000026
【図１０】
2019527972.tif 000027
【図１１】
2019527972.tif 000028
【図１２】
2019527972.tif 000029
【図１３】
2019527972.tif 000030
【図１４】
2019527972.tif 000031
【図１５】
2019527972.tif 000032
【図１６】
2019527972.tif 000033
【図１７】
2019527972.tif 000034
【図１８】
2019527972.tif 000035
【図１９】
2019527972.tif 000036
【図２０】
2019527972.tif 000037
【図２１】
2019527972.tif 000038
【図２２】
2019527972.tif 000039
【図２３】
2019527972.tif 000040
【図２４】
2019527972.tif 000041
【図２５】
2019527972.tif 000042
【図２６】
2019527972.tif 000043
【図２７】
2019527972.tif 000044
【図２８】
2019527972.tif 000045
【図２９】
2019527972.tif 000046
【図３０】
2019527972.tif 000047
【図３１】
2019527972.tif 000048
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
同期ソースを使用することによってデバイス間（Ｄ２Ｄ）通信を実行する方法であって、
ユーザ機器（ＵＥ）によって、第１の同期ソースの構成情報に基づいて第１のデバイスの信号を検出するステップであって、前記第１のデバイスが衛星デバイスである、検出するステップと、
前記ＵＥが、前記第１のデバイスの有効な信号を検出するとき、Ｄ２Ｄリンクを介した前記ＵＥの同期ソースとして前記第１のデバイスを使用し、前記ＵＥが前記第１のデバイスの有効な信号を検出しないとき、Ｄ２Ｄリンクを介した同期ソースとして第２のデバイスを取得するステップであって、前記第２のデバイスが前記衛星デバイス以外のデバイスである、取得するステップと、
前記Ｄ２Ｄリンクを介した前記同期ソースに基づいて前記Ｄ２Ｄリンクを介した通信を実行するステップと
を備える方法。
【請求項２】
前記第１の同期ソースの構成情報が、前記ＵＥに基地局によって送られるか、または
前記第１の同期ソースの構成情報が、あらかじめ定義されているかもしくはあらかじめ構成されている、
請求項１に記載の方法。
【請求項３】
前記ＵＥが、前記第１のデバイスの有効な信号を検出しないことが、
前記ＵＥによって検出された衛星信号のチャネル品質が第１のしきい値より低いこと、または
前記ＵＥが衛星信号を検出しないこと、または
前記ＵＥが、プリセットされた時間内に衛星信号を検出しないか、もしくはプリセットされた時間内に前記ＵＥによって検出された衛星信号のチャネル品質が、第１のしきい値より低いこと
を備える、請求項１または２に記載の方法。
【請求項４】
前記ＵＥが、前記第１のデバイスの有効な信号を検出することが、
前記ＵＥが、プリセットされた持続時間内に衛星信号を検出するか、もしくは前記プリセットされた持続時間内に前記ＵＥによって検出された衛星信号のチャネル品質が、第２のしきい値以上であること
を備える、請求項１または２に記載の方法。
【請求項５】
前記ＵＥが前記第１のデバイスの有効な信号を検出しないとき、Ｄ２Ｄリンクを介した同期ソースとして第２のデバイスを取得する前記ステップが、
前記ＵＥが前記第１のデバイスの有効な信号を検出しない持続時間がプリセットされた持続時間未満であり、前記ＵＥが、前記第２のデバイスの信号を検出するとき、前記Ｄ２Ｄリンクを介した前記同期ソースとして前記第２のデバイスを使用するステップ
を備える、請求項１または２に記載の方法。
【請求項６】
前記方法が、
前記ＵＥの前記基地局に指示情報を送るステップであって、前記指示情報は、前記ＵＥが前記第１のデバイスの有効な信号を検出しないことを示す、送るステップ
をさらに備える、請求項２乃至５のいずれか一項に記載の方法。
【請求項７】
Ｄ２Ｄリンクを介した同期ソースとして第２のデバイスを取得する前記ステップが、
前記基地局によって送られる第２の同期ソースの構成情報を受信するステップであって、前記第２の同期ソースの構成情報は、前記第２のデバイスが、前記ＵＥの前記同期ソースとして使用されることを示す、受信するステップと、
前記第２の同期ソースの構成情報に基づいて、前記第２のデバイスが前記Ｄ２Ｄリンクを介した前記同期ソースであると決定するステップと
を備える、請求項６に記載の方法。
【請求項８】
前記第２のデバイスが前記基地局である、請求項７に記載の方法。
【請求項９】
Ｄ２Ｄリンクを介した同期ソースとして第２のデバイスを取得する前記ステップが、
第２の同期ソースとして、前記第２のデバイス中で最も高い同期ソース優先度をもつデバイスを取得するステップ
を備える、請求項１乃至４のいずれか一項に記載の方法。
【請求項１０】
前記第２の同期ソースが、前記ＵＥの前記基地局であるか、または別のＵＥである、請求項９に記載の方法。
【請求項１１】
前記方法が、
前記Ｄ２Ｄリンクを介した前記ＵＥの通信リソースから前記同期ソースに関連するリソースまたはリソースプールに切り替わるステップ
をさらに備える、請求項１乃至１０のいずれか一項に記載の方法。
【請求項１２】
前記方法が、
前記Ｄ２Ｄリンクを介して前記ＵＥによって検出された信号の品質が、第３のしきい値より低いとき、前記ＵＥによって、前記Ｄ２Ｄリンクを介して同期信号を送信するステップ
をさらに備える、請求項１乃至１１のいずれか一項に記載の方法。
【請求項１３】
処理モジュールとトランシーバモジュールとを備えるユーザ機器であって、
前記処理モジュールが、第１の同期ソースの構成情報に基づいて第１のデバイスの信号を検出することであって、前記第１のデバイスが衛星デバイスである、検出することを行うように構成され、
前記トランシーバモジュールが、前記第１のデバイスの前記信号を受信するように構成され、
前記処理モジュールが、前記第１のデバイスの有効な信号を検出するとき、前記処理モジュールが、デバイス間（Ｄ２Ｄ）リンクを介した前記ユーザ機器の同期ソースとして前記第１のデバイスを使用するようにさらに構成され、前記処理モジュールが、前記第１のデバイスの有効な信号を検出しないとき、前記処理モジュールが、Ｄ２Ｄリンクを介した同期ソースとして第２のデバイスを取得することであって、前記第２のデバイスが前記衛星デバイス以外のデバイスである、取得することを行うようにさらに構成され、
前記トランシーバモジュールが、前記Ｄ２Ｄリンクを介した前記同期ソースに基づいて前記Ｄ２Ｄリンクを介した通信を実行するように構成された
ユーザ機器。
【請求項１４】
前記第１の同期ソースの構成情報が、ユーザ機器に前記基地局によって送られるか、または
前記第１の同期ソースの構成情報が、あらかじめ定義されているかもしくはあらかじめ構成されている、請求項１３に記載のユーザ機器。
【請求項１５】
前記処理モジュールが、前記第１のデバイスの有効な信号を検出しないことが、
前記処理モジュールによって検出された衛星信号のチャネル品質が第１のしきい値より低いこと、または
前記処理モジュールが衛星信号を検出しないこと、または
前記処理モジュールが、プリセットされた時間内に衛星信号を検出しないか、もしくはプリセットされた時間内に前記処理モジュールによって検出された衛星信号のチャネル品質が、前記第１のしきい値より低いこと
を備える、請求項１３または１４に記載のユーザ機器。
【請求項１６】
前記処理モジュールが、前記第１のデバイスの有効な信号を検出することが、
前記処理モジュールが、プリセットされた持続時間内に衛星信号を検出するか、もしくは前記プリセットされた持続時間内に前記処理モジュールによって検出された衛星信号のチャネル品質が、第２のしきい値以上であること
を備える、請求項１３または１４に記載のユーザ機器。
【請求項１７】
前記処理モジュールが前記第１のデバイスの有効な信号を検出しない持続時間がプリセットされた持続時間未満であり、前記処理モジュールが、前記第２のデバイスの信号を検出するとき、前記処理モジュールが、前記Ｄ２Ｄリンクを介した前記同期ソースとして前記第２のデバイスを使用する、請求項１３または１４に記載のユーザ機器。
【請求項１８】
前記トランシーバモジュールが、前記ユーザ機器の前記基地局に指示情報を送ることであって、前記指示情報は、前記ユーザ機器が有効な衛星信号を検出しないことを示す、送ることを行うようにさらに構成された、請求項１４乃至１７のいずれか一項に記載のユーザ機器。
【請求項１９】
前記トランシーバモジュールが、前記基地局によって送られる第２の同期ソースの構成情報を受信することであって、前記第２の同期ソースの構成情報は、前記第２のデバイスが、前記ユーザ機器の前記同期ソースとして使用されることを示す、受信することを行うようにさらに構成され、
前記処理モジュールが、前記第２の同期ソースの構成情報に基づいて、前記第２のデバイスが前記Ｄ２Ｄリンクを介した前記同期ソースであると決定するように特に構成された、請求項１８に記載のユーザ機器。
【請求項２０】
前記第２のデバイスが前記基地局である、請求項１９に記載のユーザ機器。
【請求項２１】
前記処理モジュールが、第２の同期ソースとして、前記第２のデバイス中で最も高い同期ソース優先度をもつデバイスを取得するように特に構成された、請求項１３乃至１６のいずれか一項に記載のユーザ機器。
【請求項２２】
前記第２の同期ソースが、前記ユーザ機器の前記基地局であるか、または別のユーザ機器である、請求項２１に記載のユーザ機器。
【請求項２３】
前記処理モジュールが、前記Ｄ２Ｄリンクを介した前記ユーザ機器の通信リソースから前記同期ソースに関連するリソースまたはリソースプールに切り替わるようにさらに構成された、請求項１３乃至２２のいずれか一項に記載のユーザ機器。
【請求項２４】
前記トランシーバモジュールが、前記Ｄ２Ｄリンクを介して前記処理モジュールによって検出された信号の品質が、第３のしきい値より低いとき、前記Ｄ２Ｄリンクを介して同期信号を送信するようにさらに構成された、請求項１３乃至２３のいずれか一項に記載のユーザ機器。
【請求項２５】
請求項１乃至１２のいずれか一項に記載の方法をコンピュータに実行させるプログラム。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、より詳細には、デバイス間通信、Ｄ２Ｄ通信方法およびユーザ機器に関する。
【背景技術】
【０００２】
社会的発展とともに、ユーザは、ワイヤレス通信技術に対してますます高い要件を有する。ワイヤレス通信では、送信レートと送信遅延とは、主要なインジケータである。サイズが固定されたデータパケットの送信中に、より短い送信持続時間は、通信システムがより多くのユーザをサポートできることまたはより多くのデータの並列送信をサポートできることを示す。さらに、ユーザエクスペリエンスの観点から、より短い遅延は、より高い送信速度、より大きいユーザ容量、およびより良いユーザエクスペリエンスを生じる。
【０００３】
ロングタームエボリューション（Ｌｏｎｇ  Ｔｅｒｍ  Ｅｖｏｌｕｔｉｏｎ、ＬＴＥ）システム中で遅延を低減するために、物理的な観点から、各送信の持続時間を短縮する必要がある。たとえば、ＬＴＥ送信における時間周波数リソースの基本単位は１ｍｓであり、この場合、ワイヤレス通信での送信のために１ｍｓ未満の時間周波数リソースが使用される必要がある。
【０００４】
従来技術では、セルごとに、復調基準信号（ｄｅｍｏｄｕｌａｔｉｏｎ  ｒｅｆｅｒｅｎｃｅ  ｓｉｇｎａｌ、ＤＭＲＳ）の基準信号シーケンスが各スロット中に生成される。異なる周波数領域帯域幅において使用される基準信号シーケンスのルートシーケンス番号は同じになる。異なるＵＥは、基準信号シーケンスの異なるサイクリックシフトを使用することによって送信を実行する。
【０００５】
１つの送信によって占有される時間領域リソースのシンボルの量が減少するとき、複数のＵＥが１つのシンボル上で基準信号を送る可能性がある。異なるＵＥ間で基準信号をどのように多重化し、異なるＵＥがチャネル推定を実行するときに生じる相互干渉をどのように回避するのかが、緊急に解決される必要がある技術的問題である。
【発明の概要】
【０００６】
本発明の実施形態は、基地局によってスケジュールされた各ＵＥの多重化ステータスに基づいて基準信号シーケンス生成パラメータをフレキシブルに割り振り、それによって、マルチユーザ多重化能力を改善し、スケジューリングフレキシビリティを改善するために基準信号シーケンスのマッピング方法および構成方法と、基地局と、ユーザ機器とを提供する。
【０００７】
第１の態様によれば、基準信号シーケンスのマッピング方法を提供し、本方法は、ＵＥの少なくとも１つのサブ周波数領域リソースに対応するシーケンスパラメータを決定するステップであって、１つのサブ周波数領域リソースは、１つのシーケンスパラメータに対応する、決定するステップと、シーケンスパラメータに基づいて基準信号シーケンスを生成するステップと、少なくとも１つのサブ周波数領域リソースに対応する物理リソースに基準信号シーケンスをマッピングするステップとを含む。
【０００８】
第１の態様に関して、第１の可能な実装形態では、特定の実装形態は、以下の通りである。基準信号は、ＤＭＲＳであり、少なくとも１つのサブ周波数領域リソースは、ＤＭＲＳが位置するデータ帯域幅中のサブキャリアの一部または全部を含む。
【０００９】
第１の態様または第１の態様の上記の実装形態に関して、第１の態様の第２の可能な実装形態では、特定の実装形態は、以下の通りである。シーケンスパラメータは、ルートシーケンスインデックス、サイクリックシフト値、または基準信号シーケンスの直交カバーコードのうちの少なくとも１つを含む。
【００１０】
第１の態様または第１の態様の上記の実装形態のうちのいずれか１つに関して、第１の態様の第３の可能な実装形態では、特定の実装形態は、以下の通りである。第１のサブ周波数領域リソースに対応するシーケンスパラメータは、第１のサブ周波数領域リソースの第１のリソースインデックス値によって決定され、第１のサブ周波数領域リソースは、少なくとも１つのサブ周波数領域リソースのうちの１つである。
【００１１】
第１の態様または第１の態様の上記の実装形態に関して、第１の態様の第４の可能な実装形態では、特定の実装形態は、以下の通りである。第１のルートシーケンスインデックスのシーケンスグループホッピングおよび／またはシーケンスホッピングは第１のリソースインデックス値によって決定され、第１のルートシーケンスインデックスは、第１のサブ周波数領域リソースに対応するシーケンスパラメータ中のルートシーケンスインデックスである。
【００１２】
第１の態様または第１の態様の上記の実装形態のうちのいずれか１つに関して、第１の態様の第５の可能な実装形態では、本方法は、第１の情報を取得するステップであって、第１の情報は、少なくとも１つのサブ周波数領域リソースに対応するシーケンスパラメータを示すために使用される、取得するステップをさらに含み、少なくとも１つのサブ周波数領域リソースに対応するシーケンスパラメータを決定するステップの特定の実装形態は、第１の情報に基づいて、少なくとも１つのサブ周波数領域リソースに対応するシーケンスパラメータを決定するステップである。
【００１３】
第１の態様または第１の態様の上記の実装形態のうちのいずれか１つに関して、第１の態様の第６の可能な実装形態では、本方法は、第１の情報を取得するステップであって、第１の情報は、少なくとも１つのサブ周波数領域リソースに対応する少なくとも１つのシーケンスパラメータを示すために使用される、取得するステップをさらに含み、少なくとも１つのサブ周波数領域リソースに対応するシーケンスパラメータを決定するステップの特定の実装形態は、第１の情報と少なくとも１つのサブ周波数領域リソースに対応するリソースインデックス値とに基づいて、少なくとも１つのサブ周波数領域リソースに対応する少なくとも１つのシーケンスパラメータを決定するステップである。
【００１４】
第１の態様および第１の態様の上記の実装形態に関して、第１の態様の第７の可能な実装形態では、特定の実装形態は、以下の通りである。第１の情報によって示されるシーケンスパラメータは、絶対値または相対値である。
【００１５】
第１の態様または第１の態様の上記の実装形態のうちのいずれか１つに関して、第１の態様の第８の可能な実装形態では、本方法は、少なくとも１つのサブ周波数領域リソースを決定するステップをさらに含む。
【００１６】
第１の態様および第１の態様の上記の実装形態に関して、第１の態様の第９の可能な実装形態では、少なくとも１つのサブ周波数領域リソースは、シグナリングによって示されるか、またはあらかじめ定義されているかもしくはあらかじめ構成されている。
【００１７】
第１の態様および第１の態様の上記の実装形態に１つに関して、第１の態様の第１０の可能な実装形態では、本方法は、第２の情報を取得するステップであって、第２の情報は、少なくとも１つのサブ周波数領域リソースを示すために使用される、取得するステップをさらに含み、少なくとも１つのサブ周波数領域リソースを決定するステップの特定の実装形態は、第２の情報に基づいて、少なくとも１つのサブ周波数領域リソースを決定するステップである。
【００１８】
第１の態様および第１の態様の上記の実装形態に関して、第１の態様の第１１の可能な実装形態では、特定の実装形態は、以下の通りである。第２の情報は、少なくとも１つのサブ周波数領域リソースの多重化方式を含む。
【００１９】
第１の態様および第１の態様の上記の実装形態に関して、第１の態様の第１２の可能な実装形態では、特定の実装形態は、以下の通りである。多重化方式は、周波数分割多重化および／または符号分割多重化を含む。
【００２０】
第１の態様および第１の態様の上記の実装形態に関して、第１の態様の第１３の可能な実装形態では、特定の実装形態は、以下の通りである。少なくとも１つのサブ周波数領域リソースが２つ以上のサブ周波数領域リソースであるとき、すべてのサブ周波数領域リソースの多重化方式が同じであるか、またはサブ周波数領域リソースのうちの少なくとも２つの多重化方式が異なる。
【００２１】
第２の態様に従って、処理モジュールと送信モジュールとを含むユーザ機器が提供され、処理モジュールは、ユーザ機器の少なくとも１つのサブ周波数領域リソースに対応するシーケンスパラメータを決定することと、シーケンスパラメータに基づいて基準信号シーケンスを生成することであって、１つのサブ周波数領域リソースは、１つのシーケンスパラメータに対応する、生成することとを行うように構成され、処理モジュールは、送信モジュールを使用することによって、少なくとも１つのサブ周波数領域リソースに対応する物理リソースに基準信号シーケンスをマッピングするようにさらに構成される。
【００２２】
第２の態様に関して、第１の可能な実装形態では、特定の実装形態は、以下の通りである。基準信号は、ＤＭＲＳであり、少なくとも１つのサブ周波数領域リソースは、ＤＭＲＳが位置するデータ帯域幅中のサブキャリアの一部または全部を含む。
【００２３】
第２の態様または第２の態様の上記の実装形態に関して、第２の態様の第２の可能な実装形態では、特定の実装形態は、以下の通りである。シーケンスパラメータは、ルートシーケンスインデックス、サイクリックシフト値、または基準信号シーケンスの直交カバーコードのうちの少なくとも１つを含む。
【００２４】
第２の態様または第２の態様の上記の実装形態のうちのいずれか１つに関して、第２の態様の第３の可能な実装形態では、特定の実装形態は、以下の通りである。第１のサブ周波数領域リソースに対応するシーケンスパラメータは、第１のサブ周波数領域リソースの第１のリソースインデックス値によって決定され、第１のサブ周波数領域リソースは、少なくとも１つのサブ周波数領域リソースのうちの１つである。
【００２５】
第２の態様および第２の態様の上記の実装形態に関して、第２の態様の第４の可能な実装形態では、特定の実装形態は、以下の通りである。第１のルートシーケンスインデックスのシーケンスグループホッピングおよび／またはシーケンスホッピングは第１のリソースインデックス値によって決定され、第１のルートシーケンスインデックスは、第１のサブ周波数領域リソースに対応するシーケンスパラメータ中のルートシーケンスインデックスである。
【００２６】
第２の態様または第２の態様の上記の実装形態のうちのいずれか１つに関して、第２の態様の第５の可能な実装形態では、処理モジュールは、第１の情報を取得することであって、第１の情報は、少なくとも１つのサブ周波数領域リソースに対応するシーケンスパラメータを示すために使用される、取得することを行うようにさらに構成され、処理モジュールは、第１の情報に基づいて、少なくとも１つのサブ周波数領域リソースに対応するシーケンスパラメータを決定するように構成される。
【００２７】
第２の態様または第２の態様の上記の実装形態のうちのいずれか１つに関して、第２の態様の第６の可能な実装形態では、処理モジュールは、第１の情報を取得することであって、第１の情報は、少なくとも１つのサブ周波数領域リソースに対応する少なくとも１つのシーケンスパラメータを示すために使用される、取得することを行うようにさらに構成され、処理モジュールは、第１の情報と少なくとも１つのサブ周波数領域リソースに対応するリソースインデックス値とに基づいて、少なくとも１つのサブ周波数領域リソースに対応する少なくとも１つのシーケンスパラメータを決定するように構成される。
【００２８】
第２の態様および第２の態様の上記の実装形態に関して、第２の態様の第７の可能な実装形態では、特定の実装形態は、以下の通りである。第１の情報によって示されるシーケンスパラメータは、絶対値または相対値である。
【００２９】
第２の態様または第２の態様の上記の実装形態のうちのいずれか１つに関して、第２の態様の第８の可能な実装形態では、処理モジュールは、少なくとも１つのサブ周波数領域リソースを決定するようにさらに構成される。
【００３０】
第２の態様および第２の態様の上記の実装形態に関して、第２の態様の第９の可能な実装形態では、少なくとも１つのサブ周波数領域リソースは、シグナリングによって示されるか、またはあらかじめ定義されているかもしくはあらかじめ構成されている。
【００３１】
第２の態様および第２の態様の上記の実装形態に関して、第２の態様の第１０の可能な実装形態では、処理モジュールは、第２の情報を取得することであって、第２の情報は、少なくとも１つのサブ周波数領域リソースを示すために使用される、取得することを行うようにさらに構成され、処理モジュールは、第２の情報に基づいて、少なくとも１つのサブ周波数領域リソースを決定するように構成される。
【００３２】
第２の態様および第２の態様の上記の実装形態に関して、第２の態様の第１１の可能な実装形態では、特定の実装形態は、以下の通りである。第２の情報は、少なくとも１つのサブ周波数領域リソースの多重化方式を含む。
【００３３】
第２の態様および第２の態様の上記の実装形態に関して、第２の態様の第１２の可能な実装形態では、特定の実装形態は、以下の通りである。多重化方式は、周波数分割多重化および／または符号分割多重化を含む。
【００３４】
第２の態様および第２の態様の上記の実装形態に関して、第２の態様の第１３の可能な実装形態では、特定の実装形態は、以下の通りである。少なくとも１つのサブ周波数領域リソースが２つ以上のサブ周波数領域リソースであるとき、すべてのサブ周波数領域リソースの多重化方式が同じであるか、またはサブ周波数領域リソースのうちの少なくとも２つの多重化方式が異なる。
【００３５】
第３の態様によれば、プロセッサと、送信機と、受信機とを含む別のユーザ機器が提供され、プロセッサは、送信機と受信機とを使用することによって、第１の態様または第１の態様の可能な実装形態のうちのいずれか１つによる方法を実行するように構成される。
【００３６】
第４の態様によれば、コンピュータプログラムを記憶するように構成されたコンピュータ可読記憶媒体が提供され、コンピュータプログラムは、第１の態様または第１の態様の可能な実装形態のうちのいずれか１つによる方法を実行するために使用される命令を含む。
【００３７】
第５の態様によれば、基準信号シーケンスの構成方法が提供され、本方法は、第１の情報を生成するステップであって、第１の情報は、少なくとも１つのサブ周波数領域リソースに対応するシーケンスパラメータを示すために使用され、少なくとも１つのサブ周波数領域リソースは、基準信号シーケンスをマッピングするために第１のＵＥによって使用される周波数領域リソースであり、第１のＵＥの各サブ周波数領域リソースは、１つのシーケンスパラメータに対応する、生成するステップと、第１のＵＥに第１の情報を送るステップとを含む。
【００３８】
第５の態様に関して、第１の可能な実装形態では、特定の実装形態は、以下の通りである。基準信号は、ＤＭＲＳであり、少なくとも１つのサブ周波数領域リソースは、第１のＵＥのＤＭＲＳが位置するデータ帯域幅中のサブキャリアの一部または全部を含む。
【００３９】
第５の態様または第５の態様の上記の実装形態に関して、第５の態様の第２の可能な実装形態では、特定の実装形態は、以下の通りである。シーケンスパラメータは、ルートシーケンスインデックス、サイクリックシフト値、または基準信号シーケンスの直交カバーコードのうちの少なくとも１つを含む。
【００４０】
第５の態様または第５の態様の上記の実装形態のうちのいずれか１つに関して、第５の態様の第３の可能な実装形態では、本方法は、第２の情報を生成するステップであって、第２の情報は、少なくとも１つのサブ周波数領域リソースを示すために使用される、生成するステップと、第１のＵＥに第２の情報を送るステップとをさらに含む。
【００４１】
第５の態様および第５の態様の上記の実装形態に関して、第５の態様の第４の可能な実装形態では、特定の実装形態は、以下の通りである。第２の情報は、少なくとも１つのサブ周波数領域リソースの多重化方式を含む。
【００４２】
第５の態様および第５の態様の上記の実装形態に関して、第５の態様の第５の可能な実装形態では、特定の実装形態は、以下の通りである。少なくとも１つのサブ周波数領域リソースが２つ以上のサブ周波数領域リソースであるとき、すべてのサブ周波数領域リソースの基準信号シーケンスの多重化方式が同じであるか、またはサブ周波数領域リソースのうちの少なくとも２つの基準信号シーケンスの多重化方式が異なる。
【００４３】
第５の態様または第５の態様の上記の実装形態のうちのいずれか１つに関して、第５の態様の第６の可能な実装形態では、本方法は、第３の情報を生成するステップであって、第３の情報は、第２のＵＥの周波数領域リソース中にあり、基準信号を送るために使用される少なくとも１つのサブ周波数領域リソースに対応するシーケンスパラメータを示し、第２のＵＥの少なくとも１つのサブ周波数領域リソース中の第２のサブ周波数領域リソースは、第１のＵＥの少なくとも１つのサブ周波数領域リソース中の第１のサブ周波数領域リソース中の周波数領域リソースの全部または一部であり、第２のサブ周波数領域リソースと第１のサブ周波数領域リソースとは異なるシーケンスパラメータに対応する、生成するステップと、第２のＵＥに第３の情報を送るステップとをさらに含む。
【００４４】
第６の態様によれば、処理モジュールと送信モジュールとを含む基地局が提供され、処理モジュールは、
第１の情報を生成することであって、第１の情報は、少なくとも１つのサブ周波数領域リソースに対応するシーケンスパラメータを示すために使用され、少なくとも１つのサブ周波数領域リソースは、基準信号シーケンスをマッピングするために第１のＵＥによって使用される周波数領域リソースであり、第１のＵＥの各サブ周波数領域リソースは、１つのシーケンスパラメータに対応する、生成することを行うように構成され、送信モジュールは、第１のＵＥに第１の情報を送るように構成される。
【００４５】
第６の態様に関して、第１の可能な実装形態では、特定の実装形態は、以下の通りである。基準信号は、ＤＭＲＳであり、少なくとも１つのサブ周波数領域リソースは、第１のＵＥのＤＭＲＳが位置するデータ帯域幅中のサブキャリアの一部または全部を含む。
【００４６】
第６の態様または第６の態様の上記の実装形態に関して、第６の態様の第２の可能な実装形態では、シーケンスパラメータは、ルートシーケンスインデックス、サイクリックシフト値、または基準信号シーケンスの直交カバーコードのうちの少なくとも１つを含む。
【００４７】
第６の態様または第６の態様の上記の実装形態のうちのいずれか１つに関して、第６の態様の第３の可能な実装形態では、処理モジュールは、第２の情報を生成することであって、第２の情報は、少なくとも１つのサブ周波数領域リソースを示すために使用される、生成することを行うようにさらに構成され、送信モジュールは、第１のＵＥに第２の情報を送るようにさらに構成される。
【００４８】
第６の態様および第６の態様の上記の実装形態に関して、第６の態様の第４の可能な実装形態では、特定の実装形態は、以下の通りである。第２の情報は、少なくとも１つのサブ周波数領域リソースの多重化方式を含む。
【００４９】
第６の態様および第６の態様の上記の実装形態に関して、第６の態様の第５の可能な実装形態では、特定の実装形態は、以下の通りである。少なくとも１つのサブ周波数領域リソースが２つ以上のサブ周波数領域リソースであるとき、すべてのサブ周波数領域リソースの基準信号シーケンスの多重化方式が同じであるか、またはサブ周波数領域リソースのうちの少なくとも２つの基準信号シーケンスの多重化方式が異なる。
【００５０】
第６の態様または第６の態様の上記の実装形態のうちのいずれか１つに関して、第６の態様の第６の可能な実装形態では、処理モジュールは、第３の情報を生成することであって、第３の情報は、少なくとも１つのサブ周波数領域リソースに対応するシーケンスパラメータを示すために使用され、第３の情報中の少なくとも１つのサブ周波数領域リソースは、基準信号シーケンスをマッピングするために第２のＵＥによって使用される周波数領域リソースであり、第２のＵＥの各サブ周波数領域リソースは、１つのシーケンスパラメータに対応し、第２のＵＥの少なくとも１つのサブ周波数領域リソース中の第２のサブ周波数領域リソースは、第１のＵＥの少なくとも１つのサブ周波数領域リソース中の第１のサブ周波数領域リソース中の周波数領域リソースの全部または一部であり、第２のサブ周波数領域リソースと第１のサブ周波数領域リソースとは異なるシーケンスパラメータに対応する、生成することを行うようにさらに構成され、送信モジュールは、第２のＵＥに第３の情報を送るようにさらに構成される。
【００５１】
第７の態様によれば、プロセッサと、送信機と、受信機とを含む別の基地局が提供され、プロセッサは、送信機と受信機とを使用することによって、第５の態様または第５の態様の可能な実装形態のうちのいずれか１つによる方法を実行するように構成される。
【００５２】
第８の態様によれば、コンピュータプログラムを記憶するように構成されたコンピュータ可読記憶媒体が提供され、コンピュータプログラムは、第５の態様または第５の態様の可能な実装形態のうちのいずれか１つによる方法を実行するために使用される命令を含む。
【００５３】
第９の態様によれば、制御情報を送る方法であって、周波数領域の離散の方式で、制御情報を搬送するために使用されるデータチャネルリソースに制御情報をマッピングするステップであって、各データチャネルリソースは、時間領域中で１ｍｓ未満である、マッピングするステップと、データチャネルリソースを使用することによって制御情報を送るステップとを含む方法が提供される。
【００５４】
第９の態様に関して、第１の可能な実装形態では、特定の実装形態は、以下の通りである。制御情報は、ＨＡＲＱ応答情報、ＣＳＩ、またはＳＲのうちの少なくとも１つを含む。
【００５５】
第９の態様および第９の態様の上記の実装形態に関して、第９の態様の第２の可能な実装形態では、特定の実装形態は、以下の通りである。ＣＳＩは、ＲＩ、ＰＭＩ、ＣＱＩ、ＰＴＩ、またはＢＩのうちの少なくとも１つを含む。
【００５６】
第９の態様または第９の態様の上記の実装形態のうちのいずれか１つに関して、第９の態様の第３の可能な実装形態では、周波数領域の離散の方式で、制御情報を搬送するために使用されるデータチャネルリソースに制御情報をマッピングするステップの特定の実装形態は、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングするステップ、またはデータチャネルリソースによって占有される帯域幅中の異なる部分に複数のタイプの制御情報をそれぞれマッピングするステップである。
【００５７】
第９の態様および第９の態様の上記の実装形態に関して、第９の態様の第４の可能な実装形態では、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングするステップの特定の実装形態は、２つの部分に少なくとも１つのタイプの制御情報の各々を分割し、データチャネルリソースによって占有される帯域幅の２つの側に２つの部分をそれぞれマッピングするステップである。
【００５８】
第９の態様および第９の態様の上記の実装形態に関して、第９の態様の第５の可能な実装形態では、データチャネルリソースによって占有される帯域幅中の異なる部分に複数のタイプの制御情報をそれぞれマッピングするステップの特定の実装形態は、
高周波数サブキャリアから低周波数サブキャリアに、データチャネルリソースによって占有される帯域幅中の少なくとも一部分の各々中の第１の制御情報をマッピングするステップ、または
低周波数サブキャリアから高周波数サブキャリアに、データチャネルリソースによって占有される帯域幅中の少なくとも一部分の各々中の第１の制御情報をマッピングするステップ、または
低周波数サブキャリアから高周波数サブキャリアに、データチャネルリソースによって占有される帯域幅中の少なくとも一部分の第１の部分中の第１の制御情報をマッピングし、高周波数サブキャリアから低周波数サブキャリアに、データチャネルリソースによって占有される帯域幅中の少なくとも一部分の第２の部分中の第１の制御情報をマッピングするステップであって、第１の制御情報は、複数のタイプの制御情報のうちの１つである、マッピングするステップ
である。
【００５９】
第９の態様および第９の態様の上記の実装形態に関して、第９の態様の第６の可能な実装形態では、制御情報が、ＨＡＲＱ応答情報とＲＩとを含み、データチャネルリソースが、サブバンド１と、サブバンド２と、サブバンド３と、サブバンド４との４つのサブバンドに分割されるとき、周波数領域の離散の方式で、制御情報を搬送するために使用されるデータチャネルリソースに制御情報をマッピングするステップの特定の実装形態は、
サブバンド１およびサブバンド３にＨＡＲＱ応答情報をマッピングし、サブバンド２およびサブバンド４にＲＩをマッピングするステップ、または
サブバンド２およびサブバンド４にＨＡＲＱ応答情報をマッピングし、サブバンド１およびサブバンド３にＲＩをマッピングするステップ、または
サブバンド１およびサブバンド４にＨＡＲＱ応答情報をマッピングし、サブバンド２およびサブバンド３にＲＩをマッピングするステップ、または
サブバンド２およびサブバンド３にＨＡＲＱ応答情報をマッピングし、サブバンド１およびサブバンド４にＲＩをマッピングするステップ
である。
【００６０】
第９の態様または第９の態様の上記の実装形態のうちのいずれか１つに関して、第９の態様の第７の可能な実装形態では、周波数領域の離散の方式で、制御情報を搬送するために使用されるデータチャネルリソースに制御情報をマッピングするステップの特定の実装形態は、制御情報が複数のタイプの制御情報を含むとき、データチャネルリソースの少なくとも２つの時間領域データシンボルに複数のタイプの制御情報をそれぞれマッピングし、周波数領域の離散の方式で、データチャネルリソースによって占有される帯域幅に複数のタイプの制御情報をマッピングするステップである。
【００６１】
第９の態様および第９の態様の上記の実装形態に関して、第９の態様の第８の可能な実装形態では、周波数領域の離散の方式で、制御情報を搬送するために使用されるデータチャネルリソースに制御情報をマッピングするステップの特定の実装形態は、
周波数領域の離散の方式で、データチャネルリソースの第１のシンボル上の時間周波数リソースに第１の制御情報をマッピングし、周波数領域の離散の方式で、データチャネルリソースの第２のシンボル上の時間周波数リソースに第２の制御情報をマッピングするステップ、または
第１のサブバンド中の、データチャネルリソースの第１のシンボル上の時間周波数リソースと第２のサブバンド中の、データチャネルリソースの第２のシンボル上の時間周波数リソースとに第１の制御情報をマッピングし、第１のサブバンド中の、データチャネルリソースの第２のシンボル上の時間周波数リソースと第２のサブバンド中の、データチャネルリソースの第１のシンボル上の時間周波数リソースとに第２の制御情報をマッピングするステップ
である。
【００６２】
第９の態様および第９の態様の上記の実装形態に関して、第９の態様の第９の可能な実装形態では、特定の実装形態は、以下の通りである。データチャネルリソースの１つのサブフレーム中の制御情報によって占有されるシンボルの量は、２、３、４、６、または７のうちのいずれか１つである。
【００６３】
第９の態様または第９の態様の上記の実装形態のうちのいずれか１つに関して、第９の態様の第１０の可能な実装形態では、制御情報が、ＨＡＲＱ応答情報とＲＩとを含むとき、周波数領域の離散の方式で、制御情報を搬送するために使用されるデータチャネルリソースに制御情報をマッピングするステップの特定の実装形態は、データチャネルリソースの２つの側上の２つの隣接する時間領域データシンボルに制御情報中のＨＡＲＱ応答情報とＲＩとをそれぞれマッピングし、周波数領域の離散の方式で、データチャネルリソースによって占有される帯域幅にＨＡＲＱ応答情報とＲＩとをマッピングするステップである。
【００６４】
第９の態様または第９の態様の上記の実装形態のうちのいずれか１つに関して、第９の態様の第１１の可能な実装形態では、制御情報が、ＨＡＲＱ応答情報とＲＩとを含むとき、周波数領域の離散の方式で、制御情報を搬送するために使用されるデータチャネルリソースに制御情報をマッピングするステップの特定の実装形態は、データチャネルリソースの一方の側上の１つの時間領域データシンボルに制御情報中のＨＡＲＱ応答情報とＲＩとをマッピングし、周波数領域の離散の方式で、データチャネルリソースによって占有される帯域幅にＨＡＲＱ応答情報とＲＩとをマッピングするステップである。
【００６５】
第９の態様または第９の態様の上記の実装形態のうちのいずれか１つに関して、第９の態様の第１２の可能な実装形態では、本方法は、制御情報を送るとき、制御情報を搬送するチャネル上でレートマッチングまたはパンクチャリングを実行するステップをさらに含む。
【００６６】
第１０の態様によれば、処理モジュールと送信モジュールとを含むユーザ機器が提供され、
処理モジュールは、周波数領域の離散の方式で、制御情報を搬送するために使用されるデータチャネルリソースに制御情報をマッピングすることであって、各データチャネルリソースは、時間領域中で１ｍｓ未満である、マッピングすることを行うように構成され、送信モジュールは、データチャネルリソースを使用することによって制御情報を送るように構成される。
【００６７】
第１０の態様に関して、第１の可能な実装形態では、特定の実装形態は、以下の通りである。制御情報は、ＨＡＲＱ応答情報、ＣＳＩ、またはＳＲのうちの少なくとも１つを含む。
【００６８】
第１０の態様および第１０の態様の上記の実装形態に関して、第１０の態様の第２の可能な実装形態では、特定の実装形態は、以下の通りである。ＣＳＩは、ＲＩ、ＰＭＩ、ＣＱＩ、ＰＴＩ、またはＢＩのうちの少なくとも１つを含む。
【００６９】
第１０の態様または第１０の態様の上記の実装形態のうちのいずれか１つに関して、第１０の態様の第３の可能な実装形態では、処理モジュールは、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングすること、またはデータチャネルリソースによって占有される帯域幅中の異なる部分に複数のタイプの制御情報をそれぞれマッピングすることを行うように特に構成される。
【００７０】
第１０の態様および第１０の態様の上記の実装形態に関して、第１０の態様の第４の可能な実装形態では、処理モジュールは、２つの部分に少なくとも１つのタイプの制御情報の各々を分割し、データチャネルリソースによって占有される帯域幅の２つの側に２つの部分をそれぞれマッピングすることを行うように特に構成される。
【００７１】
第１０の態様および第１０の態様の上記の実装形態に関して、第１０の態様の第５の可能な実装形態では、処理モジュールは、
高周波数サブキャリアから低周波数サブキャリアに、データチャネルリソースによって占有される帯域幅中の少なくとも一部分の各々中の第１の制御情報をマッピングすること、または
低周波数サブキャリアから高周波数サブキャリアに、データチャネルリソースによって占有される帯域幅中の少なくとも一部分の各々中の第１の制御情報をマッピングすること、または
低周波数サブキャリアから高周波数サブキャリアに、データチャネルリソースによって占有される帯域幅中の少なくとも一部分の第１の部分中の第１の制御情報をマッピングし、高周波数サブキャリアから低周波数サブキャリアに、データチャネルリソースによって占有される帯域幅中の少なくとも一部分の第２の部分中の第１の制御情報をマッピングすることであって、
第１の制御情報は、複数のタイプの制御情報のうちの１つである、マッピングすること、
を行うように特に構成される。
【００７２】
第１０の態様および第１０の態様の上記の実装形態に関して、第１０の態様の第６の可能な実装形態では、制御情報は、ＨＡＲＱ応答情報とＲＩとを含み、データチャネルリソースは、サブバンド１と、サブバンド２と、サブバンド３と、サブバンド４との４つのサブバンドに分割されるとき、処理モジュールは、
サブバンド１およびサブバンド３にＨＡＲＱ応答情報をマッピングし、サブバンド２およびサブバンド４にＲＩをマッピングすること、または
サブバンド２およびサブバンド４にＨＡＲＱ応答情報をマッピングし、サブバンド１およびサブバンド３にＲＩをマッピングすること、または
サブバンド１およびサブバンド４にＨＡＲＱ応答情報をマッピングし、サブバンド２およびサブバンド３にＲＩをマッピングすること、または
サブバンド２およびサブバンド３にＨＡＲＱ応答情報をマッピングし、サブバンド１およびサブバンド４にＲＩをマッピングすること
を行うように特に構成される。
【００７３】
第１０の態様または第１０の態様の上記の実装形態のうちのいずれか１つに関して、第１０の態様の第７の可能な実装形態では、処理モジュールは、制御情報が複数のタイプの制御情報を含むとき、データチャネルリソースの少なくとも２つの時間領域データシンボルに複数のタイプの制御情報をそれぞれマッピングし、周波数領域の離散の方式で、データチャネルリソースによって占有される帯域幅に複数のタイプの制御情報をマッピングすることを行うように特に構成される。
【００７４】
第１０の態様および第１０の態様の上記の実装形態に関して、第１０の態様の第８の可能な実装形態では、処理モジュールは、
データチャネルリソースの第１のシンボル上の時間周波数リソースに第１の制御情報をマッピングし、データチャネルリソースの第２のシンボル上の時間周波数リソースに第２の制御情報をマッピングすること、または
第１のサブバンド中の、データチャネルリソースの第１のシンボル上の時間周波数リソースと第２のサブバンド中の、データチャネルリソースの第２のシンボル上の時間周波数リソースとに第１の制御情報をマッピングし、第１のサブバンド中の、データチャネルリソースの第２のシンボル上の時間周波数リソースと第２のサブバンド中の、データチャネルリソースの第１のシンボル上の時間周波数リソースとに第２の制御情報をマッピングすること
を行うように特に構成される。
【００７５】
第１０の態様および第１０の態様の上記の実装形態に関して、第１０の態様の第９の可能な実装形態では、特定の実装形態は、以下の通りである。データチャネルリソースの１つのサブフレーム中の制御情報によって占有されるシンボルの量は、２、３、４、６、または７のうちのいずれか１つである。
【００７６】
第１０の態様または第１０の態様の上記の実装形態のうちのいずれか１つに関して、第１０の態様の第１０の可能な実装形態では、制御情報が、ＨＡＲＱ応答情報とＲＩとを含むとき、処理モジュールは、特に、データチャネルリソースの２つの側上の２つの隣接する時間領域データシンボルに制御情報中のＨＡＲＱ応答情報とＲＩとをそれぞれマッピングし、周波数領域の離散の方式で、データチャネルリソースによって占有される帯域幅にＨＡＲＱ応答情報とＲＩとをマッピングするように構成されている。
【００７７】
第１０の態様または第１０の態様の上記の実装形態のうちのいずれか１つに関して、第１０の態様の第１１の可能な実装形態では、制御情報が、ＨＡＲＱ応答情報とＲＩとを含むとき、周波数領域の離散の方式で、制御情報を搬送するために使用されるデータチャネルリソースに制御情報をマッピングすることの特定の実装形態は、データチャネルリソースの一方の側上の１つの時間領域データシンボルに制御情報中のＨＡＲＱ応答情報とＲＩとをマッピングし、周波数領域の離散の方式で、データチャネルリソースによって占有される帯域幅にＨＡＲＱ応答情報とＲＩとをマッピングすることである。
【００７８】
第１０の態様または第１０の態様の上記の実装形態のうちのいずれか１つに関して、第１０の態様の第１２の可能な実装形態では、送信モジュールは、制御情報を送るとき、制御情報を搬送するチャネル上でレートマッチングまたはパンクチャリングを実行するように構成されている。
【００７９】
第１１の態様によれば、プロセッサと、送信機と、受信機とを含む別のユーザ機器が提供され、プロセッサは、送信機と受信機とを使用することによって、第９の態様または第９の態様の可能な実装形態のうちのいずれか１つによる方法を実行するように構成される。
【００８０】
第１２の態様によれば、コンピュータプログラムを記憶するように構成されたコンピュータ可読記憶媒体が提供され、コンピュータプログラムは、第９の態様または第９の態様の可能な実装形態のうちのいずれか１つによる方法を実行するために使用される命令を含む。
【００８１】
第１３の態様によれば、同期ソースを使用することによってＤ２Ｄ通信を実行するための方法が提供され、本方法は、ＵＥによって、第１の同期ソースの構成情報に基づいて第１のデバイスの信号を検出するステップであって、第１のデバイスは衛星デバイスである、検出するステップと、ＵＥが、第１のデバイスの有効な信号を検出するとき、Ｄ２Ｄリンクを介したＵＥの同期ソースとして第１のデバイスを使用し、ＵＥが第１のデバイスの有効な信号を検出しないとき、Ｄ２Ｄリンクを介した同期ソースとして第２のデバイスを取得するステップであって、第２のデバイスが衛星デバイス以外のデバイスである、取得するステップと、Ｄ２Ｄリンクを介した同期ソースに基づいてＤ２Ｄリンクを介した通信を実行するステップとを含む。
【００８２】
第１３の態様に関して、第１の可能な実装形態では、特定の実装形態は、以下の通りである。第１の同期ソースの構成情報が、ＵＥに基地局によって送られるか、または第１の同期ソースの構成情報が、あらかじめ定義されているかもしくはあらかじめ構成されている。
【００８３】
第１３の態様または第１３の態様の上記の実装形態に関して、第１３の態様の第２の可能な実装形態では、特定の実装形態は、以下の通りである。ＵＥが、有効な衛星信号を検出しないことは、ＵＥによって検出された衛星信号のチャネル品質が第１のしきい値より低いこと、またはＵＥが衛星信号を検出しないこと、またはＵＥが、プリセットされた時間内に衛星信号を検出しないか、もしくはプリセットされた時間内にＵＥによって検出された衛星信号のチャネル品質が、第１のしきい値より低いことを含む。
【００８４】
第１３の態様または第１３の態様の上記の実装形態に関して、第１３の態様の第３の可能な実装形態では、ＵＥが第１のデバイスの有効な信号を検出する特定の実装形態は、以下の通りである。ＵＥは、プリセットされた持続時間内に衛星信号を検出するか、もしくはプリセットされた持続時間内にＵＥによって検出された衛星信号のチャネル品質は、第２のしきい値以上である。
【００８５】
第１３の態様または第１３の態様の上記の実装形態に関して、第１３の態様の第４の可能な実装形態では、ＵＥが有効な衛星信号を検出しないとき、Ｄ２Ｄリンクを介した同期ソースとして第２のデバイスを取得するステップの特定の実装形態は、ＵＥが有効な衛星信号を検出しない持続時間がプリセットされた持続時間未満であり、ＵＥが、第２のデバイスの信号を検出するとき、Ｄ２Ｄリンクを介した同期ソースとして第２のデバイスを使用するステップである。
【００８６】
第１３の態様または第１３の態様の上記の実装形態のうちのいずれか１つに関して、第１３の態様の第５の可能な実装形態では、本方法は、ＵＥの基地局に指示情報を送るステップであって、指示情報は、ＵＥが有効な衛星信号を検出しないことを示す、送るステップをさらに含む。
【００８７】
第１３の態様および第１３の態様の上記の実装形態に関して、第１３の態様の第６の可能な実装形態では、Ｄ２Ｄリンクを介した同期ソースとして第２のデバイスを取得するステップの特定の実装形態は、基地局によって送られる第２の同期ソースの構成情報を受信するステップであって、第２の同期ソースの構成情報は、第２のデバイスが、ＵＥの同期ソースとして使用されることを示す、受信するステップと、第２の同期ソースの構成情報に基づいて、第２のデバイスがＤ２Ｄリンクを介した同期ソースであると決定するステップとである。
【００８８】
第１３の態様および第１３の態様の上記の実装形態に関して、第１３の態様の第７の可能な実装形態では、特定の実装形態は、以下の通りである。第２のデバイスが基地局である。
【００８９】
第１３の態様または第１３の態様の上記の実装形態のうちのいずれか１つに関して、第１３の態様の第８の可能な実装形態では、Ｄ２Ｄリンクを介した同期ソースとして第２のデバイスを取得するステップの特定の実装形態は、第２の同期ソースとして、第２のデバイス中で最も高い同期ソース優先度をもつデバイスを取得するステップである。
【００９０】
第１３の態様および第１３の態様の上記の実装形態に関して、第１３の態様の第９の可能な実装形態では、特定の実装形態は、以下の通りである。第２の同期ソースは、ＵＥの基地局であるか、または別のＵＥである。
【００９１】
第１３の態様または第１３の態様の上記の実装形態のうちのいずれか１つに関して、第１３の態様の第１０の可能な実装形態では、本方法は、Ｄ２Ｄリンクを介したＵＥの通信リソースから同期ソースに関連するリソースまたはリソースプールに切り替わるステップをさらに含む。
【００９２】
第１３の態様または第１３の態様の上記の実装形態のうちのいずれか１つに関して、第１３の態様の第１１の可能な実装形態では、本方法は、Ｄ２Ｄリンクを介してＵＥによって検出された信号の品質が、第３のしきい値より低いとき、ＵＥによって、Ｄ２Ｄリンクを介して同期信号を送信するステップをさらに含む。
【００９３】
第１４の態様によれば、処理モジュールとトランシーバモジュールとを含むユーザ機器が提供され、
処理モジュールは、第１の同期ソースの構成情報に基づいて第１のデバイスの信号を検出することであって、第１のデバイスは衛星デバイスである、検出することを行うように構成され、トランシーバモジュールが、第１のデバイスの信号を受信するように構成され、処理モジュールが、第１のデバイスの有効な信号を検出するとき、処理モジュールは、Ｄ２Ｄリンクを介したユーザ機器の同期ソースとして第１のデバイスを使用するようにさらに構成され、処理モジュールが、第１のデバイスの有効な信号を検出しないとき、処理モジュールは、Ｄ２Ｄリンクを介した同期ソースとして第２のデバイスを取得することであって、第２のデバイスは衛星デバイス以外のデバイスである、取得することを行うようにさらに構成され、トランシーバモジュールは、Ｄ２Ｄリンクを介した同期ソースに基づいてＤ２Ｄリンクを介した通信を実行するように構成される。
【００９４】
第１４の態様に関して、第１の可能な実装形態では、特定の実装形態は、以下の通りである。第１の同期ソースの構成情報は、ユーザ機器に基地局によって送られるか、または第１の同期ソースの構成情報は、あらかじめ定義されているかもしくはあらかじめ構成されている。
【００９５】
第１４の態様または第１４の態様の上記の実装形態に関して、第１４の態様の第２の可能な実装形態では、処理モジュールが、有効な衛星信号を検出しないことは、
処理モジュールによって検出された衛星信号のチャネル品質が第１のしきい値より低いこと、または
処理モジュールが衛星信号を検出しないこと、または
処理モジュールが、プリセットされた時間内に衛星信号を検出しないか、もしくはプリセットされた時間内に処理モジュールによって検出された衛星信号のチャネル品質が、第１のしきい値より低いこと
を含む。
【００９６】
第１４の態様または第１４の態様の上記の実装形態に関して、第１４の態様の第３の可能な実装形態では、処理モジュールが、第１のデバイスの有効な信号を検出することは、  処理モジュールが、プリセットされた持続時間内に衛星信号を検出するか、もしくはプリセットされた持続時間内に処理モジュールによって検出された衛星信号のチャネル品質が、第２のしきい値以上であること
を含む。
【００９７】
第１４の態様または第１４の態様の上記の実装形態に関して、第１４の態様の第４の可能な実装形態では、処理モジュールが有効な衛星信号を検出しない持続時間がプリセットされた持続時間未満であり、処理モジュールが、第２のデバイスの信号を検出するとき、処理モジュールは、Ｄ２Ｄリンクを介した同期ソースとして第２のデバイスを使用する。
【００９８】
第１４の態様または第１４の態様の上記の実装形態のうちのいずれか１つに関して、第１４の態様の第５の可能な実装形態では、トランシーバモジュールは、ユーザ機器の基地局に指示情報を送ることであって、指示情報は、ユーザ機器が有効な衛星信号を検出しないことを示す、送ることを行うようにさらに構成される。
【００９９】
第１４の態様および第１４の態様の上記の実装形態に関して、第１４の態様の第６の可能な実装形態では、トランシーバモジュールは、基地局によって送られる第２の同期ソースの構成情報を受信することであって、第２の同期ソースの構成情報は、第２のデバイスが、ユーザ機器の同期ソースとして使用されることを示す、受信することを行うようにさらに構成され、処理モジュールは、第２の同期ソースの構成情報に基づいて、第２のデバイスがＤ２Ｄリンクを介した同期ソースであると決定するように特に構成される。
【０１００】
第１４の態様および第１４の態様の上記の実装形態に関して、第１４の態様の第７の可能な実装形態では、特定の実装形態は、以下の通りである。第２のデバイスが基地局である。
【０１０１】
第１４の態様または第１４の態様の上記の実装形態のうちのいずれか１つに関して、第１４の態様の第８の可能な実装形態では、処理モジュールは、第２の同期ソースとして、第２のデバイス中で最も高い同期ソース優先度をもつデバイスを取得するように特に構成される。
【０１０２】
第１４の態様および第１４の態様の上記の実装形態に関して、第１４の態様の第９の可能な実装形態では、特定の実装形態は、以下の通りである。第２の同期ソースは、ユーザ機器の基地局であるか、または別のユーザ機器である。
【０１０３】
第１４の態様または第１４の態様の上記の実装形態のうちのいずれか１つに関して、第１４の態様の第１０の可能な実装形態では、処理モジュールは、Ｄ２Ｄリンクを介したユーザ機器の通信リソースから同期ソースに関連するリソースまたはリソースプールに切り替わるようにさらに構成される。
【０１０４】
第１４態様または第１４の態様の上記の実装形態のうちのいずれか１つに関して、第１４の態様の第１１の可能な実装形態では、トランシーバモジュールは、Ｄ２Ｄリンクを介して処理モジュールによって検出された信号の品質が、第３のしきい値より低いとき、Ｄ２Ｄリンクを介して同期信号を送信するようにさらに構成される。
【０１０５】
第１５の態様によれば、プロセッサと、送信機と、受信機とを含む別のユーザ機器が提供され、プロセッサは、送信機と受信機とを使用することによって、第１３の態様または第１３の態様の可能な実装形態のうちのいずれか１つによる方法を実行するように構成される。
【０１０６】
第１６の態様によれば、コンピュータプログラムを記憶するように構成されたコンピュータ可読記憶媒体が提供され、コンピュータプログラムは、第１３の態様または第１３の態様の可能な実装形態のうちのいずれか１つによる方法を実行するために使用される命令を含む。
【０１０７】
一態様では、本発明の実施形態における基準信号シーケンスのマッピング方法および構成方法と、基地局と、ユーザ機器とによれば、ＵＥの少なくとも１つのサブ周波数領域リソースに対応するシーケンスパラメータが決定され、基準信号が、シーケンスパラメータに基づいて生成され、送られる。このようにして、基地局は、各スケジュールされたＵＥのステータスを多重化することに基づいて基準信号シーケンス生成パラメータをフレキシブルに割り振り、それによって、マルチユーザ多重化能力を改善し、スケジューリングフレキシビリティを改善することができる。さらに、複数のサブ周波数領域リソースがあり、複数のサブ周波数領域リソースに対応するシーケンス生成パラメータが異なるとき、ＵＥ送信機の発光ピーク比がさらに低減されることができ、送信効率が改善されることができる。
【０１０８】
別の態様では、本発明の実施形態における制御情報の送信方法とユーザ機器とによれば、制御情報が周波数領域の連続の方式で送信されるので制御情報を送信するための周波数領域リソースが減衰された周波数領域リソースの範囲内に入る問題を回避するように、少なくとも１つのタイプの制御情報が、周波数領域の離散の方式でデータチャネルリソースにマッピングされる。このようにして、追加の周波数領域のダイバーシティ利得がＵＣＩ送信中に取得され得る。
【０１０９】
さらに別の態様では、本発明の実施形態における同期ソースを使用することによってＤ２Ｄ通信を実行するための方法とユーザ機器とによれば、有効な衛星信号があるとき、衛星デバイスが同期ソースとして選択され、有効な衛星信号が検出されないとき、衛星デバイス以外のデバイスが同期ソースとして選択される。このようにして、衛星信号があるのか、衛星信号がないのかにかかわらず、ＵＥは、同期ソースに基づいて同期を実行し、それによって、ユーザ機器が長時間同期ソースを紛失するので同期が失敗する問題を回避することができる。これは、ユーザ機器の同期効率を改善する。
【図面の簡単な説明】
【０１１０】
本発明の実施形態における技術的解決策についてより明らかに説明するために、以下に、実施形態または従来技術について説明するために必要な添付の図面を簡単に説明する。明らかに、以下の説明における添付の図面は、本発明のいくつかの実施形態を示しているにすぎず、当業者は、依然として、創造的な取り組みなしにこれらの添付の図面から他の図面を導出し得る。
【０１１１】
【図１】本発明の実施形態による、適用例シナリオの概略図である。
【図２】本発明の別の実施形態による、適用例シナリオの概略図である。
【図３】本発明の実施形態による、４つのタイプのＤＭＲＳの多重化の概略図である。
【図４】本発明の実施形態による、複数のＵＥによってＤＭＲＳの周波数領域リソースを共有することの概略図である。
【図５】本発明の実施形態による、基準信号の送信方法のフローチャートである。
【図６】本発明の実施形態による、ＤＭＲＳの周波数領域リソースの割振りの概略図である。
【図７】本発明の実施形態による、ＤＭＲＳの周波数領域リソースの割振りの概略図である。
【図８】本発明の実施形態による、ＤＭＲＳの周波数領域リソースの割振りの概略図である。
【図９】本発明の実施形態による、複数のＵＥによってＤＭＲＳの周波数領域リソースを共有することの概略図である。
【図１０】本発明の実施形態による、複数のＵＥによってＤＭＲＳの周波数領域リソースを共有することの概略図である。
【図１１】本発明の別の実施形態による、基準信号の送信方法のフローチャートである。
【図１２】本発明の実施形態による、サブ周波数領域リソースに対応する基準信号シーケンスの概略図である。
【図１３】本発明の実施形態による、基地局が複数のＵＥのための基準信号リソースを構成するシナリオの概略図である。
【図１４】本発明の実施形態による、制御情報を送る方法のフローチャートである。
【図１５】本発明の実施形態による、制御情報をマッピングする方式である。
【図１６】本発明の実施形態による、別の制御情報をマッピングする方式である。
【図１７】本発明の実施形態による、さらに別の制御情報をマッピングする方式である。
【図１８】本発明の実施形態による、さらに別の制御情報をマッピングする方式である。
【図１９】本発明の実施形態による、さらに別の制御情報をマッピングする方式である。
【図２０】本発明の実施形態による、さらに別の制御情報をマッピングする方式である。
【図２１】本発明の実施形態による、さらに別の制御情報をマッピングする方式である。
【図２２】本発明の別の実施形態による、デバイス間シナリオの概略図である。
【図２３】本発明の実施形態による、同期ソースを使用することによってＤ２Ｄ通信を実行するための方法のフローチャートである。
【図２４】本発明の実施形態による、ユーザ機器の概略構造図である。
【図２５】本発明の実施形態による、基地局の概略構造図である。
【図２６】本発明の別の実施形態による、ユーザ機器の概略構造図である。
【図２７】本発明のさらに別の実施形態による、ユーザ機器の概略構造図である。
【図２８】本発明のさらに別の実施形態による、ユーザ機器の概略構造図である。
【図２９】本発明の別の実施形態による、基地局の概略構造図である。
【図３０】本発明のさらに別の実施形態による、ユーザ機器の概略構造図である。
【図３１】本発明のさらに別の実施形態による、ユーザ機器の概略構造図である。
【発明を実施するための形態】
【０１１２】
以下に、本発明の実施形態における添付の図面を参照しながら本発明の実施形態における技術的解決策について明らかに完全に説明する。明らかに、説明される実施形態は、本発明の実施形態のすべてではなく一部にすぎない。創造的な取り組みなしに本発明の実施形態に基づいて当業者によって取得されるすべての他の実施形態は、本発明の保護範囲内に入るものとする。
【０１１３】
本発明における技術的解決策は、様々な通信システム、たとえば、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、およびロングタームエボリューション（Ｌｏｎｇ  Ｔｅｒｍ  Ｅｖｏｌｕｔｉｏｎ、ＬＴＥ）システムに適用され得る。
【０１１４】
ユーザ機器（ｕｓｅｒ  ｅｑｕｉｐｍｅｎｔ、ＵＥ）は、モバイル端末（ｍｏｂｉｌｅ  ｔｅｒｍｉｎａｌ）、アクセス端末、加入者ユニット、加入者局、移動局、モバイルコンソール、遠隔局、遠隔端末、モバイルデバイス、ユーザ端末、端末、ワイヤレス通信デバイス、ユーザエージェント、またはユーザ装置と呼ばれることもある。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（ｗｉｒｅｌｅｓｓ  ｌｏｃａｌ  ｌｏｏｐ、ＷＬＬ）局、携帯情報端末（ｐｅｒｓｏｎａｌ  ｄｉｇｉｔａｌ  aｓｓｉｓｔａｎｔ、ＰＤＡ）、ワイヤレス通信機能を有するハンドヘルドデバイス、ワイヤレスモデムに接続されたコンピューティングデバイスもしくは別の処理デバイス、車載デバイス、ウェアラブルデバイス、将来の５Ｇネットワーク中の端末デバイス、または将来の発展型パブリックランドモバイルネットワーク（ｐｕｂｌｉｃ  lａｎｄ  ｍｏｂｉｌｅ  ｎｅｔｗｏｒｋ、ＰＬＭＮ）ネットワーク中の端末デバイスであり得る。
【０１１５】
ネットワークデバイスは、モバイルデバイスと通信するように構成されたデバイスであり得る。ネットワークデバイスは、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）もしくは符号分割多元接続（Ｃｏｄｅ  Ｄｉｖｉｓｉｏｎ  Ｍｕｌｔｉｐｌｅ  Ａｃｃｅｓｓ、ＣＤＭＡ）中の送受信基地局（ｂａｓｅ  ｔｒａｎｓｃｅｉｖｅｒ  ｓｔａｔｉｏｎ、ＢＴＳ）であり得、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）中のノードＢ（ＮｏｄｅＢ、ＮＢ）であり得、またはＬＴＥ中の発展型ノードＢ（ｅｖｏｌｖｅｄ  ＮｏｄｅＢ、ｅＮＢもしくはｅノードＢ）もしくはアクセスポイント、もしくは車載デバイス、ウェアラブルデバイス、将来の５Ｇネットワーク中のネットワーク側デバイス、もしくは将来の発展型パブリックランドモバイルネットワーク（ｐｕｂｌｉｃ  ｌａｎｄ  ｍｏｂｉｌｅ  ｎｅｔｗｏｒｋ、ＰＬＭＮ）ネットワーク中のネットワークデバイスであり得る。
【０１１６】
図１は、本発明の実施形態による、適用例シナリオの概略図である。図１に示されるように、基地局は、セルラーリンクを使用することによってＵＥ１およびＵＥ２との送信を実行する。
【０１１７】
図２は、本発明の別の実施形態による、適用例シナリオの概略図である。図２に示されるように、ＵＥ１およびＵＥ２は、デバイス間（ｄｅｖｉｃｅ−ｔｏ−ｄｅｖｉｃｅ、Ｄ２Ｄ）リンクを使用することによって送信を実行する。サイドリンク（ｓｉｄｅｌｉｎｋ）とも呼ばれるＤ２Ｄリンクは、２つのデバイスがサードパーティを使用せずに互いと直接通信するリンクである。デバイスは、ハンドヘルドデバイス、車載デバイス、ネットワークデバイスなどであり得る。これは、本発明では限定されない。
【０１１８】
図１および図２に示される適用例シナリオでは、ＵＥが基準信号を送り、複数の異なるＵＥの基準信号が１つのシンボルで現れるとき、従来技術における方法によれば、同じ基準信号シーケンスおよび（時間領域リソースと周波数領域リソースとを含む）同じ基準信号リソースを使用するＵＥの基準信号間で干渉がある。
【０１１９】
図３は、本発明の実施形態による、４つのタイプのＤＭＲＳの多重化の概略図である。図３に、７つのシンボルを含む時間周波数送信ユニット中で基準信号を多重化する場合を示す。シンボルは、シンボル０から番号付けされる。図３では、灰色のエリアは、ＤＭＲＳ信号リソースを表し、白いエリアはデータ信号リソースを表す。図３（ａ）および図３（ｂ）は、２つのシンボルの短遅延送信リソース上でのＤＭＲＳの多重化の概略図である。図３（ｃ）および図３（ｄ）は、４つのシンボルの短遅延送信リソース上でのＤＭＲＳの多重化の概略図である。図３（ａ）では、ＴＴＩ１およびＴＴＩ２中で、シンボル１（第２のシンボル）上のＤＭＲＳリソースが多重化される。図３（ｂ）では、ＴＴＩ５中で、ＴＴＩ４中のシンボル０（第１のシンボル）上のＤＭＲＳが、ＴＴＩ５中のＤＭＲＳとして使用される。図３（ｃ）では、ＴＴＩ７およびＴＴＩ８中で、シンボル３上のＤＭＲＳリソースが多重化される。図３（ｄ）では、ＴＴＩ９およびＴＴＩ１０中で、シンボル３上のＤＭＲＳリソースが多重化される。
【０１２０】
図３に示される実施形態では、ＴＴＩ１およびＴＴＩ２は、異なるＵＥにそれぞれ属することを理解されたい。たとえば、ＴＴＩ１は、ＵＥ１に属し、ＴＴＩ２は、ＵＥ２に属する。ＴＴＩ４およびＴＴＩ５と、ＴＴＩ７およびＴＴＩ８と、ＴＴＩ９およびＴＴＩ１０とはまた、異なるＵＥにそれぞれ属する。
【０１２１】
図４は、本発明の実施形態による、複数のＵＥによってＤＭＲＳの周波数領域リソースを共有することの概略図である。図４では、ＵＥ１、ＵＥ２、ＵＥ３、およびＵＥ４は、１つのＤＭＲＳシンボルを共有する。ＵＥ１とＵＥ２とは、サブバンド１の周波数領域リソースを共有する。ＵＥ１とＵＥ４とは、サブバンド２の周波数領域リソースを共有する。ＵＥ１とＵＥ３とは、サブバンド３の周波数領域リソースを共有する。
【０１２２】
図１から図４に示されるシナリオでは、複数のＵＥが、１つの基準信号シンボルを共有し、同じ周波数領域リソースを使用する。これにより、異なるＵＥがチャネル推定を実行するときに相互干渉が生じ得る。
【０１２３】
上記の問題を解決するために、本発明の実施形態は、基準信号の送信方法と、ＵＥと、ネットワークデバイスとを提案する。
【０１２４】
本発明の実施形態を理解しやすいように、最初に、本発明の実施形態の説明に導入されるいくつかの要素について本明細書で説明される。
【０１２５】
送信時間間隔（ｔｒａｎｓｍｉｓｓｉｏｎ  ｔｉｍｅ  ｉｎｔｅｒｖａｌ、ＴＴＩ）は、無線リンクを介した１つの送信によって占有される長さである。ＬＴＥでは、１つのＴＴＩは１つのサブフレームであり、ＴＴＩによって占有される時間領域リソースの長さは、２つのスロット（ｓｌｏｔ）を含む１ｍｓである。本発明では、ＴＴＩ長は、１ｍｓの持続時間にもはや限定されず、０．５ｍｓまたは２つ、４つ、７つ、もしくは６つの送信シンボルまたは別の量の送信シンボルであり得る。
【０１２６】
シーケンスパラメータは、基準信号シーケンスを生成するために使用されるパラメータである。詳細には、シーケンスパラメータは、ルートシーケンスインデックスと、サイクリックシフト値と、基準信号シーケンスの直交カバーコードとを含み得る。直交カバーコードが考慮されない適用例シナリオでは、１つの基準信号シーケンスは、ルートシーケンスインデックスとサイクリックシフト値とを使用することによって一意に決定され得る。直交カバーコードが考慮される必要のある適用例シナリオでは、１つの基準信号シーケンスは、ルートシーケンスインデックスと、サイクリックシフト値と、直交カバーコードとを使用することによって一意に決定される必要がある。
【０１２７】
基準信号は、対応する基準信号シーケンスが対応する物理リソースにマッピングされた後に形成される物理信号である。１つの基準信号は、１つまたは複数の基準信号シーケンスをマッピングすることによって取得され得る。
【０１２８】
物理リソース：本発明で言及される物理リソースは、基準信号シーケンスをマッピングすることによって取得される物理リソースであり、時間領域リソース、周波数領域リソース、符号領域リソース、（異なる空間レイヤのまたは異なる物理アンテナ上のリソースを含む）空間領域リソースなどを特に含み得る。これは、本発明では限定されない。
【０１２９】
図５は、本発明の一実施形態による基準信号送信方法のフローチャートである。図５の方法はＵＥによって実行される。図５の方法は以下のステップを含み得る。
【０１３０】
５１０：ＵＥの少なくとも１つのサブ周波数領域リソースに対応するシーケンスパラメータを決定し、１つのサブ周波数領域リソースが、１つのシーケンスパラメータに対応する。
【０１３１】
本発明のこの実施形態では、基準信号は、復調基準信号（ｄｅｍｏｄｕｌａｔｉｏｎ  ｒｅｆｅｒｅｎｃｅ  ｓｉｇｎａｌ、ＤＭＲＳ）であり得るか、同期のために使用される基準信号もしくはチャネル状態情報／インジケータ（ｃｈａｎｎｅｌ  ｓｔａｔｅｉｎｆｏｒｍａｔｉｏｎ／iｎｄｉｃａｔｏｒ、ＣＳＩ）測定のために使用される基準信号であり得るか、または測位のために使用される基準信号などであり得ることを理解されたい。これは、本発明では限定されない。説明しやすいように、本発明のこの実施形態では、説明は、一例としてＤＭＲＳを使用することによって提供される。
【０１３２】
従来技術では、基準信号のために使用されるルートシーケンス番号は、基準信号の帯域幅とは無関係である。一例として復調基準信号（ｄｅｍｏｄｕｌａｔｉｏｎ  ｒｅｆｅｒｅｎｃｅ  ｓｉｇｎａｌ、ＤＭＲＳ）を使用すると、同じセルに属する異なるＵＥによって同じスロット中で生成されるＤＭＲＳシーケンスのために使用されるルートシーケンス番号は同一である。
【０１３３】
本発明のこの実施形態では、１つのサブ周波数領域リソースは１つのシーケンスパラメータに対応し、異なるサブ周波数領域リソースに対応するシーケンスパラメータは、同じであっても異なっていてもよいことを理解されたい。
【０１３４】
たとえば、図４に示されている実施形態では、サブバンド１、サブバンド２、およびサブバンド３の各々は１つのシーケンスパラメータに対応し、これらの３つのサブバンドに対応する３つのシーケンスパラメータは、同じであっても異なっていてもよい。
【０１３５】
シーケンスパラメータは、基準信号シーケンスを生成するために使用され、ＵＥは、シーケンスパラメータに基づいて基準信号シーケンスを生成し得ることを理解されたい。
【０１３６】
本発明のこの実施形態では、少なくとも１つのサブ周波数領域リソースは、ＵＥの周波数領域リソース中にあり、基準信号を送るために使用される周波数領域リソースであることを理解されたい。たとえば、基準信号がＤＭＲＳであるとき、少なくとも１つのサブ周波数領域リソースは、ＤＭＲＳが位置するデータ帯域幅中のサブキャリアの一部または全部を含む。別の例では、基準信号が別のタイプの基準信号であるとき、基準信号のために使用される周波数領域リソースは、通信システムの全帯域幅中の連続する周波数領域リソースであり得るか、全帯域幅中の離散的な周波数領域リソースであり得るか、またはシグナリングによって示される周波数領域リソースであり得る。
【０１３７】
本発明のこの実施形態では、少なくとも１つのサブ周波数領域リソースは、基準信号シーケンスをマッピングするためにＵＥによって使用される周波数領域リソースであり、同じＵＥの異なるサブ周波数領域リソースは、異なるサブキャリアリソースを含むことを理解されたい。
【０１３８】
本発明のこの実施形態では、ＵＥは、ＵＥの周波数領域リソースを複数の周波数領域リソースセグメントに分割し得る。分割方式はプロトコルにおいて規定され得るか、または基地局が、分割を実行するようにＵＥに命令し得る。本発明のこの実施形態では、サブ周波数領域リソースは、ＵＥが周波数領域リソースを分割した後に取得される周波数領域リソースセグメントであり得るか、分割の後に取得される周波数領域リソースセグメントのサブキャリアのうちのいくつかであり得るか、または単一のサブキャリアであり得る。サブ周波数領域リソースのサブキャリアの量が１よりも大きいとき、サブ周波数領域リソースは、周波数領域において連続的であり得るか、または周波数領域において離散的であり得る。
【０１３９】
たとえば、図４に示されているシナリオでは、ＵＥ１は、ＤＭＲＳのデータ帯域幅を、サブバンド１、サブバンド２、およびサブバンド３という、３つのサブバンドに分割する。本発明のこの実施形態におけるサブ周波数領域リソースは、これらの３つのサブバンドのうちの１つ、サブバンドの奇数番号サブキャリア、サブバンドの奇数番号サブキャリアのうちのいくつか、サブバンドのサブキャリアなどであり得る。
【０１４０】
本発明のこの実施形態では、１つのサブ周波数領域リソースは１つのシーケンスパラメータに対応し、ＵＥは、少なくとも１つのサブ周波数領域リソースに対応する少なくとも１つのシーケンスパラメータを決定し得る。
【０１４１】
ＵＥの１つの周波数領域リソースセグメントが１つのシーケンスパラメータに対応するとき、周波数領域リソースセグメントの周波数領域リソースのうちのいくつかに対応するシーケンスパラメータは、周波数領域リソースセグメントに対応するシーケンスパラメータと同じであることを理解されたい。たとえば、図４に示されているサブバンド１は、１つのシーケンスパラメータに対応し、サブバンド１の奇数番号サブキャリアに対応するシーケンスパラメータは、サブバンド１に対応するシーケンスパラメータと同じである。
【０１４２】
ＵＥの１つの周波数領域リソースセグメントは、ＵＥの複数のサブ周波数領域リソースを含んでよく、複数のサブ周波数領域リソースは、必ずしも１つのシーケンスパラメータに対応するとは限らないことを理解されたい。たとえば、図４に示されているサブバンド１の奇数番号サブキャリアはシーケンスパラメータに対応することがあり、サブバンド１の偶数番号サブキャリアは別のシーケンスパラメータに対応することがあり、サブバンド１の奇数番号サブキャリアおよび偶数番号サブキャリアの各々は、ＵＥのサブ周波数領域リソースである。
【０１４３】
ＵＥは、複数の方式で、サブ周波数領域リソースに対応するシーケンスパラメータを決定し得ることを理解されたい。たとえば、ＵＥは、サブ周波数領域リソースのロケーション情報に基づいて、サブ周波数領域リソースに対応するシーケンスパラメータを決定し得るか、基地局の命令に従って、サブ周波数領域リソースに対応するシーケンスパラメータを決定し得るか、または基地局の命令およびサブ周波数領域リソースのロケーション情報に従って、サブ周波数領域リソースに対応するシーケンスパラメータを決定し得る。
【０１４４】
５２０：シーケンスパラメータに基づいて基準信号シーケンスを生成する。
【０１４５】
基準信号シーケンスは、サブ周波数領域リソースに対応するシーケンスパラメータに基づいて生成されることがあり、少なくとも１つのサブ周波数領域リソースにそれぞれ対応する少なくとも１つの基準信号シーケンスは、少なくとも１つのサブ周波数領域リソースに対応するシーケンスパラメータに基づいて生成されることがあることを理解されたい。
【０１４６】
たとえば、図４に示されているシナリオでは、ＵＥ１は、サブバンド１に対応する基準信号シーケンス、サブバンド２に対応する基準信号シーケンス、およびサブバンド３に対応する基準信号シーケンスを生成し得る。これらの３つの基準信号シーケンスは、サブバンドに対応するシーケンスパラメータに応じて、同じであっても異なっていてもよい。
【０１４７】
５３０：少なくとも１つのサブ周波数領域リソースに対応する物理リソースに基準信号シーケンスをマッピングする。
【０１４８】
特に、ＵＥは、少なくとも１つのサブ周波数領域リソースに対応する物理リソースに、少なくとも１つのサブ周波数領域リソースに対応する基準信号シーケンスをマッピングし得る。物理リソースは、時間領域リソース、周波数領域リソース、アンテナポートリソース、様々な空間フロー上のまたは様々な空間レイヤにおけるリソース、様々なビームリソースなどを含み得る。
【０１４９】
少なくとも１つのサブ周波数領域リソースに対応するシーケンスパラメータに基づいて、各サブ周波数領域リソースに対応する基準信号シーケンスを生成した後に、ＵＥは、各サブ周波数領域リソースに対応する物理リソースに、各サブ周波数領域リソースに対応する基準信号シーケンスをマッピングして、物理的信号を形成し得る。
【０１５０】
たとえば、ＵＥは、第１のサブ周波数領域リソースに対応する物理リソースに、第１のサブ周波数領域リソースに対応する第１の基準信号シーケンスをマッピングし、第２のサブ周波数領域リソースに対応する物理リソースに、第２のサブ周波数領域リソースに対応する第２の基準信号シーケンスをマッピングし得る。
【０１５１】
図４に示されているシナリオが一例として使用される。たとえば、図４に示されている実施形態では、ＵＥは、サブバンド１に対応するシーケンスパラメータに基づいて、サブバンド１に対応する基準信号シーケンスを生成することがあり、サブバンド１に対応する物理リソース（すなわち、ＤＭＲＳシンボルおよびサブバンド１によって決定された時間周波数リソース）に基準信号シーケンスをマッピングし得る。同様に、ＵＥは、サブバンド２に対応するシーケンスパラメータに基づいて、サブバンド２に対応する基準信号シーケンスを生成することがあり、サブバンド２に対応する物理リソースに基準信号シーケンスをマッピングし、サブバンド３に対応するシーケンスパラメータに基づいて、サブバンド３に対応する基準信号シーケンスを生成し、サブバンド３に対応する物理リソースに基準信号シーケンスをマッピングし得る。物理リソースに３つの基準信号シーケンスをマッピングすることによって形成される物理的信号が、ＵＥの基準信号をなす。ＵＥは、基準信号を生成した後に基準信号を送り得る。
【０１５２】
ＵＥによって物理リソースに基準信号シーケンスをマッピングする特定の実装形態では、従来技術への参照が行われ得ることを理解されたい。
【０１５３】
本発明のこの実施形態では、ＵＥは、少なくとも１つのサブ周波数領域リソースに対応するシーケンスパラメータを決定し、シーケンスパラメータに基づいて基準信号シーケンスを生成し、少なくとも１つのサブ周波数領域リソースに対応する物理リソースに基準信号シーケンスをマッピングする。このようにして、基地局は、各スケジュールされたＵＥの多重化ステータスに基づいて基準信号シーケンス生成パラメータをフレキシブルに割り振り、それにより、マルチユーザ多重化能力を改善し、スケジューリングフレキシビリティを改善することができる。
【０１５４】
さらに、本発明のこの実施形態では、ＵＥが複数のサブ周波数領域リソースを有し、それらの複数のサブ周波数領域リソースに対応するシーケンスパラメータが異なるとき、ＵＥ送信機の放出ピーク比がさらに低減され得、送信効率が改善され得る。
【０１５５】
特に、本発明のこの実施形態では、シーケンスパラメータは、ルートシーケンスインデックス、サイクリックシフト値、または基準信号シーケンスの直交カバーコードのうちの少なくとも１つを含む。
【０１５６】
直交カバーコード（ｏｒｔｈｏｇｏｎａｌ  ｃｏｖｅｒ  ｃｏｄｅ、ＯＣＣ）があるとき、基準信号シーケンスは、直交カバーコードに基づいて決定され得ることを理解されたい。ＯＣＣは、同じシンボルの異なる周波数領域リソースのために使用され得るか、または同じ周波数領域リソースの異なるシンボルのために使用され得る。ＯＣＣ長さは、要件に応じて調整されることがある。たとえば、２よりも大きいかまたはそれに等しいすべての整数が実現可能である。ＵＥ１は、物理リソース上に４つのＤＭＲＳ部分Ａ、Ｂ、Ｃ、およびＤを有し、ＵＥ２も、ＵＥ１の同じ物理リソース上に４つのＤＭＲＳ部分Ａ、Ｂ、Ｃ、およびＤを有すると仮定される。この場合、同じ基準信号を有するＵＥ１およびＵＥ２の多重化を実装するために、ＯＣＣが使用され得る。
【０１５７】
たとえば、
ＵＥ１について、基準信号生成方式は、
Ｗ１０＊Ａ、Ｗ２０＊Ｂ、Ｗ３０＊Ｃ、Ｗ４０＊Ｄであり、
ＵＥ２について、基準信号生成方式は、
Ｗ１１＊Ａ、Ｗ２１＊Ｂ、Ｗ３１＊Ｃ、Ｗ４１＊Ｄである。
【０１５８】
［Ｗ１０，Ｗ２０，Ｗ３０，Ｗ４０］はＵＥ１のＯＣＣであり、［Ｗ１１，Ｗ２１，Ｗ３１，Ｗ４１］はＵＥ２のＯＣＣである。Ａ、Ｂ、Ｃ、Ｄは、長さが１であるチップであり得るか、または長さがＮであるシーケンスであり得、Ｎは正の整数である。
【０１５９】
ＵＥ１のＯＣＣとＵＥ２のＯＣＣとの間の直交性が保証されるとすれば、ＵＥ１とＵＥ２との間の干渉のない通信は、ＯＣＣを使用することによって実装され得る。長さが２であるＯＣＣは［１，１］または［１，−１］であり得る。長さが４であるＯＣＣは、４＊４直交行列、たとえば、［１，１，１，１］、［１，−１，１，−１］、［１，１，−１，−１］、または［１，−１，−１，１］中のいずれかの行または列であり得る。
【０１６０】
特定のＯＣＣ長さでは、２つ以上のＯＣＣがあり、異なるＯＣＣは異なるインデックス値を有し得る。たとえば、長さが４であるＯＣＣでは、４つの異なるＯＣＣがあることがあり、対応して、４つの異なるＯＣＣインデックス値がある。
【０１６１】
任意選択で、一実施形態では、少なくとも１つのサブ周波数領域リソース中の第１のサブ周波数領域リソースに対応するシーケンスパラメータは、第１のサブ周波数領域リソースの第１のリソースインデックス値によって決定される。シーケンスパラメータは、ルートシーケンスインデックス、サイクリックシフト値、または基準信号シーケンスの直交カバーコードのうちの１つまたは複数を含むことがあり、第１のリソースインデックス値は、サブ周波数領域リソースのロケーションを表すために使用される。
【０１６２】
任意選択で、一実施形態では、少なくとも１つのサブ周波数領域リソース中の第１のサブ周波数領域リソースに対応する基準信号シーケンス中の少なくとも１つの生成パラメータは、第１のサブ周波数領域リソースのロケーション情報によって決定される。説明しやすいように、第１のサブ周波数領域リソースのロケーション情報を表すために第１のサブ周波数領域リソースのリソースインデックス値が使用される。第１のサブ周波数領域リソースのリソースインデックス値は、第１のサブ周波数領域リソースのインデックス値、第１のサブ周波数領域リソース中のＰＲＢのインデックス値、第１のサブ周波数領域リソース中のサブキャリアのインデックス値、第１のサブ周波数領域リソース中のサブキャリアのタイプのインデックス値などであり得る。
【０１６３】
第１のサブ周波数領域リソースは、図４に示されている実施形態中のサブバンド１であると仮定される。この場合、第１のサブ周波数領域リソースの第１のリソースインデックス値は、サブバンド１のサブバンドインデックス値、サブバンド１の最初のＰＲＢのインデックス値、サブバンド１の最後のＰＲＢのインデックス値、サブバンド１の中央のいずれかのＰＲＢのインデックス値、サブバンド１の最初のサブキャリアのインデックス値、サブバンド１の最後のサブキャリアのインデックス値、サブバンド１の中央のいずれかのサブキャリアのインデックス値などであり得る。第１のサブ周波数領域リソース中のサブキャリアのタイプのインデックス値では、たとえば、サブキャリアは離散方式で占有され、サブキャリアは、奇数番号サブキャリアまたは偶数番号サブキャリアであることがあり、インデックス０または１を使用することによって示され得る。別の例では、離散方式で、Ｍ個のサブキャリアごとに１つのサブキャリアが占有される。この場合、第１のサブ周波数領域リソースのインデックス値は、０からＭ−１の範囲内のいずれかの整数値を使用することによって示され得る。
【０１６４】
この実施形態の特定の実装形態では、サブ周波数領域リソースのリソースインデックス値とシーケンスパラメータとの間の関係が、あらかじめ定義されていることがある。たとえば、プロトコルが、リソースインデックス値とシーケンスパラメータとの間のマッピング関係のテーブルを事前に規定し得る。代替として、基地局およびＵＥは、事前にマッピング関係テーブルに関して同意していることがあり、ＵＥは、リソースインデックス値に対応する基準信号シーケンス生成パラメータについてテーブルを探索し得る。この実施形態の別の特定の実装形態では、ＵＥは、サブ周波数領域リソースのリソースインデックス値とシーケンスパラメータとの間の関数関係に基づく計算を通して、サブ周波数領域リソースに対応するシーケンスパラメータを取得し得る。
【０１６５】
以下は、サブ周波数領域リソースに対応するシーケンスパラメータが、サブ周波数領域リソースのリソースインデックス値に基づいて計算される例を使用することによって説明を提供する。特に、ＵＥの第１のサブ周波数領域リソースの第１のリソースインデックス値がｉｄｘであると仮定される。この場合、第１のサブ周波数領域リソースに対応するサイクリックシフト値、ルートシーケンスインデックス、および基準信号シーケンスの直交カバーコードのうちの１つまたは複数は、ｉｄｘの関数によって表され得る。
【０１６６】
たとえば、第１のサブ周波数領域リソースに対応するシーケンスパラメータ中のサイクリックシフト値ｃｓ＿ｉｄｘは以下の式によって表され得、
ｃｓ＿ｉｄｘ＝ｆcircle（ｉｄｘ）……………………                        式１
関数ｆcircle（ｉｄｘ）は、ｃｓ＿ｉｄｘとｉｄｘとの間の関数関係を表す。
【０１６７】
特に、以下の式２から式４は、関数ｆcircle（ｉｄｘ）のいくつかの可能な実装形態を示す。
ｃｓ＿ｉｄｘ＝ｉｄｘ  ｍｏｄ  Ｍ……………………                        式２、
ｃｓ＿ｉｄｘ＝（ｉｄｘ＋ｉｄｘ０）  ｍｏｄ  Ｍ……………………    式３、および
ｃｓ＿ｉｄｘ＝（ｉｄｘ  ｍｏｄ  Ｍ＋ｉｄｘ０）  ｍｏｄ  Ｍ……………      式４
【０１６８】
式２、式３、および式４において、Ｍは、第１のサブ周波数領域リソースに対応する基準信号シーケンスによってサポートされる最大サイクリックシフト値である。たとえば、Ｍは８または１２であり得る。ｉｄｘ０の値は、あらかじめ定義されていることがある。
【０１６９】
確かに、上記の式２から式４は例にすぎないことを理解されたい。特定の適用例では、関数ｆcircle（idｘ）は、例として使用された上記の式に限定されない。
【０１７０】
本発明のこの実施形態では、異なるサブ周波数領域リソースのために異なるサイクリックシフト値が決定され、それにより、異なるサブ周波数領域リソースに対応する基準信号シーケンスは、追加のシグナリング指示の必要なしに、サブ周波数領域リソースに対応するルートシーケンスインデックスに基づいて直接計算され得る。
【０１７１】
別の例では、第１のサブ周波数領域リソースに対応するシーケンスパラメータ中の直交カバーコードｏｃｃ＿ｉｄｘは以下の式によって表され得、
ｏｃｃ＿ｉｄｘ＝ｆocc（ｉｄｘ）……………………                          式５
関数ｆocc（ｉｄｘ）は、ｏｃｃ＿ｉｄｘとｉｄｘとの間の関数関係を表す。
【０１７２】
関数ｆocc（ｉｄｘ）の特定の式が、事前に基地局およびＵＥによって同意され得るか、またはプロトコルにおいて規定され得る。本発明のこの実施形態では、関数の特定の実装形態は限定されない。
【０１７３】
別の例では、第１のサブ周波数領域リソースに対応するシーケンスパラメータ中のルートシーケンスインデックスｒｏｏｔ＿ｉｄｘは以下の式によって表され得、
ｒｏｏｔ＿ｉｄｘ＝ｆroot（ｉｄｘ）……………………                      式６
関数ｆroot（ｉｄｘ）は、ｒｏｏｔ＿ｉｄｘとｉｄｘとの間の関数関係を表す。
【０１７４】
ルートシーケンスインデックスは、シーケンスグループホッピングおよびシーケンスホッピングによって決定される。したがって、第１のサブ周波数領域リソースに対応するルートシーケンスインデックスは、代替として、シーケンスグループホッピングおよびシーケンスホッピングの関数として表されることがあり、以下の式によって表され、
ｆroot（ｉｄｘ）＝ｆroot（ｕ（ｉｄｘ），ｖ（ｉｄｘ））……………………  式７
ｕ（ｉｄｘ）は、第１のサブ周波数領域リソースに対応するルートシーケンスインデックスのシーケンスグループホッピングを表し、ｖ（ｉｄｘ）は、第１のサブ周波数領域リソースに対応するルートシーケンスインデックスのシーケンスホッピングを表す。
【０１７５】
たとえば、既存のＬＴＥプロトコルでは、ルートシーケンスインデックスは以下の方式で定義され、
【０１７６】
【数１】
2019527972.tif 000049
【０１７７】
、および
【０１７８】
【数２】
2019527972.tif 000050
【０１７９】
、ただし
【０１８０】
【数３】
2019527972.tif 000051
【０１８１】
はシーケンス長である。
【０１８２】
任意選択で、第１のルートシーケンスインデックスのシーケンスグループホッピングおよび／またはシーケンスホッピングは第１のリソースインデックス値によって決定され、第１のルートシーケンスインデックスは、第１のサブ周波数領域リソースに対応するシーケンスパラメータ中のルートシーケンスインデックスである。
【０１８３】
既存のＬＴＥにおけるシーケンスグループホッピングｕは以下のグループホッピング式によって表され得、
ｕ＝（ｆgh（ｎs）＋ｆss）  ｍｏｄ  ３０……………………                 式８
ｆgh（ｎs）は基準信号シーケンスのグループホッピングモードを表し、ｆssは基準信号シーケンスのシーケンスシフトモードを表す。
【０１８４】
本発明のこの実施形態の特定の実装形態では、シーケンスグループホッピングｕは以下のグループホッピング式によって表される。
ｕ＝（ｆgh（ｎs）＋ｆss＋ｉｄｘ）  ｍｏｄ  ３０……………………         式９
【０１８５】
言い換えれば、第１のサブ周波数領域リソースに対応するルートシーケンスインデックスのシーケンスグループホッピングは、第１のリソースインデックス値によって決定され得る。
【０１８６】
加えて、式７から、シーケンスグループホッピングは、基準信号シーケンスのグループホッピングモードおよび基準信号シーケンスのシーケンスシフトモードによって決定されることがわかる。したがって、本発明のこの実施形態では、第１のリソースインデックス値に基づいてシーケンスのグループホッピングモードおよび／またはシーケンスシフトモードがさらに決定されて、シーケンスグループホッピングが決定され、最終的にルートシーケンスインデックスが決定され得る。
【０１８７】
従来技術では、基準信号シーケンスのグループホッピングモードｆgh（ｎs）は以下の式によって表され得、
【０１８８】
【数４】
2019527972.tif 000052
【０１８９】
ｎsはスロット番号を表し、ｃ（８ｎs＋ｉ）は擬似ランダムシーケンスの表現を表す。
【０１９０】
本発明のこの実施形態の特定の実装形態では、基準信号シーケンスのグループホッピングモードｆgh（ｎs）は以下のグループホッピング式によって表され得る。
【０１９１】
【数５】
2019527972.tif 000053
【０１９２】
言い換えれば、第１のサブ周波数領域リソースに対応するルートシーケンスインデックスのシーケンスグループホッピングモードは、第１のリソースインデックス値によって決定され得る。
【０１９３】
従来技術では、基準信号シーケンスのシーケンスシフトモード
【０１９４】
【数６】
2019527972.tif 000054
【０１９５】
は以下の式によって表され得、
【０１９６】
【数７】
2019527972.tif 000055
【０１９７】
Δssは、基地局によって示されるオフセットパラメータである。
【０１９８】
本発明のこの実施形態の特定の実装形態では、基準信号シーケンスのシーケンスシフトモード
【０１９９】
【数８】
2019527972.tif 000056
【０２００】
は以下のグループホッピング式によって表され得る。
【０２０１】
【数９】
2019527972.tif 000057
【０２０２】
言い換えれば、第１のサブ周波数領域リソースに対応するルートシーケンスインデックスのシーケンスシフトモードは、第１のリソースインデックス値によって決定され得る。
【０２０３】
さらに、従来技術では、
【０２０４】
【数１０】
2019527972.tif 000058
【０２０５】
は以下の式によって表され得る。
【０２０６】
【数１１】
2019527972.tif 000059
【０２０７】
本発明のこの実施形態の特定の実装形態では、
【０２０８】
【数１２】
2019527972.tif 000060
【０２０９】
は以下のグループホッピング式によって表され得る。
【０２１０】
【数１３】
2019527972.tif 000061
【０２１１】
本発明のこの実施形態では、サブ周波数領域リソースのリソースインデックス値に基づいて、異なるサブ周波数領域リソースのために異なるルートシーケンスインデックスが決定されて、基準信号シーケンスの使用フレキシビリティが改善され、１つの基準信号シーケンスが複数の異なるサブ周波数領域リソース中に現れる確率が低減され、基準信号シーケンスのピーク対平均値比がさらに低減され、それにより、基準信号を送信するデバイスの電力増幅器効率が改善される。
【０２１２】
加えて、本発明のこの実施形態における方法によれば、基地局は、追加のシグナリング指示を送る必要がなく、したがって、基地局側のシグナリングオーバーヘッドがさらに低減され得る。
【０２１３】
任意選択で、別の実施形態では、本方法は、第１の情報を取得するステップであって、第１の情報が、少なくとも１つのサブ周波数領域リソースに対応する少なくとも１つのシーケンスパラメータを示すために使用される、取得するステップをさらに含むことがあり、ステップ５２０は、第１の情報に基づいて、少なくとも１つのサブ周波数領域リソースに対応する少なくとも１つのシーケンスパラメータを決定するステップとして特に実装されることがある。
【０２１４】
特に、シーケンスパラメータは、ルートシーケンスインデックス、サイクリックシフト値、または基準信号シーケンスの直交カバーコードのうちの１つまたは複数であり得る。たとえば、第１の情報が、少なくとも１つのサブ周波数領域リソースに対応するルートシーケンスインデックスを示すために使用されるとき、ステップ５２０では、少なくとも１つのサブ周波数領域リソースに対応するルートシーケンスインデックスが決定され得るか、または第１の情報が、少なくとも１つのサブ周波数領域リソースに対応するサイクリックシフト値および直交カバーコードを示すために使用されるとき、ステップ５２０では、少なくとも１つのサブ周波数領域リソースに対応するサイクリックシフト値および直交カバーコードが決定され得る。
【０２１５】
第１の情報は、基地局によってＵＥに送られ得るか、またはあらかじめ定義され得る、たとえば、プロトコルにおいて事前に規定され得ることを理解されたい。
【０２１６】
第１の情報によって示されるシーケンスパラメータは、絶対値であり得るかまたは相対値であり得ることを理解されたい。
【０２１７】
説明は、図４に示されているシナリオ中のＵＥ１の例を参照しながら、一例としてサイクリックシフト値を使用することによって提供される。
【０２１８】
たとえば、基地局は、ＵＥ１に第１の情報を送ることがあり、第１の情報は、サブバンド１、サブバンド２、およびサブバンド３にそれぞれ対応するサイクリックシフト値を示し得る。別の例では、基地局は、ＵＥ１に第１の情報を送ることがあり、第１の情報は、サブバンド１に対応するサイクリックシフト値、サブバンド２に対応するサイクリックシフト値とサブバンド１に対応するサイクリックシフト値との間の差、およびサブバンド３に対応するサイクリックシフト値とサブバンド１に対応するサイクリックシフト値との間の差を含み得る。別の例では、基地局は、ＵＥ１に第１の情報を送り、第１の情報中のサブバンド１、サブバンド２、およびサブバンド３の指示情報順序を使用することによって、サブバンド１、サブバンド２、およびサブバンド３にそれぞれ対応するサイクリックシフト値を暗黙的に示し得る。ＵＥ１は、第１の情報に基づいて、サブバンド１、サブバンド２、およびサブバンド３にそれぞれ対応するサイクリックシフト値を決定し得る。
【０２１９】
別の例では、ＵＥは、代替として、あらかじめ定義された方式でサイクリックシフト値を決定し得る。たとえば、基準信号シーケンスのサイクリックシフト値は、ＵＥの識別子に基づいて決定され得る。ここでのＵＥの識別子は、ＵＥの無線ネットワーク一時識別子(rａｄｉｏ  ｎｅｔｗｏｒｋ  tｅｍｐｏｒａｒｙ  ｉｄｅｎｔｉｆｉｅｒ、ＲＮＴＩ）であり得るか、またはＵＥのＭＡＣアドレス中のビットの全部もしくは一部であり得る。基準信号シーケンスのサイクリックシフト値は、ＵＥの識別子ＩＤ、たとえば、ＩＤ  ｍｏｄ  Ｍに基づいて決定される。ここでは、Ｍは、基準信号シーケンスのサイクリックシフトの量である。
【０２２０】
本発明のこの実施形態では、ＵＥのシーケンスパラメータは、基地局によって送られる指示情報に基づいて構成され、それにより、基地局は、各ＵＥの基準信号シーケンスに対する完全な制御を実装して、スケジューリングフレキシビリティを保証することができる。
【０２２１】
加えて、本発明のこの実施形態における方法によれば、システムパフォーマンスは、ＵＥのシーケンスパラメータの構成を通してさらに最適化され得る。
【０２２２】
任意選択で、さらに別の実施形態では、本方法は、第１の情報を取得するステップであって、第１の情報が、少なくとも１つのサブ周波数領域リソースに対応する少なくとも１つのシーケンスパラメータを示すために使用される、取得するステップをさらに含むことがあり、ステップ５２０は、第１の情報および少なくとも１つのサブ周波数領域リソースに対応するリソースインデックス値に基づいて、少なくとも１つのサブ周波数領域リソースに対応する少なくとも１つのシーケンスパラメータを決定するステップとして特に実装されることがある。
【０２２３】
特に、ＵＥは、第１の情報によって示される第１の生成パラメータに基づいて第１の生成パラメータインジケータ値を決定し、第１のサブ周波数領域リソースの第１のリソースインデックス値に基づいて、第１のサブ周波数領域リソースに対応する第１の生成パラメータオフセット値を決定し、第１の生成パラメータインジケータ値および第１の生成パラメータオフセット値に基づいて、第１のサブ周波数領域リソースに対応する第１の生成パラメータを決定し得る。第１の生成パラメータは、第１のサブ周波数領域リソースに対応するシーケンスパラメータのうちの１つであり、第１のサブ周波数領域リソースは、少なくとも１つのサブ周波数領域リソースのいずれか１つである。第１の生成パラメータインジケータ値は、基地局によって構成され第１の生成パラメータに関係するパラメータであり、第１の生成パラメータオフセット値は、第１のサブ周波数領域リソースのリソースインデックス値に関係する第１の生成パラメータの数値であることを理解されたい。
【０２２４】
たとえば、式３および式４において、ｉｄｘ０は、第１の情報中に示される第１のサブ周波数領域リソースのサイクリックシフトインジケータ値であり得、ｉｄｘは、第１のサブ周波数領域リソースの第１のリソースインデックス値に基づいて決定されたサイクリックシフトオフセット値であり得る。ＵＥは、ｉｄｘおよびｉｄｘ０に基づいて、第１のサブ周波数領域リソースに対応するサイクリックシフト値を決定し得る。
【０２２５】
別の例では、基地局によってＵＥに送られる第１の情報は、サイクリックシフトインジケータ値ｃｓ０およびルートシーケンスインデックスインジケータ値ｒｏｏｔ０を含むことがあり、ｃｓ０とｒｏｏｔ０の両方は、基地局によって示される生成パラメータである。ＵＥは、サブ周波数領域リソースのリソースインデックス値に基づいてサイクリックシフトオフセット値Δｃｓ＿ｉｄｘおよびルートシーケンスインデックスオフセット値Δｒｏｏｔ＿ｉｄｘをさらに決定し得、Δｃｓ＿ｉｄｘとΔｒｏｏｔ＿ｉｄｘの両方は、リソースロケーションに対応する生成パラメータである。
【０２２６】
ＵＥは、ｃｓ０およびΔｃｓ＿ｉｄｘに基づいて、サブ周波数領域リソースに対応するサイクリックシフト値ｃｓ＿ｉｄｘを決定し得る。たとえば、ｃｓ＿ｉｄｘは以下の式によって表され得る。
ｃｓ＿ｉｄｘ＝（ｃｓ０＋Δｃｓ＿ｉｄｘ）  ｍｏｄ  Ｍ……………………    式１６
【０２２７】
ＵＥは、ｒｏｏｔ０およびΔｒｏｏｔ＿ｉｄｘに基づいて、サブ周波数領域リソースに対応するルートシーケンスインデックスｒｏｏｔ＿ｉｄｘを決定し得る。たとえば、ｒｏｏｔ＿ｉｄｘは以下の式によって表され得る。
ｒｏｏｔ＿ｉｄｘ＝（ｒｏｏｔ０＋Δｒｏｏｔ＿ｉｄｘ）  ｍｏｄ  Ｎ……    式１７
【０２２８】
Δｃｓ＿ｉｄｘの計算式については、式１から式４を参照されたい。Δｒｏｏｔ＿ｉｄｘの計算式については、式６から式１５を参照されたい。
【０２２９】
たとえば、ＵＥ１は３つのＤＭＲＳサブバンドを有し、サブバンドのｉｄｘはそれぞれ１、２、および３であると仮定される。第１の情報は、ＵＥ１の第１のサブバンドのｃｓ０の値が３であり、第１のサブバンドのｒｏｏｔ０の値が７であり、Ｍの値が８であり、Ｎの値が３０であることを示すと仮定される。この場合、ＵＥ１の３つのサブバンドのパラメータは以下の通りである。
ｃｓ＿１＝３、ｒｏｏｔ＿１＝７、
ｃｓ＿２＝（ｃｓ０＋Δｃｓ＿ｉｄｘ）  ｍｏｄ  Ｍ＝（３＋１）  ｍｏｄ  Ｍ＝４、
ｒｏｏｔ＿２＝（ｒｏｏｔ０＋Δｒｏｏｔ＿ｉｄｘ）  ｍｏｄ  Ｎ＝（７＋１）  ｍｏｄ  Ｎ＝８、
ｃｓ＿３＝（ｃｓ０＋Δｃｓ＿ｉｄｘ）  ｍｏｄ  Ｍ＝（３＋２）  ｍｏｄ  Ｍ＝５、および
ｒｏｏｔ＿３＝（ｒｏｏｔ０＋Δｒｏｏｔ＿ｉｄｘ）  ｍｏｄ  Ｎ＝（７＋２）  ｍｏｄ  Ｎ＝９
【０２３０】
確かに、上記の計算式は例にすぎないことを理解されたい。本発明のこの実施形態では、別の式があり得る。これは、本発明では限定されない。
【０２３１】
本発明のこの実施形態では、生成パラメータインジケータ値は、基地局によって送られた第１の情報に基づいて取得され、サブ周波数領域リソースに対応する生成パラメータオフセット値は、サブ周波数領域リソースのリソースインデックス値に基づいて取得されて、シーケンスパラメータが決定される。これは、ネットワーク側のエアインターフェース指示シグナリングオーバーヘッドを低減することができ、スケジューリングフレキシビリティを保証することができる。
【０２３２】
確かに、ＵＥは、サブ周波数領域リソースのリソースインデックス値に基づいてシーケンスパラメータを決定すること、基地局によって送られた第１の情報に基づいてシーケンスパラメータを決定すること、またはサブ周波数領域リソースのリソースインデックス値および基地局によって送られた第１の情報に基づいてシーケンスパラメータを決定することという、上記の３つの方式のうちの１つまたは複数の組合せをフレキシブルに使用することによって生成パラメータを決定し得ることを理解されたい。たとえば、特定の方式では、ルートシーケンスインデックスは、サブ周波数領域リソースのリソースインデックス値に基づいて決定されることがあり、サイクリックシフト値は、基地局によって送られた第１の情報に基づいて決定されることがあり、直交カバーコードは、サブ周波数領域リソースのリソースインデックス値および基地局によって送られた第１の情報に基づいて決定されることがある。
【０２３３】
加えて、ＵＥのサブ周波数領域リソースのシーケンスパラメータを示すとき、基地局は、サブ周波数領域リソースよりも大きい周波数領域リソースについてのシーケンスパラメータを示し得る。周波数領域リソースは同じシーケンスパラメータを使用する。たとえば、基地局は、サブバンド１中でＵＥ１のシーケンスパラメータを示し得るが、ＵＥ１は、サブバンド１の奇数番号サブキャリア上でのみ基準信号を送る。
【０２３４】
任意選択で、第１の情報は、ユーザ機器固有（ＵＥ−Ｓｐｅｃｉｆｉｃ）メッセージおよび／またはセル固有（Ｃｅｌｌ−Ｓｐｅｃｉｆｉｃ）メッセージを使用することによって送信される。
【０２３５】
ＵＥ固有のメッセージを使用することによって第１の情報を送信することによって、基地局は、すべてのＵＥについて異なる基準信号シーケンス生成パラメータを構成し得、それにより、スケジューリングはよりフレキシブルになる。
【０２３６】
セル固有のメッセージを使用することによって第１の情報を送信することによって、基地局は、送られる指示シグナリングの量を部分的に低減し、それにより、ネットワーク側のシグナリングオーバーヘッドをさらに低減し得る。
【０２３７】
ＵＥ固有のメッセージとセル固有のメッセージの両方を使用することによって第１の情報を送信すること、たとえば、セル固有を使用することによって基準信号シーケンスを送信し、ＵＥ固有を使用することによってサイクリックシフト値および直交カバーコードを送信することによって、基地局は、送られる指示シグナリングの量を低減し、それにより、シーケンスパラメータ構成フレキシビリティを保証しながらネットワーク側のシグナリングオーバーヘッドを低減し得る。
【０２３８】
任意選択で、図５に示されている実施形態における方法は、ステップ５０１：少なくとも１つのサブ周波数領域リソースを決定する、をさらに含み得る。
【０２３９】
時間的にステップ５０１とステップ５１０との間に直接的な連続関係はないことを理解されたい。たとえば、図４に示されている適用例シナリオでは、基地局は、サブバンド１、サブバンド２、およびサブバンド３に対応するシーケンスパラメータをＵＥ１に送り得る。加えて、基地局は、ＤＭＲＳを送るために使用されるサブ周波数領域リソースに関する情報をＵＥ１に送って、サブバンド１のすべてのサブキャリア、サブバンド２の奇数番号サブキャリア、およびサブバンド３の偶数番号サブキャリア上でＤＭＲＳを送るようにＵＥ１に命令し得る。サブバンド２の奇数番号サブキャリアに対応するシーケンスパラメータは、サブバンド２に対応するシーケンスパラメータと同じであり、サブバンド３の偶数番号サブキャリアに対応するシーケンスパラメータは、サブバンド３に対応するシーケンスパラメータと同じである。
【０２４０】
特に、ＵＥは、複数の方式で少なくとも１つのサブ周波数領域リソースを決定し得る。
【０２４１】
この実施形態の特定の実装形態では、少なくとも１つのサブ周波数領域リソースは、シグナリングによって示されるか、またはあらかじめ定義されているかもしくはあらかじめ構成されている。
【０２４２】
少なくとも１つのサブ周波数領域リソースは、あらかじめ定義されており、たとえば、少なくとも１つのサブ周波数領域リソースは、プロトコルにおいて規定されていることがある。特に、たとえば、プロトコルは、リソース全体中のＵＥのサブ周波数領域リソースのロケーションが、ＵＥの識別子に基づいて決定されることを規定し得る。ここでのＵＥの識別子は、ＵＥの無線ネットワーク一時識別子（ｒａｄｉｏ  ｎｅｔｗｏｒｋ  ｔｅｍｐｏｒａｒｙ  ｉｄｅｎｔｉｆｉｅｒ、ＲＮＴＩ）であり得るか、またはＵＥのＭＡＣアドレス中のビットの全部もしくは一部であり得る。サブ周波数領域リソースのロケーションは、ＵＥの識別子ＩＤ、たとえば、ＩＤ  ｍｏｄ  Ｍに基づいて決定される。ここでは、Ｍは、サブ周波数領域リソースロケーションの可能な量である。
【０２４３】
少なくとも１つのサブ周波数領域リソースは、事前構成されており、たとえば、ユーザは、ＵＥ上にサブ周波数領域リソース指示情報を事前構成し得る。
【０２４４】
この実施形態の別の特定の実装形態では、本方法は、基地局によって送られた第２の情報を受信するステップであって、第２の情報が、少なくとも１つのサブ周波数領域リソースのロケーションを示すために使用される、受信するステップをさらに含むことがあり、ステップ５０１は、第２の情報に基づいて、少なくとも１つのサブ周波数領域リソースを決定するステップとして特に実装され得る。
【０２４５】
任意選択で、第２の情報は、基準信号を送るためにＵＥによって使用されるサブ周波数領域リソースとして連続するサブキャリアの少なくとも１つのセグメントを示し得る。
【０２４６】
たとえば、図４に示されている実施形態では、サブバンド１、２、および３のサブバンドインデックスは、第２の情報を使用することによってＵＥ１に送られて、サブバンド１、２、および３は、基準信号を送るための周波数領域リソースとして使用され得ることがＵＥ１に示される。この場合、各サブバンドがサブ周波数領域リソースである。
【０２４７】
代替として、任意選択で、第２の情報は、連続するサブキャリアの少なくとも１つのセグメントを示すことがあり、ＵＥは、基準信号を送るためにＵＥによって使用される周波数領域リソースとして、あらかじめ定義されているサブキャリア選択ルールに従って、連続するサブキャリアからそのルールを満たすサブキャリアセットを選択する。この場合、連続するサブキャリアの各セグメント中のサブキャリア選択ルールを満たすサブキャリアセットは、サブ周波数領域リソースとして使用される。
【０２４８】
あらかじめ定義されているサブキャリア選択ルールは、たとえば、連続するサブキャリア中のサブキャリアのタイプのインデックス値であり得る。特に、たとえば、サブキャリアは離散方式で占有され、サブキャリアは、奇数番号サブキャリアまたは偶数番号サブキャリアであることがあり、インデックス０または１を使用することによって示され得る。別の例では、離散方式で、Ｍ個のサブキャリアごとに１つのサブキャリアが占有される。この場合、サブバンドのインデックス値は、０からｍ−１の範囲内のいずれかの整数値を使用することによって示され得る。加えて、サブバンド中のＵＥのサブキャリアのインデックス値は、ＵＥの識別子ＩＤ、たとえば、ＩＤ  ｍｏｄ  Ｍに基づいて決定され得る。
【０２４９】
図６は、本発明の一実施形態によるＤＭＲＳ周波数領域リソース割振りの概略図である。図６に示されているように、ＵＥ１はＤＭＲＳ帯域幅中の偶数番号サブキャリアを占有し、ＵＥ２はＤＭＲＳ帯域幅中の奇数番号サブキャリアを占有する。
【０２５０】
図６に示されているシナリオでは、たとえば、ＵＥ１のためのあらかじめ定義されているサブキャリア選択ルールは、偶数番号サブキャリアを占有することであり得る。基準信号を送るために使用される周波数領域リソースをＤＭＲＳ帯域幅から選択するように第２の情報がＵＥに命令したとき、ＵＥ１は、基準信号を送るための周波数領域リソースとしてＤＭＲＳ帯域幅中の偶数番号サブキャリアを選択し得る。
【０２５１】
代替として、任意選択で、第２の情報は、連続するサブキャリアリソース、およびその連続するサブキャリアリソースに対応するサブキャリア指示を示し得る。サブキャリア指示は、連続するサブキャリアリソース中で、基準信号を送るために使用されるサブキャリアを示すために使用される。
【０２５２】
図７は、本発明の一実施形態によるＤＭＲＳ周波数領域リソース割振りの概略図である。図７に示されているように、ＵＥ１は、ＤＭＲＳ帯域幅中の偶数番号サブキャリアを占有し、ＵＥ２は、ＤＭＲＳ帯域幅中の第２から第７の奇数番号サブキャリアを占有し、ＵＥ３は、ＤＭＲＳ帯域幅中の第８から第１１の奇数番号サブキャリアを占有する。
【０２５３】
図７に示されているように、基地局によってＵＥ１に送られた第２の情報は、サブバンド１の偶数番号サブキャリアを使用するようにＵＥ１に命令し、基地局によってＵＥ２に送られた第２の情報は、サブバンド１の第２の奇数番号サブキャリアから開始して、６つの奇数番号サブキャリアを使用するようにＵＥ２に命令し、基地局によってＵＥ３に送られた第２の情報は、サブバンド１の第８の奇数番号サブキャリアから開始して、４つの奇数番号サブキャリアを使用するようにＵＥ３に命令する。
【０２５４】
第２の情報は、連続するサブキャリアリソースの少なくとも１つのセグメントを示すことがあり、連続するサブキャリアリソースのすべてのセグメントに対応するサブキャリア指示は、同じであっても異なっていてもよいことを理解されたい。たとえば、第２の情報は、サブバンド１中では奇数番号サブキャリアを使用し、サブバンド２中では偶数番号サブキャリアを使用するようにＵＥに命令し得る。
【０２５５】
図８は、本発明の一実施形態によるＤＭＲＳ周波数領域リソース割振りの概略図である。図８に示されている実施形態のシナリオは、図６に示されている実施形態においてＵＥ１とＵＥ２が完全に同期されていないシナリオとして考えられ得る。たとえば、図８に示されているように、ＵＥ１とＵＥ２が完全に同期されていないとき、ＤＭＲＳ送信のためのＵＥ１およびＵＥ２のリソース（サブキャリアまたは時間領域シンボル）は部分的に重複する。ＵＥ１およびＵＥ２によって送られたＤＭＲＳのために使用されるシーケンスが等しい場合、基地局の受信機に干渉が引き起こされ、その結果、基地局の受信機は、これらの２つの異なるＵＥを区別するのに困難を有する。
【０２５６】
本発明のこの実施形態では、ＵＥは、基地局によって示される周波数領域リソースロケーションに基づいてサブ周波数領域リソースを決定する。これは、異なるＵＥ間でリソースのフレキシブルなＤＭＲＳ多重化を実装し、それにより、基地局のスケジューリングフレキシビリティを改善することができる。
【０２５７】
特に、本発明のこの実施形態における方法によれば、ＵＥが単一のサブバンドを使用することによってＤＭＲＳを送ったとき、単一のＤＭＲＳサブバンドを用いるＵＥに対する帯域幅制限が低減され得る。
【０２５８】
さらに、第２の情報は、少なくとも１つのサブ周波数領域リソースの多重化方式をさらに含み得る。本発明では、各サブ周波数領域リソースの多重化方式は、情報の以下のタイプのうちの少なくとも１つを示すために使用される。
サブ周波数領域リソース上のＵＥと別のＵＥとの間の周波数領域リソース多重化関係、
ＵＥと別のＵＥとの間に基準信号リソース多重化があるかどうか、または
ＵＥが基準信号を使用する帯域幅中で基準信号リソースを使用する方式
【０２５９】
任意選択で、多重化方式は、周波数分割多重化、符号分割多重化、およびリソース共有などの多重化方式のうちの少なくとも１つを含み得る。
【０２６０】
たとえば、ＦＤＭ方式が使用される場合、サブ周波数領域リソースは、基準信号の帯域幅中の離散的なサブキャリアを占有し、ＣＤＭ多重化方式が使用される場合、サブ周波数領域リソースは、基準信号の帯域幅中の連続するサブキャリアを占有し、ＦＤＭとＣＤＭを組み合わせる多重化方式が使用される場合、サブ周波数領域リソースは、基準信号の帯域幅中の離散的なサブキャリアを占有し、サブ周波数領域リソースに対応するシーケンスパラメータが構成される。
【０２６１】
任意選択で、別の例では、多重化方式は、同じ基準信号リソースセット中の異なるＵＥ間に多重化関係があるかどうかを示すために使用され得る。多重化関係がある場合、リソースが多重化されたリソースセット上の送信電力基準は、ＵＥについて異なり得る。
【０２６２】
サブ周波数領域リソース上のＵＥと別のＵＥとの間の周波数領域リソース多重化関係を示すために使用されることに加えて、多重化方式は、第２の情報中の他の周波数領域リソース指示情報またはＵＥのあらかじめ定義されている周波数領域リソース指示情報に関して少なくとも１つのサブ周波数領域リソースを示すためにさらに使用され得ることを理解されたい。
【０２６３】
たとえば、図６に示されている実施形態では、第２の情報は、ＵＥ１によって使用される多重化方式がＦＤＭ方式を含むことを示し、ＵＥ１のためのあらかじめ定義されているサブキャリア選択ルールは、偶数番号サブキャリアを占有することであり得る。この場合、ＵＥ１は、基準信号を送るための周波数領域リソースとしてＤＭＲＳ帯域幅中の偶数番号サブキャリアを選択し得る。
【０２６４】
第２の情報は、無線リソース制御（ｒａｄｉｏ  ｒｅｓｏｕｒｃｅ  ｃｏｎｔｒｏｌ、ＲＲＣ）メッセージもしくはシステム情報ブロック（ｓｙｓｔｅｍ  ｉｎｆｏｒｍａｔｉｏｎ  ｂｌｏｃｋ、ＳＩＢ）メッセージなどの静的シグナリングを使用することによって送信され得るか、ダウンリンク制御情報（ｄｏｗｎｌｉｎｋ  ｃｏｎｔｒｏｌ  ｉｎｆｏｒｍａｔｉｏｎ、ＤＣＩ）メッセージなどの動的シグナリングを使用することによって送信され得るか、またはＤＣＩメッセージとＲＲＣメッセージもしくはＳＩＢメッセージの両方を使用することによって送信され得ることを理解されたい。
【０２６５】
任意選択で、一実施形態では、第２の情報は、ＤＣＩメッセージなどの動的シグナリングを使用することによって送信され得る。
【０２６６】
特定の実装形態では、基地局は、サブバンド分割方式を構成することなしに、基準信号のためにＵＥによって使用される周波数領域リソースに基づいてＵＥのための構成を実行し得る。そのような方式は、単一のＵＥの基準信号送信には最適であり、ＵＥは、ＵＥおよび隣接するＵＥが同じ基準信号シンボルを有するかどうかに関して心配する必要なしに、ＵＥの基準信号送信のための周波数領域リソースがいくつのサブバンドに分割されるのか、サブバンドサイズおよびロケーション、ならびに各サブバンドに対応するシーケンスパラメータのみを知る必要がある。
【０２６７】
特に、たとえば、基地局は、最小送信サブバンドリソースブロックグループ（ｒｅｓｏｕｒｃｅ  ｂｌｏｃｋ  ｇｒｏｕｐ、ＲＢＧ）を定義し、各サブバンドのサイズ、たとえば、４、６、８、または１０個のＲＢＧを定義することがある。言い換えれば、ＵＥに割り振られる帯域幅はＲＢＧの整数倍である必要がある。基地局は、ビットマップ方式で１つのサブバンドのＲＢＧを示し得る。
【０２６８】
表１は、本発明の一実施形態による、基地局によってＵＥ１およびＵＥ２のために構成されている別のリソース割振り指示である。
【０２６９】
【表１】
2019527972.tif 000062
【０２７０】
指示方式で、表１に示されているように、ＵＥ１は３つの連続するＲＢＧを占有し、サブバンド使用は、第２の情報中で００１として表される。これは、分割を通して２つのサブバンドが取得されたことを示す。具体的には、インデックス１および２をもつＲＧＢは１つのサブバンドであり、ＲＢＧ３は１つのサブバンドである。同様に、ＵＥ２のために分割を通して２つのサブバンドが取得され、ＲＢＧ３はサブバンド１であり、ＲＢＧ４およびＲＢＧ５はサブバンド２である。言い換えれば、第２の情報中では、インデックスが同じ指示を有するＲＢＧは、１つのサブバンドであり、インデックスが異なる指示を有するＲＢＧは、別のサブバンドである。
【０２７１】
さらに、表１に示されているシナリオでは、異なる多重化方式を示すために０および１がさらに使用され得る。代替として、１は、多重化方式があることを示すために使用され、０は、多重化方式がないことを示すために使用されるなどする。
【０２７２】
本発明のこの実施形態では、第２の情報は、ＤＣＩなどの動的シグナリングを使用することによって送信され得、それにより、基地局は、より動的およびフレキシブルに基準信号のための周波数領域リソース構成を示す。このようにして、基地局は、異なるＵＥの実際の周波数領域リソース多重化ステータスに応じて、基準信号のためのリソース構成を示すことができる。
【０２７３】
任意選択で、一実施形態では、第２の情報は、ＲＲＣメッセージまたはＳＩＢメッセージなどの静的シグナリングを使用することによって送信され得る。
【０２７４】
表２は、本発明の一実施形態による、基地局によってＵＥ１およびＵＥ２のために構成されているリソース割振り指示である。
【０２７５】
【表２】
2019527972.tif 000063
【０２７６】
表において、多重化方式１はＦＤＭを表し、多重化方式０はＣＤＭを表し、送信帯域幅１は占有されていることを表す。
【０２７７】
表２に示されているように、ＵＥ１の送信帯域幅は、対応するサブバンド１、２、および３であり、多重化方式はそれぞれ０、０、および１である。言い換えれば、ＵＥ１は、サブバンド１および２ではＣＤＭを実行し、サブバンド３ではＦＤＭを実行する。ＵＥ２の送信帯域幅は、対応するサブバンド３および４であり、多重化方式はそれぞれ１および０である。言い換えれば、ＵＥ２は、サブバンド３ではＦＤＭを実行し、サブバンド４ではＣＤＭを実行する。
【０２７８】
ＵＥ１は、サブバンド１および２においてＣＤＭを実行し、サブバンド１および２がサブ周波数領域リソースであると決定し得る。すなわち、ＵＥ１は、サブバンド１および２を使用することによって基準信号を送る。ＵＥ２は、サブバンド４においてＣＤＭを実行し、サブバンド４がサブ周波数領域リソースであると決定し得る。すなわち、ＵＥ２は、サブバンド４全体を使用することによって基準信号を送る。
【０２７９】
確かに、ＵＥの送信中に割り振られる帯域幅は、必ずしも基地局による分割を通して取得されたサブバンドの整数倍とは限らないことを理解されたい。たとえば、ＵＥ２によって占有されるサブバンド４は、代替として、サブバンド中のＰＲＢの一部のみであり得る。たとえば、基地局は、サブバンド４の６つのＰＲＢを使用するようにＵＥ２に命令するためのサブキャリア指示をさらに送るが、ＵＥ２は、サブバンド中では、サブバンドについて示されているように基準信号多重化方式を依然として使用する。
【０２８０】
たとえば、図４に示されている実施形態において、基地局によってＵＥ１に送られる第２の情報がサブバンド１、２、および３のロケーションおよび多重化方式を含み、すべての多重化方式がＣＤＭであると仮定される。この場合、ＵＥ１は、サブバンド１、２、および３が、ＤＭＲＳを送るために使用されるサブ周波数領域リソースであると決定し得る。
【０２８１】
サブ周波数領域リソース多重化方式がＣＤＭ方式であるとき、サブ周波数領域リソース多重化方式は第２の情報において構成されないことがあり、これはＵＥ側での使用に影響を及ぼさないことを理解されたい。
【０２８２】
本発明のこの実施形態では、第２の情報中の、多重化方式、サブバンド指示、およびサブキャリア指示などの周波数領域リソース指示情報は、ＲＲＣメッセージまたはＳＩＢメッセージを使用することによって送られ得る。これはエアインターフェース物理レイヤシグナリングオーバーヘッドを低減することができる。
【０２８３】
任意選択で、別の実施形態では、第２の情報は、ＤＣＩメッセージとＲＲＣメッセージまたはＳＩＢメッセージの両方を使用することによって送信され得る。
【０２８４】
たとえば、基地局は、システム帯域幅または短遅延送信帯域幅がそれに分割されたサブバンドを、ＲＲＣメッセージまたはＳＩＢメッセージなどの静的シグナリングを使用することによって示す。たとえば、２０ＭＨｚ通信システムでは、合計１００個のＰＲＢがある。この場合、基地局は、帯域幅を１０個のサブバンドに分割するように、シグナリングを使用することによってＵＥに命令することがあり、各サブバンドのサイズは１０個のＰＲＢである。基地局は、ＤＣＩメッセージなどの動的シグナリングを使用することによって各サブバンドの多重化方式、たとえば、ＦＤＭまたはＣＤＭをさらに示し得る。
【０２８５】
本発明のこの実施形態では、指示情報は、静的シグナリングと組み合わせて動的シグナリングを使用することによって送られる。このようにして、特定の静的シグナリングオーバーヘッドが低減され得、動的シグナリングを使用することによって送信される指示情報が、スケジューリング要件に応じてよりフレキシブルに構成され得る。
【０２８６】
同様に、第１の情報も、動的シグナリングＤＣＩメッセージおよび／またはＲＲＣメッセージもしくはＳＩＢメッセージなどの静的シグナリングを使用することによって送信され得る。
【０２８７】
第２の情報中に示される、異なる周波数領域リソースの多重化方式は、同じであっても異なっていてもよいことを理解されたい。
【０２８８】
図９は、本発明の一実施形態による、複数のＵＥによってＤＭＲＳ周波数領域リソースを共有することの概略図である。図９では、ＵＥ１、ＵＥ２、ＵＥ３、およびＵＥ４が、１つのＤＭＲＳシンボルを共有する。ＵＥ１およびＵＥ２はサブバンド１の周波数領域リソースを共有する。ＵＥ１は、サブバンド２の周波数領域リソース中の奇数番号サブキャリアを使用する。ＵＥ３は、サブバンド２の周波数領域リソース中の偶数番号サブキャリアを使用する。ＵＥ１およびＵＥ３はサブバンド３の周波数領域リソースを共有する。
【０２８９】
図９に示されているように、基地局によってＵＥ１に送られる第２の情報は、サブバンド１、サブバンド２、およびサブバンド３のロケーションを示し、サブバンド１およびサブバンド３の多重化方式がＣＤＭ方式であり、サブバンド２の多重化方式がＦＤＭ方式であり、サブキャリア指示情報によって示されるサブキャリアが奇数番号サブキャリアであることなどを示し得る。
【０２９０】
本発明のこの実施形態では、ＵＥは、基地局によって示される周波数領域リソースロケーションおよび多重化方式に基づいてサブ周波数領域リソースを決定して、異なるサブ周波数領域リソース上のＵＥの多重化方式をフレキシブルに決定し得る。これは、基地局が基準信号を受信するときに異なるＵＥからの干渉を低減し、スケジューリングフレキシビリティを改善し、チャネル推定パフォーマンスを改善することができる。
【０２９１】
任意選択で、一実施形態では、少なくとも１つのサブ周波数領域リソースが２つ以上のサブ周波数領域リソースであるとき、すべてのサブ周波数領域リソースの基準信号シーケンス多重化方式は同じであるか、またはサブ周波数領域リソースのうちの少なくとも２つの基準信号シーケンス多重化方式が異なる。
【０２９２】
第２の情報中のサブ周波数領域リソース多重化方式はＣＤＭ方式とＦＤＭ方式の両方を含み得ることを理解されたい。
【０２９３】
図１０は、本発明の一実施形態による、複数のＵＥによってＤＭＲＳ周波数領域リソースを共有することの概略図である。図１０では、ＵＥ１、ＵＥ２、ＵＥ３、およびＵＥ４が、１つのＤＭＲＳシンボルを共有する。ＵＥ１は、ＤＭＲＳを送るためにサブバンド１からサブバンド３に中の奇数番号サブキャリアを使用し、ＵＥ１およびＵＥ２は、サブバンド１の奇数番号サブキャリアを共有する。ＵＥ１は、サブバンド２の周波数領域リソース中の奇数番号サブキャリアを使用する。ＵＥ３は、サブバンド２の周波数領域リソース中の偶数番号サブキャリアを使用する。ＵＥ１およびＵＥ３はサブバンド３の奇数番号サブキャリアを共有する。サブバンド１中でＵＥ１によって使用される多重化方式は、ＦＤＭ方式とＣＤＭ方式の両方を含む。
【０２９４】
図１０に示されているシナリオでは、ＵＥ１のために基地局によって構成される第２の情報は、サブバンド１、サブバンド２、およびサブバンド３中でＵＥ１によって使用される多重化方式がＦＤＭ方式を含むことを示し、サブバンド１およびサブバンド３中でＵＥ１によって使用される多重化方式がＣＤＭ方式を含むことを示し得る。同様に、ＵＥ２のために基地局によって構成される第２の情報は、サブバンド１中でＵＥ２によって使用される多重化方式がＣＤＭ方式であることを示し得、ＵＥ３のために基地局によって構成される第２の情報は、サブバンド３中でＵＥ３によって使用される多重化方式がＦＤＭ方式であることを示し得、ＵＥ４のために基地局によって構成される第２の情報は、サブバンド１中でＵＥ４によって使用される多重化方式がＣＤＭ方式であることを示し得る。ＵＥ１は、代替として、異なるＵＥとともにＤＭＲＳ多重化を実装するために、異なるサブバンド中の異なるサブキャリアを使用してよく、奇数番号サブキャリアまたは偶数番号サブキャリアを使用することに限定されないことを理解されたい。
【０２９５】
図１１は、本発明の別の実施形態による基準信号送信方法のフローチャートである。図１１の方法は基地局によって実行される。本方法は以下のステップを含む。
【０２９６】
１１１０：第１の情報を生成し、第１の情報が、少なくとも１つのサブ周波数領域リソースに対応するシーケンスパラメータを示すために使用され、少なくとも１つのサブ周波数領域リソースが、基準信号シーケンスをマッピングするために第１のＵＥによって使用される周波数領域リソースであり、第１のＵＥの各サブ周波数領域リソースが、１つのシーケンスパラメータに対応する。
【０２９７】
本発明のこの実施形態では、基準信号は、復調基準信号（dｅｍｏｄｕｌａｔｉｏｎ  rｅｆｅｒｅｎｃｅ  sｉｇｎａｌ、ＤＭＲＳ）であり得るか、同期のために使用される基準信号もしくはチャネル状態情報／インジケータ（ｃｈａｎｎｅｌ  ｓｔａｔｅ  iｎｆｏｒｍａｔｉｏｎ／iｎｄｉｃａｔｏｒ、ＣＳＩ）測定のために使用される基準信号であり得るか、または測位のために使用される基準信号などであり得ることを理解されたい。これは、本発明では限定されない。説明しやすいように、本発明のこの実施形態では、説明は、一例としてＤＭＲＳを使用することによって提供される。
【０２９８】
従来技術では、基準信号のために使用されるルートシーケンス番号は、基準信号の帯域幅とは無関係である。一例として復調基準信号（dｅｍｏｄｕｌａｔｉｏｎ  rｅｆｅｒｅｎｃｅ  sｉｇｎａｌ、ＤＭＲＳ）を使用すると、同じセルに属する異なるＵＥによって同じスロット中で生成されるＤＭＲＳシーケンスのために使用されるルートシーケンス番号は同一である。
【０２９９】
本発明のこの実施形態では、１つのサブ周波数領域リソースは１つのシーケンスパラメータに対応し、異なるサブ周波数領域リソースに対応するシーケンスパラメータは、同じであっても異なっていてもよい。
【０３００】
たとえば、図４に示されている実施形態では、サブバンド１、サブバンド２、およびサブバンド３の各々は１つのシーケンスパラメータに対応し、これらの３つのサブバンドに対応する３つのシーケンスパラメータは、同じであっても異なっていてもよい。
【０３０１】
本発明のこの実施形態では、少なくとも１つのサブ周波数領域リソースは、ＵＥの周波数領域リソース中にあり、基準信号を送るために使用される周波数領域リソースであることを理解されたい。たとえば、基準信号がＤＭＲＳであるとき、少なくとも１つのサブ周波数領域リソースは、ＤＭＲＳが位置するデータ帯域幅中のサブキャリアの一部または全部を含む。
【０３０２】
１１２０：第１のＵＥに第１の情報を送る。
【０３０３】
本発明のこの実施形態では、基地局は、基準信号を送るために使用される各サブ周波数領域リソースに対応するシーケンスパラメータの指示情報をＵＥのために構成し、それにより、基地局は、ＵＥの基準信号シーケンスに対する完全な制御を実装して、スケジューリングフレキシビリティを保証することができる。
【０３０４】
加えて、本発明のこの実施形態では、システムパフォーマンスは、ＵＥのシーケンスパラメータの構成を通してさらに最適化され得る。
【０３０５】
任意選択で、シーケンスパラメータは、ルートシーケンスインデックス、サイクリックシフト値、または基準信号シーケンスの直交カバーコードのうちの少なくとも１つを含む。
【０３０６】
任意選択で、第１の情報は、少なくとも１つのサブ周波数領域リソースに対応するシーケンスパラメータを直接決定するために第１のＵＥによって使用され得る。
【０３０７】
代替として、任意選択で、第１の情報は、少なくとも１つのサブ周波数領域リソースに対応するシーケンスパラメータのインジケータ値を決定し、少なくとも１つのサブ周波数領域リソースに対応するシーケンスパラメータのオフセット値に関して、少なくとも１つのサブ周波数領域リソースに対応するシーケンスパラメータを決定するために、第１のＵＥによって使用され得る。少なくとも１つのサブ周波数領域リソースに対応するシーケンスパラメータのオフセット値は、少なくとも１つのサブ周波数領域リソースのリソースインデックス値に基づいて第１のＵＥによって決定される。
【０３０８】
任意選択で、第１の情報も、動的シグナリングＤＣＩメッセージおよび／またはＲＲＣメッセージもしくはＳＩＢメッセージなどの静的シグナリングを使用することによって送信され得る。
【０３０９】
本発明のこの実施形態では、基地局によって第１のＵＥに送られる第１の情報の特定の実装形態について、図５に示されている実施形態においてＵＥによって受信される第１の情報への参照が行われてよく、詳細について、本発明のこの実施形態においてここで再び説明されない。
【０３１０】
図１２は、本発明の一実施形態によるサブ周波数領域リソースに対応する基準信号シーケンスの概略図である。図１２（ａ）に示されているように、ＵＥ１およびＵＥ２は、同じサブ周波数領域リソースを占有し、ＵＥ１のサブ周波数領域リソースに対応する基準信号シーケンスインデックス１は、ＵＥ２のサブ周波数領域リソースに対応する基準信号シーケンスインデックス２とは異なる。図１２（ｂ）に示されているように、ＵＥ２によって占有されるサブ周波数領域リソースは、ＵＥ１によって占有されるサブ周波数領域リソースの第１の部分であり、ＵＥ１によって占有されるサブ周波数領域リソースの第１の部分に対応する基準信号シーケンスインデックス１は、ＵＥ２によって占有されるサブ周波数領域リソースに対応する基準信号シーケンスインデックス２とは異なる。異なる基準信号シーケンスは異なるシーケンスパラメータを示すことを理解されたい。
【０３１１】
本発明のこの実施形態では、基地局は、同じ周波数領域リソース上で異なるＵＥのために異なるシーケンスパラメータを構成して、同じ周波数領域リソース上で異なるＵＥのために異なる基準信号シーケンスを構成する。これは、異なる帯域幅を用いるＵＥがＣＤＭ方式で同じ時間周波数リソースを多重化するときの基準信号パフォーマンスを保証し、それにより、複数のユーザ間で１つの時間周波数リソースの共有すること、およびスペクトル効率を改善することを実装する。
【０３１２】
図１３は、本発明の一実施形態による、基地局が複数のＵＥのために基準信号リソースを構成するシナリオの概略図である。図１３に示されているシナリオでは、基地局は、複数のＵＥのために基準信号リソースを構成する必要がある。異なるＵＥの異なるサブ周波数領域リソースのための異なるシーケンスパラメータを構成することに加えて、基地局は、異なるＵＥのための異なるサブ周波数領域リソースをさらに構成し得る。
【０３１３】
任意選択で、一実施形態では、本方法は、第２の情報を生成するステップであって、第２の情報が、少なくとも１つのサブ周波数領域リソースを示すために使用される、生成するステップと、第１のＵＥに第２の情報を送るステップとをさらに含み得る。
【０３１４】
任意選択で、第２の情報は、基準信号を送るためにＵＥによって使用されるサブ周波数領域リソースとして連続するサブキャリアの少なくとも１つのセグメントを示し得る。
【０３１５】
たとえば、表１に示されている実施形態では、基地局によってＵＥ１に送られる第２の情報において、００１は、基地局がＵＥ１のために２つのサブバンドを構成すること、すなわち、インデックス１および２をもつＲＧＢが、１つのサブバンドであり、ＲＢＧ３が、１つのサブバンドであることを示すために使用される。ここでの１つのサブバンドは、本発明のこの実施形態では、１つのサブ周波数領域リソースである。
【０３１６】
代替として、任意選択で、第２の情報は、連続するサブキャリアの少なくとも１つのセグメントを示すことがあり、ＵＥは、基準信号を送るためにＵＥによって使用される周波数領域リソースとして、あらかじめ定義されているサブキャリア選択ルールに従って、連続するサブキャリアからそのルールを満たすサブキャリアセットを選択する。この場合、連続するサブキャリアの各セグメント中のサブキャリア選択ルールを満たすサブキャリアセットは、サブ周波数領域リソースとして使用される。
【０３１７】
あらかじめ定義されているサブキャリア選択ルールは、たとえば、連続するサブキャリア中のサブキャリアのタイプのインデックス値であり得る。特に、たとえば、サブキャリアは離散方式で占有され、サブキャリアは、奇数番号サブキャリアまたは偶数番号サブキャリアであることがあり、インデックス０または１を使用することによって示され得る。別の例では、離散方式で、Ｍ個のサブキャリアごとに１つのサブキャリアが占有される。この場合、サブバンドのインデックス値は、０からｍ−１の範囲内のいずれかの整数値を使用することによって示され得る。加えて、サブバンド中のＵＥのサブキャリアのインデックス値は、ＵＥの識別子ＩＤ、たとえば、ＩＤ  ｍｏｄ  Ｍに基づいて決定され得る。
【０３１８】
代替として、任意選択で、第２の情報は、連続するサブキャリアリソース、およびその連続するサブキャリアリソースに対応するサブキャリア指示を示し得る。サブキャリア指示は、連続するサブキャリアリソース中で、基準信号を送るために使用されるサブキャリアを示すために使用される。
【０３１９】
第２の情報は、連続するサブキャリアリソースの少なくとも１つのセグメントを示すことがあり、連続するサブキャリアリソースのすべてのセグメントに対応するサブキャリア指示は、同じであっても異なっていてもよいことを理解されたい。
【０３２０】
本発明のこの実施形態では、基地局は、第２の情報を使用することによってＵＥのサブ周波数領域リソースを示す。これは、異なるＵＥ間でリソースのフレキシブルなＤＭＲＳ多重化を実装し、それにより、基地局のスケジューリングフレキシビリティを改善することができる。
【０３２１】
特に、本発明のこの実施形態における方法によれば、ＵＥが単一のサブバンドを使用することによってＤＭＲＳを送ったとき、単一のＤＭＲＳサブバンドを用いるＵＥに対する帯域幅制限が低減され得る。
【０３２２】
さらに、第２の情報は、少なくとも１つのサブ周波数領域リソースの多重化方式をさらに含み得る。各サブ周波数領域リソースの多重化方式は、サブ周波数領域リソース上のＵＥと別のＵＥとの間の周波数領域リソース多重化関係を示すために使用される。
【０３２３】
任意選択で、多重化方式は、周波数分割多重化、符号分割多重化、およびリソース共有などの多重化方式のうちの少なくとも１つを含み得る。たとえば、図１０に示されている実施形態では、サブバンド１およびサブバンド３のために基地局によって構成される多重化方式は、周波数分割多重化および符号分割多重化を含むことがあり、サブバンド２のために基地局によって構成される多重化方式は、周波数分割多重化を含むことがある。
【０３２４】
サブ周波数領域リソース上のＵＥと別のＵＥとの間の周波数領域リソース多重化関係を示すために使用されることに加えて、多重化方式は、第２の情報中の他の周波数領域リソース指示情報またはＵＥのあらかじめ定義されている周波数領域リソース指示情報に関して少なくとも１つのサブ周波数領域リソースを示すためにさらに使用され得ることを理解されたい。
【０３２５】
第２の情報は、ＲＲＣメッセージもしくはＳＩＢメッセージなどの静的シグナリングを使用することによって送信され得るか、ＤＣＩメッセージなどの動的シグナリングを使用することによって送信され得るか、またはＤＣＩメッセージとＲＲＣメッセージもしくはＳＩＢメッセージの両方を使用することによって送信され得ることを理解されたい。
【０３２６】
基地局によって送られる第２の情報の特定の例については、図５に示されている実施形態におけるＵＥ側の関係する内容を参照されたい。詳細について、本発明のこの実施形態においてここで再び説明されない。
【０３２７】
本発明のこの実施形態では、複数のＵＥは、１つの周波数領域リソースを多重化することがあり、基地局は、同じ周波数領域リソース上で複数のＵＥのために異なるシーケンスパラメータを構成することがあることを理解されたい。
【０３２８】
任意選択で、本方法は、第３の情報を生成するステップであって、第３の情報が、第２のＵＥの周波数領域リソース中にあり、基準信号を送るために使用される少なくとも１つのサブ周波数領域リソースに対応するシーケンスパラメータを示し、第２のＵＥの少なくとも１つのサブ周波数領域リソース中の第２のサブ周波数領域リソースが、第１のＵＥの少なくとも１つのサブ周波数領域リソース中の第１のサブ周波数領域リソース中の周波数領域リソースの全部または一部であり、第２のサブ周波数領域リソースと第１のサブ周波数領域リソースとが異なるシーケンスパラメータに対応する、生成するステップと、第３の情報を送るステップとをさらに含み得る。
【０３２９】
たとえば、図１２（ｂ）に示されているシナリオでは、ＵＥ１のために基地局によって構成される第１の情報は、第１のサブ周波数領域リソースに対応する基準信号シーケンスがインデックス１であることを示し、ＵＥ２のために基地局によって構成される第３の情報は、第２のサブ周波数領域リソースに対応する基準信号シーケンスがインデックス２であることを示す。第２のサブ周波数領域リソースは、第１のサブ周波数領域リソースのサブキャリアの一部である。しかしながら、ＵＥ１のために基地局によって構成される基準信号シーケンスインデックス１は、ＵＥ２のために基地局によって構成される基準信号シーケンスインデックス２とは異なる。
【０３３０】
確かに、基地局は、代替として、同じ周波数領域リソース上で異なるＵＥのために同じシーケンスパラメータを構成し得ることを理解されたい。
【０３３１】
従来技術では、制御情報は、周波数領域の連続の方式で、その制御情報を搬送しスロットまたはサブフレーム全体が位置するデータチャネルにマッピングされる。送信遅延が短縮され、時間領域において占有される送信時間が低減された場合、（たとえば、５Ｇにおける高周波数シナリオでは）周波数領域中のコヒーレント帯域幅が増加するか、または（たとえば、低周波数シナリオでは）周波数領域リソースが増加する。その結果、従来技術の制御情報送信では、周波数領域における選択性フェージングによって生成される周波数領域ダイバーシティ利得が取得され得ない。
【０３３２】
本発明の実施形態は、周波数領域における選択性フェージングによって生成される周波数領域ダイバーシティ利得が制御情報送信において取得され得ないという問題を解決するための、制御情報送信方法および装置を提案する。
【０３３３】
図１４は、本発明の一実施形態による制御情報送信方法のフローチャートである。図１４の方法は基地局によって実行され、本方法は以下のステップを含み得る。
【０３３４】
１４１０：周波数領域の離散の方式で、制御情報を搬送するために使用されるデータチャネルリソースに制御情報をマッピングし、各データチャネルリソースが、時間領域中で１ｍｓ未満である。
【０３３５】
本発明のこの実施形態における制御情報はアップリンク制御情報（ｕｐｌｉｎｋ  ｃｏｎｔｒｏｌ  ｉｎｆｏｒｍａｔｉｏｎ、ＵＣＩ）であり得ることを理解されたい。任意選択で、制御情報は、
ハイブリッド自動再送要求（ｈｙｂｒｉｄ  ａｕｔｏｍａｔｉｃ  ｒｅｐｅａｔ  ｒｅｑｕｅｓｔ、ＨＡＲＱ）の応答情報、チャネル状態情報（ｃｈａｎｎｅｌ  ｓｔａｔｅ  ｉｎｆｏｒｍａｔｉｏｎ、ＣＳＩ）、またはスケジューリング要求（ｓｃｈｅｄｕｌｉｎｇ  ｒｅｑｕｅｓｔ、ＳＲ）
のうちの少なくとも１つを含む。
【０３３６】
さらに、チャネル状態情報ＣＳＩは、
ランクインジケータ（ｒａｎｋ  ｉｎｄｉｃａｔｏｒ、ＲＩ）、プリコーディング行列インジケータ（ｐｒｅｃｏｄｉｎｇ  ｍａｔｒｉｘ  ｉｎｄｉｃａｔｏｒ、ＰＭＩ）、チャネル品質インジケータ（ｃｈａｎｎｅｌ  ｑｕａｌｉｔｙ  ｉｎｄｉｃａｔｏｒ、ＣＱＩ）、プリコーディングタイプインジケータ（ｐｒｅｃｏｄｉｎｇ  ｔｙｐｅ  ｉｎｄｉｃａｔｏｒ、ＰＴＩ）、またはビーム指示（ｂｅａｍｉｎｇ  ｉｎｄｉｃａｔｏｒ／ｉｎｄｉｃａｔｉｏｎ、ＢＩ）
のうちの少なくとも１つを含む。
【０３３７】
１４２０：データチャネルリソースを使用することによって制御情報を送る。
【０３３８】
制御情報が周波数領域の連続の方式で送信されるので、制御情報を送信するための周波数領域リソースが、減衰した周波数領域リソースの範囲内に入るという問題を回避するために、本発明のこの実施形態では、制御情報の少なくとも１つのタイプは、周波数領域の離散の方式でデータチャネルリソースにマッピングされる。このようにして、ＵＣＩ送信中に追加の周波数領域ダイバーシティ利得が取得され得る。
【０３３９】
遅延が短縮された送信の適用例シナリオでは、時間領域において占有されるシンボルの量が減少し、したがって、周波数領域において割り振られるリソースが明確に増加する。たとえば、２つのシンボルが使用される短遅延送信が、周波数領域中で６つのＰＲＢを占有するとき、送信の帯域幅は１．０８ＭＨｚである。６ＧＨｚ未満の周波数および１．０８ＭＨｚの帯域幅では、周波数領域の一部において選択性フェージング特性がある。したがって、帯域幅において離散的な送信が実行されたとき、周波数ダイバーシティ利得が取得され得る。
【０３４０】
別の例では、ミリメートル波高周波数シナリオにおいて、コヒーレント帯域幅が著しく増加し、５Ｇにおいて提案されているチャネル帯域幅も約１００ＭＨｚまで増加される。そのような大きいチャネル帯域幅では、コヒーレント帯域幅はより高くなり、ＵＣＩの連続送信がパフォーマンス劣化につながり、より大きい周波数選択性ダイバーシティ利得が、周波数領域の離散的な送信においても取得され得る。
【０３４１】
任意選択で、一実施形態では、ステップ１４１０は、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングするステップとして特に実装され得る。
【０３４２】
さらに、ステップ１４１０は、２つの部分に少なくとも１つのタイプの制御情報の各々を分割し、データチャネルリソースによって占有される帯域幅の２つの側に２つの部分をそれぞれマッピングするステップとして特に実装され得る。
【０３４３】
たとえば、短遅延送信中に、２シンボルＴＴＩの予想される最小帯域幅は１．０８ＭＨｚである。この場合、周波数選択性利得は、２つの側上に制御情報を配置することによって取得され得る。
【０３４４】
さらに、少なくとも１つのタイプの制御情報が異なる部分に分割され、異なる部分が、データチャネルによって占有される帯域幅の２つの側にそれぞれマッピングされるとき、制御情報は、低周波数から高周波数におよび高周波数から低周波数に、データチャネルリソースによって占有される帯域幅の２つの側上にそれぞれマッピングされる。制御情報のサイズが不確定であるとき、本発明のこの実施形態における配置解決策によれば、制御情報のすべてが、２つの側上に完全に配置され得る。
【０３４５】
図１５は、本発明の一実施形態による制御情報マッピング方式である。図１５（ａ）は、１つのデータシンボルが使用される短遅延送信シナリオに対応し、図１５（ｂ）は、２つのデータシンボルが使用される短遅延送信シナリオに対応する。たとえば、図１５（ａ）において、基地局は、２つの側から、データがその中で送信される帯域幅の中間に、肯定応答（ａｃｋｎｏｗｌｅｄｇｅｍｅｎｔ、ＡＣＫ）／否定応答（ｎｅｇａｔｉｖｅ  ａｃｋｎｏｗｌｅｄｇｅｍｅｎｔ、ＮＡＣＫ）をマッピングし、次いで、同じ方式でＲＩを連続的にマッピングし、次いで、ＡＣＫ／ＮＡＣＫおよびＲＩ以外の部分にＣＱＩ／ＰＭＩをマッピングし、最終的に、非ＵＣＩエリアにアップリンクデータｓＰＵＳＣＨをマッピングし得る。別の例では、図１５（ｂ）において、ＡＣＫ／ＮＡＣＫは、２つの側から、データがその中で送信される帯域幅の中間にマッピングされ、ＤＭＲＳにより近いシンボル、すなわち、左側のシンボルに優先的にマッピングされる。次いで、ＲＩは、同じ方式で同じシンボルに連続的にマッピングされる。次いで、ＣＱＩ／ＰＭＩは、ＡＣＫ／ＮＡＣＫおよびＲＩ以外の部分にマッピングされる。最終的に、アップリンクデータｓＰＵＳＣＨが非ＵＣＩエリアにマッピングされる。確かに、上記のマッピング順序は説明しやすくするためのものにすぎず、実際のマッピングプロセスでは、マッピングは特定の順序で実行されないことを理解されたい。
【０３４６】
図１６は、本発明の一実施形態による制御情報マッピング方式である。図１６は、１つのスロットが使用される送信シナリオに対応する。図１６に示されているように、ＵＣＩは、２つの側から、データがその中で送信される帯域幅の中間にマッピングされ、ＡＣＫ／ＮＡＣＫおよびＲＩは、スロットのシンボル２およびシンボル４にマッピングされ（シンボルは０から番号を付けられている）、ＣＱＩ／ＰＭＩは、シンボル０、１、２、４、５、および６にマッピングされる。図１６では、ＡＣＫ／ＮＡＣＫは、２つの側から、データがその中で送信される帯域幅の中間にマッピングされ、ＤＭＲＳにより近いシンボル、すなわち、左側のシンボルに優先的にマッピングされる。次いで、ＲＩは、同じ方式で同じシンボルに連続的にマッピングされる。次いで、ＣＱＩ／ＰＭＩは、ＡＣＫ／ＮＡＣＫおよびＲＩ以外の部分にマッピングされる。最終的に、アップリンクデータｓＰＵＳＣＨが非ＵＣＩエリアにマッピングされる。
【０３４７】
本発明のこの実施形態では、ＡＣＫ／ＮＡＣＫおよびＲＩの優先度がより高く、したがって、ＡＣＫ／ＮＡＣＫおよびＲＩが、ＤＭＲＳシンボルの２つの側および帯域幅の２つの側にマッピングされたとき、周波数選択性利得が取得され得るだけでなく、制御情報のより良いチャネル推定パフォーマンスも達成され得る。これは、ＡＣＫ／ＮＡＣＫおよびＲＩが最適な復調パフォーマンスを取得することを保証することができ、それにより、重要な制御情報のフィードバック精度が改善され、通信品質が改善される。
【０３４８】
代替として、任意選択で、別の実施形態では、ステップ１４１０は、データチャネルリソースによって占有される帯域幅の異なる部分に複数のタイプの制御情報をそれぞれマッピングするステップとして特に実装され得る。
【０３４９】
さらに、ステップ１４１０は、高周波数サブキャリアから低周波数サブキャリアに、データチャネルリソースによって占有される帯域幅中の少なくとも一部分の各々中の第１の制御情報をマッピングするステップであって、第１の制御情報が、複数のタイプの制御情報のうちの１つである、マッピングするステップとして特に実装され得る。
【０３５０】
代替として、さらに、ステップ１４１０は、ステップ１４１０は、低周波数サブキャリアから高周波数サブキャリアに、データチャネルリソースによって占有される帯域幅中の少なくとも一部分の各々中の第１の制御情報をマッピングするステップであって、第１の制御情報が、複数のタイプの制御情報のうちの１つである、マッピングするステップとして特に実装され得る。
【０３５１】
代替として、さらに、ステップ１４１０は、低周波数サブキャリアから高周波数サブキャリアに、データチャネルリソースによって占有される帯域幅中の少なくとも一部分の第１の部分中の第１の制御情報をマッピングし、高周波数サブキャリアから低周波数サブキャリアに、データチャネルリソースによって占有される帯域幅中の少なくとも一部分の第２の部分中の第１の制御情報をマッピングするステップであって、第１の制御情報が、複数のタイプの制御情報のうちの１つである、マッピングするステップとして特に実装され得る。
【０３５２】
一例としてＨＡＲＱ応答情報およびＲＩを使用すると、少なくとも１つのタイプの制御情報がＨＡＲＱ応答情報およびＲＩを含み、データチャネルリソースが、サブバンド１と、サブバンド２と、サブバンド３と、サブバンド４との４つのサブバンドに分割されるとき、ステップ１４１０は、
サブバンド１およびサブバンド３にＨＡＲＱ応答情報をマッピングし、サブバンド２およびサブバンド４にＲＩをマッピングするステップ、または
サブバンド２およびサブバンド４にＨＡＲＱ応答情報をマッピングし、サブバンド１およびサブバンド３にＲＩをマッピングするステップ、または
サブバンド１およびサブバンド４にＨＡＲＱ応答情報をマッピングし、サブバンド２およびサブバンド３にＲＩをマッピングするステップ、または
サブバンド２およびサブバンド３にＨＡＲＱ応答情報をマッピングし、サブバンド１およびサブバンド４にＲＩをマッピングするステップ
として特に実装され得る。
【０３５３】
本発明のこの実施形態では、サブバンドは、シグナリングによって構成され得るか、またはあらかじめ定義されているＵＣＩ送信チャネルがそれに分割された帯域幅の部分であり得ることを理解されたい。サブバンド分割は、一様であっても一様でなくてもよい。これは、本発明では限定されない。
【０３５４】
図１７は、本発明の一実施形態によるさらに別の制御情報マッピング方式である。図１７（ａ）は、１つのデータシンボルが使用される短遅延送信シナリオに対応し、図１７（ｂ）は、２つのデータシンボルが使用される短遅延送信シナリオに対応する。
【０３５５】
図１７（ａ）では、ＵＥは、４つのサブバンドに分割されたデータ帯域幅中で制御情報を送信する。図１７（ａ）に示されているように、ＵＥは、サブバンド０およびサブバンド２の低周波数サブキャリアから高周波数サブキャリアにＨＡＲＱ応答情報（ＡＣＫ／ＮＡＣＫ）をマッピングし、サブバンド１およびサブバンド３の低周波数サブキャリアから高周波数サブキャリアにＲＩをマッピングし得る。
【０３５６】
図１７（ｂ）では、ＵＥがデータを送信する帯域幅は、４つのサブバンドに分割される。ＵＥは、サブバンド０の低周波数サブキャリアから高周波数サブキャリアにおよびサブバンド３の高周波数サブキャリアから低周波数サブキャリアにＡＣＫ／ＮＡＣＫをさらにマッピングし、サブバンド１の低周波数サブキャリアから高周波数サブキャリアにおよびサブバンド２の高周波数サブキャリアから低周波数サブキャリアにＲＩをマッピングし得る。
【０３５７】
加えて、図１７に示されている実施形態では、ＣＱＩおよびＰＭＩは、ＡＣＫ／ＮＡＣＫ以外のエリアにマッピングされることがあり、データは、ＵＣＩ以外のエリアにマッピングされる。
【０３５８】
本発明のこの実施形態では、異なる制御情報は異なるサブバンド中で別々に送信され、したがって、異なる制御情報は、互いに干渉せず、基地局の受信機によってより容易に受信される。加えて、異なる制御情報が異なるサブバンド中で送信されたとき、制御情報送信の周波数選択性利得が最大化され得る。
【０３５９】
代替として、さらに、ステップ１４１０は、高周波数サブキャリアから低周波数サブキャリアに、複数の第１部分のリソースの各々中の第１の制御情報をマッピングするステップであって、複数の第１部分のリソースが、データチャネルリソースによって占有される帯域幅中にあり、第１の制御情報をマッピングするために使用されるリソースである、マッピングするステップと、低周波数サブキャリアから高周波数サブキャリアに、複数の第２部分のリソースの各々中の第２の制御情報をマッピングするステップであって、複数の第２部分のリソースが、データチャネルリソースによって占有される帯域幅中にあり、第２の制御情報をマッピングするために使用されるリソースである、マッピングするステップとして特に実装され得る。
【０３６０】
本発明のこの実施形態では、すべての制御情報が、同じ深くフェードしたサブキャリア上にあるという問題を回避するために、制御情報中のＫ個のタイプの制御情報は、帯域幅中の異なる部分にそれぞれマッピングされる。このようにして、すべての制御情報の少なくとも部分は正しく送信され得る。
【０３６１】
任意選択で、一実施形態では、ステップ１４１０は、制御情報が複数のタイプの制御情報を含むとき、データチャネルリソースの少なくとも２つの時間領域データシンボルに複数のタイプの制御情報をそれぞれマッピングし、周波数領域の離散の方式で、データチャネルリソースによって占有される帯域幅に複数のタイプの制御情報をマッピングするステップとして特に実装され得る。
【０３６２】
図１８は、本発明の一実施形態によるさらに別の制御情報マッピング方式である。図１９は、本発明の一実施形態によるさらに別の制御情報マッピング方式である。
【０３６３】
図１８および図１９に示されているように、図１５から図１７に示されている実施形態に基づいて、ＵＥは、複数のシンボルに制御情報をさらにマッピングし得る。特に、図１８および図１９に示されている実施形態では、ＵＥは、１つのスロットのシンボル２およびシンボル４にＲＩおよびＡＣＫ／ＮＡＣＫをマッピングし得る。
【０３６４】
本発明のこの実施形態では、上記の方法は、異なる長さのＴＴＩのために使用され得る。これは、本発明の方法の適用範囲を拡張する。
【０３６５】
さらに、ステップ１４１０は、周波数領域の離散の方式で、データチャネルリソースの第１のシンボル上の時間周波数リソースに第１の制御情報をマッピングし、周波数領域の離散の方式で、データチャネルリソースの第２のシンボル上の時間周波数リソースに第２の制御情報をマッピングするステップとして特に実装され得る。たとえば、第１の制御情報は、時間領域中の第１のシンボル上のならびに周波数領域中の第１のサブバンドおよび第２のサブバンド中の、データチャネルリソースの時間周波数リソースにマッピングされ、第２の制御情報は、時間領域中の第２のシンボル上のならびに周波数領域中の第１のサブバンドおよび第２のサブバンド中の、データチャネルリソースの時間周波数リソースにマッピングされる。
【０３６６】
図２０は、本発明の一実施形態によるさらに別の制御情報マッピング方式である。図２０に示されているように、時間領域において、ＵＥは、シンボル２にＡＣＫ／ＮＡＣＫをマッピングし、シンボル４にＲＩをマッピングし得る。周波数領域中のマッピングについては、図１５から図１７に示されている実施形態を参照されたい。
【０３６７】
代替として、さらに、ステップ１４１０は、第１のサブバンド中の、データチャネルリソースの第１のシンボル上の時間周波数リソースと第２のサブバンド中の、データチャネルリソースの第２のシンボル上の時間周波数リソースとに第１の制御情報をマッピングし、第１のサブバンド中の、データチャネルリソースの第２のシンボル上の時間周波数リソースと第２のサブバンド中の、データチャネルリソースの第１のシンボル上の時間周波数リソースとに第２の制御情報をマッピングするステップとして特に実装され得る。
【０３６８】
図２１は、本発明の一実施形態によるさらに別の制御情報マッピング方式である。図２１に示されているように、ＵＥは、クロスマッピング方式で、シンボル２およびシンボル４、ならびにサブバンド０およびサブバンド３にＡＣＫ／ＮＡＣＫおよびＲＩをマッピングし得る。ＡＣＫ／ＮＡＣＫおよびＲＩは、サブバンド０およびサブバンド３中で、高周波数サブキャリアから低周波数サブキャリアにおよび／または低周波数サブキャリアから高周波数サブキャリアにマッピングされ得る。これは、本発明のこの実施形態では限定されない。
【０３６９】
本発明のこの実施形態では、時間ダイバーシティおよび干渉分散効果が時間的に達成され、それにより、同じシンボル上に異なる制御情報が配置されたときに引き起こされる強い干渉が回避され得る。
【０３７０】
データチャネルリソースの１つのサブフレーム中の制御情報によって占有されるシンボルの量は、２、３、４、６、または７のうちのいずれか１つであり得ることを理解されたい。
【０３７１】
任意選択で、制御情報が、ＨＡＲＱ応答情報とＲＩとを含むとき、ステップ１４１０は、データチャネルリソースの２つの側上の２つの隣接する時間領域データシンボルに制御情報中のＨＡＲＱ応答情報とＲＩとをそれぞれマッピングし、周波数領域の離散の方式で、データチャネルリソースによって占有される帯域幅にＨＡＲＱ応答情報とＲＩとをマッピングするステップとして特に実装され得る。
【０３７２】
代替として、任意選択で、制御情報が、ＨＡＲＱ応答情報とＲＩとを含むとき、ステップ１４１０は、データチャネルリソースの一方の側上の１つの時間領域データシンボルに制御情報中のＨＡＲＱ応答情報とＲＩとをマッピングし、周波数領域の離散の方式で、データチャネルリソースによって占有される帯域幅にＨＡＲＱ応答情報とＲＩとをマッピングするステップとして特に実装され得る。
【０３７３】
さらに、本方法は、制御情報を送るときにデータチャネルリソース上でレートマッチングまたはパンクチャリング演算を実行するステップをさらに含み得る。
【０３７４】
本発明のこの実施形態では、本方法によれば、制御情報がチャネル上で送信されるとき、チャネル上のデータ送信に対する影響は可能な限り低減され得る。これは、元のチャネルの送信パフォーマンスがほとんど減少しないことを保証する。
【０３７５】
図２２は、本発明の別の実施形態によるデバイス間シナリオの概略図である。図２２に示されている実施形態では、グローバルナビゲーション衛星システム（ｇｌｏｂａｌ  ｎａｖｉｇａｔｉｏｎ  ｓａｔｅｌｌｉｔｅ  ｓｙｓｔｅｍ、ＧＮＳＳ）、ｅＮＢ（ｅＮＢ）、ロードサイドユニット（ｒｏａｄｓｉｄｅ  ｕｎｉｔ、ＲＳＵ）、およびユーザ機器（ＵＥ）が含まれ得る。図２２に示されている通信ネットワークは、たとえば、ビークルのインターネット（Internet of Vehicles）であり得ることを理解されたい。図２２では、ＵＥは互いに通信し得る。ＵＥは車載デバイスなどであり得る。ＲＳＵは、各ＵＥおよび／またはｅＮＢと通信し得る。ｅＮＢは、各ＵＥおよび／またはＲＳＵと通信し得る。ＧＮＳＳは、図２２に示されている別のネットワーク要素に測位および許可情報を提供するために使用され得る。上記のネットワーク要素デバイスのすべては互いに通信し得る。通信中に、セルラーリンク周波数スペクトルが使用され得るか、または５．９ＧＨｚの近くのインテリジェントトランスポーテーション周波数スペクトルが使用され得る。ネットワーク要素デバイス間の相互通信の技術は、ＬＴＥプロトコルに基づいて拡張され得るか、またはＤ２Ｄ技術に基づいて拡張され得る。
【０３７６】
ｅＮＢは、図２２に示されているシナリオにおいて任意選択であることを理解されたい。本発明のこの実施形態における適用例シナリオは、ｅＮＢによってカバーされているＵＥのステータスに応じて、以下の３つのタイプに分類され得る。ｅＮＢがある場合、シナリオは、ネットワークカバレージをもつシナリオであり、ｅＮＢがない場合、シナリオは、ネットワークカバレージなしのシナリオであり、ＵＥのいくつかがネットワーク内に位置し、他のＵＥがネットワークカバレージ外に位置する場合、シナリオは、部分カバレージをもつシナリオである。
【０３７７】
図２２に示されている適用例シナリオにおいて、従来技術では、通常、同期および通信は、Ｄ２Ｄリンクを介して同期ソースとして基地局を使用することによって実行される。しかしながら、ビークル速度が比較的高いかまたは基地局が同期されていないとき、ビークル上のＵＥは、場合によっては同期ソースを取得することができず、その結果、通信が失敗する。さらに、基地局カバレージなしのシナリオでは、従来技術の同期パフォーマンスは比較的悪く、通信品質が保証され得ない。
【０３７８】
図２２に示されている適用例シナリオの問題を解決するために、本発明の実施形態は、同期ソースを使用することによってＤ２Ｄ通信を実行するための方法を提供する。
【０３７９】
図２３は、本発明の一実施形態による、同期ソースを使用することによってＤ２Ｄ通信を実行するための方法のフローチャートである。図２３の方法はＵＥによって実行される。本発明のこの実施形態では、ＵＥは、車載デバイスまたはモバイル端末、たとえば、モバイルフォンまたはタブレットコンピュータ（例えば、携帯情報端末、ＰＤＡ）であり得ることを理解されたい。図２３に示されているように、本方法は以下のステップを含み得る。
【０３８０】
２３１０：ＵＥが、第１の同期ソースの構成情報に基づいて第１のデバイスの信号を検出し、第１のデバイスが衛星デバイスである。
【０３８１】
本発明における衛星デバイスは、グローバルナビゲーション衛星システム（ｇｌｏｂａｌ ｎａｖｉｇａｔｉｏｎ ｓａｔｅｌｌｉｔｅ ｓｙｓｔｅｍ,ＧＮＳＳ）、またはＧＮＳＳの機能と同様の機能を提供することができるデバイスを含み得ることを理解されたい。ＧＮＳＳは、すべての国および地域によって提供されるナビゲーション衛星システム、たとえば、中国のＢｅｉｄｏｕナビゲーション衛星システム、米国のＧＰＳ、欧州のＧａｌｉｌｅｏ衛星ナビゲーションシステム、およびロシアのＧＬＯＮＡＳＳを含む。衛星デバイスは、代替として、ＧＮＳＳの精度と同様の精度を提供することができるデバイス、たとえば、原子クロックに基づく測位および時間サービングデバイスであり得る。
【０３８２】
任意選択で、第１の同期ソースの構成情報は、基地局によってＵＥに送られる。
【０３８３】
本発明のこの実施形態では、ＵＥは、基地局によって送られた第１の同期ソースの構成情報に基づいてＵＥの同期ソースをフレキシブルに調整し得る。
【０３８４】
代替として、第１の同期ソースの構成情報は、あらかじめ定義されているかもしくはあらかじめ構成されている。
【０３８５】
第１の同期ソースの構成情報はあらかじめ定義され、たとえば、第１の同期ソースの構成情報は、プロトコルにおいて規定されていることがある。
【０３８６】
第１の同期ソースの構成情報は事前構成され、たとえば、ＵＥの配信時に事前構成され得るか、またはＵＥのユーザによって事前構成され得る。
【０３８７】
本発明のこの実施形態では、ＵＥは、事前構成された第１の同期ソースの構成情報に基づいて同期ソースを決定する。このようにして、ＵＥは、基地局カバレージなしのシナリオにおいて同期ソース情報を取得することができる。
【０３８８】
特に、第１の同期ソースの構成情報は同期ソースタイプ優先度情報を含み得る。たとえば、第１の同期ソースの構成情報は、３つのタイプ同期ソース、すなわち、衛星デバイス、ネットワークカバレージ内のＵＥ同期ソース、およびネットワークカバレージ外のＵＥ同期ソースの優先度が、以下の通りであることを示し得る。
衛星デバイス＞ネットワークカバレージ内のＵＥ同期ソース＞ネットワークカバレージ外のＵＥ同期ソース、または
ネットワークカバレージ内のＵＥ同期ソース＞衛星デバイス＞ネットワークカバレージ外のＵＥ同期ソース
【０３８９】
同期ソースタイプ優先度情報がＵＥのために構成される。このようにして、異なる優先度をもつ複数の同期ソースを同時に検出したとき、ＵＥは、より高い同期ソースタイプ優先度をもつ同期ソースに優先的に同期され得る。
【０３９０】
確かに、第１の同期ソースの構成情報は同期ソース優先度情報を含み得ることを理解されたい。たとえば、衛星デバイスＡの優先度が最も高く、衛星デバイスＢの優先度が第２にランク付けされ、基地局Ｃの優先度が第３にランク付けされ、ＲＳＵ  Ｄの優先度が第４にランク付けされることが規定されている。
【０３９１】
２３２０：第１のデバイスの有効な信号を検出するとき、ＵＥが、Ｄ２Ｄリンクを介したＵＥの同期ソースとして第１のデバイスを使用し、第１のデバイスの有効な信号を検出しないとき、ＵＥが、Ｄ２Ｄリンクを介した同期ソースとして第２のデバイスを取得し、第２のデバイスが衛星デバイス以外のデバイスである。
【０３９２】
２３３０：ＵＥは、Ｄ２Ｄリンクを介した同期ソースに基づいてＤ２Ｄリンクを介した通信を実行する。
【０３９３】
本発明のこの実施形態では、ＵＥは、有効な衛星信号があるとき、同期ソースとして衛星デバイスを選択し、有効な衛星信号を検出しないとき、同期ソースとして衛星デバイス以外のデバイスを選択する。このようにして、衛星信号があるか衛星信号がないかにかかわらず、ＵＥは同期ソースに基づいて同期を実行し、それにより、ユーザ機器が同期ソースを長時間失うので同期が失敗するという問題を回避することができる。これはユーザ機器の同期効率を改善する。
【０３９４】
ステップ２３２０において、ＵＥが有効な衛星信号を検出しないということは、複数の場合を含み得ることを理解されたい。
【０３９５】
任意選択で、一実施形態では、ＵＥが有効な衛星信号を検出しないことは、ＵＥによって検出された衛星信号のチャネル品質が第１のしきい値より低いことを含む。チャネル品質が比較的悪いとき、通信品質が保証され得ないことを理解されたい。この場合において検出された衛星信号は、有効な衛星信号として使用され得ない。したがって、第１のしきい値があらかじめ決定され得る。検出された衛星信号のチャネル品質が第１のしきい値よりも低いとき、衛星信号は無効な信号として見なされ得る。特に、第１のしきい値は、ＵＥと衛星デバイスとの間の通信に必要とされる最低チャネル品質、または最低チャネル品質よりも大きい値に設定され得る。さらに、ＵＥによって検出された衛星信号のチャネル品質が第１のしきい値より低いことは、プリセットされた時間内にＵＥによって検出された衛星信号のチャネル品質が第１のしきい値よりも低いことを含む。
【０３９６】
代替として、任意選択で、別の実施形態では、ＵＥが有効な衛星信号を検出しないことは、ＵＥが衛星信号を検出しないことを含む。さらに、ＵＥが有効な衛星信号を検出しないことは、ＵＥがプリセットされた時間内に衛星信号を検出しないことを含む。ＵＥがプリセットされた時間内に衛星信号を検出しない場合、ＵＥは衛星信号を検出せず、明らかに、有効な衛星信号を取得しないと考えられ得る。
【０３９７】
周囲環境の変化のために、ＵＥは、障害物のブロッキングにより、短い時間内に有効な衛星信号を検出せず、すぐ後に有効な衛星信号を検出し得る可能性があることを理解されたい。衛星デバイス同期ソースを失うようなそのようなシナリオが誤って検出される問題を回避するために、プリセットされた持続時間が設定され得る。ＵＥが有効な衛星信号を検出しない持続時間がプリセットされた持続時間よりも大きいときのみ、ＵＥは、衛星デバイス同期ソースを失い、したがって、同期ソースとして衛星デバイス以外の第２のデバイスを取得する必要があると考えられ得る。
【０３９８】
特に、ＵＥが第１のデバイスの有効な信号を検出することは、ＵＥが、プリセットされた持続時間内に衛星信号を検出するか、もしくはプリセットされた持続時間内に検出された衛星信号のチャネル品質が、第２のしきい値以上であることを含む。第２のしきい値は第１のしきい値と同じであり得るか、または第１のしきい値とは異なり得る。
【０３９９】
任意選択で、一実施形態では、本方法は、ＵＥの基地局に指示情報を送るステップであって、指示情報は、ＵＥが有効な衛星信号を検出しないことを示す、送るステップをさらに含み得る。有効な衛星信号を検出したとき、ＵＥは、基地局がＵＥのための同期ソースを構成するために、基地局に通知するように基地局に指示情報を送り得る。確かに、基地局は、指示情報に基づいてＵＥのための同期ソースを構成することがあるか、またはＵＥのための同期ソースを構成しないことがあることを理解されたい。
【０４００】
さらに、この実施形態では、Ｄ２Ｄリンクを介した同期ソースとして第２のデバイスを取得するステップは、基地局によって送られる第２の同期ソースの構成情報を受信するステップであって、第２の同期ソースの構成情報は、第２のデバイスが、ＵＥの同期ソースとして使用されることを示す、受信するステップと、第２の同期ソースの構成情報に基づいて、第２のデバイスがＤ２Ｄリンクを介した同期ソースであると決定するステップとを含み得る。
【０４０１】
本発明のこの実施形態では、ＵＥは、基地局に、有効な衛星信号が検出されないことを示す指示情報を送った後に、基地局は、ＵＥに第２の同期ソースの構成情報を再送し得ることを理解されたい。特に、第２の同期ソースの構成情報において構成される第２の同期ソースは、基地局であり得る。
【０４０２】
任意選択で、別の実施形態では、Ｄ２Ｄリンクを介した同期ソースとして第２のデバイスを取得するステップは、第２の同期ソースとして、第２のデバイス中で最も高い同期ソース優先度をもつデバイスを取得するステップを含む。任意選択で、第２の同期ソースは、ＵＥの基地局であるか、または別のＵＥである。
【０４０３】
たとえば、第１の同期ソースとして使用される衛星デバイスに加えて、第１の同期ソースの構成情報は別の同期ソースをさらに含み得る。ステップ２３１０において説明されているように、第１の同期ソースの構成情報は、基地局によってＵＥに送られ得るか、またはＵＥによって事前構成され得る。特に、第２の同期ソースは、ＵＥの基地局であり得るか、ＵＥに隣接する別のＵＥなどであり得る。
【０４０４】
別の例では、ＵＥは、最も高い優先度をもつ同期ソースとして衛星デバイスを事前構成し、２番目に高い優先度をもつ同期ソースとしてＵＥの基地局を事前構成し得る。この場合、ＵＥが有効な衛星信号を検出しないとき、基地局は、同期のためにＵＥの第２の同期ソースとして使用される。
【０４０５】
本発明のこの実施形態では、有効な衛星信号が検出されないとき、事前構成されているか、またはあらかじめ定義された優先度ルールに従って決定されている同期ソースが、第２の同期ソースとして選択される。このようにして、ユーザ機器は、事前構成された同期ソースに基づいて同期を実行し、それにより、ユーザ機器の同期効率を改善することができる。
【０４０６】
任意選択で、一実施形態では、本方法は、ＵＥが有効な衛星信号を検出しない持続時間がプリセットされた持続時間未満であり、ＵＥが、第２のデバイスの信号を検出するとき、Ｄ２Ｄリンクを介した同期ソースとして第２のデバイスを使用するステップをさらに含み得る。
【０４０７】
ＵＥが有効な衛星信号を検出しない持続時間がプリセットされた持続時間未満であり、ＵＥが、第２のデバイスの信号を検出するとき、ＵＥは、ＵＥの同期ソースとしてその第２のデバイスを使用し、同期を実行し得る。このようにして、同期ソースは、比較的短時間中に、および高い優先度をもつ同期ソースを選択するという原理に従って取得され得る。
【０４０８】
さらに、第２のデバイスは、衛星デバイスの優先度よりも低くない優先度をもつ同期ソースである。特に、ＵＥが複数の同期ソース信号を検出するとき、ＵＥは、同期ソース優先度または同期ソースタイプ優先度に基づいて、Ｄ２Ｄリンクを介した同期ソースとして最も高い優先度をもつ同期ソースをさらに選択し得る。
【０４０９】
任意選択で、本方法は、Ｄ２Ｄリンクを介したＵＥの通信リソースから同期ソースに関連するリソースまたはリソースプールに切り替わるステップをさらに含む。
【０４１０】
たとえば、ＵＥが、図２２に示されているＲＳＵに同期された場合、ＵＥは、ＲＳＵに関連するリソースまたはリソースプールを使用することによって通信を実行する。対応して、ＵＥが、図２２に示されている基地局に同期された場合、ＵＥは、基地局に関連するリソースまたはリソースプールを使用することによって通信を実行する。
【０４１１】
本発明のこの実施形態では、ＵＥが同期ソースに同期された後に、ＵＥは、Ｄ２Ｄリンクを介したＵＥの通信リソースから同期ソースに関連するリソースまたはリソースプールに切り替わる。これは、同期ソースが異なっているＵＥが同じ通信リソース上で通信を実行するときに生じるタイミングオフセット問題によって引き起こされる干渉を低減することができ、したがって、同期ソースが異なっているＵＥが互いに有効な通信を実行し得ることを保証することができる。
【０４１２】
任意選択で、本方法は、Ｄ２Ｄリンクを介してＵＥによって検出された信号の品質が、第３のしきい値より低いとき、ＵＥによって、Ｄ２Ｄリンクを介して同期信号を送信するステップをさらに含み得る。
【０４１３】
ここでの信号品質は、ＲＳＲＰ、ＲＳＲＱ、ＳＩＮＲ、またはＲＳＳＩのうちのいずれか１つまたは複数であり得、しきい値は、事前構成されているかもしくはあらかじめ定義されていることがあるかまたはシグナリングによって構成され得ることを理解されたい。
【０４１４】
本発明のこの実施形態では、Ｄ２Ｄリンクを介した送られる同期信号は、ネットワーク中のセルにわたって異なるＵＥ間の同期を実装するために使用され得る。代替として、ネットワーク外で、高優先度同期ソースへの同期がトリガされて、Ｄ２Ｄリンクを介して同期信号が送られることがあり、それにより、別のＵＥは適時に同期参照を取得する。第２のしきい値の限定により、不要な送信が低減され得る。これは、Ｄ２Ｄリンクを介した同期パフォーマンスを保証する。
【０４１５】
本発明は、図５に示されている実施形態の方法を実行し、図５に示されている実施形態および拡張実施形態におけるＵＥの機能を実装するように構成されている、ユーザ機器をさらに提案する。
【０４１６】
特に、ユーザ機器は、機能モジュールを使用することによって対応する方法を実装し得る。ユーザ機器は、図５に示されている実施形態の方法を実行するように構成されているユニットを含み得る。
【０４１７】
本発明は、図１１に示されている実施形態の方法を実行し、図１１に示されている実施形態および拡張実施形態における基地局の機能を実装するように構成されている、基地局をさらに提案する。
【０４１８】
特に、基地局は、機能モジュールを使用することによって対応する方法を実装し得る。基地局は、図１１に示されている実施形態の方法を実行するように構成されているユニットを含み得る。
【０４１９】
本発明は、図１４に示されている実施形態の方法を実行し、図１４に示されている実施形態および拡張実施形態における基地局の機能を実装するように構成されている、基地局をさらに提案する。
【０４２０】
特に、基地局は、機能モジュールを使用することによって対応する方法を実装し得る。基地局は、図１４に示されている実施形態の方法を実行するように構成されているユニットを含み得る。
【０４２１】
本発明は、図２３に示されている実施形態の方法を実行し、図２３に示されている実施形態および拡張実施形態におけるＵＥの機能を実装するように構成されている、ユーザ機器をさらに提案する。
【０４２２】
特に、ユーザ機器は、機能モジュールを使用することによって対応する方法を実装し得る。ユーザ機器は、図２３に示されている実施形態の方法を実行するように構成されているユニットを含み得る。
【０４２３】
本発明は、コンピュータプログラムを記憶するように構成されている、コンピュータ可読記憶媒体をさらに提案する。コンピュータプログラムは、図５に示されている実施形態の方法を実行するために使用される命令を含む。
【０４２４】
本発明は、コンピュータプログラムを記憶するように構成されている、別のコンピュータ可読記憶媒体をさらに提案する。コンピュータプログラムは、図１１に示されている実施形態の方法を実行するために使用される命令を含む。
【０４２５】
本発明は、コンピュータプログラムを記憶するように構成されている、さらに別のコンピュータ可読記憶媒体をさらに提案する。コンピュータプログラムは、図１４に示されている実施形態の方法を実行するために使用される命令を含む。
【０４２６】
本発明は、コンピュータプログラムを記憶するように構成されている、さらに別のコンピュータ可読記憶媒体をさらに提案する。コンピュータプログラムは、図２３に示されている実施形態の方法を実行するために使用される命令を含む。
【０４２７】
図２４は、本発明の一実施形態によるユーザ機器２４００の概略構造図である。図２４に示されているように、ユーザ機器２４００は、処理モジュール２４０２および送信モジュール２４０１を含み得る。
【０４２８】
処理モジュール２４０２は、ユーザ機器２４００の少なくとも１つのサブ周波数領域リソースに対応するシーケンスパラメータを決定することと、シーケンスパラメータに基づいて基準信号シーケンスを生成することであって、１つのサブ周波数領域リソースが、１つのシーケンスパラメータに対応する、生成することとを行うように構成されている。
【０４２９】
送信モジュール２４０１は、少なくとも１つのサブ周波数領域リソースに対応する物理リソースに基準信号シーケンスをマッピングするように構成されている。
【０４３０】
本発明のこの実施形態では、ユーザ機器２４００は、少なくとも１つのサブ周波数領域リソースに対応するシーケンスパラメータを決定し、シーケンスパラメータに基づいて基準信号シーケンスを生成し、少なくとも１つのサブ周波数領域リソースに対応する物理リソースに基準信号シーケンスをマッピングする。このようにして、基地局は、各スケジュールされたＵＥの多重化ステータスに基づいて基準信号シーケンス生成パラメータをフレキシブルに割り振り、それにより、マルチユーザ多重化能力を改善し、スケジューリングフレキシビリティを改善することができる。
【０４３１】
特定の適用例では、処理モジュール２４０２はプロセッサであり得、送信モジュール２４０１は送信機であり得ることを理解されたい。
【０４３２】
任意選択で、ユーザ機器は、受信モジュール２４０３をさらに含み得る。受信モジュールは受信機であり得る。送信機および受信機はアンテナに結合され得る。
【０４３３】
任意選択で、基準信号は復調基準信号ＤＭＲＳであり、少なくとも１つのサブ周波数領域リソースは、ＤＭＲＳが位置するデータ帯域幅中のサブキャリアの一部または全部を含む。
【０４３４】
任意選択で、シーケンスパラメータは、ルートシーケンスインデックス、サイクリックシフト値、または基準信号シーケンスの直交カバーコードのうちの少なくとも１つを含む。
【０４３５】
任意選択で、一実施形態では、少なくとも１つのサブ周波数領域リソース中の第１のサブ周波数領域リソースに対応するシーケンスパラメータは、第１のサブ周波数領域リソースの第１のリソースインデックス値によって決定される。
【０４３６】
さらに、シーケンスパラメータ中のルートシーケンスインデックスのシーケンスグループホッピングおよび／またはシーケンスホッピングのうちの少なくとも１つは、第１のリソースインデックス値によって決定される。
【０４３７】
任意選択で、一実施形態では、処理モジュール２４０２は、第１の情報を取得するようにさらに構成されており、第１の情報は、少なくとも１つのサブ周波数領域リソースに対応するシーケンスパラメータを示すために使用され、処理モジュール２４０２は、第１の情報に基づいて、少なくとも１つのサブ周波数領域リソースに対応するシーケンスパラメータを決定するように構成されている。
【０４３８】
代替として、任意選択で、別の実施形態では、処理モジュール２４０２は、第１の情報を取得するようにさらに構成されており、第１の情報は、少なくとも１つのサブ周波数領域リソースに対応する少なくとも１つのシーケンスパラメータを示すために使用され、処理モジュール２４０２は、第１の情報および少なくとも１つのサブ周波数領域リソースに対応するリソースインデックス値に基づいて、少なくとも１つのサブ周波数領域リソースに対応する少なくとも１つのシーケンスパラメータを決定するように構成されている。
【０４３９】
処理モジュール２４０２は、ユーザ機器２４００によってあらかじめ定義されているかもしくはプリセットされた情報から第１の情報を直接取得し得るか、または受信モジュール２４０３を使用することによって、基地局によって送られた第１の情報を受信し得ることを理解されたい。
【０４４０】
第１の情報によって示されるシーケンスパラメータは、絶対値であるかまたは相対値であることを理解されたい。
【０４４１】
任意選択で、処理モジュール２４０２は、少なくとも１つのサブ周波数領域リソースを決定するようにさらに構成されている。
【０４４２】
任意選択で、一実施形態では、少なくとも１つのサブ周波数領域リソースは、シグナリングによって示されるか、またはあらかじめ定義されているかもしくはあらかじめ構成されている。
【０４４３】
代替として、任意選択で、別の実施形態では、処理モジュール２４０２は、第２の情報を取得するようにさらに構成されており、第２の情報は、少なくとも１つのサブ周波数領域リソースを示すために使用され、処理モジュール２４０２は、第２の情報に基づいて、少なくとも１つのサブ周波数領域リソースを決定するように構成されている。
【０４４４】
さらに、第２の情報は、少なくとも１つのサブ周波数領域リソースの多重化方式をさらに含む。任意選択で、多重化方式は、周波数分割多重化、符号分割多重化、およびリソース共有などの多重化方式のうちの少なくとも１つを含み得る。任意選択で、少なくとも１つのサブ周波数領域リソースが２つ以上のサブ周波数領域リソースであるとき、すべてのサブ周波数領域リソースの多重化方式は同じであるか、またはサブ周波数領域リソースのうちの少なくとも２つの多重化方式が異なる。
【０４４５】
処理モジュール２４０２は、ユーザ機器２４００によってあらかじめ定義されているかもしくはプリセットされた情報から第２の情報を直接取得し得るか、または受信モジュール２４０３を使用することによって、基地局によって送られた第２の情報を受信し得ることを理解されたい。
【０４４６】
ユーザ機器２４００は、図５の方法をさらに実行し、図５に示されている実施形態におけるユーザ機器の機能を実装し得る。詳細について、本発明のこの実施形態においてここで再び説明されない。
【０４４７】
図２５は、本発明の一実施形態による基地局２５００の概略構造図である。図２５に示されているように、基地局２５００は、処理モジュール２５０２および送信モジュール２５０１を含み得る。
【０４４８】
処理モジュール２５０２は、第１の情報を生成するように構成されており、第１の情報は、少なくとも１つのサブ周波数領域リソースに対応するシーケンスパラメータを示すために使用され、少なくとも１つのサブ周波数領域リソースは、基準信号シーケンスをマッピングするために第１のＵＥによって使用される周波数領域リソースであり、第１のＵＥの各サブ周波数領域リソースは、１つのシーケンスパラメータに対応する。
【０４４９】
送信モジュール２５０１は、第１のＵＥに第１の情報を送るように構成されている。
【０４５０】
本発明のこの実施形態では、基地局２５００は、基準信号を送るために使用される各サブ周波数領域リソースに対応するシーケンスパラメータの指示情報をＵＥのために構成し、それにより、基地局は、ＵＥの基準信号シーケンスに対する完全な制御を実装して、スケジューリングフレキシビリティを保証することができる。
【０４５１】
特定の適用例では、処理モジュール２５０２はプロセッサであり得、送信モジュール２５０１は送信機であり得ることを理解されたい。
【０４５２】
任意選択で、基地局は、受信モジュール２５０３をさらに含み得る。受信モジュールは受信機であり得る。送信機および受信機はアンテナに結合され得る。
【０４５３】
任意選択で、基準信号は復調基準信号ＤＭＲＳであり、少なくとも１つのサブ周波数領域リソースは、第１のＵＥのＤＭＲＳが位置するデータ帯域幅中のサブキャリアの一部または全部を含む。
【０４５４】
任意選択で、シーケンスパラメータは、ルートシーケンスインデックス、サイクリックシフト値、または基準信号シーケンスの直交カバーコードのうちの少なくとも１つを含む。
【０４５５】
任意選択で、処理モジュール２５０２は、第２の情報を生成するようにさらに構成されており、第２の情報は、少なくとも１つのサブ周波数領域リソースを示すために使用され、送信モジュール２５０１は、第１のＵＥに第２の情報を送るようにさらに構成されている。
【０４５６】
さらに、第２の情報は、少なくとも１つのサブ周波数領域リソースの多重化方式をさらに含む。さらに、少なくとも１つのサブ周波数領域リソースが２つ以上のサブ周波数領域リソースであるとき、すべてのサブ周波数領域リソースの基準信号シーケンス多重化方式は同じであるか、またはサブ周波数領域リソースのうちの少なくとも２つの基準信号シーケンス多重化方式が異なる。
【０４５７】
処理モジュール２５０２は、第３の情報を生成するようにさらに構成されており、第３の情報は、少なくとも１つのサブ周波数領域リソースに対応するシーケンスパラメータを示すために使用され、第３の情報中の少なくとも１つのサブ周波数領域リソースは、基準信号シーケンスをマッピングするために第２のＵＥによって使用される周波数領域リソースであり、第２のＵＥの各サブ周波数領域リソースは、１つのシーケンスパラメータに対応し、第２のＵＥの少なくとも１つのサブ周波数領域リソース中の第２のサブ周波数領域リソースは、第１のＵＥの少なくとも１つのサブ周波数領域リソース中の第１のサブ周波数領域リソース中の周波数領域リソースの全部または一部であり、第２のサブ周波数領域リソースと第１のサブ周波数領域リソースとが異なるシーケンスパラメータに対応し、送信モジュール２５０１は、第２のＵＥに第３の情報を送るようにさらに構成されている。
【０４５８】
基地局２５００は、図１１の方法をさらに実行し、図１１に示されている実施形態における基地局の機能を実装し得る。詳細について、本発明のこの実施形態においてここで再び説明されない。
【０４５９】
図２６は、本発明の一実施形態によるユーザ機器２６００の概略構造図である。図２６に示されているように、ユーザ機器２６００は、処理モジュール２６０２および送信モジュール２６０１を含み得る。
【０４６０】
処理モジュール２６０２は、周波数領域の離散の方式で、制御情報を搬送するために使用されるデータチャネルリソースに制御情報をマッピングするように構成されており、各データチャネルリソースは、時間領域中で１ｍｓ未満である。
【０４６１】
送信モジュール２６０１は、データチャネルリソースを使用することによって制御情報を送るように構成されている。
【０４６２】
制御情報が周波数領域の連続の方式で送信されるので、制御情報を送信するための周波数領域リソースが、減衰した周波数領域リソースの範囲内に入るという問題を回避するために、本発明のこの実施形態では、ユーザ機器２６００は、周波数領域の離散の方式でデータチャネルリソースに制御情報の少なくとも１つのタイプをマッピングする。このようにして、ＵＣＩ送信中に追加の周波数領域ダイバーシティ利得が取得され得る。
【０４６３】
特定の適用例では、処理モジュール２６０２はプロセッサであり得、送信モジュール２６０１は送信機であり得ることを理解されたい。
【０４６４】
任意選択で、ユーザ機器は、受信モジュール２６０３をさらに含み得る。受信モジュールは受信機であり得る。送信機および受信機はアンテナに結合され得る。
【０４６５】
任意選択で、制御情報は、ハイブリッド自動再送要求ＨＡＲＱの応答情報、チャネル状態情報ＣＳＩ、またはスケジューリング要求ＳＲのうちの少なくとも１つを含む。さらに、ＣＳＩは、ランクインジケータＲＩ、プリコーディング行列インジケータＰＭＩ、チャネル品質インジケータＣＱＩ、プリコーディングタイプインジケータＰＴＩ、またはビーム指示ＢＩのうちの少なくとも１つを含む。
【０４６６】
任意選択で、一実施形態では、処理モジュール２６０２は、少なくとも１つのタイプの制御情報の各々を複数の部分に分割し、周波数領域の離散の方式で、データチャネルリソースによって占有される帯域幅中の異なる部分に各タイプの制御情報の複数の部分をそれぞれマッピングするか、またはデータチャネルリソースによって占有される帯域幅中の異なる部分に複数のタイプの制御情報をそれぞれマッピングするように特に構成されている。
【０４６７】
さらに、処理モジュール２６０２は、２つの部分に少なくとも１つのタイプの制御情報の各々を分割し、データチャネルリソースによって占有される帯域幅の２つの側に２つの部分をそれぞれマッピングするように特に構成されている。
【０４６８】
代替として、さらに、処理モジュール２６０２は、
高周波数サブキャリアから低周波数サブキャリアに、データチャネルリソースによって占有される帯域幅中の少なくとも一部分の各々中の第１の制御情報をマッピングすること、または
低周波数サブキャリアから高周波数サブキャリアに、データチャネルリソースによって占有される帯域幅中の少なくとも一部分の各々中の第１の制御情報をマッピングすること、または
低周波数サブキャリアから高周波数サブキャリアに、データチャネルリソースによって占有される帯域幅中の少なくとも一部分の第１の部分中の第１の制御情報をマッピングし、高周波数サブキャリアから低周波数サブキャリアに、データチャネルリソースによって占有される帯域幅中の少なくとも一部分の第２の部分中の第１の制御情報をマッピングすることであって、
第１の制御情報が、複数のタイプの制御情報のうちの１つである、マッピングすること、
を行うようにさらに構成されている。
【０４６９】
さらに、制御情報が、ＨＡＲＱ応答情報とＲＩとを含み、データチャネルリソースが、サブバンド１と、サブバンド２と、サブバンド３と、サブバンド４との４つのサブバンドに分割されるとき、処理モジュール２６０２は、
サブバンド１およびサブバンド３にＨＡＲＱ応答情報をマッピングし、サブバンド２およびサブバンド４にＲＩをマッピングすること、または
サブバンド２およびサブバンド４にＨＡＲＱ応答情報をマッピングし、サブバンド１およびサブバンド３にＲＩをマッピングすること、または
サブバンド１およびサブバンド４にＨＡＲＱ応答情報をマッピングし、サブバンド２およびサブバンド３にＲＩをマッピングすること、または
サブバンド２およびサブバンド３にＨＡＲＱ応答情報をマッピングし、サブバンド１およびサブバンド４にＲＩをマッピングすること
を行うように特に構成されている。
【０４７０】
任意選択で、処理モジュール２６０２は、制御情報が複数のタイプの制御情報を含むとき、データチャネルリソースの少なくとも２つの時間領域データシンボルに複数のタイプの制御情報をそれぞれマッピングし、周波数領域の離散の方式で、データチャネルリソースによって占有される帯域幅に複数のタイプの制御情報をマッピングするように特に構成されている。
【０４７１】
さらに、処理モジュール２６０２は、
データチャネルリソースの第１のシンボル上の時間周波数リソースに第１の制御情報をマッピングし、データチャネルリソースの第２のシンボル上の時間周波数リソースに第２の制御情報をマッピングすること、または
第１のサブバンド中の、データチャネルリソースの第１のシンボル上の時間周波数リソースと第２のサブバンド中の、データチャネルリソースの第２のシンボル上の時間周波数リソースとに第１の制御情報をマッピングし、第１のサブバンド中の、データチャネルリソースの第２のシンボル上の時間周波数リソースと第２のサブバンド中の、データチャネルリソースの第１のシンボル上の時間周波数リソースとに第２の制御情報をマッピングすること
を行うように特に構成されている。
【０４７２】
任意選択で、データチャネルリソースの１つのサブフレーム中の制御情報によって占有されるシンボルの量は、２、３、４、６、または７のうちのいずれか１つである。
【０４７３】
さらに、制御情報が、ＨＡＲＱ応答情報とＲＩとを含むとき、処理モジュール２６０２は、データチャネルリソースの２つの側上の２つの隣接する時間領域データシンボルに制御情報中のＨＡＲＱ応答情報とＲＩとをそれぞれマッピングし、周波数領域の離散の方式で、データチャネルリソースによって占有される帯域幅にＨＡＲＱ応答情報とＲＩとをマッピングするように特に構成されている。
【０４７４】
任意選択で、一実施形態では、制御情報が、ＨＡＲＱ応答情報とＲＩとを含むとき、処理モジュール２６０２は、データチャネルリソースの一方の側上の１つの時間領域データシンボルに制御情報中のＨＡＲＱ応答情報とＲＩとをマッピングし、周波数領域の離散の方式で、データチャネルリソースによって占有される帯域幅にＨＡＲＱ応答情報とＲＩとをマッピングするように特に構成されている。
【０４７５】
任意選択で、送信モジュール２６０１は、制御情報を送るときにデータチャネルリソース上でレートマッチングまたはパンクチャリング演算を実行するようにさらに構成されている。
【０４７６】
ユーザ機器２６００は、図１４の方法をさらに実行し、図１４に示されている実施形態におけるユーザ機器の機能を実装し得る。詳細について、本発明のこの実施形態においてここで再び説明されない。
【０４７７】
図２７は、本発明の一実施形態によるユーザ機器２７００の概略構造図である。図２７に示されているように、ユーザ機器２７００は、トランシーバモジュール２７０１および処理モジュール２７０２を含み得る。
【０４７８】
処理モジュール２７０２は、第１の同期ソースの構成情報に基づいて第１のデバイスの信号を検出するように構成されており、第１のデバイスは衛星デバイスである。
【０４７９】
トランシーバモジュール２７０１は、第１のデバイスの信号を受信するように構成されている。
【０４８０】
処理モジュール２７０２が第１のデバイスの有効な信号を検出するとき、処理モジュール２７０２は、Ｄ２Ｄリンクを介したＵＥの同期ソースとして第１のデバイスを使用するようにさらに構成されている。代替として、処理モジュール２７０２が第１のデバイスの有効な信号を検出しないとき、処理モジュール２７０２は、Ｄ２Ｄリンクを介した同期ソースとして第２のデバイスを取得するようにさらに構成されており、第２のデバイスは衛星デバイス以外のデバイスである。
【０４８１】
トランシーバモジュール２７０１は、Ｄ２Ｄリンクを介した同期ソースに基づいてＤ２Ｄリンクを介した通信を実行するようにさらに構成されている。
【０４８２】
本発明のこの実施形態では、ユーザ機器２７００は、有効な衛星信号があるとき、同期ソースとして衛星デバイスを選択し、有効な衛星信号を検出しないとき、同期ソースとして衛星デバイス以外のデバイスを選択する。このようにして、衛星信号があるか衛星信号がないかにかかわらず、ＵＥは同期ソースに基づいて同期を実行し、それにより、ユーザ機器が同期ソースを長時間失うので同期が失敗するという問題を回避することができる。これはユーザ機器の同期効率を改善する。
【０４８３】
特定の適用例では、処理モジュール２７０２はプロセッサであり得、トランシーバモジュール２７０１は、トランシーバを含み得るかまたは送信機および受信機を含み得ることを理解されたい。送信機および受信機はアンテナに結合され得る。
【０４８４】
任意選択で、第１の同期ソースの構成情報は、基地局によってＵＥに送られるか、または第１の同期ソースの構成情報は、事前構成されているかもしくはあらかじめ定義されている。
【０４８５】
任意選択で、処理モジュール２７０２が有効な衛星信号を検出しないことは、
処理モジュール２７０２によって検出された衛星信号のチャネル品質が第１のしきい値より低いこと、または
処理モジュール２７０２が衛星信号を検出しないこと、または
処理モジュール２７０２が、プリセットされた時間内に衛星信号を検出しないか、もしくはプリセットされた時間内に処理モジュール２７０２によって検出された衛星信号のチャネル品質が、第１のしきい値より低いこと
を含む。
【０４８６】
任意選択で、処理モジュール２７０２が第１のデバイスの有効な信号を検出することは、
処理モジュール２７０２が、プリセットされた持続時間内に衛星信号を検出するか、もしくはプリセットされた持続時間内に処理モジュール２７０２によって検出された衛星信号のチャネル品質が、第２のしきい値以上であること
を含む。
【０４８７】
任意選択で、一実施形態では、処理モジュール２７０２が有効な衛星信号を検出しない持続時間がプリセットされた持続時間未満であり、処理モジュール２７０２が、第２のデバイスの信号を検出するとき、処理モジュール２７０２は、Ｄ２Ｄリンクを介した同期ソースとして第２のデバイスを使用し得る。
【０４８８】
任意選択で、別の実施形態では、トランシーバモジュール２７０１は、ＵＥの基地局に指示情報を送るようにさらに構成されており、指示情報は、ＵＥが有効な衛星信号を検出しないことを示す。
【０４８９】
さらに、トランシーバモジュール２７０１は、基地局によって送られる第２の同期ソースの構成情報を受信するようにさらに構成されており、第２の同期ソースの構成情報は、第２のデバイスがＵＥの同期ソースとして使用されることを示し、処理モジュール２７０２は、第２の同期ソースの構成情報に基づいて、第２のデバイスがＤ２Ｄリンクを介した同期ソースであると決定するように特に構成されている。さらに、第２のデバイスは基地局である。
【０４９０】
任意選択で、別の実施形態では、処理モジュール２７０２は、第２の同期ソースとして、第２のデバイス中で最も高い同期ソース優先度をもつデバイスを取得するように特に構成されている。さらに、第２の同期ソースは、ＵＥの基地局であるか、または別のＵＥである。
【０４９１】
任意選択で、処理モジュール２７０２は、Ｄ２Ｄリンクを介したＵＥの通信リソースから同期ソースに関連するリソースまたはリソースプールに切り替わるようにさらに構成されている。
【０４９２】
任意選択で、トランシーバモジュール２７０１は、Ｄ２Ｄリンクを介して処理モジュール２７０２によって検出された信号の品質が、第３のしきい値より低いとき、Ｄ２Ｄリンクを介して同期信号を送信するようにさらに構成されている。
【０４９３】
ユーザ機器２７００は、図２３の方法をさらに実行し、図２３に示されている実施形態におけるユーザ機器の機能を実装し得る。詳細について、本発明のこの実施形態においてここで再び説明されない。
【０４９４】
本発明の一実施形態は、ユーザ機器２８００をさらに提案する。図２８は、本発明のこの実施形態によるユーザ機器２８００の概略構造図である。ユーザ機器２８００のエンティティ装置の概略構造図は、プロセッサ２８０２、メモリ２８０３、送信機２８０１、および受信機２８０４を含む、図２８に示され得る。特定の適用例では、送信機２８０１および受信機２８０４はアンテナ２８０５に結合され得る。
【０４９５】
メモリ２８０３は、プログラムを記憶するように構成されている。特に、プログラムはプログラムコードを含むことがあり、プログラムコードはコンピュータ演算命令を含む。メモリ２８０３は、読取り専用メモリおよびランダムアクセスメモリを含んでよく、プロセッサ２８０２に命令およびデータを提供する。メモリ２８０３は、高速ＲＡＭメモリを含み得るか、または不揮発性メモリ（ｎｏｎ−ｖｏｌａｔｉｌｅ  ｍｅｍｏｒｙ）、たとえば、少なくとも１つのディスクメモリをさらに含み得る。
【０４９６】
プロセッサ２８０２は、メモリ２８０３に記憶されたプログラムを実行するように構成されている。
【０４９７】
特に、ユーザ機器２８００において、プロセッサ２８０２は、受信機２８０４および送信機２８０１を使用することによって、
ユーザ機器２８００の少なくとも１つのサブ周波数領域リソースに対応するシーケンスパラメータを決定するステップであって、１つのサブ周波数領域リソースが、１つのシーケンスパラメータに対応する、決定するステップと、
シーケンスパラメータに基づいて基準信号シーケンスを生成するステップと、
少なくとも１つのサブ周波数領域リソースに対応する物理リソースに基準信号シーケンスをマッピングするステップと
の方法を実行し得る。
【０４９８】
ユーザ機器によって実行され、本発明の図５に示されている実施形態において開示された上記の方法は、プロセッサ２８０２に適用され得るか、またはプロセッサ２８０２によって実装され得る。プロセッサ２８０２は集積回路チップであり得、信号処理能力を有する。実装処理において、上記の方法のステップは、プロセッサ２８０２中のハードウェアの集積論理回路を使用することによって、またはソフトウェアの形態の命令を使用することによって実行され得る。プロセッサ２８０２は、中央処理ユニット（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）などを含む、汎用プロセッサであり得るか、またはデジタル信号プロセッサ（ｄｉｇｉｔａｌ ｓｉｇｎａｌ ｐｒｏｃｅｓｓｏｒ、ＤＳＰ）、特定用途向け集積回路（ａｐｐｌｉｃａｔｉｏｎ-ｓｐｅｃｉｆｉｃ ｉｎｔｅｇｒａｔｅｄ ｃｉｒｃｕｉｔ、ＡＳＩＣ）、フィールドプログラマブルゲートアレイ（ｆｉｅｌｄ ｐｒｏｇｒａｍｍａｂｌｅ ｇａｔｅ ａｒｒａｙ、ＦＰＧＡ）もしくは別のプログラマブル論理デバイス、個別ゲートもしくはトランジスタ論理デバイス、もしくは個別ハードウェア構成要素であり得る。プロセッサ２８０２は、本発明の実施形態に開示されている方法、ステップ、および論理ブロック図を実装または実行することができる。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実行され得るか、または復号プロセッサ中のハードウェアとソフトウェアモジュールの組合せを使用することによって実行され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ２８０３中に位置する。プロセッサ２８０２は、メモリ２８０３中の情報を読み取り、プロセッサのハードウェアとの組合せで上記の方法のステップを実行する。
【０４９９】
本発明の一実施形態は、基地局２９００をさらに提案する。図２９は、本発明のこの実施形態による基地局２９００の概略構造図である。基地局２９００のエンティティ装置の概略構造図は、プロセッサ２９０２、メモリ２９０３、送信機２９０１、および受信機２９０４を含む、図２９に示され得る。特定の適用例では、送信機２９０１および受信機２９０４はアンテナ２９０５に結合され得る。
【０５００】
メモリ２９０３は、プログラムを記憶するように構成されている。特に、プログラムはプログラムコードを含むことがあり、プログラムコードはコンピュータ演算命令を含む。メモリ２９０３は、読取り専用メモリおよびランダムアクセスメモリを含んでよく、プロセッサ２９０２に命令およびデータを提供する。メモリ２９０３は、高速ＲＡＭメモリを含み得るか、または不揮発性メモリ（ｎｏｎ−ｖｏｌａｔｉｌｅ  ｍｅｍｏｒｙ）、たとえば、少なくとも１つのディスクメモリをさらに含み得る。
【０５０１】
プロセッサ２９０２は、メモリ２９０３に記憶されたプログラムを実行するように構成されている。
【０５０２】
特に、基地局２９００において、プロセッサ２９０２は、受信機２９０４および送信機２９０１を使用することによって、
第１の情報を生成するステップであって、第１の情報が、少なくとも１つのサブ周波数領域リソースに対応するシーケンスパラメータを示すために使用され、少なくとも１つのサブ周波数領域リソースが、基準信号シーケンスをマッピングするために第１のＵＥによって使用される周波数領域リソースであり、第１のＵＥの各サブ周波数領域リソースが、１つのシーケンスパラメータに対応する、生成するステップと、
第１のＵＥに第１の情報を送るステップと
の方法を実行し得る。
【０５０３】
基地局によって実行され、本発明の図１１に示されている実施形態において開示された上記の方法は、プロセッサ２９０２に適用され得るか、またはプロセッサ２９０２によって実装され得る。プロセッサ２９０２は集積回路チップであり得、信号処理能力を有する。実装処理において、上記の方法のステップは、プロセッサ２９０２中のハードウェアの集積論理回路を使用することによって、またはソフトウェアの形態の命令を使用することによって実行され得る。プロセッサ２９０２は、中央処理ユニット（ｃeｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）などを含む、汎用プロセッサであり得るか、またはデジタル信号プロセッサ（ｄｉｇｉｔａｌ ｓｉｇｎａｌ ｐｒｏｃｅｓｓｏｒ、ＤＳＰ）、特定用途向け集積回路（ａｐｐｌｉｃａｔｉｏｎ-ｓｐｅｃｉｆｉｃ ｉｎｔｅｇｒａｔｅｄ ｃｉｒｃｕｉｔ、ＡＳＩＣ）、フィールドプログラマブルゲートアレイ（ｆｉｅｌｄ ｐｒｏｇｒａｍｍａｂｌｅ ｇａｔｅ ａｒｒａｙ、ＦＰＧＡ）もしくは別のプログラマブル論理デバイス、個別ゲートもしくはトランジスタ論理デバイス、もしくは個別ハードウェア構成要素であり得る。プロセッサ２９０２は、本発明の実施形態に開示されている方法、ステップ、および論理ブロック図を実装または実行することができる。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実行され得るか、または復号プロセッサ中のハードウェアとソフトウェアモジュールの組合せを使用することによって実行され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ２９０３中に位置する。プロセッサ２９０２は、メモリ２９０３中の情報を読み取り、プロセッサのハードウェアとの組合せで上記の方法のステップを実行する。
【０５０４】
本発明の一実施形態は、ユーザ機器３０００をさらに提案する。図３０は、本発明のこの実施形態によるユーザ機器３０００の概略構造図である。ユーザ機器３０００のエンティティ装置の概略構造図は、プロセッサ３００２、メモリ３００３、送信機３００１、および受信機３００４を含む、図３０に示され得る。特定の適用例では、送信機３００１および受信機３００４はアンテナ３００５に結合され得る。
【０５０５】
メモリ３００３は、プログラムを記憶するように構成されている。特に、プログラムはプログラムコードを含むことがあり、プログラムコードはコンピュータ演算命令を含む。メモリ３００３は、読取り専用メモリおよびランダムアクセスメモリを含んでよく、プロセッサ３００２に命令およびデータを提供する。メモリ３００３は、高速ＲＡＭメモリを含み得るか、または不揮発性メモリ（ｎｏｎ−ｖｏｌａｔｉｌｅ  ｍｅｍｏｒｙ）、たとえば、少なくとも１つのディスクメモリをさらに含み得る。
【０５０６】
プロセッサ３００２は、メモリ３００３に記憶されたプログラムを実行するように構成されている。
【０５０７】
特に、ユーザ機器３０００において、プロセッサ３００２は、受信機３００４および送信機３００１を使用することによって、
周波数領域の離散の方式で、制御情報を搬送するために使用されるデータチャネルリソースに制御情報をマッピングするステップであって、各データチャネルリソースが、時間領域中で１ｍｓ未満である、マッピングするステップと、
データチャネルリソースを使用することによって制御情報を送るステップと
の方法を実行し得る。
【０５０８】
ユーザ機器によって実行され、本発明の図１４に示されている実施形態において開示された上記の方法は、プロセッサ３００２に適用され得るか、またはプロセッサ３００２によって実装され得る。プロセッサ３００２は集積回路チップであり得、信号処理能力を有する。実装処理において、上記の方法のステップは、プロセッサ３００２中のハードウェアの集積論理回路を使用することによって、またはソフトウェアの形態の命令を使用することによって実行され得る。プロセッサ３００２は、中央処理ユニット（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）などを含む、汎用プロセッサであり得るか、またはデジタル信号プロセッサ（ｄｉｇｉｔａｌ ｓｉｇｎａｌ ｐｒｏｃｅｓｓｏｒ、ＤＳＰ）、特定用途向け集積回路（ａｐｐｌｉｃａｔｉｏｎ-ｓｐｅｃｉｆｉｃ ｉｎｔｅｇｒａｔｅｄ ｃｉｒｃｕｉｔ、ＡＳＩＣ）、フィールドプログラマブルゲートアレイ（ｆｉｅｌｄ ｐｒｏｇｒａｍｍａｂｌｅ ｇａｔｅ ａｒｒａｙ、ＦＰＧＡ）もしくは別のプログラマブル論理デバイス、個別ゲートもしくはトランジスタ論理デバイス、もしくは個別ハードウェア構成要素であり得る。プロセッサ３００２は、本発明の実施形態に開示されている方法、ステップ、および論理ブロック図を実装または実行することができる。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実行され得るか、または復号プロセッサ中のハードウェアとソフトウェアモジュールの組合せを使用することによって実行され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ３００３中に位置する。プロセッサ３００２は、メモリ３００３中の情報を読み取り、プロセッサのハードウェアとの組合せで上記の方法のステップを実行する。
【０５０９】
本発明の一実施形態は、ユーザ機器３１００をさらに提案する。図３１は、本発明のこの実施形態によるユーザ機器３１００の概略構造図である。ユーザ機器３１００のエンティティ装置の概略構造図は、プロセッサ３１０２、メモリ３１０３、送信機３１０１、および受信機３１０４を含む、図３１に示され得る。特定の適用例では、送信機３１０１および受信機３１０４はアンテナ３１０５に結合され得る。
【０５１０】
メモリ３１０３は、プログラムを記憶するように構成されている。特に、プログラムはプログラムコードを含むことがあり、プログラムコードはコンピュータ演算命令を含む。メモリ３１０３は、読取り専用メモリおよびランダムアクセスメモリを含んでよく、プロセッサ３１０２に命令およびデータを提供する。メモリ３１０３は、高速ＲＡＭメモリを含み得るか、または不揮発性メモリ（ｎｏｎ−ｖｏｌａｔｉｌｅ  ｍｅｍｏｒｙ）、たとえば、少なくとも１つのディスクメモリをさらに含み得る。
【０５１１】
プロセッサ３１０２は、メモリ３１０３に記憶されたプログラムを実行するように構成されている。
【０５１２】
特に、ユーザ機器３１００において、プロセッサ３１０２は、受信機３１０４および送信機３１０１を使用することによって、
第１の同期ソースの構成情報に基づいて第１のデバイスの信号を検出するステップであって、第１のデバイスが衛星デバイスである、検出するステップと、
第１のデバイスの有効な信号が検出されるとき、Ｄ２Ｄリンクを介したＵＥの同期ソースとして第１のデバイスを使用し、第１のデバイスの有効な信号が検出されないとき、Ｄ２Ｄリンクを介した同期ソースとして第２のデバイスを取得するステップであって、第２のデバイスが衛星デバイス以外のデバイスである、取得するステップと、
Ｄ２Ｄリンクを介した同期ソースに基づいてＤ２Ｄリンクを介した通信を実行するステップと
の方法を実行し得る。
【０５１３】
ユーザ機器によって実行され、本発明の図２３に示されている実施形態において開示された上記の方法は、プロセッサ３１０２に適用され得るか、またはプロセッサ３１０２によって実装され得る。プロセッサ３１０２は集積回路チップであり得、信号処理能力を有する。実装処理において、上記の方法のステップは、プロセッサ３１０２中のハードウェアの集積論理回路を使用することによって、またはソフトウェアの形態の命令を使用することによって実行され得る。プロセッサ３１０２は、中央処理ユニット（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）などを含む、汎用プロセッサであり得るか、またはデジタル信号プロセッサ（ｄｉｇｉｔａｌ ｓｉｇｎａｌ ｐｒｏｃｅｓｓｏｒ、ＤＳＰ）、特定用途向け集積回路（ａｐｐｌｉｃａｔｉｏｎ-ｓｐｅｃｉｆｉｃ ｉｎｔｅｇｒａｔｅｄ ｃｉｒｃｕｉｔ、ＡＳＩＣ）、フィールドプログラマブルゲートアレイ（ｆｉｅｌｄ ｐｒｏｇｒａｍｍａｂｌｅ ｇａｔｅ ａｒｒａｙ、ＦＰＧＡ）もしくは別のプログラマブル論理デバイス、個別ゲートもしくはトランジスタ論理デバイス、もしくは個別ハードウェア構成要素であり得る。プロセッサ３１０２は、本発明の実施形態に開示されている方法、ステップ、および論理ブロック図を実装または実行することができる。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実行され得るか、または復号プロセッサ中のハードウェアとソフトウェアモジュールの組合せを使用することによって実行され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ３１０３中に位置する。プロセッサ３１０２は、メモリ３１０３中の情報を読み取り、プロセッサのハードウェアとの組合せで上記の方法のステップを実行する。
【０５１４】
本発明の実施形態において、上記の処理のシーケンス番号は実行シーケンスを示さないことを理解されたい。処理の実行シーケンスは、処理の機能および内部論理に基づいて決定されるべきであり、本発明の実施形態の実装処理に対するいかなる限定ともならない。
【０５１５】
当業者は、本明細書で開示される実施形態に関して説明された例におけるユニットおよびアルゴリズムステップが、電子ハードウェアまたはコンピュータソフトウェアと電子ハードウェアの組合せによって実装され得ることに気づき得る。機能がハードウェアによって実行されるかソフトウェアによって実行されるかは、技術的解決策の特定の適用例および設計制約条件に依存する。当業者は、特定の適用例ごとに、説明された機能を実装するために異なる方法を使用してよいが、そのような実装は本発明の範囲を越えると考えられるべきではない。
【０５１６】
上記のシステム、装置、およびユニットの詳細な動作処理について、説明をわかりやすく簡潔にするために、上記の方法実施形態における対応する処理への参照が行われ得ることが当業者によって明らかに理解され得、詳細について再びここで説明されない。
【０５１７】
本出願で提供されるいくつかの実施形態において、開示されるシステム、装置、および方法は、他の方式で実装され得ることを理解されたい。たとえば、説明された装置実施形態は例にすぎない。たとえば、ユニット分割は論理的な機能分割にすぎず、実際の実装形態では他の分割であってよい。たとえば、複数のユニットまたは構成要素は、組み合わされ得るかまたは別のシステムに組み込まれ得るか、またはいくつかの特徴が無視されるかもしくは実施されないことがある。加えて、図示または説明された相互結合、直接結合、または通信接続は、いくつかのインターフェースを使用することによって実装され得る。装置またはユニット間の間接的結合または通信接続は、電気的、機械的、または他の形態で実装され得る。
【０５１８】
別個の部分として説明されたユニットは、物理的に別個であっても別個でなくてもよく、ユニットとして示された部分は、物理ユニットであってもなくてもよく、１つの場所に位置していても、複数のネットワークユニット上に分散されていてもよい。ユニットの一部または全部は、実施形態において解決策の目的を達成するために、実際の要件に応じて選択されてよい。
【０５１９】
加えて、本発明の実施形態における機能ユニットは、１つの処理ユニットに組み込まれ得るか、またはユニットの各々が物理的に単独で存在し得るか、または２つ以上のユニットが１つのユニットに組み込まれ得る。
【０５２０】
機能がソフトウェア機能ユニットの形態で実装され、独立した製品として販売または使用されるとき、機能はコンピュータ可読記憶媒体に記憶され得る。そのような理解に基づいて、本発明の技術的解決策は本質的に、または従来技術に寄与する部分、もしくは技術的解決策の一部は、ソフトウェア製品の形態で実装され得る。コンピュータソフトウェア製品は、記憶媒体に記憶され、本発明の実施形態で説明された方法のステップの全部または一部を実行するように（パーソナルコンピュータ、サーバ、ネットワークデバイスなどであり得る）コンピュータデバイスに命令するためのいくつかの命令を含む。上記の記憶媒体は、ＵＳＢフラッシュドライブ、リムーバブルハードディスク、読取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、または光ディスクなど、プログラムコードを記憶することができる任意の媒体を含む。
【０５２１】
上記の説明は、本発明の特定の実装形態にすぎず、本発明の保護範囲を限定するものではない。本発明で開示される技術範囲内で当業者によって容易に想到されるいかなる変形形態または置換形態も、本発明の保護範囲内に入るものである。したがって、本発明の保護範囲は、特許請求の範囲の保護範囲に従わなければならないものである。
【国際調査報告】
2019527972.tif 000064
2019527972.tif 000065
2019527972.tif 000066
2019527972.tif 000067
2019527972.tif 000068
2019527972.tif 000069